(57)【要約】  本発明の実施形態は、ネットワーク通信方法、装置、およびシステムを提供する。方法は、UEによって、アクセスネットワークのRNCによって送られた命令情報を受信するステップであって、命令情報は、UEに、マクロ基地局とのアップリンクおよびダウンリンクのサービス送信を実行し、第1の領域においてマイクロ基地局とのアップリンクサービス送信を実行し、かつ/またはマイクロ基地局とのアップリンクおよびダウンリンクのサービス送信を実行し、第2の領域においてマクロ基地局とのダウンリンクサービス送信を実行するステップと、UEによって、命令情報によりサービス送信を実行するステップとを含む。本発明の実施形態によって提供されるネットワーク通信方法、装置、およびシステムは、UEによって第1の領域においてマイクロ基地局に引き起こされるアップリンク干渉を最小限にし、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
2016527775.tif 000002
【特許請求の範囲】
【請求項１】
ユーザ機器UEによって、アクセスネットワークの無線ネットワークコントローラRNCによって送られた命令情報を受信するステップであって、前記命令情報は、UEに、
第1の領域において、前記アクセスネットワークのマクロ基地局とのアップリンクおよびダウンリンクのサービス送信を実行し、前記アクセスネットワークのマイクロ基地局とのアップリンクサービス送信を実行し、前記第1の領域は、前記マイクロ基地局の共通パイロットチャネル品質は、第1のアクティブセットへの追加のために第1のしきい値に到達する前記マイクロ基地局の共通パイロットチャネル品質と、第2のアクティブセットへの追加のために第1の条件しきい値に到達する前記マイクロ基地局の共通パイロットチャネル品質の間にある領域であり、前記マイクロ基地局の共通パイロットチャネル品質は、測定を使って前記第1の領域においてUEによって取得され、かつ/または
第2の領域において、マイクロ基地局とのアップリンクおよびダウンリンクのサービス送信を実行し、マクロ基地局とのダウンリンクサービス送信を実行し、前記第2の領域は、前記マクロ基地局の共通パイロットチャネル品質は、第3のアクティブセットへの追加のために第3のしきい値に到達する前記マクロ基地局の共通パイロットチャネル品質と、第2のアクティブセットへの追加のために第2の条件しきい値に到達する前記マクロ基地局の共通パイロットチャネル品質の間にある領域であり、前記マクロ基地局の共通パイロットチャネル品質は、測定を使って前記第2の領域においてUEによって取得される
ように指示するために使用されるステップと、
前記UEによって、前記命令情報によりサービス送信を実行するステップであって、
前記第1のアクティブセットは、拡張された専用チャネルDCHアクティブセットおよび/または拡張された向上された専用チャネルE-DCHアクティブセットを含み、前記拡張されたDCHアクティブセットは、アップリンクDCHサービスを送るためにUEをサポートし、前記拡張されたDCHアクティブセットのマイクロ基地局は、前記UEによって送られたアップリンクDCHサービスを受信し、前記拡張されたE-DCHアクティブセットは、E-DCHサービスを送るために前記UEをサポートし、前記拡張されたE-DCHアクティブセットのマイクロ基地局は、前記UEによって送られたE-DCHサービスを受信し、
前記第1のアクティブセットでは、前記UEは、前記第1のアクティブセットにおいてマクロ基地局のDCHサービスの対数尤度比LLRを受信および計算し、ビタビ復号を実行するためにビタビ復号器として前記LLRを入力することができ、
第2のアクティブセットは、DCHアクティブセットおよび/またはE-DCHアクティブセットを含み、
前記第3のアクティブセットは、拡張されたDCHアクティブセットを含み、前記拡張されたDCHアクティブセットは、ダウンリンクDCHサービスを送るために前記第3のアクティブセットにおいてマクロ基地局をサポートし、前記UEは、前記第3のアクティブセットにおいて前記マクロ基地局によって送られたダウンリンクDCHサービスを受信し、
前記第3のアクティブセットでは、前記UEは、前記第3のアクティブセットにおいてマイクロ基地局によって送られた、向上された専用チャネルのハイブリッド自動再送要求インジケータチャネルE-HICHを受信することができ、前記E-HICHが肯定応答ACKを示している場合、前記UEは新しいデータを送信するか、または前記E-HICHが否定応答NACKを示し、再送信の最高数に到達していない場合、前記UEはデータを再送信する
ステップと
を含むネットワーク通信方法。
【請求項２】
前記UEによって、前記命令情報によりサービス送信を実行する前に、
前記UEによって、前記RNCによって送られたアクティブセット更新シグナリングを受信するステップと、
前記UEによって前記アクティブセット更新シグナリングにより、前記第1の領域においてサービス送信を実行するときに、前記第1のアクティブセットに前記マイクロ基地局を追加し、かつ/または前記第2の領域においてサービス送信を実行するときに、前記第3のアクティブセットに前記マクロ基地局を追加するステップと
をさらに含む請求項1に記載の方法。
【請求項３】
前記UEによって、前記RNCによって送られたアクティブセット更新シグナリングを受信するステップの前に、
前記UEによって、各セルの共通パイロットチャネル品質を測定するステップと、
前記UEが非ソフトハンドオーバ領域にある場合、および前記UEが、前記マイクロ基地局の共通パイロットチャネル品質は、前記第1のアクティブセットへの追加のために事前設定された第1のしきい値より大きく、前記第2のアクティブセットへの追加のために第1の条件しきい値より小さいと測定した場合、前記UEによって、前記RNCに第1の測定レポートを送り、それにより、前記RNCは、前記第1の測定レポートにより、前記UEに前記アクティブセット更新シグナリングを送るステップ、または
前記UEが第2のアクティブセットに対応するソフトハンドオーバ領域にある場合、および前記UEが、前記マイクロ基地局の共通パイロットチャネル品質は、前記第2のアクティブセットからの前記マイクロ基地局の削除のために第3の条件しきい値より小さく、事前設定された第2のしきい値より大きいと測定した場合、前記UEによって、前記RNCに第1の測定レポートを送り、それにより、前記RNCは、前記第1の測定レポートにより、前記UEに前記アクティブセット更新シグナリングを送るステップと
をさらに含む請求項2に記載の方法。
【請求項４】
前記UEによって、前記命令情報によりサービス送信を実行した後に、
前記UEによって、前記マイクロ基地局の共通パイロットチャネル品質を測定することを継続し、前記マイクロ基地局の共通パイロットチャネル品質が、前記第2のアクティブセットへの追加のために前記第1の条件しきい値より大きい場合、前記UEによって、前記RNCに第2の測定レポートを送るステップであって、それにより、前記RNCは、前記UEに第1の制御情報を送るステップと、
前記UEによって、前記第1の制御情報により前記第2のアクティブセットに前記マイクロ基地局を追加するステップ、
または
前記UEによって、前記マイクロ基地局の共通パイロットチャネル品質を測定することを継続し、前記マイクロ基地局の共通パイロットチャネル品質が前記第2のしきい値より小さい場合、前記UEによって、前記RNCに第2の測定レポートを送るステップであって、それにより、前記RNCは、前記UEに第2の制御情報を送るステップと、
前記UEによって、前記第2の制御情報により、前記第1のアクティブセットから前記マイクロ基地局を削除するステップと
をさらに含む請求項3に記載の方法。
【請求項５】
前記UEによって送信されたサービスは、DCHサービスを含み、
前記UEによって、前記マイクロ基地局によって送られた電力制御指令TPCを受信するステップであって、前記TPCは、前記UEのアップリンク送信電力を調整するために使用されるステップ
をさらに含むか、または
前記UEによって送信されたサービスは、E-DCHサービスを含み、
前記UEによって、TPCと、向上された専用チャネル相対グラントチャネルE-RGCHと、前記マイクロ基地局によって送られるE-HICHとを受信するステップであって、前記TPCは、前記UEのアップリンク送信電力を調整するために使用され、前記E-RGCHは、前記UEによって取得された、スケジューリング許可値を調整するために使用され、前記E-HICHは、前記マイクロ基地局が前記UEのデータを正しく受信するかどうかを前記UEにフィードバックするために使用されるステップ
をさらに含む請求項2から4のいずれか一項に記載の方法。
【請求項６】
前記UEによって送信されたサービスは、E-DCHサービスを含み、
前記UEによって、前記マイクロ基地局によって送られたE-HICHを受信するステップであって、前記E-HICHは、前記基地局が前記UEのデータを正しく受信するかどうかを前記UEにフィードバックするために使用されるステップと、
前記UEによって、前記マイクロ基地局のTPCを受信する機能を無効化するステップと
をさらに含む請求項2から4のいずれか一項に記載の方法。
【請求項７】
前記UEによって、前記RNCによって送られたアクティブセット更新シグナリングを受信する前に、
前記UEによって、各セルの共通パイロットチャネル品質を測定するステップと、
前記UEが非ソフトハンドオーバ領域にある場合、および前記UEが、前記マクロ基地局の共通パイロットチャネル品質は、前記事前設定された第3のしきい値より大きく、前記第2のアクティブセットへの追加のために前記第2の条件しきい値より小さいと測定した場合、前記UEによって、前記RNCに第3の測定レポートを送り、それにより、前記RNCは、前記第3の測定レポートにより、前記UEにアクティブセット更新シグナリングを送るステップ、または
前記UEが前記第2のアクティブセットに対応するソフトハンドオーバ領域にある場合、および前記UEが、前記マクロ基地局の共通パイロットチャネル品質は、前記第2のアクティブセットからの前記マクロ基地局の削除のために第4の条件しきい値より小さく、事前設定された第4のしきい値より大きいと測定した場合、前記UEによって、前記RNCに第3の測定レポートを送り、それにより、前記RNCは、前記第3の測定レポートにより、前記UEに前記アクティブセット更新シグナリングを送るステップと
をさらに含む請求項2に記載の方法。
【請求項８】
前記UEによって、前記命令情報によりサービス送信を実行した後に、
前記UEによって、前記マクロ基地局の共通パイロットチャネル品質を測定することを継続し、前記マクロ基地局の共通パイロットチャネル品質が、前記第2のアクティブセットへの追加のために前記第2の条件しきい値より大きい場合、前記UEによって、前記RNCに第4の測定レポートを送るステップであって、それにより、前記RNCは、前記UEに第3の制御情報を送るステップと、
前記UEによって、前記第3の制御情報により、前記第2のアクティブセットに前記マクロ基地局を追加するステップ、
または
前記UEによって、前記マクロ基地局の共通パイロットチャネル品質を測定することを継続し、前記マクロ基地局の共通パイロットチャネル品質が前記第4のしきい値より小さい場合、前記UEによって、前記RNCに第4の測定レポートを送るステップであって、それにより、前記RNCは、前記UEに第4の制御情報を送るステップと、
前記UEによって、前記第4の制御情報により、前記第3のアクティブセットから前記マクロ基地局を削除するステップと
をさらに含む請求項7に記載の方法。
【請求項９】
アクセスネットワークの無線ネットワークコントローラRNCによって、命令情報を生成するステップであって、前記命令情報は、ユーザ機器UEに、
第1の領域において、前記アクセスネットワークのマクロ基地局とのアップリンクおよびダウンリンクのサービス送信を実行し、前記アクセスネットワークのマイクロ基地局とのアップリンクサービス送信を実行し、前記第1の領域は、前記マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達する前記マイクロ基地局の共通パイロットチャネル品質の間にある領域であり、前記マイクロ基地局の共通パイロットチャネル品質は、測定を使って前記第1の領域においてUEによって取得され、かつ/または
第2の領域において、マイクロ基地局とのアップリンクおよびダウンリンクのサービス送信を実行し、マクロ基地局とのダウンリンクサービス送信を実行し、前記第2の領域は、前記マクロ基地局の共通パイロットチャネル品質は、第3のアクティブセットへの追加のために第3のしきい値に到達する前記マクロ基地局の共通パイロットチャネル品と、第2のアクティブセットへの追加のために第2の条件しきい値に到達する前記マクロ基地局の共通パイロットチャネル品質の間にある領域であり、前記マクロ基地局の共通パイロットチャネル品質は、測定を使って前記第2の領域において前記UEによって取得される
ように指示するために使用されるステップと、
前記RNCによって、前記UEに命令情報を送り、それにより、前記UEは、前記命令情報によりサービス送信を実行するステップであって、
前記第1のアクティブセットは、拡張された専用チャネルDCHアクティブセットおよび/または拡張された向上された専用チャネルE-DCHアクティブセットを含み、前記拡張されたDCHアクティブセットは、アップリンクDCHサービスを送るために前記UEをサポートし、前記拡張されたDCHアクティブセットのマイクロ基地局は、前記UEによって送られたアップリンクDCHサービスを受信し、前記拡張されたE-DCHアクティブセットは、E-DCHサービスを送るために前記UEをサポートし、前記拡張されたE-DCHアクティブセットのマイクロ基地局は、前記UEによって送られたE-DCHサービスを受信し、
前記第1のアクティブセットでは、前記UEは、前記第1のアクティブセットにおいてマクロ基地局のDCHサービスの対数尤度比LLRを受信および計算し、ビタビ復号を実行するためにビタビ復号器として前記LLRを入力することができ、
前記第2のアクティブセットは、DCHアクティブセットおよび/またはE-DCHアクティブセットを含み、
前記第3のアクティブセットは、拡張されたDCHアクティブセットを含み、前記拡張されたDCHアクティブセットは、ダウンリンクDCHサービスを送るために前記第3のアクティブセットにおいてマクロ基地局をサポートし、前記UEは、前記第3のアクティブセットにおいて前記マクロ基地局によって送られたダウンリンクDCHサービスを受信し、
前記第3のアクティブセットでは、前記UEは、前記第3のアクティブセットにおいてマイクロ基地局によって送られた、向上された専用チャネルのハイブリッド自動再送要求インジケータチャネルE-HICHを受信することができ、前記E-HICHが肯定応答ACKを示している場合、前記UEは新しいデータを送信するか、または前記E-HICHが否定応答NACKを示し、再送信の最高数に到達していない場合、前記UEはデータを再送信する
ステップと
を含むネットワーク通信方法。
【請求項１０】
前記RNCによって、前記UEに前記命令情報を送信するステップの前に、
前記RNCによって、前記UEにアクティブセット更新シグナリングを送信し、それにより、前記UEは、前記アクティブセット更新シグナリングにより、前記第1の領域においてサービス送信を実行するときに、前記第1のアクティブセットに前記マイクロ基地局を追加し、かつ/または前記第2の領域においてサービス送信を実行するときに、前記第3のアクティブセットに前記マクロ基地局を追加するステップをさらに含む請求項9に記載の方法。
【請求項１１】
前記RNCによって、前記UEにアクティブセット更新シグナリングを送信するステップの前に、
前記RNCによって、前記UEによって送られた第1の測定レポートを受信するステップであって、前記第1の測定レポートは、前記UEが非ソフトハンドオーバ領域にある場合、および前記UEが、前記マイクロ基地局の共通パイロットチャネル品質は、前記第1のアクティブセットへの追加のために事前設定された第1のしきい値より大きく、前記第2のアクティブセットへの追加のために第1の条件しきい値より小さいと測定した場合、前記RNCに送られるか、または
前記第1の測定レポートは、前記UEが前記第2のアクティブセットに対応するソフトハンドオーバ領域にある場合、および前記UEが、前記マイクロ基地局の共通パイロットチャネル品質は、前記第2のアクティブセットからの前記マイクロ基地局の削除のために第3の条件しきい値より小さく、事前設定された第2のしきい値より大きいと測定した場合、前記RNCに送られる
ステップ
をさらに含む請求項10に記載の方法。
【請求項１２】
前記RNCによって、前記UEに命令情報を送信するステップの後に、
前記RNCによって、前記UEによって送られた第2の測定レポートを受信するステップであって、前記マイクロ基地局の共通パイロットチャネル品質が、前記第2のアクティブセットへの追加のために前記第1の条件しきい値より大きい場合、前記第2の測定レポートは前記RNCに前記UEによって送られるステップと、
前記RNCによって、UEに第1の制御情報を送り、それにより、前記UEは、第1の制御情報の命令により、前記第2のアクティブセットに前記マイクロ基地局を追加するステップ、
または
前記RNCによって、前記UEによって送られた第2の測定レポートを受信するステップであって、前記マイクロ基地局の共通パイロットチャネル品質が前記第2のしきい値より小さい場合、前記第2の測定レポートは前記RNCに前記UEによって送られるステップと、
前記RNCによって、前記UEに第2の制御情報を送り、それにより、前記UEは、前記第2の制御情報により前記第1のアクティブセットから前記マイクロ基地局を削除するステップと
をさらに含む請求項11に記載の方法。
【請求項１３】
前記RNCによって、前記UEにアクティブセット更新シグナリングを送信するステップの前に、
前記RNCによって、前記UEによって送られた第3の測定レポートを受信するステップであって、前記第3の測定レポートは、前記UEが非ソフトハンドオーバ領域にある場合、および前記UEが、前記マクロ基地局の共通パイロットチャネル品質は、前記事前設定された第3のしきい値より大きく、前記第2のアクティブセットへの追加のために前記第2の条件しきい値より小さいと測定した場合、前記RNCに前記UEによって送られるステップ、または
前記第3の測定レポートは、前記UEが前記第2のアクティブセットに対応するソフトハンドオーバ領域にある場合、および前記UEが、前記マクロ基地局の共通パイロットチャネル品質は、前記第2のアクティブセットからの前記マクロ基地局の削除のために第4の条件しきい値より小さく、事前設定された第4のしきい値より大きいと測定した場合、前記RNCに前記UEによって送られる
ステップ
をさらに含む請求項10に記載の方法。
【請求項１４】
前記RNCによって、前記UEに命令情報を送信するステップの後に、
前記RNCによって、前記UEによって送られた第4の測定レポートを受信するステップであって、前記第4の測定レポートは、前記マクロ基地局の共通パイロットチャネル品質が、前記第2のアクティブセットへの追加のために前記第2の条件しきい値より大きい場合、前記RNCに前記UEによって送られるステップと、
前記RNCによって、前記UEに第3の制御情報を送り、それにより、前記UEは、前記第3の制御情報により、前記第2のアクティブセットに前記マクロ基地局を追加するステップ、
または
前記RNCによって、前記UEによって送られた第4の測定レポートを受信するステップであって、前記マクロ基地局の共通パイロットチャネル品質が前記第4のしきい値より小さい場合、前記第4の測定レポートは、前記RNCに前記UEによって送られるステップと、
前記RNCによって、前記UEに第4の制御情報を送り、それにより、前記UEは、前記第4の制御情報により、前記第3のアクティブセットから前記マクロ基地局を削除するステップと
をさらに含む請求項13に記載の方法。
【請求項１５】
マイクロ基地局によって、アクセスネットワークにおいて無線ネットワークコントローラRNCによって送られた構成情報を受信するステップであって、前記構成情報は、ユーザ機器UEによって送られたアップリンク専用チャネルDCHおよび/またはアップリンクの向上された専用チャネルE-DCHサービスを受信するように前記マイクロ基地局に指示するために使用されるステップと、
前記UEが第1の領域においてサービス送信を実行するときに、前記マイクロ基地局が第1のアクティブセットにUEによって追加された後に、前記構成情報により前記第1のアクティブセットのマイクロ基地局によって、前記UEによって送られた前記アップリンクDCHおよび/またはアップリンクE-DCHサービスを受信するステップであって、前記第1の領域は、前記マイクロ基地局の共通パイロットチャネル品質は、前記第1のアクティブセットへの追加のために第1のしきい値に到達するマイクロ基地局の共通パイロットチャネル品質と、第2のアクティブセットへの追加のために第1の条件しきい値に到達する前記マイクロ基地局の共通パイロットチャネル品質の間にある領域であり、前記マイクロ基地局の共通パイロットチャネル品質は、測定を使って前記第1の領域において前記UEによって取得されるステップとを含み、
前記第1のアクティブセットは、
拡張されたDCHアクティブセットおよび/または拡張されたE-DCHアクティブセットであって、前記拡張されたDCHアクティブセットは、アップリンクDCHサービスを送るために前記UEをサポートし、前記拡張されたDCHアクティブセットのマイクロ基地局は、前記UEによって送られた前記アップリンクDCHサービスを受信し、前記拡張されたE-DCHアクティブセットは、E-DCHサービスを送るために前記UEをサポートし、前記拡張されたE-DCHアクティブセットのマイクロ基地局は、前記UEによって送られた前記E-DCHサービスを受信する、拡張されたDCHアクティブセットおよび/または拡張されたE-DCHアクティブセット
を含み、
前記第1のアクティブセットでは、前記UEは、前記第1のアクティブセットにおいてマクロ基地局のDCHサービスの対数尤度比LLRを受信および計算し、ビタビ復号を実行するためにビタビ復号器として前記LLRを入力することができる
ネットワーク通信方法。
【請求項１６】
前記マイクロ基地局によって受信されたサービスがDCHサービスである場合、
前記マイクロ基地局によって、前記UEに電力制御指令TPCを送るステップであって、前記TPCは、前記UEのアップリンク送信電力を調整するために使用されるステップ
をさらに含み、または
前記マイクロ基地局によって受信されたサービスがE-DCHサービスである場合、
前記マイクロ基地局によって、TPCと、向上された専用チャネル相対グラントチャネルE-RGCHと、向上された専用チャネルのハイブリッド自動再送要求インジケータチャネルE-HICHとを前記UEに送るステップであって、前記TPCは、前記UEのアップリンク送信電力を調整するために使用され、前記E-RGCHは、前記UEによって取得された、スケジューリング許可値を調整するために使用され、前記E-HICHは、前記マイクロ基地局が前記UEのデータを正しく受信するかどうかを前記UEにフィードバックするために使用されるステップ
をさらに含む
請求項15に記載の方法。
【請求項１７】
前記マイクロ基地局によって受信されたサービスがE-DCHサービスである場合、
前記マイクロ基地局によって、前記UEに前記E-HICHを送るステップであって、前記E-HICHは、前記マイクロ基地局が前記UEのデータを正しく受信するかどうかを前記UEにフィードバックするために使用されるステップと、
前記マイクロ基地局によって、前記UEにTPCを送る機能を無効化するステップと
をさらに含む請求項15に記載の方法。
【請求項１８】
マクロ基地局によって、アクセスネットワークの無線ネットワークコントローラRNCによって送られた構成情報を受信するステップであって、前記構成情報は、ユーザ機器UEにダウンリンク専用チャネルDCHサービスを送るように前記マクロ基地局に指示するために使用されるステップと、
前記UEが第2の領域においてサービス送信を実行するときに、前記マクロ基地局が第3のアクティブセットに前記UEによって追加された後に、前記構成情報により前記第3のアクティブセットのマクロ基地局によって、前記UEに前記ダウンリンク専用チャネルDCHサービスを送るステップであって、前記第2の領域は、前記マクロ基地局の共通パイロットチャネル品質は、前記第3のアクティブセットへの追加のために第3のしきい値に到達する前記マクロ基地局の共通パイロットチャネル品と、第2のアクティブセットへの追加のために第2の条件しきい値に到達する前記マクロ基地局の共通パイロットチャネル品質の間にある領域であり、前記マクロ基地局の共通パイロットチャネル品質は、測定を使って前記第2の領域において前記UEによって取得されるステップと
を含み、
前記第3のアクティブセットは、拡張されたDCHアクティブセットを含み、前記拡張されたDCHアクティブセットは、ダウンリンクDCHサービスを送るために前記第3のアクティブセットにおいてマクロ基地局をサポートし、前記UEは、前記第3のアクティブセットにおいて前記マクロ基地局によって送られたダウンリンクDCHサービスを受信し、
前記第3のアクティブセットでは、前記UEは、前記第3のアクティブセットにおいてマイクロ基地局によって送られた、向上された専用チャネルのハイブリッド自動再送要求インジケータチャネルE-HICHを受信することができ、前記E-HICHが肯定応答ACKを示している場合、前記UEは、新しいE-DCHサービスを送信するか、または前記UEは、前記E-HICHが否定応答NACKを示しており、再送信の最高数に到達していない場合、E-DCHサービスを再送信する
ネットワーク通信方法。
【請求項１９】
前記構成情報により第3のアクティブセットで、前記UEに前記ダウンリンク専用チャネルDCHサービスを送るステップの後に、
前記UEによって送られたアップリンク電力制御指令TPCを受信するステップであって、前記TPCは、前記ダウンリンクDCHサービスの送信電力を制御するために使用されるステップ
をさらに含む請求項18に記載の方法。
【請求項２０】
アクセスネットワークの無線ネットワークコントローラRNCによって送られた命令情報を受信するように構成された受信モジュールであって、前記命令情報は、前記UEに、
第1の領域において、前記アクセスネットワークのマクロ基地局とのアップリンクおよびダウンリンクのサービス送信を実行し、前記アクセスネットワークのマイクロ基地局とのアップリンクサービス送信を実行し、前記第1の領域は、前記マイクロ基地局の共通パイロットチャネル品質は、第1のアクティブセットへの追加のために第1のしきい値に到達する前記マイクロ基地局の共通パイロットチャネル品質と、第2のアクティブセットへの追加のために第1の条件しきい値に到達する前記マイクロ基地局の共通パイロットチャネル品質の間にある領域であり、前記マイクロ基地局の共通パイロットチャネル品質は、測定を使って前記第1の領域において前記UEによって取得され、かつ/または
第2の領域において、マイクロ基地局とのアップリンクおよびダウンリンクのサービス送信を実行し、マクロ基地局とのダウンリンクサービス送信を実行し、前記第2の領域は、前記マクロ基地局の共通パイロットチャネル品質は、第3のアクティブセットへの追加のために第3のしきい値に到達する前記マクロ基地局の共通パイロットチャネル品と、第2のアクティブセットへの追加のために第2の条件しきい値に到達する前記マクロ基地局の共通パイロットチャネル品質の間にある領域であり、前記マクロ基地局の共通パイロットチャネル品質は、測定を使って前記第2の領域において前記UEによって取得される
ように指示するために使用される受信モジュールと、
前記命令情報によりサービス送信を実行するように構成された処理モジュールであって、
前記第1のアクティブセットは、拡張された専用チャネルDCHアクティブセットおよび/または拡張された向上された専用チャネルE-DCHアクティブセットを含み、前記拡張されたDCHアクティブセットは、アップリンクDCHサービスを送るために前記UEをサポートし、前記拡張されたDCHアクティブセットのマイクロ基地局は、前記UEによって送られたアップリンクDCHサービスを受信し、前記拡張されたE-DCHアクティブセットは、E-DCHサービスを送るために前記UEをサポートし、前記拡張されたE-DCHアクティブセットのマイクロ基地局は、前記UEによって送られた前記E-DCHサービスを受信し、
前記第1のアクティブセットでは、前記UEは、前記第1のアクティブセットにおいてマクロ基地局のDCHサービスの対数尤度比LLRを受信および計算し、ビタビ復号を実行するためにビタビ復号器として前記LLRを入力することができ、
前記第2のアクティブセットは、DCHアクティブセットおよび/またはE-DCHアクティブセットを含み、
前記第3のアクティブセットは、拡張されたDCHアクティブセットを含み、前記拡張されたDCHアクティブセットは、ダウンリンクDCHサービスを送るために前記第3のアクティブセットにおいてマクロ基地局をサポートし、前記UEは、前記第3のアクティブセットにおいて前記マクロ基地局によって送られた前記ダウンリンクDCHサービスを受信し、
前記第3のアクティブセットでは、前記UEは、前記第3のアクティブセットにおいてマイクロ基地局によって送られた、向上された専用チャネルのハイブリッド自動再送要求インジケータチャネルE-HICHを受信することができ、前記E-HICHが肯定応答ACKを示している場合、前記UEは新しいデータを送信するか、または前記E-HICHが否定応答NACKを示し、再送信の最高数に到達していない場合、前記UEはデータを再送信する
処理モジュールと
を含むユーザ機器。
【請求項２１】
前記受信モジュールは、
前記処理モジュールが前記命令情報によりサービス送信を実行する前に、前記RNCによって送られたアクティブセット更新シグナリングを受信する
ようにさらに構成され、
前記処理モジュールは、前記アクティブセット更新シグナリングにより、前記第1の領域においてサービス送信を実行するときに、前記第1のアクティブセットに前記マイクロ基地局を追加し、かつおよび/または前記第2の領域においてサービス送信を実行するときに、前記第3のアクティブセットに前記マクロ基地局を追加するようにさらに構成されている
請求項20に記載のユーザ機器。
【請求項２２】
前記受信モジュールが前記RNCによって送られたアクティブセット更新シグナリングを受信する前に、各セルの共通パイロットチャネル品質を測定するように構成された第1の測定モジュールと、
前記UEが非ソフトハンドオーバ領域にある場合、および前記第1の測定モジュールが、前記マイクロ基地局の共通パイロットチャネル品質は、前記第1のアクティブセットへの追加のために前記事前設定された第1のしきい値より大きく、前記第2のアクティブセットへの追加のために前記第1の条件しきい値より小さいと測定した場合、前記RNCに第1の測定レポートを送り、それにより、前記RNCは、前記第1の測定レポートにより、前記UEに前記アクティブセット更新シグナリングを送るように構成された第1の送信モジュールと
をさらに含み、または
前記第1の送信モジュールは、前記UEが前記第2のアクティブセットに対応するソフトハンドオーバ領域にある場合、および前記UEが、前記マイクロ基地局の共通パイロットチャネル品質は、前記第2のアクティブセットからの前記マイクロ基地局の削除のために第2の条件しきい値より小さく、事前設定された第2のしきい値より大きいと測定した場合、前記RNCに第1の測定レポートを送り、それにより、前記RNCは、前記第1の測定レポートにより、前記UEに前記アクティブセット更新シグナリングを送るように構成されている
請求項21に記載のユーザ機器。
【請求項２３】
前記第1の測定モジュールは、
前記処理モジュールが命令情報によりサービス送信を実行した後、前記マイクロ基地局の共通パイロットチャネル品質を測定し続け、前記マイクロ基地局の共通パイロットチャネル品質が、前記第2のアクティブセットへの追加のために前記第1の条件しきい値より大きい場合、前記第1の送信モジュールは、前記RNCに第2の測定レポートを送るようにさらに構成され、それにより、前記RNCは、前記UEに第1の制御情報を送る
ようにさらに構成され、
前記処理モジュールは、前記第1の制御情報により前記第2のアクティブセットに前記マイクロ基地局を追加するようにさらに構成されるか、
または
前記第1の測定モジュールは、
前記処理モジュールが前記命令情報によりサービス送信を実行した後、前記マイクロ基地局の共通パイロットチャネル品質を測定し続ける
ようにさらに構成され、前記マイクロ基地局の共通パイロットチャネル品質が前記第2のしきい値より小さい場合、前記第1の送信モジュールは、前記RNCに第2の測定レポートを送るようにさらに構成され、それにより、前記RNCは、前記UEに第2の制御情報を送り、
前記処理モジュールは、前記第2の制御情報により、前記第1のアクティブセットから前記マイクロ基地局を削除するようにさらに構成されるようにさらに構成されている
請求項22に記載のユーザ機器。
【請求項２４】
請求項21から23のいずれか一項に記載のユーザ機器であって、前記UEによって送信されたサービスは、DCHサービスを含み、前記受信モジュールは、
前記マイクロ基地局によって送られた電力制御指令TPCを受信し、前記TPCは、前記UEのアップリンク送信電力を調整するために使用される
ようにさらに構成されるか、または
前記UEによって送信されたサービスは、E-DCHサービスを含み、前記受信モジュールは、
電力制御指令TPCと、向上された専用チャネル相対グラントチャネルE-RGCHと、マイクロ基地局によって送られるE-HICHとを受信するようにさらに構成され、前記TPCは、前記UEのアップリンク送信電力を調整するために使用され、前記E-RGCHは、前記UEによって取得された、スケジューリング許可値を調整するために使用され、前記E-HICHは、前記マイクロ基地局が前記UEのデータを正しく受信するかどうかを前記UEにフィードバックするために使用されるか、または
前記マイクロ基地局によって送られたE-HICHを受信し、前記E-HICHは、前記基地局が前記UEのデータを正しく受信するかどうかを前記UEにフィードバックするために使用され、
前記マイクロ基地局のTPCを受信する機能を無効化する
するように構成されている
請求項21から23のいずれか一項に記載のユーザ機器。
【請求項２５】
前記受信モジュールが前記RNCによって送られたアクティブセット更新シグナリングを受信する前に、各セルの共通パイロットチャネル品質を測定するように構成された第2の測定モジュールと、
前記UEが非ソフトハンドオーバ領域にある場合、および前記第2の測定モジュールが、前記マクロ基地局の共通パイロットチャネル品質は、前記事前設定された第3のしきい値より大きく、前記第2のアクティブセットへの追加のために前記第2の条件しきい値より小さいと測定した場合、前記RNCに第3の測定レポートを送り、それにより、前記RNCは、前記第3の測定レポートにより、前記UEに前記アクティブセット更新シグナリングを送る
ように構成された第2の送信モジュールと
をさらに含むか、または
前記第2の送信モジュールは、前記UEが第2のアクティブセットに対応するソフトハンドオーバ領域にある場合、および前記第2の測定モジュールが、前記マクロ基地局の共通パイロットチャネル品質は、前記第2のアクティブセットからの前記マクロ基地局の削除のために第4の条件しきい値より小さく、事前設定された第4のしきい値より大きいと測定した場合、前記RNCに第3の測定レポートを送り、それにより、前記RNCは、前記第3の測定レポートにより、前記UEに前記アクティブセット更新シグナリングを送る
ようにさらに構成されている
請求項21に記載のユーザ機器。
【請求項２６】
前記第2の測定モジュールは、
前記処理モジュールが前記命令情報によりサービス送信を実行した後、前記マクロ基地局の共通パイロットチャネル品質を測定し続け、前記マクロ基地局の共通パイロットチャネル品質が、前記第2のアクティブセットへの追加のために第2の条件しきい値より大きい場合、前記第2の送信モジュールは、前記RNCに第4の測定レポートを送るようにさらに構成され、それにより、前記RNCは、前記UEに第3の制御情報を送る
ようにさらに構成され、
前記処理モジュールは、前記第3の制御情報により前記第2のアクティブセットに前記マクロ基地局を追加するようにさらに構成されるか、
または
前記第2の測定モジュールは、
前記処理モジュールが前記命令情報によりサービス送信を実行した後、前記マクロ基地局の共通パイロットチャネル品質を測定し続け、前記マクロ基地局の共通パイロットチャネル品質が前記第4のしきい値より小さい場合、前記第2の送信モジュールは、前記RNCに第4の測定レポートを送るようにさらに構成されるため、前記RNCは、前記UEに第4の制御情報を送る
ようにさらに構成されており、
前記処理モジュールは、前記第4の制御情報により前記第3のアクティブセットから前記マクロ基地局を削除するようにさらに構成されている
請求項25に記載のユーザ機器。
【請求項２７】
命令情報を生成するように構成された生成モジュールであって、前記命令情報は、ユーザ機器UEに、第1の領域において、アクセスネットワークのマクロ基地局とのアップリンクおよびダウンリンクのサービス送信を実行し、前記アクセスネットワークのマイクロ基地局とのアップリンクサービス送信を実行し、前記第1の領域は、前記マイクロ基地局の共通パイロットチャネル品質は、第1のアクティブセットへの追加のために第1のしきい値に到達する前記マイクロ基地局の共通パイロットチャネル品質と、第2のアクティブセットへの追加のために第1の条件しきい値に到達する前記マイクロ基地局の共通パイロットチャネル品質の間にある領域であり、前記マイクロ基地局の共通パイロットチャネル品質は、測定を使って第1の領域においてUEによって取得され、かつ/または
第2の領域において、マイクロ基地局とのアップリンクおよびダウンリンクのサービス送信を実行し、前記マクロ基地局とのダウンリンクサービス送信を実行し、前記第2の領域は、前記マクロ基地局の共通パイロットチャネル品質は、第3のアクティブセットへの追加のために第3のしきい値に到達する前記マクロ基地局の共通パイロットチャネル品と、第2のアクティブセットへの追加のために第2の条件しきい値に到達する前記マクロ基地局の共通パイロットチャネル品質の間にある領域であり、前記マクロ基地局の共通パイロットチャネル品質は、測定を使って第2の領域においてUEによって取得される
ように指示するために使用される生成モジュールと、
前記UEに前記命令情報を送るように構成された送信モジュールであって、前記UEは、前記命令情報によりサービス送信を実行し、
前記第1のアクティブセットは、拡張された専用チャネルDCHアクティブセットおよび/または拡張された向上された専用チャネルE-DCHアクティブセットを含み、前記拡張されたDCHアクティブセットは、アップリンクDCHサービスを送るためにUEをサポートし、前記拡張されたDCHアクティブセットのマイクロ基地局は、前記UEによって送られたアップリンクDCHサービスを受信し、前記拡張されたE-DCHアクティブセットは、E-DCHサービスを送るために前記UEをサポートし、前記拡張されたE-DCHアクティブセットのマイクロ基地局は、前記UEによって送られたE-DCHサービスを受信し、
前記第1のアクティブセットでは、前記UEは、前記第1のアクティブセットにおいてマクロ基地局のDCHサービスの対数尤度比LLRを受信および計算し、ビタビ復号を実行するためにビタビ復号器として前記LLRを入力することができ、
前記第2のアクティブセットは、DCHアクティブセットおよび/またはE-DCHアクティブセットを含み、
前記第3のアクティブセットは、拡張されたDCHアクティブセットを含み、前記拡張されたDCHアクティブセットは、ダウンリンクDCHサービスを送るために前記第3のアクティブセットにおいて前記マクロ基地局をサポートし、前記UEは、前記第3のアクティブセットにおいて前記マクロ基地局によって送られたダウンリンクDCHサービスを受信し、
前記第3のアクティブセットでは、前記UEは、前記第3のアクティブセットにおいてマイクロ基地局によって送られた、向上された専用チャネルのハイブリッド自動再送要求インジケータチャネルE-HICHを受信することができ、前記E-HICHが肯定応答ACKを示している場合、前記UEは新しいデータを送信するか、または前記E-HICHが否定応答NACKを示し、再送信の最高数に到達していない場合、前記UEはデータを再送信する
送信モジュールと
を含む無線ネットワークコントローラ。
【請求項２８】
送信モジュールは、前記命令情報を送る前に、前記UEにアクティブセット更新シグナリングを送り、それにより、前記UEは、前記アクティブセット更新シグナリングにより、前記第1の領域においてサービス送信を実行するときに、前記第1のアクティブセットに前記マイクロ基地局を追加し、かつ/または前記第2の領域においてサービス送信を実行するときに、前記第3のアクティブセットに前記マクロ基地局を追加するようにさらに構成される請求項27に記載の無線ネットワークコントローラ。
【請求項２９】
前記送信モジュールが前記UEにアクティブセット更新シグナリングを送る前に、前記UEによって送られた第1の測定レポートを受信し、前記第1の測定レポートは、前記UEが非ソフトハンドオーバ領域にある場合、および前記UEが、前記マイクロ基地局の共通パイロットチャネル品質は、前記第1のアクティブセットへの追加のために事前設定された前記第1のしきい値より大きく、前記第2のアクティブセットへの追加のために前記第1の条件しきい値より小さいと測定した場合、前記RNCに送られるか、または
前記第1の測定レポートは、前記UEが前記第2のアクティブセットに対応するソフトハンドオーバ領域にある場合、および前記UEが、前記マイクロ基地局の共通パイロットチャネル品質は、前記第2のアクティブセットからの前記マイクロ基地局の削除のために第3の条件しきい値より小さく、事前設定された第2のしきい値より大きいと測定した場合、前記RNCに送られるように構成された、第1の受信モジュールをさらに含む請求項28に記載の無線ネットワークコントローラ。
【請求項３０】
前記第1の受信モジュールは、前記送信モジュールが前記UEに命令情報を送った後、前記UEによって送られた第2の測定レポートを受信し、前記マイクロ基地局の共通パイロットチャネル品質が、前記第2のアクティブセットへの追加のために前記第1の条件しきい値より大きい場合、前記第2の測定レポートは前記RNCに前記UEによって送られるようにさらに構成され、
前記送信モジュールは、前記UEに第1の制御情報を送るようにさらに構成され、それにより、前記UEは、前記第1の制御情報の命令により、前記第2のアクティブセットに前記マイクロ基地局を追加するか、
または
前記第1の受信モジュールは、前記送信モジュールが前記UEに前記命令情報を送った後、前記UEによって送られた第2の測定レポートを受信し、前記マイクロ基地局の共通パイロットチャネル品質が前記第2のしきい値より小さい場合、前記第2の測定レポートは前記RNCに前記UEによって送られるようにさらに構成され、
前記送信モジュールは、前記UEに第2の制御情報を送るようにさらに構成されるため、前記UEは、前記第2の制御情報により前記第1のアクティブセットから前記マイクロ基地局を削除する
請求項28に記載の無線ネットワークコントローラ。
【請求項３１】
前記送信モジュールが前記UEにアクティブセット更新シグナリングを送る前に、前記UEによって送られた第3の測定レポートを受信するように構成され、前記第3の測定レポートは、前記UEが非ソフトハンドオーバ領域にある場合、および前記UEが、前記マクロ基地局の共通パイロットチャネル品質は、前記事前設定された第3のしきい値より大きく、前記第2のアクティブセットへの追加のために前記第2の条件しきい値より小さいと測定した場合、前記RNCに前記UEによって送信されるか、または
前記第3の測定レポートは、前記UEが前記第2のアクティブセットに対応するソフトハンドオーバ領域にある場合、および前記UEが、前記マクロ基地局の共通パイロットチャネル品質は、前記第2のアクティブセットからの前記マクロ基地局の削除のために第4の条件しきい値より小さく、事前設定された第4のしきい値より大きいと測定した場合、前記RNCに前記UEによって送信されるように構成された、第2の受信モジュールをさらに含む請求項28に記載の無線ネットワークコントローラ。
【請求項３２】
前記第2の受信モジュールは、前記送信モジュールが前記UEに命令情報を送った後、前記UEによって送られた第4の測定レポートを受信するようにさらに構成され、前記第4の測定レポートは、前記マクロ基地局の共通パイロットチャネル品質が、前記第2のアクティブセットへの追加のために前記第2の条件しきい値より大きい場合、前記RNCに前記UEによって送られ、
前記送信モジュールは、前記UEに第3の制御情報を送るようにさらに構成され、それにより、前記UEは、前記第3の制御情報により、前記第2のアクティブセットに前記マクロ基地局を追加するようにさらに構成されるか、
または
前記第2の受信モジュールは、前記送信モジュールが前記UEに命令情報を送った後、前記UEによって送られた第4の測定レポートを受信するようにさらに構成され、前記マクロ基地局の共通パイロットチャネル品質が前記第4のしきい値より小さい場合、前記第4の測定レポートは、前記RNCに前記UEによって送られ、
前記送信モジュールは、前記UEに第4の制御情報を送るようにさらに構成され、それにより、前記UEは、前記第4の制御情報により、前記第3のアクティブセットから前記マクロ基地局を削除する
請求項31に記載の無線ネットワークコントローラ。
【請求項３３】
アクセスネットワークの無線ネットワークコントローラRNCによって送られた構成情報を受信するように構成された受信モジュールであって、前記構成情報は、ユーザ機器UEによって送られたアップリンク専用チャネルDCHおよび/またはアップリンクの向上された専用チャネルE-DCHサービスを受信するようにマイクロ基地局に指示するために使用される受信モジュールと、
前記UEが第1の領域においてサービス送信を実行するときに、前記マイクロ基地局が前記第1のアクティブセットに前記UEによって追加された後に、前記構成情報により第1のアクティブセットで、前記UEによって送られたアップリンクDCHおよび/またはアップリンクE-DCHサービスを受信するように構成された処理モジュールであって、前記第1の領域は、前記マイクロ基地局の共通パイロットチャネル品質は、前記第1のアクティブセットへの追加のために第1のしきい値に到達する前記マイクロ基地局の共通パイロットチャネル品質と、第2のアクティブセットへの追加のために第1の条件しきい値に到達する前記マイクロ基地局の共通パイロットチャネル品質の間にある領域であり、前記マイクロ基地局の共通パイロットチャネル品質は、測定を使って第1の領域においてUEによって取得される処理モジュールと
を含み、
前記第1のアクティブセットは、
拡張されたDCHアクティブセットおよび/または拡張されたE-DCHアクティブセットであって、前記拡張されたDCHアクティブセットは、アップリンクDCHサービスを送るために前記UEをサポートし、前記拡張されたDCHアクティブセットのマイクロ基地局は、前記UEによって送られたアップリンクDCHサービスを受信し、前記拡張されたE-DCHアクティブセットは、E-DCHサービスを送るために前記UEをサポートし、前記拡張されたE-DCHアクティブセットのマイクロ基地局は、前記UEによって送られたE-DCHサービスを受信し、
前記第1のアクティブセットでは、前記UEは、前記第1のアクティブセットにおいてマクロ基地局のDCHサービスの対数尤度比LLRを受信および計算し、ビタビ復号を実行するためにビタビ復号器として前記LLRを入力することができる
マイクロ基地局。
【請求項３４】
送信モジュールをさらに含み、前記マイクロ基地局によって受信されたサービスがDCHサービスである場合、前記送信モジュールは、前記UEに電力制御指令TPCを送るように構成され、前記TPCは、前記UEのアップリンク送信電力を調整するために使用されるか、または
前記マイクロ基地局によって受信されたサービスがE-DCHサービスである場合、前記送信モジュールは、TPCと、向上された専用チャネル相対グラントチャネルE-RGCHと、UEへの向上された専用チャネルのハイブリッド自動再送要求インジケータチャネルE-HICHとを送るように構成され、前記TPCは、前記UEのアップリンク送信電力を調整するために使用され、前記E-RGCHは、前記UEによって取得された、スケジューリング許可値を調整するために使用され、前記E-HICHは、前記マイクロ基地局が前記UEのデータを正しく受信するかどうかを前記UEにフィードバックするために使用されるか、または
前記送信モジュールは、前記UEに前記E-HICHを送るように構成され、前記E-HICHは、前記マイクロ基地局がUEのデータを正しく受信するかどうかを前記UEにフィードバックするために使用され、前記UEにTPCを送る機能を無効化する
請求項33に記載のマイクロ基地局。
【請求項３５】
アクセスネットワークの無線ネットワークコントローラRNCによって送られた構成情報を受信するように構成された受信モジュールであって、前記構成情報は、ユーザ機器UEにダウンリンク専用チャネルDCHサービスを送るようにマクロ基地局に指示するために使用される、受信モジュールと、
前記UEが第2の領域においてサービス送信を実行する場合、前記マクロ基地局が第3のアクティブセットにUEによって追加された後、前記構成情報により第3のアクティブセットで前記UEにダウンリンク専用チャネルDCHサービスを送るように構成された送信モジュールであって、前記第2の領域は、前記マクロ基地局の共通パイロットチャネル品質が、前記第3のアクティブセットへの追加のために第3のしきい値に到達する前記マクロ基地局の共通パイロットチャネル品質と、第2のアクティブセットへの追加のために第2の条件しきい値に到達する前記マクロ基地局の共通パイロットチャネル品質の間にある領域であり、前記マクロ基地局の共通パイロットチャネル品質は、測定を使って第2の領域において前記UEによって取得される、送信モジュールと
を含み、
前記第3のアクティブセットは、拡張されたDCHアクティブセットを含み、前記拡張されたDCHアクティブセットは、ダウンリンクDCHサービスを送るために前記第3のアクティブセットにおいてマクロ基地局をサポートし、前記UEは、前記第3のアクティブセットにおいて前記マクロ基地局によって送られたダウンリンクDCHサービスを受信し、
前記第3のアクティブセットでは、前記UEは、前記第3のアクティブセットにおいてマイクロ基地局によって送られた、向上された専用チャネルのハイブリッド自動再送要求インジケータチャネルE-HICHを受信することができ、前記E-HICHが肯定応答ACKを示している場合、前記UEは、新しいE-DCHサービスを送信するか、または前記UEは、前記E-HICHが否定応答NACKを示しており、再送信の最高数に到達していない場合、E-DCHサービスを再送信する
マクロ基地局。
【請求項３６】
前記受信モジュールは、
前記送信モジュールが、前記構成情報により前記第3のアクティブセットで、前記UEにダウンリンク専用チャネルDCHサービスを送った後、前記UEによって送られたアップリンク電力制御指令TPCを受信するように構成され、前記TPCは、ダウンリンクDCHサービスの送信電力を制御するために使用される
請求項35に記載のマクロ基地局。
【請求項３７】
請求項20から26のいずれか一項に記載のユーザ機器と、請求項27から32のいずれか一項に記載の無線ネットワークコントローラと、請求項33または34に記載のマイクロ基地局と、請求項35または36に記載のマクロ基地局とを含むアクセスネットワークシステム。
【請求項３８】
ユーザ機器UEによって、アクセスネットワークの第1の基地局によって送られた、第1の向上された専用チャネルのハイブリッド自動再送要求インジケータチャネルE-HICHを受信するステップであって、前記第1の基地局は、前記UEの検出範囲内に位置し、前記UEの向上された専用チャネルE-DCHアクティブセットにないステップと、
前記第1のE-HICHが肯定応答ACKを示す場合、前記UEによって、新しいE-DCHデータを送るステップと
を含むネットワーク通信方法。
【請求項３９】
前記第1の基地局が前記UEの検出範囲内に位置することは、
前記第1の基地局のものであり、前記UEによって測定されるダウンリンクパイロット品質は、事前設定された第1のしきい値より大きい
ことを含む
請求項38に記載の方法。
【請求項４０】
前記UEによって、前記第1の基地局によって送られた送信電力制御コマンドTPCを受信するステップをさらに含む請求項38または39に記載の方法。
【請求項４１】
UEによって、アクセスネットワークの第1の基地局によって送られた、第1の向上された専用チャネルのハイブリッド自動再送要求インジケータチャネルE-HICHを受信するステップの前に、
前記UEによって、無線ネットワークコントローラRNCによって送られた第1の命令シグナリングを受信するステップであって、前記第1の命令シグナリングは、前記第1の基地局によって送られた前記第1のE-HICHを受信するように前記UEに指示するために使用され、前記第1の命令シグナリングは、第1のE-HICHのチャネル化コードおよびシグネチャシーケンスを含み、前記チャネル化コードは、前記第1のE-HICHによって占められるチャネルを復号するために前記UEによって使用される拡散符号を示すために使用され、前記シグネチャシーケンスは、各E-HICHサブフレームを復号するために前記UEによって使用される直交系列を示すために使用されるステップ
をさらに含む
請求項39または40に記載の方法。
【請求項４２】
前記第1の命令シグナリングは、
前記第1のE-HICHのタイミング情報であって、前記第1のE-HICHのタイミング情報は、前記UEが前記第1のE-HICHの各サブフレームを受信するべき開始時間位置を示すために使用される
をさらに含む
請求項41に記載の方法。
【請求項４３】
前記第1のE-HICHのタイミング情報は、前記第1の基地局の断片的なダウンリンク物理チャネルF-DPCHのタイミングオフセットτF-DPCHおよび/または記号位置であるか、または
前記第1のE-HICHのタイミング情報は、前記第1の基地局の専用物理チャネルDPCHのタイミングオフセットτDPCH,nである
請求項42に記載の方法。
【請求項４４】
前記第1の命令シグナリングは、
向上された専用チャネル相対グラントチャネルE-RGCHのコードチャネルおよびシグネチャシーケンスであって、前記E-RGCHは、前記UEのE-DCH送信電力を制御するために使用される、または
前記E-RGCHのコードチャネルおよびシグネチャシーケンス、ならびに前記E-RGCHのタイミング情報であって、前記E-RGCHのタイミング情報は、前記UEが前記E-RGCHを受信したときを示すために使用される
をさらに含む
請求項41から43のいずれか一項に記載の方法。
【請求項４５】
前記E-RGCHのタイミング情報は、前記第1の基地局の断片的なダウンリンク物理チャネルF-DPCHのタイミングオフセットτF-DPCH,nおよび/または記号位置であるか、または
前記F-DPCHのタイミング情報は、前記第1の基地局の専用物理チャネルDPCHのタイミングオフセットτDPCH,nである
請求項44に記載の方法。
【請求項４６】
前記UEによって、無線ネットワークコントローラRNCによって送られた第1の命令シグナリングを受信するステップの前に、
前記UEによって、各サービスを提供するセルの共通パイロットチャネル品質を測定するステップと、
前記UEが、前記第1の基地局の共通パイロットチャネル品質は、事前設定された第1のしきい値より大きいと測定した場合、前記UEによって、前記RNCに測定レポートを送り、それにより、前記RNCは、測定レポートにより、前記UEに前記第1の命令シグナリングを送るステップと
をさらに含む
請求項41から45のいずれか一項に記載の方法。
【請求項４７】
アクセスネットワークの第1の基地局によって、ユーザ機器UEによって送られたE-DCHサービスを受信するステップであって、前記第1の基地局は、前記UEの検出範囲内に位置し、前記UEの向上された専用チャネルE-DCHアクティブセットにないステップと、
前記第1の基地局によって、前記UEに第1の向上された専用チャネルのハイブリッド自動再送要求インジケータチャネルE-HICHを送るステップと、
前記第1の基地局によって、前記第1のE-HICHが肯定応答ACKを示す場合、前記UEによって送られる新しいE-DCHデータを受信するステップと
を含むネットワーク通信方法。
【請求項４８】
前記第1の基地局が前記UEの検出範囲内に位置することは、
前記第1の基地局のものであり、前記UEによって測定されるダウンリンクパイロット品質は、事前設定された第1のしきい値より大きい
ことを含む請求項47に記載の方法。
【請求項４９】
前記第1の基地局によって、前記UEに送信電力制御コマンドTPCを送るステップをさらに含む請求項47または48に記載の方法。
【請求項５０】
アクセスネットワークの第1の基地局によって、ユーザ機器UEによって送られたE-DCHサービスを受信するステップの前に、
前記第1の基地局によって、無線ネットワークコントローラRNCによって送られた第2の命令シグナリングを受信するステップであって、前記第2の命令シグナリングは、前記UEによって送られたE-DCHサービスを受信するように前記第1の基地局に指示するために使用され、前記第2の命令シグナリングは、UEのアップリンクスクランブルコードと、第1のE-HICHのチャネル化コードおよびシグネチャシーケンスとを含み、前記チャネル化コードは、前記第1のE-HICHによって占められるチャネルを復号するために前記UEによって使用される拡散符号を示すために使用され、前記シグネチャシーケンスは、各E-HICHサブフレームを復号するために前記UEによって使用される直交系列を示すために使用されるステップ
をさらに含む請求項48または49に記載の方法。
【請求項５１】
前記第2の命令シグナリングは、
第1のE-HICHのタイミング情報であって、前記第1のE-HICHのタイミング情報は、前記第1のE-HICHの各サブフレームを送るために開始時間位置を示すために使用される
をさらに含む請求項50に記載の方法。
【請求項５２】
第1のE-HICHのタイミング情報は、前記第1の基地局の断片的なダウンリンク物理チャネルF-DPCHのタイミングオフセットτF-DPCH,nおよび/または記号位置であるか、または
前記第1のE-HICHのタイミング情報は、前記第1の基地局の専用物理チャネルDPCHのタイミングオフセットτDPCH,nである
請求項51に記載の方法。
【請求項５３】
前記第2の命令シグナリングは、
向上された専用チャネル相対グラントチャネルE-RGCHのコードチャネルおよびシグネチャシーケンスであって、前記E-RGCHは、前記UEのE-DCH送信電力を制御するために使用される、または
E-RGCHのコードチャネルおよびシグネチャシーケンス、ならびに前記E-RGCHのタイミング情報であって、前記E-RGCHのタイミング情報は、前記UEが前記E-RGCHを受信したときを示すために使用される
をさらに含む請求項50から52のいずれか一項に記載の方法。
【請求項５４】
前記E-RGCHのタイミング情報は、前記第1の基地局の断片的なダウンリンク物理チャネルF-DPCHのタイミングオフセットτF-DPCH,nおよび/または記号位置であるか、または
前記E-RGCHのタイミング情報は、前記第1の基地局の専用物理チャネルDPCHのタイミングオフセットτDPCH,nである
請求項53に記載の方法。
【請求項５５】
前記第1の基地局によって、無線ネットワークコントローラRNCによって送られた第2の命令シグナリングを受信するステップの前に、
前記第1の基地局によって、前記RNCに受信能力メッセージを送るステップであって、前記受信能力メッセージは、前記第1の基地局が前記UEによって送られたE-DCHサービスを受信することができることを示すために使用されるステップ
をさらに含む請求項50から54のいずれか一項に記載の方法。
【請求項５６】
アクセスネットワークの無線ネットワークコントローラRNCによって、第1の命令シグナリングおよび第2の命令シグナリングを生成するステップであって、前記第1の命令シグナリングは、第1の基地局によって送られた、第1の向上された専用チャネルのハイブリッド自動再送要求インジケータチャネルE-HICHを受信するようにユーザ機器UEに指示するために使用され、前記第2の命令シグナリングは、前記UEによって送られたE-DCHサービスを受信するように前記第1の基地局に指示するために使用され、前記第1の基地局は、前記UEの検出範囲内に位置し、前記UEの向上された専用チャネルE-DCHアクティブセットにないステップと、
前記RNCによって、前記第1の基地局に第2の命令シグナリングを送るステップであって、前記第2の命令シグナリングは、前記UEのアップリンクスクランブルコードと、第1のE-HICHのチャネル化コードおよびシグネチャシーケンスとを含み、前記チャネル化コードは、前記第1のE-HICHによって占められるチャネルを復号するために前記UEによって使用される拡散符号を示すために使用され、前記シグネチャシーケンスは、各E-HICHサブフレームを復号するために前記UEによって使用される直交系列を示すために使用されるステップと、
前記RNCによって、前記UEに前記第1の命令シグナリングを送るステップであって、前記第1の命令シグナリングは、前記第1のE-HICHのチャネル化コードおよびシグネチャシーケンスを含むステップと
を含むネットワーク通信方法。
【請求項５７】
前記第1の基地局が前記UEの検出範囲内に位置することは、
前記第1の基地局のものであり、前記UEによって測定されるダウンリンクパイロット品質は、事前設定された第1のしきい値より大きい
ことを含む請求項56に記載の方法。
【請求項５８】
前記第1の命令シグナリングは、
前記第1のE-HICHのタイミング情報であって、前記第1のE-HICHのタイミング情報は、前記UEが前記第1のE-HICHの各サブフレームを受信するべき開始時間位置を示すために使用される
をさらに含み、
第2の命令シグナリングは、前記第1のE-HICHのタイミング情報をさらに含み、前記第1のE-HICHのタイミング情報は、前記第1のE-HICHの各サブフレームを送るために開始時間位置を示すために使用される
請求項56または57に記載の方法。
【請求項５９】
前記第1のE-HICHのタイミング情報は、前記第1の基地局の断片的なダウンリンク物理チャネルF-DPCHのタイミングオフセットτF-DPCH,nおよび/または記号位置であるか、または
前記第1のE-HICHのタイミング情報は、前記第1の基地局の専用物理チャネルDPCHのタイミングオフセットτDPCH,nである
請求項58に記載の方法。
【請求項６０】
前記第1の命令シグナリングおよび第2の命令シグナリングは、
向上された専用チャネル相対グラントチャネルE-RGCHのコードチャネルおよびシグネチャシーケンスであって、前記E-RGCHは、前記UEのE-DCH送信電力を制御するために使用されるか、または
前記E-RGCHのコードチャネルおよびシグネチャシーケンス、ならびに前記E-RGCHのタイミング情報であって、前記E-RGCHのタイミング情報は、前記UEが前記E-RGCHを受信したときを示すために使用される
をさらに含む請求項56から59のいずれか一項に記載の方法。
【請求項６１】
前記E-RGCHのタイミング情報は、前記第1の基地局の専用物理チャネルDPCHのタイミングオフセットτDPCH,nであるか、または
前記E-RGCHのタイミング情報は、前記第1の基地局の断片的なダウンリンク物理チャネルF-DPCHのタイミングオフセットτF-DPCH,nおよび/または記号位置である
請求項60に記載の方法。
【請求項６２】
RNCによって、第1の命令シグナリングおよび第2の命令シグナリングを生成するステップの前に、
前記RNCによって、前記UEによって送られた測定レポートを受信するステップであって、前記UEが、前記第1の基地局の共通パイロットチャネル品質は、事前設定された第1のしきい値より大きいと測定した場合、前記測定レポートが送られるステップ
をさらに含む請求項56から61のいずれか一項に記載の方法。
【請求項６３】
前記RNCによって、前記第1の基地局に前記第2の命令シグナリングを送るステップの前に、
前記RNCによって、前記第1の基地局によって送られた受信能力メッセージを受信するステップであって、前記受信能力メッセージは、前記第1の基地局が前記UEによって送られたE-DCHサービスを受信することができることを示すために使用されるステップ
をさらに含む請求項56から62のいずれか一項に記載の方法。
【請求項６４】
アクセスネットワークの第1の基地局によって送られた、第1の向上された専用チャネルのハイブリッド自動再送要求インジケータチャネルE-HICHを受信するように構成された受信モジュールであって、前記第1の基地局は、前記UEの検出範囲内に位置し、前記UEの向上された専用チャネルE-DCHアクティブセットにない受信モジュールと、
前記第1のE-HICHが肯定応答ACKを示す場合に、新しいE-DCHデータを送るように構成された送信モジュールと
を含むユーザ機器。
【請求項６５】
前記第1の基地局が前記UEの検出範囲内に位置することは、
前記第1の基地局のものであり、前記UEによって測定されるダウンリンクパイロット品質は、事前設定された第1のしきい値より大きい
ことを含む請求項64に記載のユーザ機器。
【請求項６６】
前記第1の基地局によって送られた送信電力制御コマンドTPCを受信するように構成されたTPCモジュールをさらに含む請求項64または65に記載のユーザ機器。
【請求項６７】
前記受信モジュールは、
前記第1の基地局によって送られた、前記第1の向上された専用チャネルのハイブリッド自動再送要求インジケータチャネルE-HICHを受信する前に、無線ネットワークコントローラRNCによって送られた第1の命令シグナリングを受信するように構成され、前記第1の命令シグナリングは、前記第1の基地局によって送られた前記第1のE-HICHを受信するように前記UEに指示するために使用され、前記第1の命令シグナリングは、前記第1のE-HICHのチャネル化コードおよびシグネチャシーケンスを含み、前記チャネル化コードは、前記第1のE-HICHによって占められるチャネルを復号するために前記UEによって使用される拡散符号を示すために使用され、前記シグネチャシーケンスは、各E-HICHサブフレームを復号するために前記UEによって使用される直交系列を示すために使用される
請求項66に記載のユーザ機器。
【請求項６８】
前記第1の命令シグナリングは、
前記第1のE-HICHのタイミング情報であって、前記第1のE-HICHのタイミング情報は、前記UEが前記第1のE-HICHの各サブフレームを受信するべき開始時間位置を示すために使用される
請求項67に記載のユーザ機器。
【請求項６９】
前記第1のE-HICHのタイミング情報は、前記第1の基地局の断片的なダウンリンク物理チャネルF-DPCHのタイミングオフセットτF-DPCH,nおよび/または記号位置であるか、または
前記第1のE-HICHのタイミング情報は、前記第1の基地局の専用物理チャネルDPCHのタイミングオフセットτDPCH,nである
請求項68に記載のユーザ機器。
【請求項７０】
前記第1の命令シグナリングは、
向上された専用チャネル相対グラントチャネルE-RGCHのコードチャネルおよびシグネチャシーケンスであって、前記E-RGCHは、前記UEのE-DCH送信電力を制御するために使用される、または
E-RGCHのコードチャネルおよびシグネチャシーケンス、ならびに前記E-RGCHのタイミング情報であって、前記E-RGCHのタイミング情報は、前記UEがE-RGCHを受信したときを示すために使用される
をさらに含む
請求項67から69のいずれか一項に記載のユーザ機器。
【請求項７１】
前記E-RGCHのタイミング情報は、前記第1の基地局の断片的なダウンリンク物理チャネルF-DPCHのタイミングオフセットτF-DPCH,nおよび/または記号位置であるか、または
前記F-DPCHのタイミング情報は、前記第1の基地局の専用物理チャネルDPCHのタイミングオフセットτDPCH,nである
請求項70に記載のユーザ機器。
【請求項７２】
前記ユーザ機器は、
前記受信モジュールが前記無線ネットワークコントローラRNCによって送られた前記第1の命令シグナリングを受信する前に、各サービスを提供するセルの共通パイロットチャネル品質を測定するように構成された処理モジュール
をさらに含み、
前記第1の基地局の共通パイロットチャネル品質は、事前設定された第1のしきい値より大きいと前記処理モジュールが測定した場合、前記送信モジュールは、前記UEによって、前記RNCに測定レポートを送るようにさらに構成され、それにより、前記RNCは、前記測定レポートにより、前記UEに前記第1の命令シグナリングを送る
請求項67から71のいずれか一項に記載のユーザ機器。
【請求項７３】
ユーザ機器UEによって送られたE-DCHサービスを受信するように構成された受信モジュールであって、前記基地局は前記UEの検出範囲内に位置し、前記UEの向上された専用チャネルE-DCHアクティブセットにない受信モジュールと、
前記UEに第1の向上された専用チャネルのハイブリッド自動再送要求インジケータチャネルE-HICHを送るように構成された送信モジュールと
を含み、
前記受信モジュールは、前記第1のE-HICHが肯定応答ACKを示す場合、前記UEによって送られる新しいE-DCHデータを受信するようにさらに構成される
基地局。
【請求項７４】
前記基地局が前記UEの検出範囲内に位置することは、
前記基地局のものであり、前記UEによって測定されるダウンリンクパイロット品質は、事前設定された第1のしきい値より大きい
ことを含む請求項73に記載の基地局。
【請求項７５】
前記UEに送信電力制御コマンドTPCを送るように構成されたTPCモジュールをさらに含む請求項73または74に記載の基地局
【請求項７６】
前記受信モジュールは、
前記UEによって送られた前記E-DCHサービスを受信する前に、無線ネットワークコントローラRNCによって送られた第2の命令シグナリングを受信し、前記第2の命令シグナリングは、前記UEによって送られた前記E-DCHサービスを受信するように前記第1の基地局に指示するために使用され、前記第2の命令シグナリングは、前記UEのアップリンクスクランブルコードと、前記第1のE-HICHのチャネル化コードおよびシグネチャシーケンスとを含み、前記チャネル化コードは、前記第1のE-HICHによって占められるチャネルを復号するために前記UEによって使用される拡散符号を示すために使用され、前記シグネチャシーケンスは、各E-HICHサブフレームを復号するために前記UEによって使用される直交系列を示すために使用される
ようにさらに構成される請求項75に記載の基地局。
【請求項７７】
前記第2の命令シグナリングは、
前記第1のE-HICHのタイミング情報であって、前記第1のE-HICHの前記タイミング情報は、前記第1のE-HICHの各サブフレームを送るために開始時間位置を示すために使用される
をさらに含む請求項76に記載の基地局
【請求項７８】
前記第1のE-HICHの前記タイミング情報は、前記第1の基地局の断片的なダウンリンク物理チャネルF-DPCHのタイミングオフセットτF-DPCH,nおよび/または記号位置であるか、または
前記第1のE-HICHの前記タイミング情報は、前記第1の基地局の専用物理チャネルDPCHのタイミングオフセットτDPCH,nである
請求項77に記載の基地局。
【請求項７９】
前記第2の命令シグナリングは、
向上された専用チャネル相対グラントチャネルE-RGCHのコードチャネルおよびシグネチャシーケンスであって、前記E-RGCHは、前記UEのE-DCH送信電力を制御するために使用されるか、または
E-RGCHのコードチャネルおよびシグネチャシーケンス、ならびに前記E-RGCHのタイミング情報であって、前記E-RGCHの前記タイミング情報は、前記UEが前記E-RGCHを受信したときを示すために使用される
請求項76から78のいずれか一項に記載の基地局。
【請求項８０】
前記E-RGCHの前記タイミング情報は、前記第1の基地局の前記断片的なダウンリンク物理チャネルF-DPCHのタイミングオフセットτF-DPCH,nおよび/または記号位置であるか、または
前記E-RGCHの前記タイミング情報は、前記第1の基地局の専用物理チャネルDPCHのタイミングオフセットτDPCH,nである
請求項79に記載の基地局。
【請求項８１】
前記送信モジュールは、
前記受信モジュールが前記無線ネットワークコントローラRNCによって送られた前記第2の命令シグナリングを受信する前に、前記RNCに受信能力メッセージを送り、前記受信能力メッセージは、前記第1の基地局が前記UEによって送られたE-DCHサービスを受信することができることを示すために使用される
請求項76から80のいずれか一項に記載の基地局。
【請求項８２】
第1の命令シグナリングおよび第2の命令シグナリングを生成するように構成された処理モジュールであって、前記第1の命令シグナリングは、第1の基地局によって送られた、第1の向上された専用チャネルのハイブリッド自動再送要求インジケータチャネルE-HICHを受信するようにユーザ機器UEに指示するために使用され、前記第2の命令シグナリングは、前記UEによって送られたE-DCHサービスを受信するように前記第1の基地局に指示するために使用され、前記第1の基地局は、前記UEの検出範囲内に位置し、前記UEの向上された専用チャネルE-DCHアクティブセットにない処理モジュールと、
前記第1の基地局に前記第2の命令シグナリングを送るように構成された送信モジュールであって、前記第2の命令シグナリングは、前記UEのアップリンクスクランブルコードと、前記第1のE-HICHのチャネル化コードおよびシグネチャシーケンスとを含み、前記チャネル化コードは、前記第1のE-HICHによって占められるチャネルを復号するために前記UEによって使用される拡散符号を示すために使用され、前記シグネチャシーケンスは、各E-HICHサブフレームを復号するために前記UEによって使用される直交系列を示すために使用される送信モジュールと
を含み、
前記送信モジュールは、前記UEに前記第1の命令シグナリングを送るようにさらに構成され、前記第1の命令シグナリングは、前記第1のE-HICHの前記チャネル化コードおよび前記シグネチャシーケンスを含む
RNC。
【請求項８３】
前記第1の基地局が前記UEの検出範囲内に位置することは、
前記第1の基地局のものであり、前記UEによって測定されるダウンリンクパイロット品質は、事前設定された第1のしきい値より大きい
ことを含む請求項82に記載のRNC。
【請求項８４】
前記第1の命令シグナリングは、
前記第1のE-HICHのタイミング情報であって、前記第1のE-HICHの前記タイミング情報は、前記UEが第1のE-HICHの各サブフレームを受信するべき開始時間位置を示すために使用される
をさらに含み、
前記第2の命令シグナリングは、前記第1のE-HICHの前記タイミング情報をさらに含み、前記第1のE-HICHの前記タイミング情報は、前記第1のE-HICHの各サブフレームを送るために開始時間位置を示すために使用される
請求項82または83に記載のRNC。
【請求項８５】
前記第1のE-HICHの前記タイミング情報は、前記第1の基地局の前記断片的なダウンリンク物理チャネルF-DPCHのタイミングオフセットτF-DPCH,nおよび/または記号位置であるか、または
前記第1のE-HICHの前記タイミング情報は、前記第1の基地局の専用物理チャネルDPCHのタイミングオフセットτDPCH,nである
請求項84に記載のRNC。
【請求項８６】
前記第1の命令シグナリングおよび前記第2の命令シグナリングは、
向上された専用チャネル相対グラントチャネルE-RGCHのコードチャネルおよびシグネチャシーケンスであって、前記E-RGCHは、前記UEのE-DCH送信電力を制御するために使用されるか、または
E-RGCHのコードチャネルおよびシグネチャシーケンス、ならびに前記E-RGCHのタイミング情報であって、前記E-RGCHのタイミング情報は、前記UEが前記E-RGCHを受信したときを示すために使用される
請求項82から85のいずれか一項に記載のりRNC。
【請求項８７】
前記E-RGCHの前記タイミング情報は、前記第1の基地局の断片的なダウンリンク物理チャネルF-DPCHのタイミングオフセットτF-DPCH,nおよび/または記号位置であるか、または
前記E-RGCHの前記タイミング情報は、前記第1の基地局の専用物理チャネルDPCHのタイミングオフセットτDPCH,nである
請求項86に記載のRNC。
【請求項８８】
前記処理モジュールが前記第1の命令シグナリングおよび前記第2の命令シグナリングを生成する前に、前記UEによって送られた測定レポートを受信するように構成された受信モジュールであって、前記UEが、前記第1の基地局の前記共通パイロットチャネル品質は事前設定された第1のしきい値より大きいと測定した場合、前記測定レポートが送られる受信モジュール
をさらに含む請求項81から87に記載のRNC。
【請求項８９】
前記受信モジュールは、
前記送信モジュールが前記第1の基地局に前記第2の命令シグナリングを送る前に、前記第1の基地局によって送られた受信能力メッセージを受信し、前記受信能力メッセージは、前記第1の基地局が前記UEによって送られたE-DCHサービスを受信することができることを示すために使用される
ようにさらに構成される請求項81から87のいずれか一項に記載のRNC。
【請求項９０】
アクセスネットワークのユーザ機器UEによって、無線ネットワークコントローラRNCの第1の無線ネットワーク制御RRCシグナリングを受信し、前記第1のRRCシグナリングの命令により前記UEによって、前記UEの拡張された向上された専用チャネルE-DCHアクティブセットに第1の基地局を追加し、前記UEによって、前記第1の基地局の向上された専用チャネルのハイブリッド自動再送要求インジケータチャネルE-HICHを受信し、前記E-HICHが肯定応答ACKを示す場合、前記UEによって、新しいE-DCHデータを送るステップと、
前記UEが前記アクセスネットワークから専用チャネルDCHデータを受信しない場合、前記第1のRRCシグナリングの命令により前記UEによって、前記第1の基地局の断片的な専用物理チャネルF-DPCHを受信する機能を無効化するステップであって、前記RNCは、前記第1のRRCシグナリングから前記F-DPCHの構成情報を削除することによって、または前記第1のRRCシグナリングで事前設定された指示フィールドを使用することによって命令を完了するステップ、または
前記UEが前記アクセスネットワークからDCHデータを受信する場合、前記第1のRRCシグナリングの前記命令により前記UEによって、前記第1の基地局のダウンリンク専用物理データチャネルDPDCHを受信する機能を無効化するステップであって、前記RNCは、前記第1のRRCシグナリングからDPCHの構成情報を削除することによって、または前記第1のRRCシグナリングで事前設定された指示フィールドを使用することによって命令を完了するステップと
を含むネットワーク通信方法。
【請求項９１】
前記UEが前記アクセスネットワークからDCHデータを受信する場合、
前記UEによって、前記第1のRRCシグナリングの前記命令により前記第1の基地局のF-DPCHを受信するステップであって、前記F-DPCHは、前記UEに対して送信電力制御を実行するために使用されるステップ
をさらに含む請求項90に記載の方法。
【請求項９２】
前記UEが前記アクセスネットワークからDCHデータを受信する場合、
前記UEによって、前記第1の基地局によって送られたダウンリンク専用物理制御チャネルDPCCHを受信する機能を無効化するステップ
をさらに含む請求項90または91に記載の方法。
【請求項９３】
前記UEによって、前記UEのE-DCHアクティブセットに第1の基地局を追加するステップの後に、
前記UEによって、ネットワークによって送られた第1の制御シグナリングを受信するステップと、
前記第1の制御シグナリングの命令により前記第1の基地局のF-DPCHを受信するステップ、または
前記第1の基地局によって送られたダウンリンクDPDCHを受信するステップであって、前記ダウンリンクDPDCHは、前記第1の基地局から前記UEによって受信されたDCHデータを運ぶために使用されるステップと
をさらに含む請求項90に記載の方法。
【請求項９４】
前記UEによって、前記第1の基地局によって送られたダウンリンクDPDCHを受信するステップは、
前記UEによって、前記第1の基地局のダウンリンクDPCCHを受信するステップであって、前記ダウンリンクDPCCHは、前記UEに物理レイヤ制御シグナリングを送るために、前記第1の基地局によって使用されるステップ
をさらに含む請求項93に記載の方法。
【請求項９５】
前記ネットワークによって送られた前記第1の制御シグナリングは、
前記RNCによって送られた第2のRRCシグナリング、または
前記アクセスネットワークの第2の基地局によって送られた第1の物理レイヤシグナリングであって、前記第2の基地局は、前記UEのE-DCHアクティブセットまたはDCHアクティブセットにある第1の物理レイヤシグナリング
を含む
請求項93または94に記載の方法。
【請求項９６】
前記UEによって、ネットワークによって送られた第1の制御シグナリングを受信するステップの前に、
前記UEによって、各セルの共通パイロットチャネル品質を測定するステップと、
前記UEが、前記第1の基地局の共通パイロットチャネル品質は事前設定された第1のしきい値より大きいと測定した場合、前記UEによって、前記RNCに測定レポートを送り、それにより、前記測定レポートにより、前記RNCは前記UEに前記第2のRRCシグナリングを送るか、または前記RNCは、前記UEに前記第1の物理レイヤシグナリングを送るように前記第2の基地局に指示するステップと
をさらに含む請求項95に記載の方法。
【請求項９７】
前記UEによって、前記第1の基地局のF-DPCHを受信するステップの前に、
前記UEによって、前記第1の基地局の前記F-DPCHのおよび前記構成情報を受信するステップであって、前記構成情報は、前記F-DPCHのチャネル化コード、フレームオフセット、およびタイムスロット形式の少なくとも1つを含むステップ
をさらに含む請求項93から96に記載の方法。
【請求項９８】
前記第1の基地局の前記F-DPCHの前記構成情報は、前記第1の制御シグナリングで運ばれる
ことをさらに含む請求項97に記載の方法。
【請求項９９】
前記UEによって、前記第1の基地局のダウンリンクDPDCHを受信するステップの前に、
前記UEによって、前記第1の基地局の前記ダウンリンクDPCHの構成情報を受信するステップであって、前記ダウンリンクDPCHの前記構成情報は、前記DPCHのチャネル化コードまたはフレームオフセットに関する情報を含むステップ
をさらに含む請求項93から96に記載の方法。
【請求項１００】
前記ダウンリンクDPCHの構成情報は、前記第1の制御シグナリングで運ばれる
請求項99に記載の方法。
【請求項１０１】
アクセスネットワークのRNCによって、第1のRRCシグナリングまたは第1のネットワークシグナリングを生成し、前記RNCによって、UEに前記第1のRRCシグナリングまたは前記アクセスネットワークの第1の基地局に前記第1のネットワークシグナリングを送るステップであって、前記第1のRRCシグナリングは、前記UEのE-DCHアクティブセットに前記第1の基地局を追加するように前記UEに指示し、前記第1の基地局のE-HICHを受信するように前記UEに指示し、前記第1のネットワークシグナリングは、前記UEによって送られたE-DCHデータを受信するように前記第1の基地局に指示し、前記UEに前記E-HICHを送るように前記第1の基地局に指示するために使用されるステップ
を含み、
前記UEが前記アクセスネットワークからDCHデータを受信しない場合、前記第1のRRCシグナリングは、前記第1の基地局のF-DPCHを受信する機能を無効化するように前記UEに指示し、前記RNCは、前記第1のRRCシグナリングから前記F-DPCHの構成情報を削除することによって、または前記第1のRRCシグナリングで事前設定された指示フィールドを設定することによって前記命令を完了するか、または前記第1のネットワークシグナリングは、F-DPCHを送る機能を無効化するように前記第1の基地局に指示し、前記RNCは、前記第1のネットワークシグナリングから前記F-DPCHの構成情報を削除することによって、または前記第1のネットワークシグナリングで事前設定された指示フィールドを設定することによって前記命令を完了し、
前記UEが前記アクセスネットワークからDCHデータを受信する場合、前記第1のRRCシグナリングは、前記第1の基地局のダウンリンクDPDCHを受信する機能を無効化するように前記UEに指示し、前記RNCは、前記第1のRRCシグナリングからDPCHの構成情報を削除することによって、または前記第1のRRCシグナリングで事前設定された指示フィールドを使用することによって命令を完了するか、または前記第1のネットワークシグナリングは、ダウンリンクDPDCHを送る機能を無効化するように前記第1の基地局に指示し、前記RNCは、前記第1のネットワークシグナリングからDPCHの構成情報を削除することによって、または前記第1のネットワークシグナリングで事前設定された指示フィールドを設定することによって前記命令を完了する
ネットワーク通信方法。
【請求項１０２】
前記UEが前記アクセスネットワークからDCHデータを受信する場合、前記第1のRRCシグナリングからDPCHの構成情報を削除することによって、前記RNCが前記命令を完了することは、
前記第1のRRCシグナリングは、前記第1の基地局のF-DPCHを受信するように前記UEに指示し、前記F-DPCHは、前記UEに対してアップリンク送信電力制御を実行するために使用され、
前記第1のネットワークシグナリングは、前記UEに前記F-DPCHを送るように前記第1の基地局に指示する
ことをさらに含む請求項101に記載の方法。
【請求項１０３】
前記第1のRRCシグナリングは、前記第1の基地局のダウンリンクDPDCHを受信する機能を無効化するように前記UEに指示することは、
前記第1のネットワークシグナリングは、前記UEにDPCCHを送る機能を無効化するように前記第1の基地局に指示するか、または前記第1のRRCシグナリングは、前記第1の基地局のダウンリンクDPCCHを受信する機能を無効化するように前記UEにさらに指示する
ことをさらに含む請求項101に記載の方法。
【請求項１０４】
前記RNCによって、前記UEに前記第1のRRCシグナリングおよび前記第1の基地局に前記第1のネットワークシグナリングを送信するステップの後に、
前記RNCによって、第2のRRCシグナリングを生成し、前記RNCによって、前記UEに前記第2のRRCシグナリングを送るステップ
をさらに含み、
前記UEが前記アクセスネットワークからDCHデータを受信しない場合、前記第2のRRCシグナリングは、前記第1の基地局によって送られたF-DPCHを受信するように前記UEに指示するために使用され、
前記UEが前記アクセスネットワークからDCHデータを受信する場合、前記第2のRRCシグナリングは、前記第1の基地局によって送られたダウンリンクDPDCHを受信するように前記UEに指示するために使用される
請求項101から103のいずれか一項に記載の方法。
【請求項１０５】
前記UEが前記アクセスネットワークからDCHデータを受信する場合、前記第2のRRCシグナリングは、前記第1の基地局によって送られたダウンリンクDPDCHを受信するように前記UEに指示するために使用されることは、
前記第2のRRCシグナリングは、前記第1の基地局によって送られたダウンリンクDPCCHを受信するように前記UEに指示する
ことをさらに含む請求項104に記載の方法。
【請求項１０６】
前記UEが前記アクセスネットワークからDCHデータを受信しない場合、前記第2のRRCシグナリングは、前記F-DPCHの構成情報を含み、
前記UEが前記アクセスネットワークからDCHデータを受信する場合、前記第2のRRCシグナリングは、前記第1の基地局の前記ダウンリンクDPCHの構成情報を含む
ことをさらに含む
請求項104または105に記載の方法。
【請求項１０７】
前記RCNによって、第2のネットワークシグナリングを生成し、前記RNCによって、前記第1の基地局に前記第2のネットワークシグナリングを送るステップ
をさらに含み、
前記UEが前記アクセスネットワークからDCHデータを受信しない場合、前記第2のネットワークシグナリングは、前記UEに前記F-DPCHを送るように前記第1の基地局に指示するために使用され、
前記UEが前記アクセスネットワークからDCHデータを受信する場合、前記第2のネットワークシグナリングは、前記UEに前記DPDCHを送るように前記第1の基地局に指示するために使用される
請求項104から106に記載の方法。
【請求項１０８】
前記UEが前記アクセスネットワークからDCHデータを受信する場合、前記第2のネットワークシグナリングは、前記UEに前記DPDCHを送るように前記第1の基地局に指示するために使用されることは、
前記第2のネットワークシグナリングは、前記UEにダウンリンクDPCCHを送るように前記第1の基地局に指示する
ことをさらに含む請求項107に記載の方法。
【請求項１０９】
前記UEが前記アクセスネットワークからDCHデータを受信しない場合、前記第2のネットワークシグナリングは、前記F-DPCHの構成情報を含み、
前記UEが前記アクセスネットワークからDCHデータを受信する場合、前記第2のネットワークシグナリングは、前記第1の基地局の前記ダウンリンクDPCHの構成情報を含む
ことをさらに含む請求項107または108に記載の方法。
【請求項１１０】
前記RNCが前記第2のRRCシグナリングを生成する前に、
前記RNCによって、前記UEによって送られた測定レポートを受信するステップであって、前記測定レポートは、前記UEに前記第2のRRCシグナリングを送るように前記RNCに指示するために使用されるステップ
をさらに含む請求項104から109に記載の方法。
【請求項１１１】
アクセスネットワークの第1の基地局によって、無線ネットワークコントローラRNCによって送られた第1のネットワークシグナリングを受信し、前記第1のネットワークシグナリングの命令により、前記アクセスネットワークのユーザ機器UEによって送られたE-DCHデータを受信し、前記UEにE-HICHを送るステップと、
前記UEが前記アクセスネットワークからDCHデータを受信しない場合、前記第1のネットワークシグナリングの前記命令により前記第1の基地局によって、前記UEにF-DPCHを送る機能を無効化するステップと、
前記UEが前記アクセスネットワークからDCHデータを受信する場合、前記第1のネットワークシグナリングの前記命令により前記第1の基地局によって、前記UEにダウンリンクDPDCHを送る機能を無効化するステップと
を含むネットワーク通信方法。
【請求項１１２】
前記RNCは、前記第1のネットワークシグナリングから前記F-DPCHの構成情報を削除することによって、または前記第1のネットワークシグナリングで事前設定された指示フィールドを設定することによって前記命令を完了する請求項111に記載の方法。
【請求項１１３】
前記UEが前記アクセスネットワークからDCHデータを受信する場合、前記第1のネットワークシグナリングの前記命令により前記第1の基地局によって、前記UEにダウンリンクDPDCHを送る機能を無効化する前記ステップは、
前記第1の基地局によって、前記UEにF-DPCHを送るステップであって、前記F-DPCHは、前記UEに対してアップリンク送信電力制御を実行するために前記第1の基地局によって使用されるステップ
をさらに含む請求項111または112に記載の方法。
【請求項１１４】
前記UEが前記アクセスネットワークからDCHデータを受信する場合、前記第1のネットワークシグナリングの前記命令により前記第1の基地局によって、前記UEにダウンリンクDPDCHを送る機能を無効化する前記ステップは、
前記第1の基地局によって、前記UEにダウンリンクDPCCHを送る機能を無効にするステップ
をさらに含む請求項111から113のいずれか一項に記載の方法。
【請求項１１５】
前記第1の基地局によって、前記第1のRRCシグナリングを前記受信するステップの後に、
前記第1の基地局によって、前記RNCによって送られた第2のRRCシグナリングを受信するステップと、
前記UEが前記アクセスネットワークからDCHデータを受信しない場合、前記第1の基地局によって、前記第2のRRCシグナリングの命令により前記UEに前記F-DPCHを送るステップと、
前記UEが前記アクセスネットワークからDCHデータを受信する場合、前記第1の基地局によって、前記第2のRRCシグナリングの前記命令により前記UEにダウンリンクDPDCHを送るステップと
をさらに含む請求項111から114に記載の方法。
【請求項１１６】
前記UEが前記アクセスネットワークからDCHデータを受信しない場合、前記第1の基地局によって受信された前記第1のネットワークシグナリングは、前記F-DPCHの構成情報を含み、
前記UEが前記アクセスネットワークからDCHデータを受信する場合、前記第1の基地局によって受信された前記第1のネットワークシグナリングは、前記ダウンリンクDPCHの構成情報を含む
ことをさらに含む請求項115に記載の方法。
【請求項１１７】
前記UEが前記アクセスネットワークからDCHデータを受信する場合、前記第1の基地局によって、前記UEにダウンリンクDPDCHを送るステップは、
前記第1の基地局によって、前記UEにダウンリンクDPCCHを送るステップ
をさらに含む請求項115または116に記載の方法。
【請求項１１８】
無線ネットワークコントローラRNCの第1の無線ネットワーク制御RRCシグナリングを受信し、第1のRRCシグナリングの命令によりアクセスネットワークのユーザ機器UEの拡張された向上された専用チャネルE-DCHアクティブセットに第1の基地局を追加し、前記第1の基地局の向上された専用チャネルのハイブリッド自動再送要求インジケータチャネルE-HICHを受信し、前記E-HICHが肯定応答ACKを示す場合、新しいE-DCHデータを送るように構成された無線送受信ユニットと、
前記UEが前記アクセスネットワークから専用チャネルDCHデータを受信しない場合、前記第1のRRCシグナリングの前記命令により、前記第1の基地局の断片的な専用物理チャネルF-DPCHを受信する機能を無効化し、前記RNCは、前記第1のRRCシグナリングから前記F-DPCHの構成情報を削除することによって、または前記第1のRRCシグナリングで事前設定された指示フィールドを使用することによって前記命令を完了し、
前記UEが前記アクセスネットワークからDCHデータを受信する場合、前記第1のRRCシグナリングの命令により、前記第1の基地局のダウンリンク専用物理データチャネルDPDCHを受信する機能を無効化し、前記RNCは、前記第1のRRCシグナリングからDPCHの構成情報を削除することによって、または前記第1のRRCシグナリングで事前設定された指示フィールドを使用することによって前記命令を完了する
ように構成された処理ユニットと
を含むアクセスネットワークのユーザ機器UE。
【請求項１１９】
前記UEが前記アクセスネットワークからDCHデータを受信する場合、前記無線送受信ユニットは、前記第1のRRCシグナリングの前記命令により前記第1の基地局のF-DPCHを受信するようにさらに構成され、前記F-DPCHは、前記UEに対して送信電力制御を実行するために使用される請求項118に記載のUE。
【請求項１２０】
前記UEが前記アクセスネットワークからDCHデータを受信する場合、前記処理ユニットは、前記第1の基地局によって送られたダウンリンク専用物理制御チャネルDPCCHを受信する機能を無効化するようにさらに構成される請求項118または119に記載のUE。
【請求項１２１】
前記UEの前記E-DCHアクティブセットに前記第1の基地局を追加した後、前記無線送受信ユニットは、ネットワークによって送られた第1の制御シグナリングを受信し、前記第1の制御シグナリングの命令により前記第1の基地局のF-DPCHを受信するか、または前記第1の基地局によって送られたダウンリンクDPDCHを受信し、前記ダウンリンクDPDCHは、前記第1の基地局から前記UEによって受信されたDCHデータを運ぶために使用される請求項118に記載のUE。
【請求項１２２】
前記無線送受信ユニットは、前記第1の基地局のダウンリンクDPCCHを受信するようにさらに構成され、前記ダウンリンクDPCCHは、前記UEに物理レイヤ制御シグナリングを送るために、前記第1の基地局によって使用される請求項121に記載のUE。
【請求項１２３】
前記ネットワークによって送られた前記第1の制御シグナリングは、
前記RNCによって送られた第2のRRCシグナリング、または
前記アクセスネットワークの第2の基地局によって送られた第1の物理レイヤシグナリングであって、前記第2の基地局は、前記UEの前記E-DCHアクティブセットまたはDCHアクティブセットにある第1の物理レイヤシグナリング
を含む請求項120または121に記載のUE。
【請求項１２４】
前記ネットワークによって送られた前記第1の制御シグナリングを受信するステップの前に、前記無線送受信ユニットは、各セルの共通パイロットチャネル品質を測定し、
前記第1の基地局の受信された共通パイロットチャネル品質は、事前設定された第1のしきい値より大きいと測定した場合、前記RNCに測定レポートを送り、それにより、前記測定レポートにより、前記RNCは前記UEに前記第2のRRCシグナリングを送るか、または前記RNCは、前記UEに前記第1の物理レイヤシグナリングを送るように前記第2の基地局に指示する
ようにさらに構成される
請求項123に記載のUE。
【請求項１２５】
前記第1の基地局の前記F-DPCHを受信する前に、前記無線送受信ユニットは、前記第1の基地局の前記F-DPCHの構成情報を受信するようにさらに構成され、前記構成情報は、前記F-DPCHのチャネル化コード、フレームオフセット、およびタイムスロット形式の少なくとも1つを含む請求項121から124に記載のUE。
【請求項１２６】
前記第1の基地局の前記F-DPCHの前記構成情報は、前記第1の制御シグナリングで運ばれる請求項125に記載のUE。
【請求項１２７】
前記第1の基地局の前記ダウンリンクDPDCHを受信する前に、前記無線送受信ユニットは、前記第1の基地局の前記ダウンリンクDPCHの構成情報を受信するようにさらに構成され、前記ダウンリンクDPCHの前記構成情報は、前記DPCHのチャネル化コードまたはフレームオフセットに関する情報を含む請求項121から124に記載のUE。
【請求項１２８】
前記ダウンリンクDPCHの前記構成情報は、前記第1の制御シグナリングで運ばれる請求項127に記載のUE。
【請求項１２９】
アクセスネットワークのRNCであって、
第1のRRCシグナリングまたは第1のネットワークシグナリングを生成するように構成された処理ユニットと、
UEに前記第1のRRCシグナリングを送るか、または前記アクセスネットワークの第1の基地局に前記第1のネットワークシグナリングを送るように構成された無線送受信ユニットであって、前記第1のRRCシグナリングは、前記UEのE-DCHアクティブセットに前記第1の基地局を追加するように前記UEに指示し、前記第1の基地局のE-HICHを受信するように前記UEに指示するために使用され、前記第1のネットワークシグナリングは、前記UEによって送られたE-DCHデータを受信するように前記第1の基地局に指示し、前記UEに前記E-HICHを送るように前記第1の基地局に指示するために使用される無線送受信ユニットと
を含み、
前記UEが前記アクセスネットワークからDCHデータを受信しない場合、前記第1のRRCシグナリングは、前記第1の基地局のF-DPCHを受信する機能を無効化するように前記UEに指示し、前記処理ユニットは、前記第1のRRCシグナリングから前記F-DPCHの構成情報を削除することによって、または前記第1のRRCシグナリングで事前設定された指示フィールドを設定することによって前記命令を完了するか、前記第1のネットワークシグナリングは、F-DPCHを送る機能を無効化するように前記第1の基地局に指示し、前記処理ユニットは、前記第1のネットワークシグナリングから前記F-DPCHの構成情報を削除することによって、または前記第1のネットワークシグナリングで事前設定された指示フィールドを設定することによって前記命令を完了し、
前記UEが前記アクセスネットワークからDCHデータを受信する場合、前記第1のRRCシグナリングは、前記第1の基地局のダウンリンクDPDCHを受信する機能を無効化するように前記UEに指示し、前記処理ユニットは、前記第1のRRCシグナリングからDPCHの構成情報を削除することによって、または前記第1のRRCシグナリングで事前設定された指示フィールドを使用することによって前記命令を完了するか、または前記第1のネットワークシグナリングは、ダウンリンクDPDCHを送る機能を無効化するように前記第1の基地局に指示し、前記処理ユニットは、前記第1のネットワークシグナリングからDPCHの構成情報を削除することによって、または前記第1のネットワークシグナリングで事前設定された指示フィールドを設定することによって前記命令を完了する
アクセスネットワークのRNC。
【請求項１３０】
前記UEが前記アクセスネットワークからDCHデータを受信する場合、前記第1のRRCシグナリングは、前記第1の基地局のF-DPCHを受信するように前記UEに指示し、前記F-DPCHは、前記UEに対してアップリンク送信電力制御を実行するために使用され、
第1のネットワークシグナリングは、前記UEに前記F-DPCHを送るように前記第1の基地局に指示する
請求項129に記載のRNC。
【請求項１３１】
前記第1のネットワークシグナリングは、前記UEにDPCCHを送る機能を無効化するように前記第1の基地局に指示するか、または前記第1のRRCシグナリングは、前記第1の基地局のダウンリンクDPCCHを受信する機能を無効化するように前記UEにさらに指示する請求項129に記載のRNC。
【請求項１３２】
前記無線送受信ユニットが前記UEに前記第1のRRCシグナリングを送り、前記第1の基地局に前記第1のネットワークシグナリングを送った後、前記処理ユニットは、第2のRRCシグナリングを生成するようにさらに構成され、前記無線送受信ユニットは、前記UEに前記第2のRRCシグナリングを送るようにさらに構成され、
前記UEが前記アクセスネットワークからDCHデータを受信しない場合、前記第2のRRCシグナリングは、前記第1の基地局によって送られたF-DPCHを受信するように前記UEに指示するために使用され、
前記UEが前記アクセスネットワークからDCHデータを受信する場合、前記第2のRRCシグナリングは、前記第1の基地局によって送られたダウンリンクDPDCHを受信するように前記UEに指示するために使用される
請求項129から131のいずれか一項に記載のRNC。
【請求項１３３】
前記UEが前記アクセスネットワークからDCHデータを受信する場合、前記第2のRRCシグナリングは、前記第1の基地局によって送られたダウンリンクDPCCHを受信するように前記UEに指示する請求項132に記載のRNC。
【請求項１３４】
前記UEが前記アクセスネットワークからDCHデータを受信しない場合、前記第2のRRCシグナリングは、前記F-DPCHの構成情報を含み、
前記UEが前記アクセスネットワークからDCHデータを受信する場合、前記第2のRRCシグナリングは、前記第1の基地局の前記ダウンリンクDPCHの構成情報を含む
請求項132または133に記載のRNC。
【請求項１３５】
前記処理ユニットは、第2のネットワークシグナリングを生成するようにさらに構成され、前記無線送受信ユニットは、前記第1の基地局に前記第2のネットワークシグナリングを送るようにさらに構成され、
前記UEが前記アクセスネットワークからDCHデータを受信しない場合、前記第2のネットワークシグナリングは、前記UEに前記F-DPCHを送るように前記第1の基地局に指示するために使用され、
前記UEが前記アクセスネットワークからDCHデータを受信する場合、前記第2のネットワークシグナリングは、前記UEに前記DPDCHを送るように前記第1の基地局に指示するために使用される
請求項132から134に記載のRNC。
【請求項１３６】
前記UEが前記アクセスネットワークからDCHデータを受信する場合、前記第2のネットワークシグナリングは、前記UEにダウンリンクDPCCHを送るように前記第1の基地局にさらに指示する請求項135に記載のRNC。
【請求項１３７】
前記UEが前記アクセスネットワークからDCHデータを受信しない場合、前記第2のネットワークシグナリングは、前記F-DPCHの構成情報を含み、
前記UEが前記アクセスネットワークからDCHデータを受信する場合、前記第2のネットワークシグナリングは、前記第1の基地局の前記ダウンリンクDPCHの構成情報を含む
請求項135または136に記載のRNC。
【請求項１３８】
前記処理ユニットが前記第2のRRCシグナリングを生成する前に、前記無線送受信ユニットは、前記UEによって送られた測定レポートを受信するようにさらに構成され、前記測定レポートは、前記UEに前記第2のRRCシグナリングを送るように前記RNCに指示するために使用される請求項132から137に記載のRNC。
【請求項１３９】
無線ネットワークコントローラRNCによって送られた第1のネットワークシグナリングを受信するように構成された無線送受信ユニットであって、前記第1のネットワークシグナリングの命令により、前記アクセスネットワークのユーザ機器UEによって送られたE-DCHデータを受信し、前記UEにE-HICHを送る無線送受信ユニットと、
前記UEが前記アクセスネットワークからDCHデータを受信しない場合、前記第1のネットワークシグナリングの前記命令により、前記UEにF-DPCHを送る機能を無効化し、
前記UEが前記アクセスネットワークからDCHデータを受信する場合、前記第1のネットワークシグナリングの前記命令により、前記UEにダウンリンクDPDCHを送る機能を無効化する
ように構成された処理ユニットと
を含むアクセスネットワークの第1の基地局。
【請求項１４０】
前記RNCは、前記第1のネットワークシグナリングから前記F-DPCHの構成情報を削除することによって、または前記第1のネットワークシグナリングで事前設定された指示フィールドを設定することによって前記命令を完了する請求項139に記載の第1の基地局。
【請求項１４１】
前記UEが前記アクセスネットワークからDCHデータを受信する場合、前記無線送受信ユニットは、前記UEにF-DPCHを送るようにさらに構成され、前記F-DPCHは、前記UEに対してアップリンク送信電力制御を実行するために前記第1の基地局によって使用される請求項139または140に記載の第1の基地局。
【請求項１４２】
前記UEが前記アクセスネットワークからDCHデータを受信する場合、前記無線送受信ユニットは、前記UEにダウンリンクDPCCHを送る機能を無効にするようにさらに構成される請求項139から141のいずれか一項に記載の第1の基地局。
【請求項１４３】
前記無線送受信ユニットは、前記第1のRRCシグナリングを受信した後、前記RNCによって送られた第2のRRCシグナリングを受信するようにさらに構成され、
前記処理ユニットは、
前記UEが前記アクセスネットワークからDCHデータを受信しない場合、前記第2のRRCシグナリングの命令により、前記UEにF-DPCHを送り、
前記UEが前記アクセスネットワークからDCHデータを受信する場合、前記第2のRRCシグナリングの前記命令により、前記UEにダウンリンクDPDCHを送る
ようにさらに構成される
請求項139から142に記載の第1の基地局。
【請求項１４４】
前記無線送受信ユニットは、
前記UEが前記アクセスネットワークからDCHデータを受信しない場合、前記受信された第1のネットワークシグナリングは、F-DPCHの構成情報を含み、
前記UEが前記アクセスネットワークからDCHデータを受信する場合、前記受信された第1のネットワークシグナリングは、前記ダウンリンクDPCHの構成情報を含む
ようにさらに構成される
請求項143に記載の第1の基地局。
【請求項１４５】
前記UEが前記アクセスネットワークからDCHデータを受信する場合、前記無線送受信ユニットは、前記UEにダウンリンクDPCCHを送るようにさらに構成される請求項143または144に記載の第1の基地局。
【発明の詳細な説明】
【技術分野】
【０００１】
本出願は、参照により本明細書に組み込まれている、2013年6月29日に中華人民共和国の知識産権局で出願された、中国特許出願第201310270843.9号、2014年3月19日に中華人民共和国の知識産権局で出願された、中国特許出願第201410103869.9号、および2014年5月8日に中華人民共和国の知識産権局で出願された、中国特許出願第201410192727.4号の優先権を主張するものである。
【０００２】
本発明の実施形態は、通信技術の分野に関し、特に、ネットワーク通信方法、装置、およびシステムに関する。
【背景技術】
【０００３】
異種混合ネットワーク(Heterogeneous Network、略してHetNet)技術は、マルチレイヤネットワークの無線アクセスネットワーク技術である。従来の無線アクセスネットワークは、一般的に、マクロネットワークレイヤと呼ばれる1つのネットワークレイヤしか持っておらず、マクロネットワーク(マクロ基地局、略してマクロ)の基地局は、ユーザに継続的で中断されないサービスを提供するために、ネットワーク全体を対象にする必要がある。HetNetでは、1つまたは複数のマイクロネットワークレイヤが、マクロネットワークレイヤに基づいて追加され、マイクロネットワーク(略してマイクロ基地局)の基地局は、低い送信電力、およびマクロ基地局よりはるかに低い有効範囲を持っている。したがって、マイクロ基地局は、また、低電力ノード(Low Power Node、略してLPN)とも呼ばれる。マイクロ基地局は、一般的に、ネットワーク全体のスループットレートを改善するために、マクロ基地局の負荷を軽減するために、マクロ基地局の有効範囲の穴またはホットスポット領域で展開される。
【０００４】
HetNetでは、アップリンク電力バランスラインは、マクロ基地局およびマイクロ基地局が、ユーザ機器(User Equipment、略してUE)によって送られたアップリンク信号の同じ受信品質を持つ位置であり、ダウンリンク電力バランスラインは、UEが、マクロ基地局およびマイクロ基地局によって送られたダウンリンク信号の同じ受信品質を持つ位置である。アップリンク電力バランスラインは、マイクロ基地局およびマクロ基地局へのUEからの経路損失にのみ別々に関係し、ダウンリンク電力バランスラインは、マクロ基地局およびマイクロ基地局の送信電力にさらに依存している。マクロ基地局のパイロット送信電力は、マイクロ基地局のものとは大きく異なる。したがって、ダウンリンク電力バランスラインは、マイクロ基地局に向けてシフトされ、これにより、アップリンク電力バランスラインおよびダウンリンク電力バランスラインが、マクロ基地局とマイクロ基地局の間で一貫しないという問題が引き起こされる。そのような不整合性により、最終的には、セルハンドオーバ領域の近辺で、異なる領域において異なるサービスを受信および送信するときに、UEが異なる干渉問題に遭遇することが引き起こされる。図1は、アップリンク電力バランスライン、ダウンリンク電力バランスライン、および従来技術のソフトハンドオーバ領域の概略図である。図1に示すように、
領域Bでは、マクロ基地局に対するUEでのダウンリンク受信は、マイクロ基地局に対するものより良好であり、高速ダウンリンクパケットアクセス(High Speed Downlink Packet Access、略してHSDPA)のサービスを提供するセルは、マクロ基地局である。しかし、アップリンクでは、UEからマイクロ基地局への経路損失は、UEからマクロ基地局への経路損失より小さく、UEに対するマイクロ基地局での受信は、マクロ基地局のものより良好である。しかし、UEのサービスを提供するセルがマクロ基地局であり、UEは、ソフトハンドオーバ(soft handover、略してSHO)領域に入っていないので、マイクロ基地局は、UEに対して電力制御を実行することができない。その結果、UEのアップリンクサービスに対するマイクロ基地局での受信電力は過度に高く、このために、マイクロ基地局へのアップリンク干渉が引き起こされる。かつ
領域Eでは、この領域では、マイクロ基地局のリンク品質は、UEに対するアップリンクおよびダウンリンクの両方より良好であるが、UEは、まだ、マクロ基地局のダウンリンク信号に対してより高い受信電力を持っており、このために、マイクロ基地局へのダウンリンク干渉が引き起こされる場合がある。
【発明の概要】
【課題を解決するための手段】
【０００５】
本発明の実施形態は、HetNetにおいて第1の領域または第2の領域でUEがサービス送信を実行するときに、マイクロ基地局に引き起こされるアップリンク干渉およびダウンリンク干渉の問題を軽減するために、ネットワーク通信方法、装置、およびシステムを提供する。
【０００６】
第1の態様によると、本発明の実施形態は、ネットワーク通信方法を提供し、
ユーザ機器UEによって、アクセスネットワークの無線ネットワークコントローラRNCによって送られた命令情報を受信するステップであって、命令情報は、UEに、
第1の領域において、アクセスネットワークのマクロ基地局とのアップリンクおよびダウンリンクのサービス送信を実行し、アクセスネットワークのマイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得され、かつ/または
第2の領域において、マイクロ基地局とのアップリンクおよびダウンリンクのサービス送信を実行し、マクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品質と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得される
ように指示するために使用されるステップと、
UEによって、命令情報によりサービス送信を実行するステップであって、
第1のアクティブセットは、拡張された専用チャネルDCHアクティブセットおよび/または拡張された向上された専用チャネルE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信し、
第1のアクティブセットでは、UEは、第1のアクティブセットにおいてマクロ基地局のDCHサービスの対数尤度比LLRを受信および計算し、ビタビ復号を実行するためにビタビ復号器としてLLRを入力することができ、
第2のアクティブセットは、DCHアクティブセットおよび/またはE-DCHアクティブセットを含み、
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットにおいてマクロ基地局によって送られたダウンリンクDCHサービスを受信し、
第3のアクティブセットでは、UEは、第3のアクティブセットにおいてマイクロ基地局によって送られた、向上された専用チャネルのハイブリッド自動再送要求インジケータチャネルE-HICHを受信することができ、E-HICHが肯定応答ACKを示している場合、UEは新しいデータを送信するか、またはE-HICHが否定応答NACKを示し、再送信の最高数に到達していない場合、UEはデータを再送信するステップ
を含む。
【０００７】
第1の態様の第1の可能な実装方法では、UEによって、命令情報によりサービス送信を実行する前に、方法は、
UEによって、RNCによって送られたアクティブセット更新シグナリングを受信するステップと、
UEによってアクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加するステップと
をさらに含む。
【０００８】
第1の態様の第1の可能な実装方法に関して、第1の態様の第2の可能な実装方法では、UEによって、RNCによって送られたアクティブセット更新シグナリングを受信する前に、方法は、
UEによって、各セルの共通パイロットチャネル品質を測定するステップと、
UEが非ソフトハンドオーバ領域にある場合、およびUEが、マイクロ基地局の共通パイロットチャネル品質が、第1のアクティブセットへの追加のために事前設定された第1のしきい値より大きく、第2のアクティブセットへの追加のために第1の条件しきい値より小さいと測定した場合、UEによって、RNCに第1の測定レポートを送り、それにより、RNCは、第1の測定レポートにより、UEにアクティブセット更新シグナリングを送るステップ、または
UEが第2のアクティブセットに対応するソフトハンドオーバ領域にある場合、およびUEが、マイクロ基地局の共通パイロットチャネル品質が、第2のアクティブセットからのマイクロ基地局の削除のために第3の条件しきい値より小さく、事前設定された第2のしきい値より大きいと測定した場合、UEによって、RNCに第1の測定レポートを送り、それにより、RNCは、第1の測定レポートにより、UEにアクティブセット更新シグナリングを送るステップと
をさらに含む。
【０００９】
第1の態様の第2の可能な実装方法に関して、第1の態様の第3の可能な実装方法では、UEによって、命令情報によりサービス送信を実行した後に、方法は、
UEによって、マイクロ基地局の共通パイロットチャネル品質を測定することを継続し、マイクロ基地局の共通パイロットチャネル品質が、第2のアクティブセットへの追加のために第1の条件しきい値より大きい場合、UEによって、RNCに第2の測定レポートを送るステップであって、それによりRNCは、UEに第1の制御情報を送るステップと、
UEによって、第1の制御情報により第2のアクティブセットにマイクロ基地局を追加するステップ、
または
UEによって、マイクロ基地局の共通パイロットチャネル品質を測定することを継続し、マイクロ基地局の共通パイロットチャネル品質が第2のしきい値より小さい場合、UEによって、RNCに第2の測定レポートを送るステップであって、それにより、RNCは、UEに第2の制御情報を送るステップと、
UEによって、第2の制御情報により、第1のアクティブセットからマイクロ基地局を削除するステップと
をさらに含む。
【００１０】
第1の態様の第1の可能な実装方法から第1の態様の第3の可能な実装方法のいずれか1つによる方法に関して、第1の態様の第4の可能な実装方法では、UEによって送信されたサービスは、DCHサービスを含み、方法は、
UEによって、マイクロ基地局によって送られた電力制御指令TPCを受信するステップであって、TPCは、UEのアップリンク送信電力を調整するために使用されるステップ
をさらに含むか、または
UEによって送信されたサービスは、E-DCHサービスを含み、方法は、
UEによって、TPCと、向上された専用チャネル相対グラントチャネルE-RGCHと、マイクロ基地局によって送られるE-HICHとを受信するステップであって、TPCは、UEのアップリンク送信電力を調整するために使用され、E-RGCHは、UEによって取得された、スケジューリング許可値を調整するために使用され、E-HICHは、マイクロ基地局がUEのデータを正しく受信するかどうかをUEにフィードバックするために使用されるステップ
をさらに含む。
【００１１】
第1の態様の第1の可能な実装方法に関して、第1の態様の第5の可能な実装方法では、UEによって、RNCによって送られたアクティブセット更新シグナリングを受信する前に、方法は、
UEによって、各セルの共通パイロットチャネル品質を測定するステップと、
UEが非ソフトハンドオーバ領域にある場合、およびUEが、マクロ基地局の共通パイロットチャネル品質が、事前設定された第3のしきい値より大きく、第2のアクティブセットへの追加のために第2の条件しきい値より小さいと測定した場合、UEによって、RNCに第3の測定レポートを送り、それにより、RNCは、第3の測定レポートにより、UEにアクティブセット更新シグナリングを送るステップ、または
UEが第2のアクティブセットに対応するソフトハンドオーバ領域にある場合、およびUEが、マクロ基地局の共通パイロットチャネル品質が、第2のアクティブセットからのマクロ基地局の削除のために第4の条件しきい値より小さく、事前設定された第4のしきい値より大きいと測定した場合、UEによって、RNCに第3の測定レポートを送り、それにより、RNCは、第3の測定レポートにより、UEにアクティブセット更新シグナリングを送るステップと
をさらに含む。
【００１２】
第1の態様の第5の可能な実装方法に関して、第1の態様の第6の可能な実装方法では、UEによって、命令情報によりサービス送信を実行した後に、方法は、
UEによって、マクロ基地局の共通パイロットチャネル品質を測定することを継続し、マクロ基地局の共通パイロットチャネル品質が、第2のアクティブセットへの追加のために第2の条件しきい値より大きい場合、UEによって、RNCに第4の測定レポートを送るステップであって、それにより、RNCは、UEに第3の制御情報を送るステップと、
UEによって、第3の制御情報により、第2のアクティブセットにマクロ基地局を追加するステップ、
または
UEによって、マクロ基地局の共通パイロットチャネル品質を測定することを継続し、マクロ基地局の共通パイロットチャネル品質が第4のしきい値より小さい場合、UEによって、RNCに第4の測定レポートを送るステップであって、それにより、RNCは、UEに第4の制御情報を送るステップと、
UEによって、第4の制御情報により、第3のアクティブセットからマクロ基地局を削除するステップと
をさらに含む。
【００１３】
第2の態様によると、本発明の実施形態は、ネットワーク通信方法を提供し、
アクセスネットワークの無線ネットワークコントローラRNCによって、命令情報を生成するステップであって、命令情報は、ユーザ機器UEに、第1の領域において、アクセスネットワークのマクロ基地局とのアップリンクおよびダウンリンクのサービス送信を実行し、アクセスネットワークのマイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得され、かつ/または
第2の領域において、マイクロ基地局とのアップリンクおよびダウンリンクのサービス送信を実行し、マクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得される
ように指示するために使用されるステップと、
RNCによって、UEに命令情報を送り、それにより、UEは、命令情報によりサービス送信を実行するステップと
を含み、
第1のアクティブセットは、拡張された専用チャネルDCHアクティブセットおよび/または拡張された向上された専用チャネルE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信し、
第1のアクティブセットでは、UEは、第1のアクティブセットにおいてマクロ基地局のDCHサービスの対数尤度比LLRを受信および計算し、ビタビ復号を実行するためにビタビ復号器としてLLRを入力することができ、
第2のアクティブセットは、DCHアクティブセットおよび/またはE-DCHアクティブセットを含み、
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットにおいてマクロ基地局によって送られたダウンリンクDCHサービスを受信し、
第3のアクティブセットでは、UEは、第3のアクティブセットにおいてマイクロ基地局によって送られた、向上された専用チャネルのハイブリッド自動再送要求インジケータチャネルE-HICHを受信することができ、E-HICHが肯定応答ACKを示している場合、UEは新しいデータを送信するか、またはE-HICHが否定応答NACKを示し、再送信の最高数に到達していない場合、UEは、データを再送信する。
【００１４】
第2の態様の第1の可能な実装方法では、RNCによって、UEに命令情報を送るステップの前に、方法は、
RNCによって、UEにアクティブセット更新シグナリングを送信し、それにより、UEは、アクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加するステップ
をさらに含む。
【００１５】
第2の態様の第1の可能な実装方法に関して、第2の態様の第2の可能な実装方法では、RNCによって、UEにアクティブセット更新シグナリングを送るステップの前に、方法は、
RNCによって、UEによって送られた第1の測定レポートを受信するステップであって、UEが非ソフトハンドオーバ領域にある場合、およびUEが、マイクロ基地局の共通パイロットチャネル品質が、第1のアクティブセットへの追加のために事前設定された第1のしきい値より大きく、第2のアクティブセットへの追加のために第1の条件しきい値より小さいと測定した場合、第1の測定レポートはRNCに送られるか、または
UEが第2のアクティブセットに対応するソフトハンドオーバ領域にある場合、およびUEが、マイクロ基地局の共通パイロットチャネル品質が、第2のアクティブセットからのマイクロ基地局の削除のために第3の条件しきい値より小さく、事前設定された第2のしきい値より大きいと測定した場合、第1の測定レポートはRNCに送られるステップ
をさらに含む。
【００１６】
第2の態様の第2の可能な実装方法に関して、第2の態様の第3の可能な実装方法では、RNCによって、UEに命令情報を送るステップの後に、方法は、
RNCによって、UEによって送られた第2の測定レポートを受信するステップであって、マイクロ基地局の共通パイロットチャネル品質が、第2のアクティブセットへの追加のために第1の条件しきい値より大きい場合、第2の測定レポートはRNCにUEによって送られるステップと、
RNCによって、UEに第1の制御情報を送り、それにより、UEは、第1の制御情報の命令により、第2のアクティブセットにマイクロ基地局を追加するステップ、
または
RNCによって、UEによって送られた第2の測定レポートを受信するステップであって、マイクロ基地局の共通パイロットチャネル品質が第2のしきい値より小さい場合、第2の測定レポートは、RNCにUEによって送られるステップと、
RNCによって、UEに第2の制御情報を送り、それにより、UEは、第2の制御情報により第1のアクティブセットからマイクロ基地局を削除するステップと
をさらに含む。
【００１７】
第2の態様の第1の可能な実装方法に関して、第2の態様の第4の可能な実装方法では、RNCによって、UEにアクティブセット更新シグナリングを送るステップの前に、方法は、
RNCによって、UEによって送られた第3の測定レポートを受信するステップであって、UEが非ソフトハンドオーバ領域にある場合、およびUEが、マクロ基地局の共通パイロットチャネル品質が、事前設定された第3のしきい値より大きく、第2のアクティブセットへの追加のために第2の条件しきい値より小さいと測定した場合、第3の測定レポートは、RNCにUEによって送られるか、または
UEが第2のアクティブセットに対応するソフトハンドオーバ領域にある場合、およびUEが、マクロ基地局の共通パイロットチャネル品質が、第2のアクティブセットからのマクロ基地局の除去のために第4の条件しきい値より小さく、事前設定された第4のしきい値より大きいと測定した場合、第3の測定レポートは、RNCにUEによって送られるステップ
を含む。
【００１８】
第2の態様の第4の可能な実装方法に関して、第2の態様の第5の可能な実装方法では、RNCによって、UEに命令情報を送るステップの後に、方法は、
RNCによって、UEによって送られた第4の測定レポートを受信するステップであって、第4の測定レポートは、マクロ基地局の共通パイロットチャネル品質が、第2のアクティブセットへの追加のために第2の条件しきい値より大きい場合、RNCにUEによって送られるステップと、
RNCによって、UEに第3の制御情報を送り、それにより、UEは、第3の制御情報により、第2のアクティブセットにマクロ基地局を追加するステップ、
または
RNCによって、UEによって送られた第4の測定レポートを受信するステップであって、マクロ基地局の共通パイロットチャネル品質が第4のしきい値より小さい場合、第4の測定レポートは、RNCにUEによって送られるステップと、
RNCによって、UEに第4の制御情報を送り、それにより、UEは、第4の制御情報により、第3のアクティブセットからマクロ基地局を削除するステップと
をさらに含む。
【００１９】
第3の態様によると、本発明の実施形態は、ネットワーク通信方法を提供し、
マイクロ基地局によって、アクセスネットワークにおいて無線ネットワークコントローラRNCによって送られた構成情報を受信するステップであって、構成情報は、ユーザ機器UEによって送られたアップリンク専用チャネルDCHおよび/またはアップリンクの向上された専用チャネルE-DCHサービスを受信するようにマイクロ基地局に指示するために使用されるステップと、
UEが第1の領域においてサービス送信を実行するときに、マイクロ基地局が第1のアクティブセットにUEによって追加された後に、構成情報により第1のアクティブセットのマイクロ基地局によって、UEによって送られたアップリンクDCHおよび/またはアップリンクE-DCHサービスを受信するステップであって、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得されるステップと
を含み、
第1のアクティブセットは、
拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信し、
第1のアクティブセットでは、UEは、第1のアクティブセットにおいてマクロ基地局のDCHサービスの対数尤度比LLRを受信および計算し、ビタビ復号を実行するためにビタビ復号器としてLLRを入力する。
【００２０】
第3の態様の第1の可能な実装方法では、マイクロ基地局によって受信されたサービスがDCHサービスである場合、方法は、
マイクロ基地局によって、UEに電力制御指令TPCを送るステップであって、TPCは、UEのアップリンク送信電力を調整するために使用されるステップ
をさらに含み、または
マイクロ基地局によって受信されたサービスがE-DCHサービスである場合、方法は、
マイクロ基地局によって、TPCと、向上された専用チャネル相対グラントチャネルE-RGCHと、向上された専用チャネルのハイブリッド自動再送要求インジケータチャネルE-HICHとをUEに送るステップであって、TPCは、UEのアップリンク送信電力を調整するために使用され、E-RGCHは、UEによって取得された、スケジューリング許可値を調整するために使用され、E-HICHは、マイクロ基地局がUEのデータを正しく受信するかどうかをUEにフィードバックするために使用されるステップと
をさらに含む。
【００２１】
第4の態様によると、本発明の実施形態は、ネットワーク通信方法を提供し、
マクロ基地局によって、アクセスネットワークの無線ネットワークコントローラRNCによって送られた構成情報を受信するステップであって、構成情報は、ユーザ機器UEにダウンリンク専用チャネルDCHサービスを送るようにマクロ基地局に指示するために使用されるステップと、
UEが第2の領域においてサービス送信を実行するときに、マクロ基地局が第3のアクティブセットにUEによって追加された後に、構成情報により第3のアクティブセットのマクロ基地局によって、UEにダウンリンク専用チャネルDCHサービスを送るステップであって、第2の領域は、マクロ基地局の共通パイロットチャネル品質は、第3のアクティブセットへの追加のために第3のしきい値に到達するマクロ基地局の共通パイロットチャネル品質と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得されるステップと
を含み、
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットにおいてマクロ基地局によって送られたダウンリンクDCHサービスを受信し、
第3のアクティブセットでは、UEは、第3のアクティブセットにおいてマイクロ基地局によって送られた、向上された専用チャネルのハイブリッド自動再送要求インジケータチャネルE-HICHを受信することができ、E-HICHが肯定応答ACKを示している場合、UEは、新しいE-DCHサービスを送信するか、またはUEは、E-HICHが否定応答NACKを示しており、再送信の最高数に到達していない場合、E-DCHサービスを再送信する。
【００２２】
第4の態様の第1の可能な実装方法では、構成情報により第3のアクティブセットで、UEにダウンリンク専用チャネルDCHサービスを送るステップの後に、方法は、
UEによって送られたアップリンク電力制御指令TPCを受信するステップ
をさらに含み、TPCは、ダウンリンクDCHサービスの送信電力を制御するために使用される。
【００２３】
第5の態様によると、本発明の実施形態はユーザ機器を提供し、
アクセスネットワークの無線ネットワークコントローラRNCによって送られた命令情報を受信するように構成された受信モジュールであって、命令情報は、UEに、
第1の領域において、アクセスネットワークのマクロ基地局とのアップリンクおよびダウンリンクのサービス送信を実行し、アクセスネットワークのマイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質との間にある領域であり、マイクロ基地局の共通パイロットチャネル品質は、測定を使って第1の領域においてUEによって取得され、かつ/または
第2の領域において、マイクロ基地局とのアップリンクおよびダウンリンクのサービス送信を実行し、マクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得される
ように指示するために使用される受信モジュールと、
命令情報によりサービス送信を実行するように構成された処理モジュールと
を含み、
第1のアクティブセットは、拡張された専用チャネルDCHアクティブセットおよび/または拡張された向上された専用チャネルE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信し、
第1のアクティブセットでは、UEは、第1のアクティブセットにおいてマクロ基地局のDCHサービスの対数尤度比LLRを受信および計算し、ビタビ復号を実行するためにビタビ復号器としてLLRを入力することができ、
第2のアクティブセットは、DCHアクティブセットおよび/またはE-DCHアクティブセットを含み、
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットにおいてマクロ基地局によって送られたダウンリンクDCHサービスを受信し、
第3のアクティブセットでは、UEは、第3のアクティブセットにおいてマイクロ基地局によって送られた、向上された専用チャネルのハイブリッド自動再送要求インジケータチャネルE-HICHを受信することができ、E-HICHが肯定応答ACKを示している場合、UEは新しいデータを送信するか、またはE-HICHが否定応答NACKを示し、再送信の最高数に到達していない場合、UEはデータを再送信する。
【００２４】
第5の態様の第1の可能な実装方法では、受信モジュールは、
処理モジュールが命令情報によりサービス送信を実行する前に、RNCによって送られたアクティブセット更新シグナリングを受信する
ようにさらに構成され、
処理モジュールは、アクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加するようにさらに構成される。
【００２５】
第5の態様の第1の可能な実装方法に関して、第5の態様の第2の可能な実装方法では、ユーザ機器は、
受信モジュールがRNCによって送られたアクティブセット更新シグナリングを受信する前に、各セルの共通パイロットチャネル品質を測定するように構成された第1の測定モジュールと、
UEが非ソフトハンドオーバ領域にある場合、および第1の測定モジュールが、マイクロ基地局の共通パイロットチャネル品質は、第1のアクティブセットへの追加のために事前設定された第1のしきい値より大きく、第2のアクティブセットへの追加のために第1の条件しきい値より小さいと測定した場合、RNCに第1の測定レポートを送り、それにより、第1の測定レポートにより、RNCは、UEにアクティブセット更新シグナリングを送るように構成された第1の送信モジュールと
をさらに含み、
第1の送信モジュールは、UEが第2のアクティブセットに対応するソフトハンドオーバ領域にある場合、およびUEが、マイクロ基地局の共通パイロットチャネル品質は、第2のアクティブセットからのマイクロ基地局の削除のために第2の条件しきい値より小さく、事前設定された第2のしきい値より大きいと測定した場合、RNCに第1の測定レポートを送り、それにより、RNCは、第1の測定レポートにより、UEにアクティブセット更新シグナリングを送るようにさらに構成される。
【００２６】
第5の態様の第2の可能な実装方法に関して、第5の態様の第3の可能な実装方法では、第1の測定モジュールは、
処理モジュールが命令情報によりサービス送信を実行した後、マイクロ基地局の共通パイロットチャネル品質を測定し続け、マイクロ基地局の共通パイロットチャネル品質が、第2のアクティブセットへの追加のために第1の条件しきい値より大きい場合、第1の送信モジュールは、RNCに第2の測定レポートを送るようにさらに構成され、それにより、RNCは、UEに第1の制御情報を送る
ようにさらに構成され、
処理モジュールは、第1の制御情報により第2のアクティブセットにマイクロ基地局を追加するようにさらに構成されるか、
または
第1の測定モジュールは、
処理モジュールが命令情報によりサービス送信を実行した後、マイクロ基地局の共通パイロットチャネル品質を測定し続けるようさらに構成され、マイクロ基地局の共通パイロットチャネル品質が第2のしきい値より小さい場合、第1の送信モジュールは、RNCに第2の測定レポートを送るようにさらに構成され、それにより、RNCは、UEに第2の制御情報を送り、
処理モジュールは、第2の制御情報により、第1のアクティブセットからマイクロ基地局を削除するようにさらに構成される。
【００２７】
第5の態様の第1の可能な実装方法から第5の態様の第3の可能な実装方法のいずれか1つによるユーザ機器に関して、第5の態様の第4の可能な実装方法では、UEによって送信されたサービスは、DCHサービスを含み、受信モジュールは、
マイクロ基地局によって送られた電力制御指令TPCを受信し、TPCは、UEのアップリンク送信電力を調整するために使用される
ようにさらに構成されるか、または
UEによって送信されたサービスは、E-DCHサービスを含み、受信モジュールは、
電力制御指令TPCと、向上された専用チャネル相対グラントチャネルE-RGCHと、マイクロ基地局によって送られるE-HICHとを受信し、TPCは、UEのアップリンク送信電力を調整するために使用され、E-RGCHは、UEによって取得された、スケジューリング許可値を調整するために使用され、E-HICHは、マイクロ基地局がUEのデータを正しく受信するかどうかをUEにフィードバックするために使用される
ようにさらに構成される。
【００２８】
第5の態様の第1の可能な実装方法に関して、第5の態様の第5の可能な実装方法では、ユーザ機器は、
受信モジュールがRNCによって送られたアクティブセット更新シグナリングを受信する前に、各セルの共通パイロットチャネル品質を測定するように構成された第2の測定モジュールと、
UEが非ソフトハンドオーバ領域にある場合、および第2の測定モジュールが、マクロ基地局の共通パイロットチャネル品質が、事前設定された第3のしきい値より大きく、第2のアクティブセットへの追加のために第2の条件しきい値より小さいと測定した場合、RNCに第3の測定レポートを送り、それにより、第3の測定レポートにより、RNCは、UEにアクティブセット更新シグナリングを送るように構成された第2の送信モジュールと
をさらに含み、
第2の送信モジュールは、UEが第2のアクティブセットに対応するソフトハンドオーバ領域にある場合、および第2の測定モジュールが、マクロ基地局の共通パイロットチャネル品質が、第2のアクティブセットからのマクロ基地局の除去のために第4の条件しきい値より小さく、事前設定された第4のしきい値より大きいと測定した場合、RNCに第3の測定レポートを送り、それにより、RNCは、第3の測定レポートにより、UEにアクティブセット更新シグナリングを送るようにさらに構成される。
【００２９】
第5の態様の第5の可能な実装方法に関して、第5の態様の第6の可能な実装方法では、第2の測定モジュールは、
処理モジュールが命令情報によりサービス送信を実行した後、マクロ基地局の共通パイロットチャネル品質を測定し続けるようにさらに構成され、マクロ基地局の共通パイロットチャネル品質が、第2のアクティブセットへの追加のために第2の条件しきい値より大きい場合、第2の送信モジュールは、RNCに第4の測定レポートを送るようにさらに構成され、それにより、RNCは、UEに第3の制御情報を送り、
処理モジュールは、第3の制御情報により第2のアクティブセットにマクロ基地局を追加するようにさらに構成されるか、
または
第2の測定モジュールは、
処理モジュールが命令情報によりサービス送信を実行した後、マクロ基地局の共通パイロットチャネル品質を測定し続けるようにさらに構成され、マクロ基地局の共通パイロットチャネル品質が第4のしきい値より小さい場合、第2の送信モジュールは、RNCに第4の測定レポートを送るようにさらに構成されるため、RNCは、UEに第4の制御情報を送り、
処理モジュールは、第4の制御情報により第3のアクティブセットからマクロ基地局を削除するようにさらに構成される。
【００３０】
第6の態様によると、本発明の実施形態は、無線ネットワークコントローラを提供し、
命令情報を生成するように構成された生成モジュールであって、命令情報は、ユーザ機器UEに、第1の領域において、アクセスネットワークのマクロ基地局とのアップリンクおよびダウンリンクのサービス送信を実行し、アクセスネットワークのマイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得され、かつ/または
第2の領域において、マイクロ基地局とのアップリンクおよびダウンリンクのサービス送信を実行し、マクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得される
ように指示するために使用される生成モジュールと、
UEに命令情報を送るように構成された送信モジュールであって、UEは、命令情報によりサービス送信を実行し、
第1のアクティブセットは、拡張された専用チャネルDCHアクティブセットおよび/または拡張された向上された専用チャネルE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信し、
第1のアクティブセットでは、UEは、第1のアクティブセットにおいてマクロ基地局のDCHサービスの対数尤度比LLRを受信および計算し、ビタビ復号を実行するためにビタビ復号器としてLLRを入力することができ、
第2のアクティブセットは、DCHアクティブセットおよび/またはE-DCHアクティブセットを含み、
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットにおいてマクロ基地局によって送られたダウンリンクDCHサービスを受信し、
第3のアクティブセットでは、UEは、第3のアクティブセットにおいてマイクロ基地局によって送られた、向上された専用チャネルのハイブリッド自動再送要求インジケータチャネルE-HICHを受信することができ、E-HICHが肯定応答ACKを示している場合、UEは新しいデータを送信するか、またはE-HICHが否定応答NACKを示し、再送信の最高数に到達していない場合、UEはデータを再送信する
送信モジュールと
を含む。
【００３１】
第6の態様の第1の可能な実装方法では、送信モジュールは、命令情報を送る前に、UEにアクティブセット更新シグナリングを送り、それにより、UEは、アクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加するようにさらに構成される。
【００３２】
第6の態様の第1の可能な実装方法に関して、第6の態様の第2の可能な実装方法では、無線ネットワークコントローラは、
送信モジュールがUEにアクティブセット更新シグナリングを送る前に、UEによって送られた第1の測定レポートを受信し、第1の測定レポートは、UEが非ソフトハンドオーバ領域にある場合、およびUEが、マイクロ基地局の共通パイロットチャネル品質が、第1のアクティブセットへの追加のために事前設定された第1のしきい値より大きく、第2のアクティブセットへの追加のために第1の条件しきい値より小さいと測定したときにRNCに送られるか、または
第1の測定レポートは、UEが第2のアクティブセットに対応するソフトハンドオーバ領域にある場合、およびUEが、マイクロ基地局の共通パイロットチャネル品質が、第2のアクティブセットからのマイクロ基地局の削除のために第3の条件しきい値より小さく、事前設定された第2のしきい値より大きいと測定したときに、RNCに送られるように構成された第1の受信モジュール
をさらに含む。
【００３３】
第6の態様の第2の可能な実装方法に関して、第6の態様の第3の可能な実装方法では、第1の受信モジュールは、送信モジュールがUEに命令情報を送った後、UEによって送られた第2の測定レポートを受信するようにさらに構成され、マイクロ基地局の共通パイロットチャネル品質が、第2のアクティブセットへの追加のために第1の条件しきい値より大きい場合、第2の測定レポートはRNCにUEによって送られ、
送信モジュールは、UEに第1の制御情報を送るようにさらに構成され、それにより、UEは、第1の制御情報の命令により、第2のアクティブセットにマイクロ基地局を追加するか、
または
第1の受信モジュールは、送信モジュールがUEに命令情報を送った後、UEによって送られた第2の測定レポートを受信するようにさらに構成され、マイクロ基地局の共通パイロットチャネル品質が第2のしきい値より小さい場合、第2の測定レポートはRNCにUEによって送られ、
送信モジュールは、UEに第2の制御情報を送るようにさらに構成され、それにより、UEは、第2の制御情報により第1のアクティブセットからマイクロ基地局を削除する。
【００３４】
第6の態様の第1の可能な実装方法に関して、第6の態様の第4の可能な実装方法では、無線ネットワークコントローラは、
送信モジュールがUEにアクティブセット更新シグナリングを送る前に、UEによって送られた第3の測定レポートを受信し、第3の測定レポートは、UEが非ソフトハンドオーバ領域にある場合、およびUEが、マクロ基地局の共通パイロットチャネル品質が、事前設定された第3のしきい値より大きく、第2のアクティブセットへの追加のために第2の条件しきい値より小さいと測定した場合に、RNCにUEによって送られるように構成されたか、または
第3の測定レポートは、UEが第2のアクティブセットに対応するソフトハンドオーバ領域にある場合、およびUEが、マクロ基地局の共通パイロットチャネル品質が、第2のアクティブセットからのマクロ基地局の除去のために第4の条件しきい値より小さく、事前設定された第4のしきい値より大きいと測定した場合、RNCにUEによって送られるように構成された
第2の受信モジュールをさらに含む。
【００３５】
第6の態様の第4の可能な実装方法に関して、第6の態様の第5の可能な実装方法では、第2の受信モジュールは、送信モジュールがUEに命令情報を送った後、UEによって送られた第4の測定レポートを受信し、第4の測定レポートは、マクロ基地局の共通パイロットチャネル品質が、第2のアクティブセットへの追加のために第2の条件しきい値より大きい場合、RNCにUEによって送られるようにさらに構成され、
送信モジュールは、UEに第3の制御情報を送るようにさらに構成され、それにより、UEは、第3の制御情報により、第2のアクティブセットにマクロ基地局を追加するか、
または
第2の受信モジュールは、送信モジュールがUEに命令情報を送った後、UEによって送られた第4の測定レポートを受信し、マクロ基地局の共通パイロットチャネル品質が第4のしきい値より小さい場合、第4の測定レポートは、RNCにUEによって送られるようにさらに構成され、
送信モジュールは、UEに第4の制御情報を送るようにさらに構成されるため、UEは、第4の制御情報により、第3のアクティブセットからマクロ基地局を削除する。
【００３６】
第7の態様によると、本発明の実施形態は、マイクロ基地局を提供し、
アクセスネットワークの無線ネットワークコントローラRNCによって送られた構成情報を受信するように構成された受信モジュールであって、構成情報は、ユーザ機器UEによって送られたアップリンク専用チャネルDCHおよび/またはアップリンクの向上された専用チャネルE-DCHサービスを受信するようにマイクロ基地局に指示するために使用される受信モジュールと、
UEが第1の領域においてサービス送信を実行する場合、マイクロ基地局が第1のアクティブセットにUEによって追加された後、構成情報により第1のアクティブセットで、UEによって送られたアップリンクDCHおよび/またはアップリンクE-DCHサービスを受信するように構成された処理モジュールであって、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得される処理モジュールと
を含み、
第1のアクティブセットは、
拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信し、
第1のアクティブセットでは、UEは、第1のアクティブセットにおいてマクロ基地局のDCHサービスの対数尤度比LLRを受信および計算し、ビタビ復号を実行するためにビタビ復号器としてLLRを入力する。
【００３７】
第7の態様の第1の可能な実装方法では、マイクロ基地局は、
送信モジュールをさらに含み、マイクロ基地局によって受信されたサービスがDCHサービスである場合、送信モジュールは、UEに電力制御指令TPCを送るように構成され、TPCは、UEのアップリンク送信電力を調整するために使用されるか、または
マイクロ基地局によって受信されたサービスがE-DCHサービスである場合、送信モジュールは、TPCと、向上された専用チャネル相対グラントチャネルE-RGCHと、UEへの向上された専用チャネルのハイブリッド自動再送要求インジケータチャネルE-HICHとを送るように構成され、TPCは、UEのアップリンク送信電力を調整するために使用され、E-RGCHは、UEによって取得された、スケジューリング許可値を調整するために使用され、E-HICHは、マイクロ基地局がUEのデータを正確に受信するかどうかをUEにフィードバックするために使用される。
【００３８】
第8の態様によると、本発明の実施形態は、マクロ基地局を提供し、
アクセスネットワークの無線ネットワークコントローラRNCによって送られた構成情報を受信するように構成された受信モジュールであって、構成情報は、ユーザ機器UEにダウンリンク専用チャネルDCHサービスを送るようにマクロ基地局に指示するために使用される受信モジュールと、
UEが第2の領域においてサービス送信を実行する場合、マクロ基地局が第3のアクティブセットにUEによって追加された後、構成情報により第3のアクティブセットでUEにダウンリンク専用チャネルDCHサービスを送るように構成された送信モジュールであって、第2の領域は、マクロ基地局の共通パイロットチャネル品質は、第3のアクティブセットへの追加のために第3のしきい値に到達するマクロ基地局の共通パイロットチャネル品質と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得される送信モジュールと
を含み、
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットにおいてマクロ基地局によって送られたダウンリンクDCHサービスを受信し、
第3のアクティブセットでは、UEは、第3のアクティブセットにおいてマイクロ基地局によって送られた、向上された専用チャネルのハイブリッド自動再送要求インジケータチャネルE-HICHを受信することができ、E-HICHが肯定応答ACKを示している場合、UEは、新しいE-DCHサービスを送信するか、またはUEは、E-HICHが否定応答NACKを示しており、再送信の最高数に到達していない場合、E-DCHサービスを再送信する。
【００３９】
第8の態様の第1の可能な実装方法では、受信モジュールは、
送信モジュールが、構成情報により第3のアクティブセットで、UEにダウンリンク専用チャネルDCHサービスを送った後、UEによって送られたアップリンク電力制御指令TPCを受信するように構成され、TPCは、ダウンリンクDCHサービスの送信電力を制御するために使用される。
【００４０】
第9の態様によると、本発明の実施形態は、アクセスネットワークシステムを提供し、第5の態様から第5の態様の第6の可能な実装方法のいずれか1つによるユーザ機器と、第6の態様から第6の態様の第5の可能な実装方法のいずれか1つによる無線ネットワークコントローラと、第7の態様または第7の態様の第1の可能な実装方法によるマイクロ基地局と、第8の態様または第8の態様の第1の可能な実装方法によるマクロ基地局とを含む。
【００４１】
第10の態様によると、本発明の実施形態は、ネットワーク通信方法を提供し、
ユーザ機器UEによって、アクセスネットワークの第1の基地局によって送られた、第1の向上された専用チャネルのハイブリッド自動再送要求インジケータチャネルE-HICHを受信するステップであって、第1の基地局は、UEの検出範囲内に位置し、UEの向上された専用チャネルE-DCHアクティブセットにないステップと、
第1のE-HICHが肯定応答ACKを示す場合、UEによって、新しいE-DCHデータを送るステップと
を含む。
【００４２】
第10の態様の第1の可能な実装方法では、第1の基地局がUEの検出範囲内に位置することは、
第1の基地局のものであり、UEによって測定されるダウンリンクパイロット品質は、事前設定された第1のしきい値より大きい
ことを含む。
【００４３】
第10の態様または第10の態様の第1の可能な実装方法に関して、第10の態様の第2の可能な実装方法では、UEによって、第1の基地局によって送られた、第1の向上された専用チャネルのハイブリッド自動再送要求インジケータチャネルE-HICHを受信するステップの前に、方法は、
UEによって、無線ネットワークコントローラRNCによって送られた第1の命令シグナリングを受信するステップをさらに含み、第1の命令シグナリングは、第1の基地局によって送られた第1のE-HICHを受信するようにUEに指示するために使用され、第1の命令シグナリングは、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【００４４】
第10の態様の第2の可能な実装方法に関して、第10の態様の第3の可能な実装方法では、第1の命令シグナリングは、
第1のE-HICHのタイミング情報であって、第1のE-HICHのタイミング情報は、UEが第1のE-HICHの各サブフレームを受信するべき開始時間位置を示すために使用される
をさらに含む。
【００４５】
第10の態様の第3の可能な実装方法に関して、第10の態様の第4の可能な実装方法では、第1のE-HICHのタイミング情報は、第1の基地局の断片的なダウンリンク物理チャネルF-DPCHのタイミングオフセットτF-DPCHおよび/または記号位置である。
【００４６】
第10の態様の第2の可能な実装方法から第10の態様の第4の可能な実装方法の1つによる方法に関して、第10の態様の第5の可能な実装方法では、第1の命令シグナリングは、
向上された専用チャネル相対グラントチャネルE-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
をさらに含む。
【００４７】
第10の態様の第5の可能な実装方法に関して、第10の態様の第6の可能な実装方法では、E-RGCHのタイミング情報は、第1の基地局の断片的なダウンリンク物理チャネルF-DPCHのタイミングオフセットτF-DPCH,nおよび/または記号位置である。
【００４８】
第10の態様の第2の可能な実装方法から第10の態様の第6の可能な実装方法の1つによる方法に関して、第10の態様の第7の可能な実装方法では、UEによって、無線ネットワークコントローラRNCによって送られた第1の命令シグナリングを受信するステップの前に、方法は、
UEによって、各サービスを提供するセルの共通パイロットチャネル品質を測定するステップと、
UEが、第1の基地局の共通パイロットチャネル品質は事前設定された第1のしきい値より大きいと測定した場合、UEによって、RNCに測定レポートを送り、それにより、RNCは、測定レポートにより、UEに第1の命令シグナリングを送るステップと
をさらに含む。
【００４９】
第11の態様によると、本発明の実施形態は、ネットワーク通信方法を提供し、
アクセスネットワークの第1の基地局によって、ユーザ機器UEによって送られたE-DCHサービスを受信するステップであって、第1の基地局は、UEの検出範囲内に位置し、UEの向上された専用チャネルE-DCHアクティブセットにないステップと、
第1の基地局によって、UEに第1の向上された専用チャネルのハイブリッド自動再送要求インジケータチャネルE-HICHを送るステップと、
第1の基地局によって、第1のE-HICHが肯定応答ACKを示す場合、UEによって送られる新しいE-DCHデータを受信するステップと
を含む。
【００５０】
第11の態様の第1の可能な実装方法では、第1の基地局がUEの検出範囲内に位置することは、
第1の基地局のものであり、UEによって測定されるダウンリンクパイロット品質は、事前設定された第1のしきい値より大きい
ことを含む。
【００５１】
第11の態様または第11の態様の第1の可能な実装方法に関して、第11の態様の第2の可能な実装方法では、アクセスネットワークの第1の基地局によって、ユーザ機器UEによって送られたE-DCHサービスを受信するステップの前に、方法は、
第1の基地局によって、無線ネットワークコントローラRNCによって送られた第2の命令シグナリングを受信するステップをさらに含み、第2の命令シグナリングは、UEによって送られたE-DCHサービスを受信するように第1の基地局に指示するために使用され、第2の命令シグナリングは、UEのアップリンクスクランブルコード、ならびに第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【００５２】
第11の態様の第2の可能な実装方法に関して、第11の態様の第3の可能な実装方法では、第2の命令シグナリングは、
第1のE-HICHのタイミング情報であって、第1のE-HICHのタイミング情報は、第1のE-HICHの各サブフレームを送るために開始時間位置を示すために使用される
をさらに含む。
【００５３】
第11の態様の第3の可能な実装方法に関して、第11の態様の第4の可能な実装方法では、第1のE-HICHのタイミング情報は、第1の基地局の断片的なダウンリンク物理チャネルF-DPCHのタイミングオフセットτF-DPCH,nおよび/または記号位置である。
【００５４】
第11の態様の第2の可能な実装方法から第11の態様の第4の可能な実装方法のいずれか1つによる方法に関して、第11の態様の第5の可能な実装方法では、第2の命令シグナリングは、
向上された専用チャネル相対グラントチャネルE-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
をさらに含む。
【００５５】
第11の態様の第5の可能な実装方法に関して、第11の態様の第6の可能な実装方法では、E-RGCHのタイミング情報は、第1の基地局の断片的なダウンリンク物理チャネルF-DPCHのタイミングオフセットτF-DPCH,nおよび/または記号位置である。
【００５６】
第11の態様の第2の可能な実装方法から第11の態様の第6の可能な実装方法の1つによる方法に関して、第11の態様の第7の可能な実装方法では、第1の基地局によって、無線ネットワークコントローラRNCによって送られた第2の命令シグナリングを受信するステップの前に、方法は、
第1の基地局によって、RNCに受信能力メッセージを送るステップであって、受信能力メッセージは、第1の基地局がUEによって送られたE-DCHサービスを受信することができることを示すために使用されるステップ
をさらに含む。
【００５７】
第12の態様によると、本発明の実施形態は、ネットワーク通信方法を提供し、
アクセスネットワークの無線ネットワークコントローラRNCによって、第1の命令シグナリングおよび第2の命令シグナリングを生成するステップであって、第1の命令シグナリングは、第1の基地局によって送られた、第1の向上された専用チャネルのハイブリッド自動再送要求インジケータチャネルE-HICHを受信するようにユーザ機器UEに指示するために使用され、第2の命令シグナリングは、UEによって送られたE-DCHサービスを受信するように第1の基地局に指示するために使用され、第1の基地局は、UEの検出範囲内に位置し、UEの向上された専用チャネルE-DCHアクティブセットにないステップと、
RNCによって、第1の基地局に第2の命令シグナリングを送るステップであって、第2の命令シグナリングは、UEのアップリンクスクランブルコードと、第1のE-HICHのチャネル化コードおよびシグネチャシーケンスとを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用されるステップと、
RNCによって、UEに第1の命令シグナリングを送るステップであって、第1の命令シグナリングは、第1のE-HICHのチャネル化コードおよびシグネチャシーケンスを含むステップと
を含む。
【００５８】
第12の態様の第1の可能な実装方法では、第1の基地局がUEの検出範囲内に位置することは、
第1の基地局のものであり、UEによって測定されるダウンリンクパイロット品質は、事前設定された第1のしきい値より大きい
ことを含む。
【００５９】
第12の態様または第12の態様の第1の可能な実装方法に関して、第12の態様の第2の可能な実装方法では、第1の命令シグナリングは、
第1のE-HICHのタイミング情報であって、第1のE-HICHのタイミング情報は、UEが第1のE-HICHの各サブフレームを受信するべき開始時間位置を示すために使用される
をさらに含み、
第2の命令シグナリングは、第1のE-HICHのタイミング情報をさらに含み、第1のE-HICHのタイミング情報は、第1のE-HICHの各サブフレームを送るために開始時間位置を示すために使用される。
【００６０】
第12の態様の第2の可能な実装方法に関して、第12の態様の第3の可能な実装方法では、第1のE-HICHのタイミング情報は、第1の基地局の断片的なダウンリンク物理チャネルF-DPCHのタイミングオフセットτF-DPCH,nおよび/または記号位置である。
【００６１】
第12の態様に関して、第12の態様の第1の可能な実装方法、第12の態様の第2の可能な実装方法、または第12の態様の第3の可能な実装方法、第12の態様の第4の可能な実装方法では、第1の命令シグナリングおよび第2の命令シグナリングは、
向上された専用チャネル相対グラントチャネルE-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
をさらに含む。
【００６２】
第12の態様の第4の可能な実装方法に関して、第12の態様の第5の可能な実装方法では、E-RGCHのタイミング情報は、第1の基地局の断片的なダウンリンク物理チャネルF-DPCHのタイミングオフセットτF-DPCH,nおよび/または記号位置である。
【００６３】
第12の態様から第12の態様の第5の可能な実装方法の1つに関して、第12の態様の第6の可能な実装方法では、RNCによって、第1の命令シグナリングおよび第2の命令シグナリングを生成するステップの前に、方法は、
RNCによって、UEによって送られた測定レポートを受信するステップであって、UEが、第1の基地局の共通パイロットチャネル品質は事前設定された第1のしきい値より大きいと測定した場合、測定レポートはUEに送られるステップ
をさらに含む。
【００６４】
第12の態様から第12の態様の第6の可能な実装方法の1つに関して、第12の態様の第6の可能な実装方法では、RNCによって、第1の基地局に第2の命令シグナリングを送るステップの前に、方法は、
RNCによって、第1の基地局によって送られた受信能力メッセージを受信するステップであって、受信能力メッセージは、第1の基地局がUEによって送られたE-DCHサービスを受信することができることを示すために使用されるステップ
をさらに含む。
【００６５】
第13の態様により、本発明の実施形態は、ユーザ機器を提供し、
アクセスネットワークの第1の基地局によって送られた、第1の向上された専用チャネルのハイブリッド自動再送要求インジケータチャネルE-HICHを受信するように構成された受信モジュールであって、第1の基地局は、UEの検出範囲内に位置し、UEの向上された専用チャネルE-DCHアクティブセットにない受信モジュールと、
第1のE-HICHが肯定応答ACKを示す場合に、新しいE-DCHデータを送るように構成された送信モジュールと
を含む。
【００６６】
第13の態様の第1の可能な実装方法では、第1の基地局がUEの検出範囲内に位置することは、
第1の基地局のものであり、UEによって測定されるダウンリンクパイロット品質は、事前設定された第1のしきい値より大きい
ことを含む。
【００６７】
第13の態様または第13の態様の第1の可能な実装方法に関して、第13の態様の第2の可能な実装方法では、受信モジュールは、
第1の基地局によって送られた、第1の向上された専用チャネルのハイブリッド自動再送要求インジケータチャネルE-HICHを受信する前に、無線ネットワークコントローラRNCによって送られた第1の命令シグナリングを受信するように構成され、第1の命令シグナリングは、第1の基地局によって送られた第1のE-HICHを受信するようにUEに指示するために使用され、第1の命令シグナリングは、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【００６８】
第13の態様の第2の可能な実装方法に関して、第13の態様の第3の可能な実装方法では、第1の命令シグナリングは、
第1のE-HICHのタイミング情報であって、第1のE-HICHのタイミング情報は、UEが第1のE-HICHの各サブフレームを受信するべき開始時間位置を示すために使用される
をさらに含む。
【００６９】
第13の態様の第3の可能な実装方法に関して、第13の態様の第4の可能な実装方法では、第1のE-HICHのタイミング情報は、第1の基地局の断片的なダウンリンク物理チャネルF-DPCHのタイミングオフセットτF-DPCH,nおよび/または記号位置である。
【００７０】
第13の態様の第2の可能な実装方法から第13の態様の第4の可能な実装方法の1つによるユーザ機器に関して、第13の態様の第5の可能な実装方法では、第1の命令シグナリングは、
向上された専用チャネル相対グラントチャネルE-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
をさらに含む。
【００７１】
第13の態様の第5の可能な実装方法に関して、第13の態様の第6の可能な実装方法では、E-RGCHのタイミング情報は、第1の基地局の断片的なダウンリンク物理チャネルF-DPCHのタイミングオフセットτF-DPCH,nおよび/または記号位置である。
【００７２】
第13の態様の第2の可能な実装方法から第13の態様の第6の可能な実装方法1つによるユーザ機器に関して、第13の態様の第7の可能な実装方法では、ユーザ機器は、
受信モジュールが無線ネットワークコントローラRNCによって送られた第1の命令シグナリングを受信する前に、各サービスを提供するセルの共通パイロットチャネル品質を測定するように構成された処理モジュール
をさらに含み、
第1の基地局の共通パイロットチャネル品質は、事前設定された第1のしきい値より大きいと処理モジュールが測定した場合、送信モジュールは、UEによって、RNCに測定レポートを送るようにさらに構成され、それにより、RNCは、測定レポートにより、UEに第1の命令シグナリングを送る。
【００７３】
第14の態様によると、本発明の実施形態は、基地局を提供し、
ユーザ機器UEによって送られたE-DCHサービスを受信するように構成された受信モジュールであって、基地局は、UEの検出範囲内に位置し、UEの向上された専用チャネルE-DCHアクティブセットにない受信モジュールと、
UEに第1の向上された専用チャネルのハイブリッド自動再送要求インジケータチャネルE-HICHを送るように構成された送信モジュールと
を含み、
受信モジュールは、第1のE-HICHが肯定応答ACKを示す場合、UEによって送られる新しいE-DCHデータを受信するようにさらに構成される。
【００７４】
第14の態様の第1の可能な実装方法では、基地局がUEの検出範囲内に位置することは、
基地局のものであり、UEによって測定されるダウンリンクパイロット品質は、事前設定された第1のしきい値より大きい
ことを含む。
第14の態様または第14の態様の第1の可能な実装方法に関して、第14の態様の第2の可能な実装方法では、受信モジュールは、
UEによって送られたE-DCHサービスを受信する前に、無線ネットワークコントローラRNCによって送られた第2の命令シグナリングを受信し、第2の命令シグナリングは、UEによって送られたE-DCHサービスを受信するように第1の基地局に指示するために使用され、第2の命令シグナリングは、UEのアップリンクスクランブルコードと、第1のE-HICHのチャネル化コードおよびシグネチャシーケンスとを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される
ようにさらに構成される。
【００７５】
第14の態様の第2の可能な実装方法に関して、第14の態様の第3の可能な実装方法では、第2の命令シグナリングは、
第1のE-HICHのタイミング情報であって、第1のE-HICHのタイミング情報は、第1のE-HICHの各サブフレームを送るために開始時間位置を示すために使用される
をさらに含む。
【００７６】
第14の態様の第3の可能な実装方法に関して、第14の態様の第4の可能な実装方法では、第1のE-HICHのタイミング情報は、第1の基地局の断片的なダウンリンク物理チャネルF-DPCHのタイミングオフセットτF-DPCH,nおよび/または記号位置である。
【００７７】
第14の態様の第2の可能な実装方法から第14の態様の第4の可能な実装方法の1つによる基地局に関して、第14の態様の第5の可能な実装方法では、第2の命令シグナリングは、
向上された専用チャネル相対グラントチャネルE-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
をさらに含む。
【００７８】
第14の態様の第5の可能な実装方法に関して、第14の態様の第6の可能な実装方法では、E-RGCHのタイミング情報は、第1の基地局の断片的なダウンリンク物理チャネルF-DPCHのタイミングオフセットτF-DPCH,nおよび/または記号位置である。
【００７９】
第14の態様の第2の可能な実装方法から第14の態様の第6の可能な実装方法の1つによる基地局に関して、第14の態様の第7の可能な実装方法では、送信モジュールは、
受信モジュールが無線ネットワークコントローラRNCによって送られた第2の命令シグナリングを受信する前に、RNCに受信能力メッセージを送り、受信能力メッセージは、第1の基地局がUEによって送られたE-DCHサービスを受信することができることを示すために使用される
ようにさらに構成される。
【００８０】
第15の態様によると、本発明の実施形態は、RNCを提供し、
第1の命令シグナリングおよび第2の命令シグナリングを生成するように構成された処理モジュールであって、第1の命令シグナリングは、第1の基地局によって送られた、第1の向上された専用チャネルのハイブリッド自動再送要求インジケータチャネルE-HICHを受信するようにユーザ機器UEに指示するために使用され、第2の命令シグナリングは、UEによって送られたE-DCHサービスを受信するように第1の基地局に指示するために使用され、第1の基地局は、UEの検出範囲内に位置し、UEの向上された専用チャネルE-DCHアクティブセットにない処理モジュールと、
第1の基地局に第2の命令シグナリングを送るように構成された送信モジュールであって、第2の命令シグナリングは、UEのアップリンクスクランブルコードと、第1のE-HICHのチャネル化コードおよびシグネチャシーケンスとを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される送信モジュールと
を含み、
送信モジュールは、UEに第1の命令シグナリングを送るようにさらに構成され、第1の命令シグナリングは、第1のE-HICHのチャネル化コードおよびシグネチャシーケンスを含む。
【００８１】
第15の態様の第1の可能な実装方法では、第1の基地局がUEの検出範囲内に位置することは、
第1の基地局のものであり、UEによって測定されるダウンリンクパイロット品質は、事前設定された第1のしきい値より大きい
ことを含む。
【００８２】
第15の態様または第15の態様の第1の可能な実装方法に関して、第15の態様の第2の可能な実装方法では、第1の命令シグナリングは、
第1のE-HICHのタイミング情報であって、第1のE-HICHのタイミング情報は、UEが第1のE-HICHの各サブフレームを受信するべき開始時間位置を示すために使用される
をさらに含み、
第2の命令シグナリングは、第1のE-HICHのタイミング情報をさらに含み、第1のE-HICHのタイミング情報は、第1のE-HICHの各サブフレームを送るために開始時間位置を示すために使用される。
【００８３】
第15の態様の第2の可能な実装方法に関して、第15の態様の第3の可能な実装方法では、第1のE-HICHのタイミング情報は、第1の基地局の断片的なダウンリンク物理チャネルF-DPCHのタイミングオフセットτF-DPCH,nおよび/または記号位置である。
【００８４】
第15の態様から第15の態様の第3の可能な実装方法の1つによるRNCに関して、第15の態様の第4の可能な実装方法では、第1の命令シグナリングおよび第2の命令シグナリングは、
向上された専用チャネル相対グラントチャネルE-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
をさらに含む。
【００８５】
第15の態様の第4の可能な実装方法に関して、第15の態様の第5の可能な実装方法では、E-RGCHのタイミング情報は、第1の基地局の断片的なダウンリンク物理チャネルF-DPCHのタイミングオフセットτF-DPCH,nおよび/または記号位置である。
【００８６】
第15の態様から第15の態様の第5の可能な実装方法の1つによるRNCに関して、第15の態様の第6の可能な実装方法では、RNCは、
処理モジュールが第1の命令シグナリングおよび第2の命令シグナリングを生成する前に、UEによって送られた測定レポートを受信するように構成された受信モジュールであって、UEが、第1の基地局の共通パイロットチャネル品質は、事前設定された第1のしきい値より大きいと測定した場合、測定レポートが送られる受信モジュール
をさらに含む。
【００８７】
第15の態様から第15の態様の第6の可能な実装方法の1つによるRNCに関して、第15の態様の第7の可能な実装方法では、受信モジュールは、
送信モジュールが第1の基地局に第2の命令シグナリングを送る前に、第1の基地局によって送られた受信能力メッセージを受信し、受信能力メッセージは、第1の基地局がUEによって送られたE-DCHサービスを受信することができることを示すために使用される
ようにさらに構成される。
【００８８】
本発明の実施形態によるネットワーク通信方法、装置、およびシステムによると、UEは、RNCによって送られた命令情報を受信し、UEは、命令情報により、マクロ基地局とのアップリンクおよびダウンリンクのサービス送信を実行し、第1の領域においてマイクロ基地局とのアップリンクサービス送信を実行し、かつ/またはマイクロ基地局とのアップリンクサービス送信を実行し、第2の領域においてマクロ基地局とのダウンリンクサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらにマイクロ基地局のアップリンク有効範囲およびマクロ基地局のダウンリンク有効範囲は、完全に利用され得、これにより、HetNetのエッジ領域において送信のスループットレートおよび信頼性が改善される。
【００８９】
本発明の実施形態は、ネットワーク通信方法をさらに提供し、
アクセスネットワークのユーザ機器UEによって、無線ネットワークコントローラRNCの第1の無線ネットワーク制御RRCシグナリングを受信するステップと、第1のRRCシグナリングの命令により、UEによって、UEの拡張された向上された専用チャネルE-DCHアクティブセットに第1の基地局を追加するステップと、UEによって、第1の基地局の向上された専用チャネルのハイブリッド自動再送要求インジケータチャネルE-HICHを受信するステップと、E-HICHが肯定応答ACKを示す場合、UEによって、新しいE-DCHデータを送るステップと、UEがアクセスネットワークから専用チャネルDCHデータを受信しない場合、第1のRRCシグナリングの命令によりUEによって、第1の基地局の断片的な専用物理チャネルF-DPCHを受信する機能を無効化するステップであって、RNCは、第1のRRCシグナリングからF-DPCHの構成情報を削除することによって、または第1のRRCシグナリングで事前設定された指示フィールドを使用することによって命令を完了するステップと、UEがアクセスネットワークからDCHデータを受信する場合、第1のRRCシグナリングの命令によりUEによって、第1の基地局のダウンリンク専用物理データチャネルDPDCHを受信する機能を無効化するステップであって、RNCは、第1のRRCシグナリングからDPCHの構成情報を削除することによって、または第1のRRCシグナリングで事前設定された指示フィールドを使用することによって命令を完了するステップとを含む。
【００９０】
実装方法では、UEがアクセスネットワークからDCHデータを受信する場合、方法は、UEによって、第1のRRCシグナリングの命令により第1の基地局のF-DPCHを受信するステップであって、F-DPCHは、UEに対して送信電力制御を実行するために使用されるステップをさらに含む。
【００９１】
別の実装方法では、UEがアクセスネットワークからDCHデータを受信する場合、方法は、UEによって、第1の基地局によって送られたダウンリンク専用物理制御チャネルDPCCHを受信する機能を無効化するステップをさらに含む。
【００９２】
別の実装方法では、UEによって、UEのE-DCHアクティブセットに第1の基地局を追加するステップの後に、方法は、UEによって、ネットワークによって送られた第1の制御シグナリングを受信するステップと、第1の制御シグナリングの命令により第1の基地局のF-DPCHを受信するステップ、または第1の基地局によって送られたダウンリンクDPDCHを受信するステップであって、ダウンリンクDPDCHは、第1の基地局からUEによって受信されたDCHデータを運ぶために使用されるステップとをさらに含む。
【００９３】
別の実装方法では、UEによって、第1の基地局によって送られたダウンリンクDPDCHを受信するステップは、UEによって、第1の基地局のダウンリンクDPCCHを受信するステップであって、ダウンリンクDPCCHは、UEに物理レイヤ制御シグナリングを送るために、第1の基地局によって使用されるステップをさらに含む。
【００９４】
別の実装方法では、ネットワークによって送られた第1の制御シグナリングは、RNCによって送られた第2のRRCシグナリング、またはアクセスネットワークの第2の基地局によって送られた第1の物理レイヤシグナリングであって、第2の基地局は、UEのE-DCHアクティブセットまたはDCHアクティブセットにある第1の物理レイヤシグナリングを含む。
【００９５】
別の実装方法では、UEによって、ネットワークによって送られた第1の制御シグナリングを受信するステップの前に、方法は、UEによって、各セルの共通パイロットチャネル品質を測定するステップと、UEが、第1の基地局の共通パイロットチャネル品質は事前設定された第1のしきい値より大きいと測定した場合、UEによって、RNCに測定レポートを送り、それにより、測定レポートにより、RNCはUEに第2のRRCシグナリングを送るか、またはRNCは、UEに第1の物理レイヤシグナリングを送るように第2の基地局に指示するステップとをさらに含む。
【００９６】
別の実装方法では、UEによって、第1の基地局のF-DPCHを受信するステップの前に、方法は、UEによって、第1の基地局のF-DPCHの構成情報を受信するステップであって、構成情報は、F-DPCHのチャネル化コード、フレームオフセット、およびタイムスロット形式の少なくとも1つを含むステップをさらに含む。
【００９７】
別の実装方法では、方法は、第1の基地局のF-DPCHの構成情報は、第1の制御シグナリングで運ばれることをさらに含む。
【００９８】
別の実装方法では、UEによって、第1の基地局のダウンリンクDPDCHを受信するステップの前に、方法は、UEによって、第1の基地局のダウンリンクDPCHの構成情報を受信するステップであって、ダウンリンクDPCHの構成情報は、DPCHのチャネル化コードまたはフレームオフセットに関する情報を含むステップをさらに含む。
【００９９】
別の実装方法では、ダウンリンクDPCHの構成情報は、第1の制御シグナリングで運ばれる。
【０１００】
本発明の実施形態は、ネットワーク通信方法をさらに提供し、アクセスネットワークのRNCによって、第1のRRCシグナリングまたは第1のネットワークシグナリングを生成し、RNCによって、UEに第1のRRCシグナリングまたはアクセスネットワークの第1の基地局に第1のネットワークシグナリングを送るステップであって、第1のRRCシグナリングは、UEのE-DCHアクティブセットに第1の基地局を追加するようにUEに指示し、第1の基地局のE-HICHを受信するようにUEに指示するために使用され、第1のネットワークシグナリングは、UEによって送られたE-DCHデータを受信するように第1の基地局に指示し、UEにE-HICHを送るように第1の基地局に指示するために使用されるステップを含み、UEがアクセスネットワークからDCHデータを受信しない場合、第1のRRCシグナリングは、第1の基地局のF-DPCHを受信する機能を無効化するようにUEに指示し、RNCは、第1のRRCシグナリングからF-DPCHの構成情報を削除することによって、または第1のRRCシグナリングで事前設定された指示フィールドを設定することによって命令を完了するか、または第1のネットワークシグナリングは、F-DPCHを送る機能を無効化するように第1の基地局に指示し、RNCは、第1のネットワークシグナリングからF-DPCHの構成情報を削除することによって、または第1のネットワークシグナリングで事前設定された指示フィールドを設定することによって命令を完了し、UEがアクセスネットワークからDCHデータを受信する場合、第1のRRCシグナリングは、第1の基地局のダウンリンクDPDCHを受信する機能を無効化するようにUEに指示し、RNCは、第1のRRCシグナリングからDPCHの構成情報を削除することによって、または第1のRRCシグナリングで事前設定された指示フィールドを使用することによって命令を完了するか、または第1のネットワークシグナリングは、ダウンリンクDPDCHを送る機能を無効化するように第1の基地局に指示し、RNCは、第1のネットワークシグナリングからDPCHの構成情報を削除することによって、または第1のネットワークシグナリングで事前設定された指示フィールドを設定することによって命令を完了する。
【０１０１】
実装方法では、UEがアクセスネットワークからDCHデータを受信する場合、第1のRRCシグナリングからDPCHの構成情報を削除することによって、RNCが命令を完了することは、第1のRRCシグナリングは、第1の基地局のF-DPCHを受信するようにUEに指示し、F-DPCHは、UEに対してアップリンク送信電力制御を実行するために使用され、第1のネットワークシグナリングは、UEにF-DPCHを送るように第1の基地局に指示することをさらに含む。
【０１０２】
別の実装方法では、第1のRRCシグナリングが、第1の基地局のダウンリンクDPDCHを受信する機能を無効化するようにUEに指示することは、第1のネットワークシグナリングは、UEにDPCCHを送る機能を無効化するように第1の基地局に指示するか、または第1のRRCシグナリングは、第1の基地局のダウンリンクDPCCHを受信する機能を無効化するようにUEにさらに指示することをさらに含む。
【０１０３】
別の実装方法では、RNCによって、UEに第1のRRCシグナリングおよび第1の基地局に第1のネットワークシグナリングを送信するステップの後に、方法は、RNCによって、第2のRRCシグナリングを生成するステップと、RNCによって、UEに第2のRRCシグナリングを送るステップとをさらに含み、UEがアクセスネットワークからDCHデータを受信しない場合、第2のRRCシグナリングは、第1の基地局によって送られたF-DPCHを受信するようにUEに指示するために使用され、UEがアクセスネットワークからDCHデータを受信する場合、第2のRRCシグナリングは、第1の基地局によって送られたダウンリンクDPDCHを受信するようにUEに指示するために使用される。
【０１０４】
別の実装方法では、UEがアクセスネットワークからDCHデータを受信する場合、第2のRRCシグナリングは、第1の基地局によって送られたダウンリンクDPDCHを受信するようにUEに指示するために使用されることは、第2のRRCシグナリングは、第1の基地局によって送られたダウンリンクDPCCHを受信するようにUEに指示することをさらに含む。
【０１０５】
別の実装方法では、方法は、UEがアクセスネットワークからDCHデータを受信しない場合、第2のRRCシグナリングは、F-DPCHの構成情報を含み、UEがアクセスネットワークからDCHデータを受信する場合、第2のRRCシグナリングは、第1の基地局のダウンリンクDPCHの構成情報を含むことをさらに含む。
【０１０６】
別の実装方法では、方法は、RCNによって、第2のネットワークシグナリングを生成し、RNCによって、第1の基地局に第2のネットワークシグナリングを送るステップをさらに含み、UEがアクセスネットワークからDCHデータを受信しない場合、第2のネットワークシグナリングは、UEにF-DPCHを送るように第1の基地局に指示するために使用され、UEがアクセスネットワークからDCHデータを受信する場合、第2のネットワークシグナリングは、UEにDPDCHを送るように第1の基地局に指示するために使用される。
【０１０７】
別の実装方法では、UEがアクセスネットワークからDCHデータを受信する場合、第2のネットワークシグナリングは、UEにDPDCHを送るように第1の基地局に指示するために使用されることは、第2のネットワークシグナリングは、UEにダウンリンクDPCCHを送るように第1の基地局に指示することをさらに含む。
【０１０８】
別の実装方法では、方法は、UEがアクセスネットワークからDCHデータを受信しない場合、第2のネットワークシグナリングは、F-DPCHの構成情報を含み、UEがアクセスネットワークからDCHデータを受信する場合、第2のネットワークシグナリングは、第1の基地局のダウンリンクDPCHの構成情報を含むことをさらに含む。
【０１０９】
別の実装方法では、RNCが第2のRRCシグナリングを生成する前に、方法は、RNCによって、UEによって送られた測定レポートを受信するステップであって、測定レポートは、UEに第2のRRCシグナリングを送るようにRNCに指示するために使用されるステップをさらに含む。
【０１１０】
本発明の実施形態は、ネットワーク通信方法をさらに提供し、アクセスネットワークの第1の基地局によって、無線ネットワークコントローラRNCによって送られた第1のネットワークシグナリングを受信するステップであって、第1のネットワークシグナリングの命令により、アクセスネットワークのユーザ機器UEによって送られたE-DCHデータを受信し、UEにE-HICHを送るステップと、UEがアクセスネットワークからDCHデータを受信しない場合、第1のネットワークシグナリングの命令により第1の基地局によって、UEにF-DPCHを送る機能を無効化するステップと、UEがアクセスネットワークからDCHデータを受信する場合、第1のネットワークシグナリングの命令により第1の基地局によって、UEにダウンリンクDPDCHを送る機能を無効化するステップとを含む。
【０１１１】
実装方法では、RNCは、第1のネットワークシグナリングからF-DPCHの構成情報を削除することによって、または第1のネットワークシグナリングで事前設定された指示フィールドを設定することによって命令を完了する。
【０１１２】
別の実装方法では、UEがアクセスネットワークからDCHデータを受信する場合、第1の基地局によって、UEにダウンリンクDPDCHを送る機能を無効化するステップは、第1の基地局によって、UEにF-DPCHを送るステップであって、F-DPCHは、UEに対してアップリンク送信電力制御を実行するために第1の基地局によって使用されるステップをさらに含む。
【０１１３】
別の実装方法では、UEがアクセスネットワークからDCHデータを受信する場合、第1の基地局によって、UEにダウンリンクDPDCHを送る機能を無効化するステップは、第1の基地局によって、UEにダウンリンクDPCCHを送る機能を無効化するステップをさらに含む。
【０１１４】
別の実装方法では、第1の基地局によって、第1のRRCシグナリングを受信するステップの後に、方法は、第1の基地局によって、RNCによって送られた第2のRRCシグナリングを受信するステップと、UEがアクセスネットワークからDCHデータを受信しない場合、第1の基地局によって、第2のRRCシグナリングの命令によりUEにF-DPCHを送るステップと、UEがアクセスネットワークからDCHデータを受信する場合、第1の基地局によって、第2のRRCシグナリングの命令によりUEにダウンリンクDPDCHを送るステップとをさらに含む。
【０１１５】
別の実装方法では、方法は、UEがアクセスネットワークからDCHデータを受信しない場合、第1の基地局によって受信された第1のネットワークシグナリングは、F-DPCHの構成情報を含み、UEがアクセスネットワークからDCHデータを受信する場合、第1の基地局によって受信された第1のネットワークシグナリングは、ダウンリンクDPCHの構成情報を含むことをさらに含む。
【０１１６】
別の実装方法では、UEがアクセスネットワークからDCHデータを受信する場合、第1の基地局によって、UEにダウンリンクDPDCHを送るステップは、第1の基地局によって、UEにダウンリンクDPCCHを送るステップをさらに含む。
【０１１７】
本発明の実施形態は、アクセスネットワークのユーザ機器UEをさらに提供し、無線ネットワークコントローラRNCの第1の無線ネットワーク制御RRCシグナリングを受信し、第1のRRCシグナリングの命令によりUEの拡張された向上された専用チャネルE-DCHアクティブセットに第1の基地局を追加し、第1の基地局の向上された専用チャネルのハイブリッド自動再送要求インジケータチャネルE-HICHを受信し、E-HICHが肯定応答ACKを示す場合、新しいE-DCHデータを送るように構成された無線送受信機ユニットと、UEがアクセスネットワークから専用チャネルDCHデータを受信しない場合、第1のRRCシグナリングの命令により、第1の基地局の断片的な専用物理チャネルF-DPCHを受信する機能を無効化し、RNCは、第1のRRCシグナリングからF-DPCHの構成情報を削除することによって、または第1のRRCシグナリングで事前設定された指示フィールドを使用することによって命令を完了し、UEがアクセスネットワークからDCHデータを受信する場合、第1のRRCシグナリングの命令により、第1の基地局のダウンリンク専用物理データチャネルDPDCHを受信する機能を無効化し、RNCは、第1のRRCシグナリングからDPCHの構成情報を削除することによって、または第1のRRCシグナリングで事前設定された指示フィールドを使用することによって命令を完了するように構成された処理ユニットとを含む。
【０１１８】
実装方法では、UEがアクセスネットワークからDCHデータを受信する場合、無線送受信機ユニットは、第1のRRCシグナリングの命令により第1の基地局のF-DPCHを受信するようにさらに構成され、F-DPCHは、UEに対して送信電力制御を実行するために使用される。
【０１１９】
別の実装方法では、UEがアクセスネットワークからDCHデータを受信する場合、処理ユニットは、第1の基地局によって送られたダウンリンク専用物理制御チャネルDPCCHを受信する機能を無効化するようにさらに構成される。
【０１２０】
別の実装方法では、UEのE-DCHアクティブセットに第1の基地局を追加した後、無線送受信機ユニットは、ネットワークによって送られた第1の制御シグナリングを受信し、第1の制御シグナリングの命令により第1の基地局のF-DPCHを受信するか、または第1の基地局によって送られたダウンリンクDPDCHを受信するようにさらに構成され、ダウンリンクDPDCHは、第1の基地局からUEによって受信されたDCHデータを運ぶために使用される。
【０１２１】
別の実装方法では、無線送受信機ユニットは、第1の基地局のダウンリンクDPCCHを受信するようにさらに構成され、ダウンリンクDPCCHは、UEに物理レイヤ制御シグナリングを送るために、第1の基地局によって使用される。
【０１２２】
別の実装方法では、ネットワークによって送られた第1の制御シグナリングは、RNCによって送られた第2のRRCシグナリング、またはアクセスネットワークの第2の基地局によって送られた第1の物理レイヤシグナリングであって、第2の基地局は、UEのE-DCHアクティブセットまたはDCHアクティブセットにある第1の物理レイヤシグナリングを含む。
【０１２３】
別の実装方法では、ネットワークによって送られた第1の制御シグナリングを受信する前に、無線送受信機ユニットは、各セルの共通パイロットチャネル品質を測定し、第1の基地局の共通パイロットチャネル品質は事前設定された第1のしきい値より大きいと測定した場合、RNCに測定レポートを送り、それにより、測定レポートにより、RNCはUEに第2のRRCシグナリングを送るか、またはRNCは、UEに第1の物理レイヤシグナリングを送るように第2の基地局に指示するようにさらに構成される。
【０１２４】
別の実装方法では、第1の基地局のF-DPCHを受信する前に、無線送受信機ユニットは、第1の基地局のF-DPCHの構成情報を受信するようにさらに構成され、構成情報は、F-DPCHのチャネル化コード、フレームオフセット、およびタイムスロット形式の少なくとも1つを含む。
【０１２５】
別の実装方法では、第1の基地局のF-DPCHの構成情報は、第1の制御シグナリングで運ばれる。
【０１２６】
別の実装方法では、第1の基地局のダウンリンクDPDCHを受信する前に、無線送受信機ユニットは、第1の基地局のダウンリンクDPCHの構成情報を受信するようにさらに構成され、ダウンリンクDPCHの構成情報は、DPCHのチャネル化コードまたはフレームオフセットに関する情報を含む。
【０１２７】
別の実装方法では、ダウンリンクDPCHの構成情報は、第1の制御シグナリングで運ばれる。
【０１２８】
本発明の実施形態は、アクセスネットワークのRNCをさらに提供し、第1のRRCシグナリングまたは第1のネットワークシグナリングを生成するように構成された処理ユニットと、UEに第1のRRCシグナリングを送るか、またはアクセスネットワークの第1の基地局に第1のネットワークシグナリングを送るように構成された無線送受信機ユニットであって、第1のRRCシグナリングは、UEのE-DCHアクティブセットに第1の基地局を追加するようにUEに指示し、第1の基地局のE-HICHを受信するようにUEに指示するために使用され、第1のネットワークシグナリングは、UEによって送られたE-DCHデータを受信するように第1の基地局に指示し、UEにE-HICHを送るように第1の基地局に指示するために使用される無線送受信機ユニットとを含み、UEがアクセスネットワークからDCHデータを受信しない場合、第1のRRCシグナリングは、第1の基地局のF-DPCHを受信する機能を無効化するようにUEに指示し、処理ユニットは、第1のRRCシグナリングからF-DPCHの構成情報を削除することによって、または第1のRRCシグナリングで事前設定された指示フィールドを設定することによって命令を完了するか、または第1のネットワークシグナリングは、F-DPCHを送る機能を無効化するように第1の基地局に指示し、処理ユニットは、第1のネットワークシグナリングからF-DPCHの構成情報を削除することによって、または第1のネットワークシグナリングで事前設定された指示フィールドを設定することによって命令を完了し、UEがアクセスネットワークからDCHデータを受信する場合、第1のRRCシグナリングは、第1の基地局のダウンリンクDPDCHを受信する機能を無効化するようにUEに指示し、処理ユニットは、第1のRRCシグナリングからDPCHの構成情報を削除することによって、または第1のRRCシグナリングで事前設定された指示フィールドを使用することによって命令を完了するか、または第1のネットワークシグナリングは、ダウンリンクDPDCHを送る機能を無効化するように第1の基地局に指示し、処理ユニットは、第1のネットワークシグナリングからDPCHの構成情報を削除することによって、または第1のネットワークシグナリングで事前設定された指示フィールドを設定することによって命令を完了する。
【０１２９】
実装方法では、UEがアクセスネットワークからDCHデータを受信する場合、第1のRRCシグナリングは、第1の基地局のF-DPCHを受信するようにUEに指示し、F-DPCHは、UEに対してアップリンク送信電力制御を実行するために使用され、第1のネットワークシグナリングは、UEにF-DPCHを送るように第1の基地局に指示する。
【０１３０】
別の実装方法では、第1のネットワークシグナリングは、UEにDPCCHを送る機能を無効化するように第1の基地局に指示するか、または第1のRRCシグナリングは、第1の基地局のダウンリンクDPCCHを受信する機能を無効化するようにUEにさらに指示する。
【０１３１】
別の実装方法では、無線送受信機ユニットがUEに第1のRRCシグナリングを送り、第1の基地局に第1のネットワークシグナリングを送った後、処理ユニットは、第2のRRCシグナリングを生成するようにさらに構成され、無線送受信機ユニットは、UEに第2のRRCシグナリングを送るようにさらに構成され、UEがアクセスネットワークからDCHデータを受信しない場合、第2のRRCシグナリングは、第1の基地局によって送られたF-DPCHを受信するようにUEに指示するために使用され、UEがアクセスネットワークからDCHデータを受信する場合、第2のRRCシグナリングは、第1の基地局によって送られたダウンリンクDPDCHを受信するようにUEに指示するために使用される。
【０１３２】
別の実装方法では、UEがアクセスネットワークからDCHデータを受信する場合、第2のRRCシグナリングは、第1の基地局によって送られたダウンリンクDPCCHを受信するようにUEに指示する。
【０１３３】
別の実装方法では、UEがアクセスネットワークからDCHデータを受信しない場合、第2のRRCシグナリングは、F-DPCHの構成情報を含み、UEがアクセスネットワークからDCHデータを受信する場合、第2のRRCシグナリングは、第1の基地局のダウンリンクDPCHの構成情報を含む。
【０１３４】
別の実装方法では、処理ユニットは、第2のネットワークシグナリングを生成するようにさらに構成され、無線送受信機ユニットは、第1の基地局に第2のネットワークシグナリングを送るようにさらに構成され、UEがアクセスネットワークからDCHデータを受信しない場合、第2のネットワークシグナリングは、UEにF-DPCHを送るように第1の基地局に指示するために使用され、UEがアクセスネットワークからDCHデータを受信する場合、第2のネットワークシグナリングは、UEにDPDCHを送るように第1の基地局に指示するために使用される。
【０１３５】
別の実装方法では、UEがアクセスネットワークからDCHデータを受信する場合、第2のネットワークシグナリングは、UEにダウンリンクDPCCHを送るように第1の基地局にさらに指示する。
【０１３６】
別の実装方法では、UEがアクセスネットワークからDCHデータを受信しない場合、第2のネットワークシグナリングは、F-DPCHの構成情報を含み、UEがアクセスネットワークからDCHデータを受信する場合、第2のネットワークシグナリングは、第1の基地局のダウンリンクDPCHの構成情報を含む。
【０１３７】
別の実装方法では、処理ユニットが第2のRRCシグナリングを生成する前に、無線送受信機ユニットは、UEによって送られた測定レポートを受信するようにさらに構成され、測定レポートは、UEに第2のRRCシグナリングを送るようにRNCに指示するために使用される。
【０１３８】
本発明の実施形態は、アクセスネットワークの第1の基地局をさらに提供し、無線ネットワークコントローラRNCによって送られた第1のネットワークシグナリングを受信するように構成された無線送受信機ユニットであって、第1のネットワークシグナリングの命令により、アクセスネットワークのユーザ機器UEによって送られたE-DCHデータを受信し、UEにE-HICHを送る無線送受信機ユニットと、UEがアクセスネットワークからDCHデータを受信しない場合、第1のネットワークシグナリングの命令により、UEにF-DPCHを送る機能を無効化し、UEがアクセスネットワークからDCHデータを受信する場合、第1のネットワークシグナリングの命令により、UEにダウンリンクDPDCHを送る機能を無効化するように構成された処理ユニットとを含む。
【０１３９】
実装方法では、RNCは、第1のネットワークシグナリングからF-DPCHの構成情報を削除することによって、または第1のネットワークシグナリングで事前設定された指示フィールドを設定することによって命令を完了する。
【０１４０】
別の実装方法では、UEがアクセスネットワークからDCHデータを受信する場合、無線送受信機ユニットは、UEにF-DPCHを送るようにさらに構成され、F-DPCHは、UEに対してアップリンク送信電力制御を実行するために第1の基地局によって使用される。
【０１４１】
別の実装方法では、UEがアクセスネットワークからDCHデータを受信する場合、無線送受信機ユニットは、UEにダウンリンクDPCCHを送る機能を無効化するようにさらに構成される。
【０１４２】
別の実装方法では、無線送受信機ユニットは、第1のRRCシグナリングを受信した後、RNCによって送られた第2のRRCシグナリングを受信するようにさらに構成され、処理ユニットは、UEがアクセスネットワークからDCHデータを受信しない場合、第2のRRCシグナリングの命令により、UEにF-DPCHを送り、UEがアクセスネットワークからDCHデータを受信する場合、第2のRRCシグナリングの命令により、UEにダウンリンクDPDCHを送るようにさらに構成される。
【０１４３】
別の実装方法では、無線送受信機ユニットは、UEがアクセスネットワークからDCHデータを受信しない場合、受信された第1のネットワークシグナリングは、F-DPCHの構成情報を含み、UEがアクセスネットワークからDCHデータを受信する場合、受信された第1のネットワークシグナリングは、ダウンリンクDPCHの構成情報を含むようにさらに構成される。
【０１４４】
別の実装方法では、UEがアクセスネットワークからDCHデータを受信する場合、無線送受信機ユニットは、UEにダウンリンクDPCCHを送るようにさらに構成される。
【０１４５】
実施形態によると、必要な場合、UEが、F-DPCH、DPCCH、またはDPDCHを受信しないように、明示的または暗黙的な方法が使用される。たとえば、1つの基地局からUEへのダウンリンク品質が低下した場合、低下したリンク品質のネットワーク通信に対する影響を低減するために、UEの一部の受信機能は、柔軟に無効化され得るか、またはUEに対する対応する送信機能は無効化され得る。
【０１４６】
本発明の実施形態または従来技術の技術的解決策をより明確に記述するために、以下に、実施形態または従来技術の記述に必要な添付図面を簡略的に紹介する。明らかに、以下の記述における添付図面は、本発明の一部の実施形態を示しており、当業者は、創造的な労力なくこれらの添付図面から他の図を導き出すことができる。
【図面の簡単な説明】
【０１４７】
【図１】図１は、アップリンク電力バランスライン、ダウンリンク電力バランスライン、およびソフトハンドオーバ領域の従来技術における概略図である。
【図２】図２は、本発明によるネットワーク通信方法の実施形態1の流れ図である。
【図３】図３は、本発明によるネットワーク通信方法の実施形態2の流れ図である。
【図４】図４は、本発明によるネットワーク通信方法の実施形態3の流れ図である。
【図５】図５は、本発明によるネットワーク通信方法の実施形態4の流れ図である。
【図６】図６は、本発明によるネットワーク通信方法の実施形態5の流れ図である。
【図７】図７は、本発明によるネットワーク通信方法の実施形態6の流れ図である。
【図８】図８は、本発明によるネットワーク通信方法の実施形態7の流れ図である。
【図９】図９は、本発明によるネットワーク通信方法の実施形態8の流れ図である。
【図１０】図１０は、本発明によるユーザ機器の実施形態1の図式的な構造図である。
【図１１】図１１は、本発明によるユーザ機器の実施形態2の図式的な構造図である。
【図１２】図１２は、本発明によるユーザ機器の実施形態3の図式的な構造図である。
【図１３】図１３は、本発明による無線ネットワークコントローラの実施形態1の図式的な構造図である。
【図１４】図１４は、本発明による無線ネットワークコントローラの実施形態2の図式的な構造図である。
【図１５】図１５は、本発明による無線ネットワークコントローラの実施形態3の図式的な構造図である。
【図１６】図１６は、本発明によるマイクロ基地局の実施形態1の図式的な構造図である。
【図１７】図１７は、本発明によるマイクロ基地局の実施形態2の図式的な構造図である。
【図１８】図１８は、本発明によるマクロ基地局の実施形態1の図式的な構造図である。
【図１９】図１９は、本発明によるネットワーク通信方法の実施形態9の流れ図である。
【図２０】図２０は、本発明によるネットワーク通信方法の実施形態10の流れ図である。
【図２１】図２１は、本発明によるネットワーク通信方法の実施形態11の流れ図である。
【図２２】図２２は、本発明によるネットワーク通信方法の実施形態12の対話の流れ図である。
【図２３】図２３は、本発明によるユーザ機器の実施形態4の図式的な構造図である。
【図２４】図２４は、本発明による基地局の実施形態1の図式的な構造図である。
【図２５】図２５は、本発明による無線ネットワークコントローラの実施形態4の図式的な構造図である。
【図２６】図２６は、本発明によるネットワーク通信方法の別の実施形態の流れ図である。
【図２７】図２７は、本発明によるネットワーク通信方法の別の実施形態の流れ図である。
【図２８】図２８は、本発明によるネットワーク通信方法の別の実施形態の流れ図である。
【図２９】図２９は、本発明による別のユーザ機器の実施形態の概略図である。
【図３０】図３０は、本発明による別の無線ネットワークコントローラの実施形態の概略図である。
【図３１】図３１は、本発明による別の基地局の実施形態の概略図である。
【発明を実施するための形態】
【０１４８】
本発明の実施形態の目的、技術的解決策、および利点をより明確にするために、以下に、本発明の実施形態の添付図面に関して、本発明の実施形態における技術的解決策について明確かつ完全に記述する。明らかに、記述された実施形態は、本発明の実施形態のすべてではなく一部分である。創造的な労力なく本発明の実施形態に基づいて、当業者によって取得される他のすべての実施形態は、本発明の保護範囲内にあるものとする。
【０１４９】
図2は、本発明によるネットワーク通信方法の実施形態1の流れ図である。本実施形態は、UEが実行体である実例を使用して記述されている。図2に示すように、本実施形態による方法は、以下を含むことができる。
【０１５０】
S101.UEは、アクセスネットワークで無線ネットワークコントローラ(Radio Network Controller、略してRNC)によって送られた命令情報を受信し、命令情報は、UEに、第1の領域において、アクセスネットワークのマクロ基地局とのアップリンクおよびダウンリンクのサービス送信を実行し、アクセスネットワークのマイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得され、かつ/または第2の領域において、マイクロ基地局とのアップリンクおよびダウンリンクのサービス送信を実行し、マクロ基地局とのダウンリンクサービス送信を実行し、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得されるように指示するために使用される。
【０１５１】
第1の条件しきい値は、第2のアクティブセットへのマイクロ基地局の追加のためのしきい値であり、第2の条件しきい値は、第2のアクティブセットへのマクロ基地局の追加のためのしきい値である。
【０１５２】
S102.UEは、命令情報によりサービス送信を実行する。
【０１５３】
具体的には、HetNetでは、第1のアクティブセットは、拡張された専用チャネル(Dedicated Channel、略してDCH)アクティブセットおよび/または拡張された向上された専用チャネル(Enhanced Dedicated Channel、略してE-DCH)アクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスの対数尤度比(Log likelihood ratio、略してLLR)を受信および計算することができ、ビタビ復号を実行するためにビタビ復号器としてLLRを入力することができる。
【０１５４】
第2のアクティブセットは、DCHアクティブセットおよび/またはE-DCHアクティブセットを含む。第2のアクティブセットでは、マクロ基地局およびマイクロ基地局の両方は、UEにダウンリンクDCHサービスを送り、UEによって送られたアップリンクDCHサービスおよび/またはE-DCHサービスを受信することができ、UEは、マクロ基地局およびマイクロ基地局によって送られたダウンリンクDCHサービスを受信することができる。UEがサービスを提供するセル(またはサービスを提供する基地局)から別のマクロ基地局またはマイクロ基地局(まとめてターゲット基地局と呼ぶ)に移動すると、UEとターゲット基地局の間の通信リンクの信号品質は、徐々に改善する。ターゲット基地局の共通パイロット信号品質が第1の条件しきい値(ここでターゲット基地局はマイクロ基地局である)または第2の条件しきい値(ここでターゲット基地局はマクロ基地局である)に到達すると、UEは、通信リンクを通じてネットワーク側にターゲット基地局の共通パイロットチャネル品質改善イベントを報告することができ、それにより、無線ネットワークコントローラRNCは、第2のアクティブセットにターゲット基地局を追加する。
【０１５５】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。第3のアクティブセットでは、UEは、第3のアクティブセットのマイクロ基地局によって送られた、向上された専用チャネルのハイブリッド自動再送要求インジケータチャネル(E-DCH Hybrid ARQ Indicator Channel、略してE-HICH)を受信することができる。E-HICHが肯定応答(Acknowledgement、略してACK)を示す場合、UEは新しいデータを送信し、E-HICHが否定応答(Negative Acknowledgement、略してNACK)を示し、再送信の最高数に到達していない場合、UEはデータを再送信する。
【０１５６】
図1を参照すると、第1の領域は領域Bであり、第2の領域は領域Eである。第1の領域Bでは、マクロ基地局に対するUEでのダウンリンク受信は、マイクロ基地局に対するものより良好であるが、アップリンクでは、UEに対するマイクロ基地局での受信は、マクロ基地局のものより良好である。したがって、UEは、マクロ基地局とのアップリンクおよびダウンリンクのサービス送信を実行し、命令情報の命令により第1の領域Bのマイクロ基地局とのアップリンクサービス送信を実行する。送信プロセスでは、マイクロ基地局は、UEによって第1の領域Bにおいてマイクロ基地局に引き起こされるアップリンク干渉を最小限にするために、UEに対してアップリンク電力制御を実行することができる。さらに、この領域では、マイクロ基地局は、より良好なアップリンク信号品質を持っており、したがって、ネットワークのアップリンクスループットレートおよび信頼性を改善するために、マイクロ基地局のアップリンク有効範囲は、さらに完全に利用され得る。
【０１５７】
第2の領域Eでは、アップリンクおよびダウンリンクの両方に対して、UEは、マイクロ基地局に対してより良好なリンク品質を持っている。しかし、UEは、まだマクロ基地局のダウンリンク信号に対してより高い受信電力を持っている。したがって、UEは、マイクロ基地局とのアップリンクおよびダウンリンクのサービス送信を実行し、命令情報の命令により、この領域においてマクロ基地局とのダウンリンクサービス送信を実行する。送信プロセスでは、UEは、マクロ基地局によって第2の領域Eにおいてマイクロ基地局に引き起こされるダウンリンク干渉を最小限にするために、マクロ基地局に対してダウンリンク電力制御を実行することができ、さらに、マクロ基地局のダウンリンク有効範囲は、完全に利用され得る。
【０１５８】
本実施形態によって提供されるネットワーク通信方法では、UEは、RNCによって送られた命令情報を受信し、UEは、命令情報により、マクロ基地局とのアップリンクおよびダウンリンクのサービス送信を実行し、第1の領域においてマイクロ基地局とのアップリンクサービス送信を実行し、かつ/またはマイクロ基地局とのアップリンクサービス送信を実行し、第2の領域においてマクロ基地局とのダウンリンクサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０１５９】
図3は、本発明によるネットワーク通信方法の実施形態2の流れ図である。図3に示すように、図2に示した実施形態に基づいて、本実施形態は、特定の実装方法を提供し、これは、UEがS102の命令情報によりサービス送信を実行する前に、以下をさらに含む。
【０１６０】
S103.UEは、RNCによって送られたアクティブセット更新シグナリングを受信する。
【０１６１】
S104.UEは、アクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加する。
【０１６２】
具体的には、図1を参照すると、第1の領域Bの近くで、UEがRNCによって送られたアクティブセット更新シグナリングを受信するS103の前に、方法は、以下をさらに含む。
UEは、各セルの共通パイロットチャネル品質を測定する。UEが非ソフトハンドオーバ領域にある場合、すなわち、UEのサービスを提供するセルがマクロ基地局で、UEが領域Aから領域Bに移動する場合、およびUEが、マイクロ基地局の共通パイロットチャネル品質は、第1のアクティブセットへの追加のために事前設定された第1のしきい値より大きく、第2のアクティブセットへの追加のために第1の条件しきい値より小さいと測定した場合、UEは、RNCに第1の測定レポートを送り、それにより、第1の測定レポートにより、RNCは、UEにアクティブセット更新シグナリングを送り、これは特に、UEは、マクロ基地局に第1の測定レポートを送り、マクロ基地局は、RNCに第1の測定レポートを転送するか、または
UEが第2のアクティブセットに対応するソフトハンドオーバ領域にある場合、すなわち、UEが領域Cから領域Bに移動する場合、およびUEが、マイクロ基地局の共通パイロットチャネル品質は、第2のアクティブセットからのマイクロ基地局の削除のために第3の条件しきい値へと低下し、事前設定された第2のしきい値より大きいと測定した場合、UEは、RNCに第1の測定レポートを送り、それにより、第1の測定レポートにより、RNCは、UEにアクティブセット更新シグナリングを送り、これは特に、UEは、マクロ基地局またはマイクロ基地局に第1の測定レポートを送り、マクロ基地局またはマイクロ基地局は、RNCに第1の測定レポートを転送する。
【０１６３】
ここでは、第1のしきい値および第2のしきい値は、さらに等しい場合があることに留意されたい。
【０１６４】
UEは、アクティブセット更新シグナリングを受信した後に第1のアクティブセットにマイクロ基地局を追加し、次いで、UEは、受信された命令情報および追加が実行されるアクティブセットによりサービス送信を実行する。
【０１６５】
UEが命令情報によりサービス送信を実行した後、すなわち、UEが領域Bから出た後、方法は、
UEは、マイクロ基地局の共通パイロットチャネル品質を測定し続け、マイクロ基地局の共通パイロットチャネル品質が、第2のアクティブセットへの追加のために第1の条件しきい値より大きい場合、UEは、RNCに第2の測定レポートを送り、これは特に、UEは、マクロ基地局またはマイクロ基地局に第2の測定レポートを送り、次いで、マクロ基地局またはマイクロ基地局は、RNCに第2の測定レポートを転送するため、RNCは、UEに第1の制御情報を送り、UEは、第1の制御情報により第2のアクティブセットにマイクロ基地局を追加するか、または
UEは、マイクロ基地局の共通パイロットチャネル品質を測定し続け、マイクロ基地局の共通パイロットチャネル品質が第2のしきい値より小さい場合、UEは、RNCに第2の測定レポートを送る
ことをさらに含む。具体的には、UEは、マクロ基地局またはマイクロ基地局に第2の測定レポートを送り、次いで、マクロ基地局またはマイクロ基地局は、RNCに第2の測定レポートを転送するため、RNCは、UEに第2の制御情報を送り、UEは、第2の制御情報により第1のアクティブセットからマイクロ基地局を削除する。
【０１６６】
さらに、UEによって送信されたサービスがDCHサービスを含む場合、UEがアップリンク信号を送ると、UEは、マイクロ基地局によって送られた電力制御指令(Transmit Power Control Command、略してTPC)を受信する必要がさらにあり、TPCは、UEのアップリンク送信電力を調整するために使用される。
【０１６７】
UEによって送信されたサービスがE-DCHサービスを含む場合、UEがアップリンク信号を送るときに、UEは、TPCと、向上された専用チャネル相対グラントチャネル(E-DCH Relative Grant、略してE-RGCH)と、マイクロ基地局によって送られるE-HICHとを受信する必要がさらにあり、TPCは、UEのアップリンク送信電力を調整するために使用され、E-RGCHは、UEによって取得されたアップリンクスケジューリング許可値を調整するために使用され、E-HICHは、マイクロ基地局がUEのデータを正しく受信するかどうかをUEにフィードバックするために使用される。
【０１６８】
具体的には、図1を参照すると、第2の領域Eの近くで、UEがRNCによって送られたアクティブセット更新シグナリングを受信するS103の前に、方法は、
UEは、各セルの共通パイロットチャネル品質を測定し、UEが非ソフトハンドオーバ領域にある場合、すなわち、UEがマイクロ基地局に近い領域から領域Eに移動する場合、およびUEが、マクロ基地局の共通パイロットチャネル品質が、事前設定された第3のしきい値より大きく、第2のアクティブセットへの追加のために第2の条件しきい値より小さいと測定した場合、UEは、RNCに第3の測定レポートを送るため、第3の測定レポートにより、RNCは、UEにアクティブセット更新シグナリングを送り、これは特に、UEは、マイクロ基地局に第3の測定レポートを送り、次いでマイクロ基地局は、RNCに第3の測定レポートを転送するか、または
UEが第2のアクティブセットに対応するソフトハンドオーバ領域にある場合、すなわち、UEが領域Dから領域Eに移動する場合、およびUEが、マクロ基地局の共通パイロットチャネル品質が、第2のアクティブセットからのマクロ基地局の除去のために第4の条件しきい値より小さく、事前設定された第4のしきい値より大きいと測定した場合、UEは、RNCに第3の測定レポートを送り、これは特に、UEは、マクロ基地局またはマイクロ基地局に第3の測定レポートを送り、次いでマクロ基地局またはマイクロ基地局は、RNCに第3の測定レポートを転送し、それにより、RNCは、第3の測定レポートにより、UEにアクティブセット更新シグナリングを送る。
【０１６９】
ここでは、第3のしきい値および第4のしきい値は、さらに等しい場合があることに留意されたい。
【０１７０】
UEは、アクティブセット更新シグナリングを受信した後に第3のアクティブセットにマクロ基地局を追加し、次いで、UEは、受信された命令情報および追加が実行されるアクティブセットによりサービス送信を実行する。
【０１７１】
UEが命令情報によりサービス送信を実行した後、すなわち、UEが領域Eから出た後、方法は、
UEは、マクロ基地局の共通パイロットチャネル品質を測定し続け、マクロ基地局の共通パイロットチャネル品質が、第2のアクティブセットへの追加のために第2の条件しきい値より大きい場合、UEは、RNCに第4の測定レポートを送り、これは特に、UEは、マイクロ基地局に第4の測定レポートを送り、次いで、マイクロ基地局は、RNCに第4の測定レポートを転送し、それにより、RNCは、UEに第3の制御情報を送り、UEは、第3の制御情報により、第2のアクティブセットにマクロ基地局を追加するか、または
UEは、マクロ基地局の共通パイロットチャネル品質を測定し続け、マクロ基地局の共通パイロットチャネル品質が第4のしきい値より小さい場合、UEは、RNCに第4の測定レポートを送り、これは特に、UEは、マイクロ基地局に第4の測定レポートを送り、次いで、マイクロ基地局は、RNCに第4の測定レポートを転送し、それにより、RNCは、UEに第4の制御情報を送り、UEは、第4の制御情報により、第3のアクティブセットからマクロ基地局を削除する
ことをさらに含む。
【０１７２】
本実施形態によって提供されるネットワーク通信方法では、UEは、アクティブセット更新シグナリングを受信した後に、第1のアクティブセットにマイクロ基地局を追加し、次いで、UEは、受信された命令情報および追加が実行されるアクティブセットによりサービス送信を実行し、かつ/またはUEは、アクティブセット更新シグナリングを受信した後に、第3のアクティブセットにマクロ基地局を追加し、次いで、UEは、受信された命令情報および追加が実行されるアクティブセットによりサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０１７３】
図4は、本発明によるネットワーク通信方法の実施形態3の流れ図である。本実施形態は、RNCが実行体である実例を使用して記述されている。図4に示すように、本実施形態による方法は、以下を含むことができる。
【０１７４】
S201.アクセスネットワークのRNCは、命令情報を生成し、命令情報は、UEに、第1の領域において、アクセスネットワークのマクロ基地局とのアップリンクおよびダウンリンクのサービス送信を実行し、アクセスネットワークのマイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得され、かつ/または第2の領域において、マイクロ基地局とのアップリンクおよびダウンリンクのサービス送信を実行し、マクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得されるように指示するために使用される。
【０１７５】
S202.RNCは、UEに命令情報を送るため、UEは、命令情報によりサービス送信を実行する。
【０１７６】
第1のアクティブセットは、拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスのLLRを受信および計算し、ビタビ復号を実行するためにビタビ復号器としてLLRを入力することができる。
【０１７７】
第2のアクティブセットは、DCHアクティブセットおよび/またはE-DCHアクティブセットを含む。第2のアクティブセットでは、マクロ基地局およびマイクロ基地局の両方は、UEにダウンリンクDCHサービスを送り、UEによって送られたアップリンクDCHサービスおよび/またはE-DCHサービスを受信することができ、UEは、マクロ基地局およびマイクロ基地局によって送られたダウンリンクDCHサービスを受信することができる。
【０１７８】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。第3のアクティブセットでは、UEは、第3のアクティブセットにおいてマイクロ基地局によって送られたE-HICHを受信することができ、E-HICHがACKを示している場合、UEは新しいデータを送信するか、またはE-HICHがNACKを示し、再送信の最高数に到達していない場合、UEはデータを再送信する。
【０１７９】
図1を参照すると、第1の領域は領域Bであり、第2の領域は領域Eである。第1の領域Bでは、マクロ基地局に対するUEでのダウンリンク受信は、マイクロ基地局に対するものより良好であるが、アップリンクでは、UEに対するマイクロ基地局での受信は、マクロ基地局のものより良好である。したがって、RNCは、UEに命令情報を送り、それにより、UEは、マクロ基地局とのアップリンクおよびダウンリンクのサービス送信を実行し、命令情報により第1の領域Bのマイクロ基地局とのアップリンクサービス送信を実行する。送信プロセスでは、マイクロ基地局は、UEによって第1の領域Bにおいてマイクロ基地局に引き起こされるアップリンク干渉を最小限にするために、UEに対してアップリンク電力制御を実行することができる。さらに、この領域では、マイクロ基地局は、より良好なアップリンク信号品質を持っており、そのため、ネットワークのアップリンクスループットレートおよび信頼性を改善するために、マイクロ基地局のアップリンク有効範囲は、さらに完全に利用され得る。
【０１８０】
第2の領域Eでは、アップリンクおよびダウンリンクの両方に対して、UEは、マイクロ基地局に対してより良好なリンク品質を持っている。しかし、UEは、まだマクロ基地局のダウンリンクに対してより高い受信電力を持っている。したがって、RNCは、UEに命令情報を送り、それにより、UEは、マイクロ基地局とのアップリンクおよびダウンリンクのサービス送信を実行し、命令情報により、この領域においてマクロ基地局とのダウンリンクサービス送信を実行する。送信プロセスでは、UEは、マクロ基地局によって第2の領域Eにいてマイクロ基地局に引き起こされるダウンリンク干渉を最小限にするために、マクロ基地局に対してダウンリンク電力制御を実行することができ、さらに、マクロ基地局のダウンリンク有効範囲は、完全に利用され得る。
【０１８１】
本実施形態によって提供されるネットワーク通信方法では、RNCは、UEへの命令情報を生成して送るため、UEは、マクロ基地局とのアップリンクおよびダウンリンクのサービス送信を実行し、第1の領域においてマイクロ基地局とのアップリンクサービス送信を実行し、かつ/またはマイクロ基地局とのアップリンクサービス送信を実行し、第2の領域においてマクロ基地局とのダウンリンクサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０１８２】
図5は、本発明によるネットワーク通信方法の実施形態4の流れ図である。図5に示すように、図4に示した実施形態に基づいて、本実施形態は、特定の実装方法を提供し、S202でRNCがUEに命令情報を送る前に、以下をさらに含む。
【０１８３】
S203.RNCは、UEにアクティブセット更新シグナリングを送り、それにより、UEは、アクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加する。
【０１８４】
具体的には、図1を参照すると、第1の領域Bの近くで、RNCがUEにアクティブセット更新シグナリングを送るS203の前に、方法は、
RNCは、UEによって送られた第1の測定レポートを受信し、第1の測定レポートは、UEが非ソフトハンドオーバ領域にある場合、すなわち、UEのサービスを提供するセルがマクロ基地局で、UEが領域Aから領域Bに移動する場合、およびUEが、マイクロ基地局の共通パイロットチャネル品質は、事前設定された第1のしきい値より大きく、第2のアクティブセットへの追加のために第1の条件しきい値より小さいと測定した場合、RNCに送られるか、または
第1の測定レポートは、UEが第2のアクティブセットに対応するソフトハンドオーバ領域にある場合、すなわち、UEが領域Cから領域Bに移動する場合、およびUEが、マイクロ基地局の共通パイロットチャネル品質は、第2のアクティブセットからのマイクロ基地局の削除のために第3の条件しきい値より小さく、事前設定された第2のしきい値より大きいと測定した場合、RNCに送られる
ことをさらに含む。
【０１８５】
ここでは、第1のしきい値および第2のしきい値は、さらに等しい場合があることに留意されたい。
【０１８６】
さらに、RNCがUEに命令情報を送った後、同様に、UEが命令情報によりサービス送信を実行した後、すなわち、UEが領域Bから出た後、方法は、
RNCは、UEによって送られた第2の測定レポートを受信し、マイクロ基地局の共通パイロットチャネル品質が、第2のアクティブセットへの追加のために第1の条件しきい値より大きい場合、第2の測定レポートはRNCにUEによって送られ、
RNCは、UEに第1の制御情報を送るため、UEは、第1の制御情報の命令により第2のアクティブセットにマイクロ基地局を追加する
ことをさらに含む。
【０１８７】
あるいは、RNCがUEに命令情報を送った後、方法は、
RNCは、UEによって送られた第2の測定レポートを受信し、マイクロ基地局の共通パイロットチャネル品質が第2のしきい値より小さい場合、第2の測定レポートはRNCにUEによって送られ、
RNCは、UEに第2の制御情報を送り、それにより、UEは、第2の制御情報により第1のアクティブセットからマイクロ基地局を削除する
ことをさらに含む。
【０１８８】
具体的には、図1を参照すると、第2の領域Eの近くで、RNCがUEにアクティブセット更新シグナリングを送るS203の前に、方法は、
RNCは、UEによって送られた第3の測定レポートを受信し、第3の測定レポートは、UEが非ソフトハンドオーバ領域にある場合、すなわち、UEがマイクロ基地局に近い領域から領域Eに移動する場合、およびUEが、マクロ基地局の共通パイロットチャネル品質は、事前設定された第3のしきい値より大きく、第2のアクティブセットへの追加のために第2の条件しきい値より小さいと測定した場合、RNCにUEによって送られるか、または
第3の測定レポートは、UEが第2のアクティブセットに対応するソフトハンドオーバ領域にある場合、すなわち、UEが領域Dから領域Eに移動する場合、UEが、マクロ基地局の共通パイロットチャネル品質は、第2のアクティブセットからのマクロ基地局の削除のために第4の条件しきい値より小さく、事前設定された第4のしきい値より大きいと測定した場合、RNCにUEによって送られる
ことをさらに含む。
【０１８９】
ここでは、第3のしきい値および第4のしきい値は、さらに等しい場合があることに留意されたい。
【０１９０】
さらに、RNCがUEに命令情報を送った後、およびUEが命令情報によりサービス送信を実行した後、すなわち、UEが領域Eから出た後、方法は、
RNCは、UEによって送られた第4の測定レポートを受信し、第4の測定レポートは、マクロ基地局の共通パイロットチャネル品質が、第2のアクティブセットへの追加のために第2の条件しきい値より大きい場合、RNCにUEによって送られ、
RNCは、UEに第3の制御情報を送るため、UEは、第3の制御情報により第2のアクティブセットにマクロ基地局を追加する
ことをさらに含む。
【０１９１】
あるいは、RNCがUEに命令情報を送った後、方法は、
RNCは、UEによって送られた第4の測定レポートを受信し、マクロ基地局の共通パイロットチャネル品質が第4のしきい値より小さい場合、第4の測定レポートは、RNCにUEによって送られ、
RNCは、UEに第4の制御情報を送るため、UEは、第4の制御情報により、第3のアクティブセットからマクロ基地局を削除する
ことをさらに含む。
【０１９２】
本実施形態によって提供されるネットワーク通信方法では、RNCは、UEにアクティブセット更新シグナリングを送り、それにより、UEは、アクティブセット更新シグナリングを受信した後に、第1のアクティブセットにマイクロ基地局を追加し、次いで、UEは、RNCによって送られた命令情報および追加が実行されるアクティブセットによりサービス送信を実行し、かつ/またはRNCは、UEにアクティブセット更新シグナリングを送り、それにより、UEは、アクティブセット更新シグナリングを受信した後に、第3のアクティブセットにマクロ基地局を追加し、次いで、UEは、RNCによって送られた命令情報および追加が実行されるアクティブセットによりサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０１９３】
図6は、本発明によるネットワーク通信方法の実施形態5の流れ図である。図6に示すように、本実施形態による方法は、以下を含む。
【０１９４】
S301.マイクロ基地局は、アクセスネットワークのRNCによって送られた構成情報を受信し、構成情報は、ユーザ機器UEによって送られたアップリンクDCHおよび/またはアップリンクE-DCHサービスを受信するようにマイクロ基地局に指示するために使用される。
【０１９５】
S302.UEが第1の領域においてサービス送信を実行する場合、第1のアクティブセットにUEによって追加された後、マイクロ基地局は、構成情報により第1のアクティブセットにおいて、UEによって送られたアップリンクDCHおよび/またはアップリンクE-DCHサービスを受信し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得される。
【０１９６】
第1のアクティブセットは、
拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスのLLRを受信および計算し、ビタビ復号を実行するためにビタビ復号器としてLLRを入力することができる。
【０１９７】
さらに、マイクロ基地局によって受信されたサービスがDCHサービスである場合、方法は、
マイクロ基地局は、UEにTPCを送り、TPCは、UEのアップリンク送信電力を調整するために使用される
ことをさらに含む。
【０１９８】
マイクロ基地局によって受信されたサービスがE-DCHサービスである場合、方法は、
マイクロ基地局は、UEにTPC、E-RGCH、およびE-HICHを送り、TPCは、UEのアップリンク送信電力を調整するために使用され、E-RGCHは、UEによって取得された、スケジューリング許可値を調整するために使用され、E-HICHは、マイクロ基地局がUEのデータを正しく受信するかどうかをUEにフィードバックするために使用される
ことをさらに含む。
【０１９９】
本実施形態によって提供されるネットワーク通信方法では、マイクロ基地局は、RNCによって送られた構成情報を受信し、UEが第1の領域においてサービス送信を実行するときに、第1のアクティブセットにUEによって追加された後に、マイクロ基地局は、構成情報により第1のアクティブセットにおいて、UEによって送られたアップリンクDCHおよび/またはアップリンクE-DCHサービスを受信する。これにより、UEによって第1の領域においてマイクロ基地局に引き起こされるアップリンク干渉を最小限にすることができ、さらに、マイクロ基地局のアップリンク有効範囲は、完全に利用され得、これにより、HetNetのエッジ領域において送信のスループットレートおよび信頼性が改善される。
【０２００】
図7は、本発明によるネットワーク通信方法の実施形態6の流れ図である。図7に示すように、本実施形態による方法は、以下を含む。
【０２０１】
S401.マクロ基地局は、アクセスネットワークのRNCによって送られた構成情報を受信し、構成情報は、ユーザ機器UEにダウンリンクDCHサービスを送るようにマクロ基地局に指示するために使用される。
【０２０２】
S402.UEが第2の領域においてサービス送信を実行する場合、第3のアクティブセットにUEによって追加された後、マクロ基地局は、構成情報により第3のアクティブセットで、UEにダウンリンクDCHサービスを送り、第2の領域は、マクロ基地局の共通パイロットチャネル品質は、第3のアクティブセットへの追加のために第3のしきい値に到達するマクロ基地局の共通パイロットチャネル品質と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得される。
【０２０３】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。UEは、第3のアクティブセットにおいてマイクロ基地局によって送られたE-HICHを受信することができ、E-HICHがACKを示す場合、UEは、新しいE-DCHサービスを送信するか、またはUEは、E-HICHがNACKを示しており、再送信の最高数に到達していない場合、E-DCHサービスを再送信する。
【０２０４】
さらに、マクロ基地局が、構成情報により第3のアクティブセットで、UEにダウンリンクDCHサービスを送った後、方法は、
UEによって送られたアップリンクTPCを受信するステップであって、TPCは、ダウンリンクDCHサービスの送信電力を制御するために使用されるステップ
をさらに含む。
【０２０５】
本実施形態によって提供されるネットワーク通信方法では、マクロ基地局は、アクセスネットワークのRNCによって送られた構成情報を受信し、UEが第2の領域においてサービス送信を実行するときに、第3のアクティブセットにUEによって追加された後に、マクロ基地局は、構成情報により第3のアクティブセットで、UEにダウンリンクDCHサービスを送る。これにより、マクロ基地局によって第2の領域においてマイクロ基地局に引き起こされるダウンリンク干渉を最小限にすることができ、さらに、マクロ基地局のダウンリンク有効範囲は、完全に利用され得、これにより、HetNetのエッジ領域において送信のスループットレートおよび信頼性が改善される。
【０２０６】
以下に、複数の特定の実施形態を使用して図2から図7に示した方法の実施形態による技術的解決策について詳細に記述する。
【０２０７】
図8は、本発明によるネットワーク通信方法の実施形態7の流れ図である。図8に示すように、本実施形態は、UEが第1の領域Bに接近している実例を使用することによって記述されている。本実施形態による方法は、以下を含むことができる。
【０２０８】
S501.UEは、各セルの共通パイロットチャネル品質を測定し、RNCに第1の測定レポートを送る。
【０２０９】
具体的には、UEが非ソフトハンドオーバ領域にある場合、すなわち、UEが領域Aから領域Bに移動する場合、およびUEが、マイクロ基地局の共通パイロットチャネル品質は、事前設定された第1のしきい値より大きく、第2のアクティブセットへの追加のために第1の条件しきい値より小さいと測定した場合、UEは、RNCに第1の測定レポートを送る。
【０２１０】
UEが第2のアクティブセットに対応するソフトハンドオーバ領域にある場合、すなわち、UEが領域Cから領域Bに移動する場合、およびUEが、マイクロ基地局の共通パイロットチャネル品質は、第2のアクティブセットからのマイクロ基地局の削除のために第3の条件しきい値より小さく、事前設定された第2のしきい値より大きいと測定した場合、UEは、RNCに第1の測定レポートを送る。
【０２１１】
S502.RNCは、UEによって送られた第1の測定レポートを受信した後に、UEにアクティブセット更新シグナリングを送る。
【０２１２】
S503.RNCは、UEに命令情報を送り、命令情報は、UEに、マクロ基地局とのアップリンクおよびダウンリンクのサービス送信を実行し、第1の領域においてマイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であるように指示するために使用される。
【０２１３】
S504.RNCによって送られたアクティブセット更新シグナリングを受信した後、第1の領域においてサービス送信を実行するときに、UEは、アクティブセット更新シグナリングにより第1のアクティブセットにマイクロ基地局を追加する。
【０２１４】
S505.RNCによって送られた命令情報を受信した後、UEは、命令情報および追加が実行されるアクティブセットによりサービス送信を実行する。
【０２１５】
S506.UEは、マイクロ基地局の共通パイロットチャネル品質を測定し続け、マイクロ基地局の共通パイロットチャネル品質が、第2のアクティブセットへの追加のために第1の条件しきい値より大きい場合、UEは、RNCに第2の測定レポートを送る。
【０２１６】
S507.RNCは、UEに第1の制御情報を送るため、UEは、第1の制御情報により第2のアクティブセットにマイクロ基地局を追加する。
【０２１７】
あるいは、
【０２１８】
S506'.UEは、マイクロ基地局の共通パイロットチャネル品質を測定し続け、マイクロ基地局の共通パイロットチャネル品質が第2のしきい値より小さい場合、UEは、RNCに第2の測定レポートを送る
【０２１９】
S507'.RNCは、UEに第2の制御情報を送り、それにより、UEは、第2の制御情報により第1のアクティブセットからマイクロ基地局を削除する。
【０２２０】
さらに、UEによって送信されたサービスがDCHサービスを含む場合、UEがアップリンク信号を送るときに、UEは、マイクロ基地局によって送られたTPCを受信する必要がさらにあり、TPCは、UEのアップリンク送信電力を調整するために使用される。
【０２２１】
UEによって送信されたサービスがE-DCHサービスを含む場合、UEがアップリンク信号を送るときに、UEは、マイクロ基地局によって送られるTPC、E-RGCH、およびE-HICHを受信する必要がさらにあり、TPCは、UEのアップリンク送信電力を調整するために使用され、E-RGCHは、UEによって取得されたアップリンクスケジューリング許可値を調整するために使用され、E-HICHは、マイクロ基地局がUEのデータを正しく受信するかどうかをUEにフィードバックするために使用される。
【０２２２】
図9は、本発明によるネットワーク通信方法の実施形態8の流れ図である。図9に示すように、本実施形態は、UEが第1の領域Eに接近している実例を使用することによって記述されている。本実施形態による方法は、以下を含むことができる。
【０２２３】
S601.UEは、各セルの共通パイロットチャネル品質を測定し、RNCに第3の測定レポートを送る。
【０２２４】
具体的には、UEが非ソフトハンドオーバ領域にある場合、すなわち、UEがマイクロ基地局に近い領域から領域Eに移動する場合、およびUEが、マクロ基地局の共通パイロットチャネル品質は、事前設定された第3のしきい値より大きく、第2のアクティブセットへの追加のために第2の条件しきい値より小さいと測定した場合、UEは、RNCに第3の測定レポートを送る。
【０２２５】
UEが第2のアクティブセットに対応するソフトハンドオーバ領域にある場合、すなわち、UEが領域Dから領域Eに移動する場合、およびUEが、マクロ基地局の共通パイロットチャネル品質は、第2のアクティブセットからのマクロ基地局の削除のために第4の条件しきい値より小さく、事前設定された第4のしきい値より大きいと測定した場合、UEは、RNCに第3の測定レポートを送る。
【０２２６】
S602.RNCは、UEによって送られた第3の測定レポートを受信した後に、UEにアクティブセット更新シグナリングを送る。
【０２２７】
S603.RNCは、UEに命令情報を送り、命令情報は、UEに、マイクロ基地局とのアップリンクおよびダウンリンクのサービス送信を実行し、第2の領域においてマクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であるように指示するために使用される。
【０２２８】
S604.RNCによって送られたアクティブセット更新シグナリングを受信した後、第2の領域においてサービス送信を実行するときに、UEは、アクティブセット更新シグナリングにより第3のアクティブセットにマクロ基地局を追加する。
【０２２９】
S605.UEがRNCによって送られた命令情報を受信した後、UEは、命令情報および追加が実行されるアクティブセットによりサービス送信を実行する。
【０２３０】
S606.UEは、マイクロ基地局の共通パイロットチャネル品質を測定し続け、マクロ基地局の共通パイロットチャネル品質が、第2のアクティブセットへの追加のために第2の条件しきい値より大きい場合、UEは、RNCに第4の測定レポートを送る。
【０２３１】
S607.RNCは、UEに第3の制御情報を送るため、UEは、第3の制御情報により第2のアクティブセットにマクロ基地局を追加する。
【０２３２】
あるいは、
【０２３３】
S606'.UEは、マイクロ基地局の共通パイロットチャネル品質を測定し続け、マクロ基地局の共通パイロットチャネル品質が第4のしきい値より小さい場合、UEは、RNCに第4の測定レポートを送る。
【０２３４】
S607'.RNCは、UEに第4の制御情報を送るため、UEは、第4の制御情報により、第3のアクティブセットからマクロ基地局を削除する。
【０２３５】
図10は、本発明によるユーザ機器の実施形態1の図式的な構造図である。図10に示すように、本実施形態による装置は、受信モジュール11および処理モジュール12を含むことができる。受信モジュール11は、アクセスネットワークのRNCによって送られた命令情報を受信するように構成され、命令情報は、UEに、第1の領域において、マクロ基地局とのアップリンクおよびダウンリンクのサービス送信を実行し、マイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得され、かつ/または第2の領域において、マイクロ基地局とのアップリンクおよびダウンリンクのサービス送信を実行し、マクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得され、処理モジュール12は、命令情報によりサービス送信を実行するように構成されるように指示するために使用される。
【０２３６】
第1のアクティブセットは、拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスのLLRを受信および計算し、ビタビ復号を実行するためにビタビ復号器としてLLRを入力することができる。
【０２３７】
第2のアクティブセットは、DCHアクティブセットおよび/またはE-DCHアクティブセットを含む。
【０２３８】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。第3のアクティブセットでは、UEは、第3のアクティブセットにおいてマイクロ基地局によって送られたE-HICHを受信することができ、E-HICHがACKを示している場合、UEは新しいデータを送信するか、またはE-HICHがNACKを示し、再送信の最高数に到達していない場合、UEはデータを再送信する。
【０２３９】
本実施形態のユーザ機器は、図2に示した方法の実施形態の技術的解決策を実行するように構成され得、ユーザ機器の実装原理は類似しているため、本明細書に再び記述されていない。
【０２４０】
本実施形態によって提供されるユーザ機器によると、受信モジュールは、RNCによって送られた命令情報を受信し、処理モジュールは、命令情報により、マクロ基地局とのアップリンクおよびダウンリンクのサービス送信を実行し、第1の領域においてマイクロ基地局とのアップリンクサービス送信を実行し、かつ/またはマイクロ基地局とのアップリンクおよびダウンリンクのサービス送信を実行し、第2の領域においてマクロ基地局とのダウンリンクサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０２４１】
図10に示したユーザ機器の構造に基づいて、さらに、受信モジュール11は、処理モジュール12が命令情報によりサービス送信を実行する前に、RNCによって送られたアクティブセット更新シグナリングを受信するようにさらに構成され、処理モジュール12は、アクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加するようにさらに構成される。
【０２４２】
図11は、本発明によるユーザ機器の実施形態2の図式的な構造図である。図11に示すように、図10に示した装置の構造に基づいて、さらに、本実施形態による装置は、第1の測定モジュール13および第1の送信モジュール14をさらに含み、第1の測定モジュール13は、受信モジュール11がRNCによって送られたアクティブセット更新シグナリングを受信する前に、各セルの共通パイロットチャネル品質を測定するように構成され、第1の送信モジュール14は、UEが非ソフトハンドオーバ領域にある場合、および第1の測定モジュール13が、マイクロ基地局の共通パイロットチャネル品質は、事前設定された第1のしきい値より大きく、第2のアクティブセットへの追加のために第1の条件しきい値より小さいと測定した場合、RNCに第1の測定レポートを送り、それにより、RNCは、第1の測定レポートにより、UEにアクティブセット更新シグナリングを送るように構成される。
【０２４３】
第1の送信モジュール14は、
UEが第2のアクティブセットに対応するソフトハンドオーバ領域にある場合、および
UEが、マイクロ基地局の共通パイロットチャネル品質は、第2のアクティブセットからのマイクロ基地局の削除のために第2の条件しきい値より小さく、事前設定された第2のしきい値より大きいと測定した場合、RNCに第1の測定レポートを送り、それにより、RNCは、第1の測定レポートにより、UEにアクティブセット更新シグナリングを送るようにさらに構成される。
【０２４４】
さらに、第1の測定モジュール13は、
処理モジュール12が命令情報によりサービス送信を実行した後、マイクロ基地局の共通パイロットチャネル品質を測定し続け、マイクロ基地局の共通パイロットチャネル品質が、第2のアクティブセットへの追加のために第1の条件しきい値より大きい場合、第1の送信モジュール14は、RNCに第2の測定レポートを送るようにさらに構成され、それにより、RNCは、UEに第1の制御情報を送る
ようにさらに構成され、
処理モジュール12は、第1の制御情報により第2のアクティブセットにマイクロ基地局を追加するようにさらに構成される。
【０２４５】
あるいは、第1の測定モジュール13は、
処理モジュール12が命令情報によりサービス送信を実行した後、マイクロ基地局の共通パイロットチャネル品質を測定し続け、マイクロ基地局の共通パイロットチャネル品質が第2のしきい値より小さい場合、第1の送信モジュール14は、RNCに第2の測定レポートを送るようにさらに構成されるため、RNCは、UEに第2の制御情報を送る
ようさらに構成され、
処理モジュール12は、第2の制御情報により第1のアクティブセットからマイクロ基地局を削除するようにさらに構成される。
【０２４６】
さらに、UEによって送信されたサービスは、DCHサービスを含み、受信モジュール11は、
マイクロ基地局によって送られたTPCを受信し、TPCは、UEのアップリンク送信電力を調整するために使用される
ようにさらに構成される。
【０２４７】
UEによって送信されたサービスは、E-DCHサービスを含み、受信モジュール11は、
マイクロ基地局によって送られるTPC、E-RGCH、およびE-HICHを受信し、TPCは、UEのアップリンク送信電力を調整するために使用され、E-RGCHは、UEによって取得された、スケジューリング許可値を調整するために使用され、E-HICHは、マイクロ基地局がUEのデータを正しく受信するかどうかをUEにフィードバックするために使用される
ようにさらに構成される。
【０２４８】
図12は、本発明によるユーザ機器の実施形態3の図式的な構造図である。図12に示すように、図10に示した装置の構造に基づいて、さらに、本実施形態による装置は、第2の測定モジュール15および第2の送信モジュール16をさらに含み、第2の測定モジュール15は、受信モジュール11がRNCによって送られたアクティブセット更新シグナリングを受信する前に、各セルの共通パイロットチャネル品質を測定するように構成され、第2の送信モジュール16は、UEが非ソフトハンドオーバ領域にある場合、および第2の測定モジュール15が、マクロ基地局の共通パイロットチャネル品質は、事前設定された第3のしきい値より大きく、第2のアクティブセットへの追加のために第2の条件しきい値より小さいと測定した場合、RNCに第3の測定レポートを送り、それにより、RNCは、第3の測定レポートにより、UEにアクティブセット更新シグナリングを送るように構成される。
【０２４９】
第2の送信モジュール16は、UEが第2のアクティブセットに対応するソフトハンドオーバ領域にある場合、および第2の測定モジュール15が、マクロ基地局の共通パイロットチャネル品質は、第2のアクティブセットからのマイクロ基地局の削除のために第2の条件しきい値より小さく、事前設定された第2のしきい値より大きいと測定した場合、RNCに第3の測定レポートを送り、それにより、RNCは、第3の測定レポートにより、UEにアクティブセット更新シグナリングを送るようにさらに構成される。
【０２５０】
さらに、第2の測定モジュール15は、
処理モジュール12が命令情報によりサービス送信を実行した後、マクロ基地局の共通パイロットチャネル品質を測定し続け、マクロ基地局の共通パイロットチャネル品質が、第2のアクティブセットへの追加のために第2の条件しきい値より大きい場合、第2の送信モジュール16は、RNCに第4の測定レポートを送るようにさらに構成され、それにより、RNCは、UEに第3の制御情報を送り、処理モジュール12は、第3の制御情報により第2のアクティブセットにマクロ基地局を追加する
ようにさらに構成される。
【０２５１】
あるいは、第2の測定モジュール15は、
処理モジュール12が命令情報によりサービス送信を実行した後、マクロ基地局の共通パイロットチャネル品質を測定し続けるようにさらに構成され、マクロ基地局の共通パイロットチャネル品質が第4のしきい値より小さい場合、第2の送信モジュール16は、RNCに第4の測定レポートを送るようにさらに構成され、それにより、RNCは、UEに第4の制御情報を送り、処理モジュール12は、第4の制御情報により第3のアクティブセットからマクロ基地局を削除するようにさらに構成される。
【０２５２】
図11および図12に示した実施形態のユーザ機器は、図3に示した方法の実施形態の技術的解決策を実行するように構成され得、ユーザ機器の実装原理は類似しているため、本明細書に再び記述されていない。
【０２５３】
図11および図12に示した実施形態によって提供されるユーザ機器により、受信モジュールがアクティブセット更新シグナリングを受信した後、処理モジュールは、第1のアクティブセットにマイクロ基地局を追加し、次いで、受信された命令情報および追加が実行されるアクティブセットによりサービス送信を実行し、かつ/または受信モジュールがアクティブセット更新シグナリングを受信した後、処理モジュールは、第3のアクティブセットにマクロ基地局を追加し、次いで、受信された命令情報および追加が実行されるアクティブセットによりサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０２５４】
図13は、本発明による無線ネットワークコントローラの実施形態1の図式的な構造図である。図13に示すように、本実施形態による装置は、生成モジュール21および送信モジュール22を含むことができ、生成モジュール21は、命令情報を生成するように構成され、命令情報は、ユーザ機器UEに、第1の領域において、アクセスネットワークのマクロ基地局とのアップリンクおよびダウンリンクのサービス送信を実行し、マイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得され、かつ/または第2の領域において、マイクロ基地局とのアップリンクおよびダウンリンクのサービス送信を実行し、マクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得され、送信モジュール22はUEに命令情報を送るように構成され、それにより、UEは、命令情報によりサービス送信を実行するように指示するために使用される。
【０２５５】
第1のアクティブセットは、
拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスのLLRを受信および計算し、ビタビ復号を実行するためにビタビ復号器としてLLRを入力することができる。
【０２５６】
第2のアクティブセットは、DCHアクティブセットおよび/またはE-DCHアクティブセットを含む。
【０２５７】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。第3のアクティブセットでは、UEは、第3のアクティブセットにおいてマイクロ基地局によって送られたE-HICHを受信することができ、E-HICHがACKを示す場合、UEは、E-DCHで新しいデータを送信するか、またはUEは、E-HICHがNACKを示しており、再送信の最高数に到達していない場合、E-DCHでデータを再送信する。
【０２５８】
本実施形態による無線ネットワークコントローラは、図4に示した方法の実施形態の技術的解決策を実行するように構成され得、無線ネットワークコントローラの実装原理は類似しているため、本明細書に再び記述されていない。
【０２５９】
本実施形態によって提供される無線ネットワークコントローラによると、生成モジュールは、命令情報を生成し、送信モジュールは、UEに命令情報を送り、それにより、UEは、マクロ基地局とのアップリンクおよびダウンリンクのサービス送信を実行し、第1の領域においてマイクロ基地局とのアップリンクサービス送信を実行し、かつ/またはマイクロ基地局とのアップリンクおよびダウンリンクのサービス送信を実行し、第2の領域においてマクロ基地局とのダウンリンクサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０２６０】
さらに、送信モジュール22は、命令情報を送る前に、UEにアクティブセット更新シグナリングを送るようにさらに構成され、それにより、UEは、アクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加する。
【０２６１】
図14は、本発明による無線ネットワークコントローラの実施形態2の図式的な構造図である。図14に示すように、図11に示した装置の構造に基づいて、さらに、本実施形態による装置は、第1の受信モジュール23をさらに含むことができ、第1の受信モジュール23は、送信モジュール22がUEにアクティブセット更新シグナリングを送る前に、UEによって送られた第1の測定レポートを受信するように構成され、第1の測定レポートは、UEが非ソフトハンドオーバ領域にある場合、およびUEが、マイクロ基地局の共通パイロットチャネル品質は、事前設定された第1のしきい値より大きく、第2のアクティブセットへの追加のために第1の条件しきい値より小さいと測定した場合、RNCに送られるか、または第1の測定レポートは、UEが第2のアクティブセットに対応するソフトハンドオーバ領域にある場合およびUEが、マイクロ基地局の共通パイロットチャネル品質は、第2のアクティブセットからのマイクロ基地局の削除のために第3の条件しきい値より小さく、事前設定された第2のしきい値より大きいと測定した場合、RNCに送られる。
【０２６２】
さらに、第1の受信モジュール23は、送信モジュール22がUEに命令情報を送った後、UEによって送られた第2の測定レポートを受信するようにさらに構成され、マイクロ基地局の共通パイロットチャネル品質が、第2のアクティブセットへの追加のために第1の条件しきい値より大きい場合、第2の測定レポートはRNCにUEによって送られる。送信モジュール22は、UEに第1の制御情報を送るようにさらに構成され、それにより、UEは、第1の制御情報の命令により第2のアクティブセットにマイクロ基地局を追加する。
【０２６３】
あるいは、第1の受信モジュール23は、送信モジュール22がUEに命令情報を送った後、UEによって送られた第2の測定レポートを受信するようにさらに構成され、マイクロ基地局の共通パイロットチャネル品質が第2のしきい値より小さい場合、第2の測定レポートはRNCにUEによって送られる。送信モジュール22は、UEに第2の制御情報を送るようにさらに構成され、それにより、UEは、第2の制御情報により第1のアクティブセットからマイクロ基地局を削除する。
【０２６４】
図15は、本発明による無線ネットワークコントローラの実施形態3の図式的な構造図である。図15に示すように、図13に示した装置の構造に基づいて、さらに、本実施形態による装置は、第2の受信モジュール24をさらに含むことができ、第2の受信モジュール24は、送信モジュール22がUEにアクティブセット更新シグナリングを送る前に、UEによって送られた第3の測定レポートを受信するように構成され、第3の測定レポートは、UEが非ソフトハンドオーバ領域にある場合、およびUEが、マクロ基地局の共通パイロットチャネル品質は、事前設定された第3のしきい値より大きく、第2のアクティブセットへの追加のために第2の条件しきい値より小さいと測定した場合、RNCにUEによって送られるか、または第3の測定レポートは、UEが第2のアクティブセットに対応するソフトハンドオーバ領域にある場合、およびUEが、マクロ基地局の共通パイロットチャネル品質は、第2のアクティブセットからのマクロ基地局の削除のために第4の条件しきい値より小さく、事前設定された第4のしきい値より大きいと測定した場合、RNCにUEによって送られる。
【０２６５】
さらに、第2の受信モジュール24は、送信モジュール22がUEに命令情報を送った後、UEによって送られた第4の測定レポートを受信するようにさらに構成され、第4の測定レポートは、マクロ基地局の共通パイロットチャネル品質が、第2のアクティブセットへの追加のために第2の条件しきい値より大きい場合、RNCにUEによって送られる。送信モジュール22は、UEに第3の制御情報を送るようにさらに構成され、それにより、UEは、第3の制御情報により第2のアクティブセットにマクロ基地局を追加する。
【０２６６】
あるいは、第2の受信モジュール24は、送信モジュール22がUEに命令情報を送った後、UEによって送られた第4の測定レポートを受信するようにさらに構成され、マクロ基地局の共通パイロットチャネル品質が第4のしきい値より小さい場合、第4の測定レポートは、RNCにUEによって送られる。送信モジュール22は、UEに第4の制御情報を送るようにさらに構成され、それにより、UEは、第4の制御情報により、第3のアクティブセットからマクロ基地局を削除する。
【０２６７】
図14および図15に示した無線ネットワークコントローラは、図5に示した方法の実施形態の技術的解決策を実行するように構成され得、無線ネットワークコントローラの実装原理は類似しているため、本明細書に再び記述されていない。
【０２６８】
図14および図15に示した実施形態によって提供される無線ネットワークコントローラによると、送信モジュールは、UEにアクティブセット更新シグナリングを送り、それにより、UEは、アクティブセット更新シグナリングを受信した後に、第1のアクティブセットにマイクロ基地局を追加し、次いで、UEは、送信モジュールによって送られた命令情報および追加が実行されるアクティブセットによりサービス送信を実行し、かつ/または送信モジュールは、UEにアクティブセット更新シグナリングを送り、それにより、UEは、アクティブセット更新シグナリングを受信した後に、第3のアクティブセットにマクロ基地局を追加し、次いで、UEは、送信モジュールによって送られた命令情報および追加が実行されるアクティブセットによりサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０２６９】
図16は、本発明によりマイクロ基地局の実施形態1の図式的な構造図である。図16に示すように、本実施形態による装置は、受信モジュール31および処理モジュール32を含むことができ、受信モジュール31は、アクセスネットワークのRNCによって送られた構成情報を受信するように構成され、構成情報は、ユーザ機器UEによって送られたアップリンクDCHおよび/またはアップリンクE-DCHサービスを受信するようにマイクロ基地局に指示するために使用され、処理モジュール32は、UEが第1の領域においてサービス送信を実行するときに、マイクロ基地局が第1のアクティブセットにUEによって追加された後に、構成情報により第1のアクティブセットで、UEによって送られたアップリンクDCHおよび/またはアップリンクE-DCHサービスを受信するように構成され、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得される。
【０２７０】
第1のアクティブセットは、
拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスのLLRを受信および計算し、ビタビ復号を実行するためにビタビ復号器としてLLRを入力することができる。
【０２７１】
本実施形態によるマイクロ基地局は、図6に示した方法の実施形態の技術的解決策を実行するように構成され得、マイクロ基地局の実装原理は類似しているため、本明細書に再び記述されていない。
【０２７２】
本実施形態によって提供されるマイクロ基地局によると、受信モジュールは、RNCによって送られた構成情報を受信し、UEが第1の領域においてサービス送信を実行するときに、マイクロ基地局が第1のアクティブセットにUEによって追加された後に、処理モジュールは、構成情報により第1のアクティブセットで、UEによって送られたアップリンクDCHおよび/またはアップリンクE-DCHサービスを受信する。これにより、UEによって第1の領域においてマイクロ基地局に引き起こされるアップリンク干渉を最小限にすることができ、さらに、マイクロ基地局のアップリンク有効範囲は、完全に利用され得、これにより、HetNetのエッジ領域において送信のスループットレートおよび信頼性が改善される。
【０２７３】
図17は、本発明によるマイクロ基地局の実施形態2の図式的な構造図である。図17に示すように、図16に示した装置の構造に基づいて、さらに、本実施形態による装置は、送信モジュール33をさらに含み、マイクロ基地局によって受信されたサービスがDCHサービスである場合、送信モジュール33は、UEにTPCを送るように構成され、TPCは、UEのアップリンク送信電力を調整するために使用される。
【０２７４】
マイクロ基地局によって受信されたサービスがE-DCHサービスである場合、送信モジュール33は、UEにTPC、E-RGCHおよびE-HICHを送るように構成され、TPCは、UEのアップリンク送信電力を調整するために使用され、E-RGCHは、UEによって取得された、スケジューリング許可値を調整するために使用され、E-HICHは、マイクロ基地局がUEのデータを正確に受信するかどうかをUEにフィードバックするために使用される。
【０２７５】
図18は、本発明によるマクロ基地局の実施形態1の図式的な構造図である。図18に示すように、本実施形態による装置は、受信モジュール41および送信モジュール42を含むことができ、受信モジュール41は、アクセスネットワークのRNCによって送られた構成情報を受信するように構成され、構成情報は、ユーザ機器UEにダウンリンクDCHサービスを送るようにマクロ基地局に指示するために使用され、
送信モジュール42は、UEが第2の領域においてサービス送信を実行する場合、マクロ基地局が第3のアクティブセットにUEによって追加された後、構成情報により第3のアクティブセットでUEにダウンリンクDCHサービスを送るように構成され、第2の領域は、マクロ基地局の共通パイロットチャネル品質は、第3のアクティブセットへの追加のために第3のしきい値に到達するマクロ基地局の共通パイロットチャネル品質と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得される。
【０２７６】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。第3のアクティブセットでは、UEは、第3のアクティブセットにおいてマイクロ基地局によって送られたE-HICHを受信することができ、E-HICHがACKを示す場合、UEは、E-DCHで新しいデータを送信するか、またはUEは、E-HICHがNACKを示しており、再送信の最高数に到達していない場合、E-DCHでデータを再送信する。
【０２７７】
さらに、受信モジュール41は、
送信モジュールが、構成情報により第3のアクティブセットで、UEにダウンリンクDCHサービスを送った後、UEによって送られたアップリンクTPCを受信し、TPCは、ダウンリンクDCHサービスの送信電力を制御するために使用されるようにさらに構成される。
【０２７８】
本実施形態によるマクロ基地局は、図7に示した方法の実施形態の技術的解決策を実行するように構成され得、マクロ基地局の実装原理は類似しているため、本明細書に再び記述されていない。
【０２７９】
本実施形態によって提供されるマクロ基地局によると、受信モジュールは、RNCによって送られた構成情報を受信し、UEが第2の領域においてサービス送信を実行するときに、マクロ基地局が第3のアクティブセットにUEによって追加された後に、送信モジュールは、構成情報により第3のアクティブセットで、UEにダウンリンクDCHサービスを送る。これにより、マクロ基地局によって第2の領域においてマイクロ基地局に引き起こされるダウンリンク干渉を最小限にすることができ、さらに、マクロ基地局のダウンリンク有効範囲は、完全に利用され得、これにより、HetNetのエッジ領域において送信のスループットレートおよび信頼性が改善される。
【０２８０】
実施形態によって提供されるアクセスネットワークシステムは、図10から図12のいずれか1つに示したユーザ機器と、図13から図15のいずれか1つに示した無線ネットワークコントローラと、図16または図17に示したマイクロ基地局と、図18に示したマクロ基地局とを含む。
【０２８１】
図1を参照すると、図に示した領域Bでは、マクロ基地局に対するUEでのダウンリンク受信は、この領域におけるマイクロ基地局に対するものより良好であり、HSDPAのサービスを提供するセルは、マクロ基地局であるが、アップリンクでは、UEからマイクロ基地局への経路損失は、UEからマクロ基地局への経路損失より小さく、UEに対するマイクロ基地局での受信は、マクロ基地局のものより良好である。しかし、UEのサービスを提供するセルは、マクロ基地局である。この場合、マイクロ基地局は、アップリンクにおいてそれほど使用されておらず、より大きなアップリンク容量を持っている。したがって、ネットワークアップリンクのスループットパフォーマンスは不十分である。さらに、UEは、ソフトハンドオーバSHO領域に入っておらず、マイクロ基地局は、UEに対して電力制御を実行することができない。その結果、UEのアップリンクサービスに対するマイクロ基地局での受信電力は過度に高く、このために、マイクロ基地局へのアップリンク干渉が引き起こされる。
【０２８２】
さらに、たとえば、建築物および地形による遮蔽などの要素など、基地局の展開環境のために、異種混合ネットワークのものに類似する不均衡なアップリンクおよびダウンリンクのシナリオが、2つのマクロ基地局間で引き起こされる場合がある。前述の問題は、また、このシナリオにも存在する。
【０２８３】
前述の問題に基づいて、本発明の実施形態は、ネットワーク通信方法をさらに提供し、これは、HetNetのエッジ領域で送信のスループットレートおよび信頼性を改善するために、マイクロ基地局のアップリンク有効範囲を利用することができ、また、UEが、図に示した領域Bにおいて、HetNetでサービス送信を実行するときに、マイクロ基地局に引き起こされるアップリンク干渉を低減することができる。
【０２８４】
図19は、本発明によるネットワーク通信方法の実施形態9の流れ図である。本実施形態は、UEが実行体である実例を使用して記述されている。図19に示すように、本実施形態による方法は、以下を含むことができる。
【０２８５】
S701.UEは、アクセスネットワークにおいて第1の基地局によって送られた、第1の向上された専用チャネルのハイブリッド自動再送要求インジケータチャネル((E-DCH Hybrid ARQ Indicator Channel、略してE-HICH)を受信し、第1の基地局は、UEの検出範囲内に位置し、UEの向上された専用チャネルE-DCHアクティブセットにない。
【０２８６】
具体的には、第1の基地局は、アクセスネットワークの任意のマイクロ基地局またはマクロ基地局の場合がある。本明細書に記載のマクロ基地局は、以下を参照する:周囲環境および建築による遮蔽などの条件によって影響を受ける2つのマクロ基地局について、異種混合ネットワークのマクロ基地局およびマイクロ基地局のものに類似する事例が引き起こされる場合があり、この場合、1つのマクロ基地局は、異種混合ネットワークにおけるマイクロ基地局に類似している。アクセスネットワークの第1の基地局は、UEのE-DCHアクティブセットにない、すなわち、UEは、SHO領域(たとえば、図1に示した領域B)に入っていない。E-HICHは、肯定応答(ACK)および否定応答(NACK)という2つの情報を含み、ACKは、基地局が、前のプロセスでE-DCHサービスを正しく受信することを表し、NACKは、基地局が、前のプロセスでE-DCHサービスを受信するときに障害が発生したことを表している。ACKを受信した後、UEは、次のプロセスで新しいデータを送り、NACKが受信された場合、次のプロセスでUEはデータを再送信し、再送信の最高数に到達したときにデータが正しく送られていなければ、UEは、また、新しいデータを送る。UEが複数のセルのE-HICHを受信した場合、1つのE-HICHがACKを示している場合、UEは、新しいデータを送信する。すべてのE-HICHがNACKを示している場合に限り、UEは、以前に送られたE-DCHデータを再送信する。
【０２８７】
S702.第1のE-HICHが肯定応答ACKを示す場合、UEは新しいE-DCHデータを送る。
【０２８８】
具体的には、UEが第1の基地局によって送られた第1のE-HICHを受信した後、受信された第1のE-HICHが、UEに、第1の基地局は、UEによって送られたE-DCHサービスを正しく受信したことを示すACKを送る場合、UEは、新しいE-DCHデータを送る。
【０２８９】
異種混合ネットワークおよび同様の環境の領域Bでは、UEから第1の基地局へのアップリンクチャネルの品質は、UEから別の基地局(たとえば、マクロ基地局)へのアップリンクチャネルの品質より良好であるので、第1の基地局がUEによって送られたE-DCHデータを正しく受信する可能性はより高い。したがって、第1の基地局は、UEによって送られた新しいE-DCHデータを受信するために使用され得、次いで、RNCにアップリンク方向に新しいE-DCHデータを送ることができる。本発明の技術的解決策を使用することによって、より多くのE-HICHが、UEにACKをフィードバックする。これにより、UEのすべてのE-HICHがNACKをフィードバックする機会が減り、UEがE-DCHを再送信する回数が減り、E-DCHの送信効率が改善される。
【０２９０】
第1のE-HICHが否定応答NACKを示している場合、UEは、E-DCHデータを再送信する。
【０２９１】
第1の基地局がUEの検出範囲内に位置することは、以下を含む。
第1の基地局のものであり、UEによって測定されるダウンリンクパイロット品質は、事前設定された第1のしきい値より大きい。第1のしきい値は、UEが第1の基地局によって送られたE-HICHを正しく復号するパイロット品質の最小値を表している。
【０２９２】
さらに、UEが第1の基地局によって送られた第1のE-HICHを受信する前に、方法は、以下をさらに含むことができる。
【０２９３】
S703.UEは、RNCによって送られた第1の命令シグナリングを受信し、第1の命令シグナリングは、第1の基地局によって送られた第1のE-HICHを受信するようにUEに指示するために使用され、第1の命令シグナリングは、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【０２９４】
チャネル化コードは、エアインターフェースの複数のチャネルを区別するために、広帯域符号分割多元接続システム(WCDMAシステム)で使用される。チャネル化コードは相互に直交しているので、マルチパス干渉および符号間干渉がない場合、相互干渉は、異なるチャネル化コードを使用することによって、拡散する送信(spreading transmission)が実行されるチャネル間に発生せず、このためにパフォーマンスが良好になる。信号を受信するときに、受信機は最初に、チャネル化コードを使用することによって信号を逆拡散し、受信機は、逆拡散するためのチャネル化コードが拡散のためのチャネル化コードである場合に限り、逆拡散することによってデータを正しく取得することができる。シグネチャシーケンスは、ユーザを区別するために使用される。ユーザは、復号を使ってチャネルから、ユーザのシグネチャシーケンスを使用することによって、E-HICHおよび向上された専用チャネル相対グラントチャネル(E-DCH Relative Grant Channel、略してE-RGCH)を復号することによってのみ、ユーザに送られるデータを取得することができる。
【０２９５】
さらに、第1の命令シグナリングは、第1のE-HICHのタイミング情報をさらに含み、第1のE-HICHのタイミング情報は、UEが第1のE-HICHの各サブフレームを受信するべき開始時間位置を示すために使用される。UEは、E-HICHについての情報を正しく受信および復号するために、タイミング情報により各サブフレームでE-HICHの開始位置を決定することができる。
【０２９６】
第1のE-HICHのタイミング情報は、第1の基地局の断片的なダウンリンク物理チャネル(Fractional Downlink Physical Channel、略してF-DPCH)のタイミングオフセットτF-DPCHおよび/または記号位置の場合がある。たとえば、参照チャネルは、プライマリ共通制御物理チャネル(Primary Common Control Physical Channel、略してP-CCPCH))であり、タイミングオフセットは、τF-DPCH,nであり、これは、各F-DPCHフレーム/サブフレームがP-CCPCHより後のτF-DPCH,nであることを示している。第1のE-HICHのチャネルタイミングは、F-DPCHのタイミングオフセットτF-DPCH,nを使用することによって知られ得る。
【０２９７】
別の実装可能な方法では、さらに、第1の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信するときを示すために使用され、E-RGCHのタイミング情報は、第1の基地局の断片的なダウンリンク物理チャネルF-DPCHのタイミングオフセットτF-DPCH,nおよび/または記号位置である
をさらに含むことができる。
【０２９８】
UEのE-DCH送信電力は、E-RGCHを使用することによって制御される。UEのE-DCH送信電力が過度に高い場合、第1の基地局は、E-RGCHを使用することによってUEに電力削減命令を送ることができ、これにより、過度に高い電力によって第1の基地局に引き起こされる干渉を回避することができる。たとえば、UEが、図に示した領域Bにおいて、HetNetのサービス送信を実行するときに、マイクロ基地局に引き起こされるアップリンク干渉が低減され得る。
【０２９９】
本実施形態では、さらに、UEがRNCによって送られた第1の命令シグナリングを受信する前に、方法は、以下をさらに含むことができる。
【０３００】
S704.UEは、各サービスを提供するセルの共通パイロットチャネル品質を測定する。
【０３０１】
S705.UEが、第1の基地局の共通パイロットチャネル品質は、事前設定された第1のしきい値より大きいと測定したときに、UEは、RNCに測定レポートを送り、それにより、RNCは、測定レポートにより、UEに第1の命令シグナリングを送る。
【０３０２】
本実施形態によって提供されるネットワーク通信方法によると、アクセスネットワークの第1の基地局がUEのE-DCHアクティブセットにない場合、UEは、第1の基地局によって送られたE-HICHを受信することができ、それにより、UEが、E-HICHにより、第1の基地局が、UEによって送られたE-DCHサービスを正しく受信したことを認識したときに、UEは、第1の基地局にE-DCHサービスを送ることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０３０３】
図20は、本発明によるネットワーク通信方法の実施形態10の流れ図である。本実施形態は、基地局が実行体である実例を使用して記述されている。図20に示すように、本実施形態による方法は、以下を含む。
【０３０４】
S801.アクセスネットワークの第1の基地局は、UEによって送られたE-DCHサービスを受信し、第1の基地局は、UEの検出範囲内にあり、UEの向上された専用チャネルE-DCHアクティブセットにない。
【０３０５】
第1の基地局は、アクセスネットワークの任意のマイクロ基地局またはマクロ基地局の場合がある。本明細書に記載のマクロ基地局は、以下を参照する:周囲環境および建築による遮蔽などの条件によって影響を受ける2つのマクロ基地局について、異種混合ネットワークのマクロ基地局およびマイクロ基地局のものに類似する事例が引き起こされる場合があり、この場合、1つのマクロ基地局は、異種混合ネットワークにおけるマイクロ基地局に類似している。アクセスネットワークの第1の基地局は、UEのE-DCHアクティブセットにない、すなわち、UEは、SHO領域(たとえば、図1に示した領域B)に入っていない。
【０３０６】
S802.第1の基地局は、UEに第1のE-HICHを送る。
【０３０７】
S803.第1の基地局は、第1のE-HICHが肯定応答ACKを示す場合、UEによって送られる新しいE-DCHデータを受信する。
【０３０８】
あるいは、第1の基地局は、第1のE-HICHが否定応答NACKを示す場合、UEによって再送信されたE-DCHデータを受信する。
【０３０９】
E-HICHは、肯定応答(ACK)および否定応答(NACK)という2つの情報を含み、ACKは、基地局が、前のプロセスでE-DCHサービスを正しく受信することを表し、NACKは、基地局が、前のプロセスでE-DCHサービスを受信するときに障害が発生したことを表している。ACKを受信した後、UEは、次のプロセスで新しいデータを送り、NACKが受信された場合、次のプロセスでUEはデータを再送信し、再送信の最高数に到達したときにデータが正しく送られていなければ、UEは、また、新しいデータを送る。UEが複数のセルのE-HICHを受信する場合(UEのE-DCHアクティブセットは、2つ以上のセルを持つ)、1つのE-HICHがACKを示している場合、UEは、新しいデータを送信する。
【０３１０】
第1の基地局がUEの検出範囲内に位置することは、
第1の基地局のものであり、UEによって測定されるダウンリンクパイロット品質は、事前設定された第1のしきい値より大きい。第1のしきい値は、UEが第1の基地局によって送られたE-HICHを正しく復号するパイロット品質の最小値を表している
ことを含む。
【０３１１】
さらに、第1の基地局がUEによって送られたE-DCHサービスを受信する前に、方法は、以下をさらに含むことができる。
【０３１２】
S804.第1の基地局は、RNCによって送られた第2の命令シグナリングを受信し、第2の命令シグナリングは、UEによって送られたE-DCHサービスを受信するように第1の基地局に指示するために使用され、第2の命令シグナリングは、UEのアップリンクスクランブルコードと、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【０３１３】
スクランブルコードは、一連の擬似ランダム符号である。アップリンクでは、基地局は、スクランブルコードを識別することによってユーザを区別および識別する。第1のE-HICHのチャネル化コードは、どのコードチャネルがUEに送られた第1のE-HICHによって使用されるかを示している。第1のE-HICHのシグネチャシーケンスは、UEによって使用されるシグネチャシーケンスを示している。
【０３１４】
さらに、第2の命令シグナリングは、第1のE-HICHのタイミング情報をさらに含み、第1のE-HICHのタイミング情報は、第1のE-HICHの各サブフレームを送るために開始時間位置を示すために使用される。
【０３１５】
第2のE-HICHのタイミング情報は、第1の基地局の断片的なダウンリンク物理チャネルF-DPCHのタイミングオフセットτF-DPCH,nおよび/または記号位置である。たとえば、参照チャネルは、P-CCPCHであり、タイミングオフセットは、τF-DPCH,nであり、これは、各F-DPCHフレーム/サブフレームがP-CCPCHより後のτF-DPCH,nであることを示している。第1のE-HICHのチャネルタイミングは、F-DPCHのタイミングオフセットτF-DPCH,nを使用することによって知られ得る。
【０３１６】
別の実装可能な方法では、さらに、第2の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信するときを示すために使用され、E-RGCHのタイミング情報は、第1の基地局の断片的なダウンリンク物理チャネルF-DPCHのタイミングオフセットτF-DPCH,nおよび/または記号位置である
を含む。
【０３１７】
UEのE-DCH送信電力は、E-RGCHを使用することによって制御され、これにより、過度に高い電力によって第1の基地局に引き起こされる干渉を回避することができる。たとえば、UEが、図に示した領域Bにおいて、HetNetのサービス送信を実行するときに、マイクロ基地局に引き起こされるアップリンク干渉が低減され得る。
【０３１８】
本実施形態では、さらに、第1の基地局がRNCによって送られた第2の命令シグナリングを受信する前に、方法は、
第1の基地局は、RNCに受信能力メッセージを送り、受信能力メッセージは、第1の基地局がUEによって送られたE-DCHサービスを受信することができることを示すために使用される
ことをさらに含む。
【０３１９】
本実施形態によって提供されるネットワーク通信方法によると、アクセスネットワークの第1の基地局がUEのE-DCHアクティブセットにない場合、第1の基地局は、UEによって送られたE-DCHサービスを受信した後に、UEにE-HICHを送り、それにより、UEが、E-HICHにより、第1の基地局が、UEによって送られたE-DCHサービスを正しく受信したことを認識したときに、UEは、第1の基地局にE-DCHサービスを送り続けることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０３２０】
図21は、本発明によるネットワーク通信方法の実施形態11の流れ図である。本実施形態は、RNCが実行体である実例を使用して記述されている。図21に示すように、本実施形態による方法は、以下を含む。
【０３２１】
S901.アクセスネットワークのRNCは、第1の命令シグナリングおよび第2の命令シグナリングを生成し、第1の命令シグナリングは、第1の基地局によって送られた、第1の向上された専用チャネルのハイブリッド自動再送要求インジケータチャネルE-HICHを受信するようにUEに指示するために使用され、第2の命令シグナリングは、UEによって送られたE-DCHサービスを受信するように第1の基地局に指示するために使用され、第1の基地局は、UEの検出範囲内にあり、UEの向上された専用チャネルE-DCHアクティブセットにない。
【０３２２】
第1の命令シグナリングでは、第1のE-HICHのチャネル化コードは、拡散を実行するために第1のE-HICHによってどの拡散符号が使用されるかをUEに示し、第1のE-HICHのシグネチャシーケンスは、UEによって使用されるシグネチャシーケンスを示している。
【０３２３】
第2の命令シグナリングでは、スクランブルコードは一連の擬似ランダム符号であり、アップリンクでは、基地局は、スクランブルコードを識別することによってユーザを区別および識別する。第1のE-HICHのチャネル化コードは、どのコードチャネルがUEに送られた第1のE-HICHによって使用されるかを示している。第1のE-HICHのシグネチャシーケンスは、UEによって使用されるシグネチャシーケンスを示している。
【０３２４】
具体的には、第1の基地局は、アクセスネットワークの任意のマイクロ基地局またはマクロ基地局の場合がある。本明細書に記載のマクロ基地局は、以下を参照する:周囲環境および建築による遮蔽などの条件によって影響を受ける2つのマクロ基地局について、異種混合ネットワークのマクロ基地局およびマイクロ基地局のものに類似する事例が引き起こされる場合があり、この場合、1つのマクロ基地局は、異種混合ネットワークにおけるマイクロ基地局に類似している。アクセスネットワークの第1の基地局は、UEのE-DCHアクティブセットにない、すなわち、UEは、SHO領域(たとえば、図1に示した領域B)に入っていない。E-HICHは、肯定応答(ACK)および否定応答(NACK)という2つの情報を含み、ACKは、基地局が、前のプロセスでE-DCHサービスを正しく受信することを表し、NACKは、基地局が、前のプロセスでE-DCHサービスを受信するときに障害が発生したことを表している。ACKを受信した後、UEは、次のプロセスで新しいデータを送り、NACKが受信された場合、次のプロセスでUEはデータを再送信し、再送信の最高数に到達したときにデータが正しく送られていなければ、UEは、また、新しいデータを送る。UEが複数のセルのE-HICHを受信する場合(UEのE-DCHアクティブセットは、2つ以上のセルを持つ)、1つのE-HICHがACKを示している場合、UEは、新しいデータを送信する。
【０３２５】
S902.RNCは、第1の基地局に第2の命令シグナリングを送り、第2の命令シグナリングは、UEのアップリンクスクランブルコードと、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【０３２６】
特定の送信方法は、たとえば、第2の命令シグナリングは、RNCと基地局の間のIubインターフェースを通じて送られ得ることである場合がある。たとえば、RNCは、基地局のアプリケーション部のシグナリング(Node B Application Part、略してNBAP)を使用することによって、第2の命令シグナリングを送ることができる。
【０３２７】
S903.RNCは、UEに第1の命令シグナリングを送り、第1の命令シグナリングは、第1のE-HICHのチャネル化コードおよびシグネチャシーケンスを含む。
【０３２８】
特定の送信方法は、たとえば、RNCは、無線リソース制御シグナリング(Radio Resource Control、略してRRC)を使用することによって、UEに第1の命令シグナリングを送ることである場合がある。
【０３２９】
第1の基地局がUEの検出範囲内に位置することは、
第1の基地局のものであり、UEによって測定されるダウンリンクパイロット品質は、事前設定された第1のしきい値より大きい。第1のしきい値は、UEが第1の基地局によって送られたE-HICHを正しく復号するパイロット品質の最小値を表している
ことを含む。
【０３３０】
さらに、第1の命令シグナリングは、
第1のE-HICHのタイミング情報であって、第1のE-HICHのタイミング情報は、UEが第1のE-HICHの各サブフレームを受信するべき開始時間位置を示すために使用される
ことをさらに含む。
【０３３１】
第2の命令シグナリングは、第1のE-HICHのタイミング情報をさらに含み、第1のE-HICHのタイミング情報は、第1のE-HICHの各サブフレームを送るために開始時間位置を示すために使用される。
【０３３２】
第1のE-HICHのタイミング情報は、第1の基地局の断片的なダウンリンク物理チャネルF-DPCHのタイミングオフセットτF-DPCH,nおよび/または記号位置である。たとえば、参照チャネルは、P-CCPCHであり、タイミングオフセットは、τF-DPCH,nであり、これは、各F-DPCHフレーム/サブフレームがP-CCPCHより後のτF-DPCH,nであることを示している。第1のE-HICHのチャネルタイミングは、F-DPCHのタイミングオフセットτF-DPCH,nを使用することによって知られ得る。
【０３３３】
別の可能な実装方法では、さらに、第1の命令シグナリングおよび第2の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信するときを示すために使用され、E-RGCHのタイミング情報は、第1の基地局の断片的なダウンリンク物理チャネルF-DPCHのタイミングオフセットτF-DPCH,nおよび/または記号位置である
をさらに含む。
【０３３４】
UEのE-DCH送信電力は、E-RGCHを使用することによって制御され、これにより、過度に高い電力によって第1の基地局に引き起こされる干渉を回避することができる。たとえば、UEが、図に示した領域Bにおいて、HetNetのサービス送信を実行するときに、マイクロ基地局に引き起こされるアップリンク干渉が低減され得る。
【０３３５】
本実施形態では、さらに、RNCが第1の命令シグナリングおよび第2の命令シグナリングを生成する前に、方法は、
RNCは、UEによって送られた測定レポートを受信し、UEが、第1の基地局の共通パイロットチャネル品質は事前設定された第1のしきい値より大きいと測定した場合、測定レポートが送られる
ことをさらに含むことができる。
【０３３６】
さらに、RNCが第1の基地局に第2の命令シグナリングを送る前に、方法は、
RNCは、第1の基地局によって送られた受信能力メッセージを受信し、受信能力メッセージは、第1の基地局がUEによって送られたE-DCHサービスを受信することができることを示すために使用される
ことをさらに含むことができる。
【０３３７】
本実施形態によって提供されるネットワーク通信方法によると、アクセスネットワークの第1の基地局がUEのE-DCHアクティブセットにない場合、RNCは、第1の命令シグナリングおよび第2の命令シグナリングを生成し、UEおよび第1の基地局に、それぞれ第1の命令シグナリングおよび第2の命令シグナリングを送り、それにより、UEは、第1の基地局によって送られたE-HICHを受信することができ、UEが、E-HICHにより、第1の基地局が、UEによって送られたE-DCHサービスを正しく受信したことを認識したときに、UEは、第1の基地局にE-DCHサービスを送ることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０３３８】
図22は、本発明によるネットワーク通信方法の実施形態12の対話の流れ図である。本実施形態は、UEがソフトハンドオーバ領域に入っていない場合、UEのサービスを提供する基地局は、マクロ基地局であり、この場合、アクセスネットワークのマイクロ基地局は、UEのE-DCHアクティブセットにない実例を使用することによって記述されている。図22に示すように、本実施形態による方法は、以下を含むことができる。
【０３３９】
S1001.UEは、各サービスを提供するセルの共通パイロットチャネル品質を測定する。
【０３４０】
S1002.UEが、マイクロ基地局の共通パイロットチャネル品質は、事前設定された第1のしきい値より大きいと測定したときに、UEは、RNCに測定レポートを送る。
【０３４１】
S1003.RNCは、測定レポートを受信した後に、第1の命令シグナリングおよび第2の命令シグナリングを生成する。
【０３４２】
さらに、S1003の後に、方法は、
RNCは、マイクロ基地局によって送られた受信能力メッセージを受信し、受信能力メッセージは、マイクロ基地局がUEによって送られたE-DCHサービスを受信することができることを示すために使用される
ことをさらに含む
【０３４３】
S1004.RNCは、マイクロ基地局に第2の命令シグナリングを送る。
【０３４４】
第2の命令シグナリングは、UEによって送られたE-DCHサービスを受信するようにマイクロ基地局に指示するために使用される。第2の命令シグナリングは、UEのアップリンクスクランブルコード、チャネル化コードおよび第1のE-HICHのシグネチャシーケンスを含む。
【０３４５】
さらに、第2の命令シグナリングは、第1のE-HICHのタイミング情報をさらに含み、第1のE-HICHのタイミング情報は、第1のE-HICHを送る時間を示すために使用される。第1のE-HICHのタイミング情報は、マイクロ基地局の断片的なダウンリンク物理チャネルF-DPCHのタイミングオフセットτF-DPCH,nおよび/または記号位置である。
【０３４６】
さらに、第1の命令シグナリングおよび第2の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信するときを示すために使用され、E-RGCHのタイミング情報は、マイクロ基地局の断片的なダウンリンク物理チャネルF-DPCHのタイミングオフセットτF-DPCH,nおよび/または記号位置である
ことをさらに含む。
【０３４７】
UEのE-DCH送信電力は、E-RGCHによって制御される。UEのE-DCH送信電力が過度に高い場合、マイクロ基地局は、E-RGCHを使用することによってUEに電力削減命令を送ることができ、これにより、過度に高い電力によってマイクロ基地局に引き起こされる干渉を回避することができる。たとえば、UEが、図に示した領域Bにおいて、HetNetのサービス送信を実行するときに、マイクロ基地局に引き起こされるアップリンク干渉が低減され得る。
【０３４８】
S1005.UEは、マイクロ基地局にE-DCHサービスを送る。
【０３４９】
S1006.マイクロ基地局は、E-DCHサービスを受信した後にUEに第1のE-HICHを送る。
【０３５０】
S1007.RNCは、UEに第1の命令シグナリングを送る。
【０３５１】
第1の命令シグナリングは、マイクロ基地局によって送られた第1のE-HICHを受信するようにUEに指示するために使用され、第1のE-HICHは、マイクロ基地局がUEによって送られたE-DCHサービスを正しく受信するかどうかをUEに示すために使用される。第1の命令シグナリングは、第1のE-HICHのチャネル化コードおよびシグネチャシーケンスを含む。
【０３５２】
さらに、第1の命令シグナリングは、第1のE-HICHのタイミング情報をさらに含み、第1のE-HICHのタイミング情報は、UEが第1のE-HICHを受信するべき時間を示すために使用される。
【０３５３】
第1のE-HICHのタイミング情報は、マイクロ基地局のF-DPCHのタイミングオフセットτF-DPCHおよび/または記号位置の場合がある。
【０３５４】
さらに、第1の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信するときを示すために使用され、E-RGCHのタイミング情報は、マイクロ基地局の断片的なダウンリンク物理チャネルF-DPCHのタイミングオフセットτF-DPCH,nおよび/または記号位置である
をさらに含む。
【０３５５】
S1008.UEは、受信された第1のE-HICHによりE-DCHサービス送信を調整する。
【０３５６】
また、本実施形態は以下に適用可能である:周囲環境および建築による遮蔽などの条件によって影響を受ける2つのマクロ基地局について、異種混合ネットワークのマクロ基地局およびマイクロ基地局のものに類似する事例が引き起こされる場合があり、この場合、1つのマクロ基地局は、本実施形態のマイクロ基地局に類似している。
【０３５７】
図23は、本発明によるユーザ機器の実施形態4の図式的な構造図である。図23に示すように、本実施形態によるユーザ機器は、受信モジュール101および送信モジュール102を含むことができ、受信モジュール101は、アクセスネットワークの第1の基地局によって送られた、第1の向上された専用チャネルのハイブリッド自動再送要求インジケータチャネルE-HICHを受信するように構成され、第1の基地局は、UEの検出範囲内に位置し、UEの向上された専用チャネルE-DCHアクティブセットにない。送信モジュール102は、第1のE-HICHが肯定応答ACKを示す場合に、新しいE-DCHデータを送るように構成される。
【０３５８】
送信モジュール102は、第1のE-HICHが否定応答NACKを示す場合に、E-DCHデータを再送信するようにさらに構成される。
【０３５９】
第1の基地局がUEの検出範囲内に位置することは、
第1の基地局のものであり、UEによって測定されるダウンリンクパイロット品質は、事前設定された第1のしきい値より大きい
ことを含む。
【０３６０】
受信モジュール101は、第1の基地局によって送られた、第1の向上された専用チャネルのハイブリッド自動再送要求インジケータチャネルE-HICHを受信する前に、RNCによって送られた第1の命令シグナリングを受信するようにさらに構成され、第1の命令シグナリングは、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【０３６１】
第1の命令シグナリングは、
第1のE-HICHのタイミング情報であって、第1のE-HICHのタイミング情報は、UEが第1のE-HICHの各サブフレームを受信するべき開始時間位置を示すために使用される
ことをさらに含むことができる。第1のE-HICHのタイミング情報は、第1の基地局の断片的なダウンリンク物理チャネルF-DPCHのタイミングオフセットτF-DPCH,nおよび/または記号位置である場合がある。
【０３６２】
さらに、第1の命令シグナリングは、
向上された専用チャネル相対グラントチャネルE-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
を含む。
【０３６３】
E-RGCHのタイミング情報は、第1の基地局の断片的なダウンリンク物理チャネルF-DPCHのタイミングオフセットτF-DPCH,nおよび/または記号位置である。
【０３６４】
さらに、ユーザ機器は、受信モジュール101がRNCによって送られた第1の命令シグナリングを受信する前に、各サービスを提供するセルの共通パイロットチャネル品質を測定するように構成された処理モジュールをさらに含む。第1の基地局の共通パイロットチャネル品質は事前設定された第1のしきい値より大きいと処理モジュールが測定した場合、送信モジュール102は、UEによって、RNCに測定レポートを送るようにさらに構成され、それにより、RNCは、測定レポートにより、UEに第1の命令シグナリングを送る。
【０３６５】
本実施形態のユーザ機器は、図19に示した方法の実施形態の技術的解決策を実装するために使用され得、ユーザ機器の実装原理は類似しているため、本明細書に再び記述されていない。
【０３６６】
本実施形態によって提供されるユーザ機器によると、アクセスネットワークの第1の基地局がUEのE-DCHアクティブセットにない場合、UEは、第1の基地局によって送られたE-HICHを受信することができ、それにより、UEが、E-HICHにより、第1の基地局が、UEによって送られたE-DCHサービスを正しく受信したことを認識したときに、UEは、第1の基地局にE-DCHサービスを送ることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０３６７】
図24は、本発明による基地局の実施形態1の図式的な構造図である。図24に示すように、本実施形態による基地局は、受信モジュール111および送信モジュール112を含むことができ、受信モジュール111は、UEによって送られたE-DCHサービスを受信するように構成され、基地局はUEの検出範囲内に位置し、UEの向上された専用チャネルE-DCHアクティブセットになく、送信モジュール112は、UEに第1の向上された専用チャネルのハイブリッド自動再送要求インジケータチャネルE-HICHを送るように構成される。受信モジュール111は、第1のE-HICHが肯定応答ACKを示す場合、UEによって送られる新しいE-DCHデータを受信するようにさらに構成される。
【０３６８】
受信モジュールは、
第1のE-HICHが否定応答NACKを示す場合、UEによって再送信されるE-DCHデータを受信する
ように構成される。
【０３６９】
基地局がUEの検出範囲内に位置することは、
基地局のものであり、UEによって測定されるダウンリンクパイロット品質は、事前設定された第1のしきい値より大きい
ことを含む。
【０３７０】
さらに、受信モジュール111は、UEによって送られたE-DCHサービスを受信する前に、RNCによって送られた第2の命令シグナリングを受信するようにさらに構成され、第2の命令シグナリングは、UEによって送られたE-DCHサービスを受信するように第1の基地局に指示するために使用され、第2の命令シグナリングは、UEのアップリンクスクランブルコードと、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【０３７１】
第2の命令シグナリングは、
第1のE-HICHのタイミング情報であって、第1のE-HICHのタイミング情報は、第1のE-HICHの各サブフレームを送るために開始時間位置を示すために使用される
をさらに含むことができる。第1のE-HICHのタイミング情報は、第1の基地局の断片的なダウンリンク物理チャネルF-DPCHのタイミングオフセットτF-DPCH,nおよび/または記号位置である場合がある。
【０３７２】
さらに、第2の命令シグナリングは、
向上された専用チャネル相対グラントチャネルE-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
をさらに含むことができる。
【０３７３】
E-RGCHのタイミング情報は、第1の基地局の断片的なF-DPCHのタイミングオフセットτF-DPCH,nおよび/または記号位置である。
【０３７４】
本実施形態では、送信モジュール112は、
受信モジュールがRNCによって送られた第2の命令シグナリングを受信する前に、RNCに受信能力メッセージを送り、受信能力メッセージは、第1の基地局がUEによって送られたE-DCHサービスを受信することができることを示すために使用される
ようにさらに構成される。
【０３７５】
本実施形態による基地局は、図20に示した方法の実施形態の技術的解決策を実行するように構成され得、基地局の実装原理は類似しているため、本明細書に再び記述されていない。
【０３７６】
本実施形態によって提供される基地局によると、アクセスネットワークの第1の基地局がUEのE-DCHアクティブセットにない場合、送信モジュールは、受信モジュールがUEによって送られたE-DCHサービスを受信した後に、UEにE-HICHを送り、それにより、送信モジュールは、E-HICHにより、第1の基地局が、UEによって送られたE-DCHサービスを正しく受信したことをUEが認識したときに、第1の基地局にE-DCHサービスを継続的に送ることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０３７７】
図25は、本発明による無線ネットワークコントローラの実施形態4の図式的な構造図である。図25に示すように、本実施形態による無線ネットワークコントローラは、処理モジュール121および送信モジュール122を含むことができ、処理モジュール121は、第1の命令シグナリングおよび第2の命令シグナリングを生成するように構成され、第1の命令シグナリングは、第1の基地局によって送られた、第1の向上された専用チャネルのハイブリッド自動再送要求インジケータチャネルE-HICHを受信するようにUEに指示するために使用され、第2の命令シグナリングは、UEによって送られたE-DCHサービスを受信するように第1の基地局に指示するために使用され、第1の基地局は、UEの検出範囲内に位置し、UEの向上された専用チャネルE-DCHアクティブセットにない。
送信モジュール122は、第1の基地局に第2の命令シグナリングを送るように構成され、第2の命令シグナリングは、UEのアップリンクスクランブルコードと、第1のE-HICHのチャネル化コードおよびシグネチャシーケンスとを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。送信モジュール122は、UEに第1の命令シグナリングを送るようにさらに構成され、第1の命令シグナリングは、第1のE-HICHのチャネル化コードおよびシグネチャシーケンスを含む。
【０３７８】
第1の基地局がUEの検出範囲内に位置することは、
第1の基地局のものであり、UEによって測定されるダウンリンクパイロット品質は、事前設定された第1のしきい値より大きい
ことを含む。
【０３７９】
第1の命令シグナリングは、
第1のE-HICHのタイミング情報であって、第1のE-HICHのタイミング情報は、UEが第1のE-HICHの各サブフレームを受信するべき開始時間位置を示すために使用される
をさらに含む。
【０３８０】
第2の命令シグナリングは、第1のE-HICHのタイミング情報をさらに含むことができ、第1のE-HICHのタイミング情報は、第1のE-HICHの各サブフレームを送るために開始時間位置を示すために使用される。第1のE-HICHのタイミング情報は、第1の基地局の断片的なダウンリンク物理チャネルF-DPCHのタイミングオフセットτF-DPCH,nおよび/または記号位置である場合がある。
【０３８１】
さらに、第1の命令シグナリングおよび第2の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
をさらに含むことができる。E-RGCHのタイミング情報は、第1の基地局の断片的なダウンリンク物理チャネルF-DPCHのタイミングオフセットτF-DPCH,nおよび/または記号位置の場合がある。
【０３８２】
さらに、RNCは、受信モジュールをさらに含むことができ、受信モジュールは、処理モジュール121が第1の命令シグナリングおよび第2の命令シグナリングを生成する前に、UEによって送られた測定レポートを受信するように構成され、UEが、第1の基地局の共通パイロットチャネル品質は事前設定された第1のしきい値より大きいと測定した場合、測定レポートが送られる。
【０３８３】
本実施形態では、受信モジュールは、送信モジュール122が第1の基地局に第2の命令シグナリングを送る前に、第1の基地局によって送られた受信能力メッセージを受信するようにさらに構成され、受信能力メッセージは、第1の基地局がUEによって送られたE-DCHサービスを受信することができることを示すために使用される。
【０３８４】
本実施形態によるRNCは、図21に示した方法の実施形態の技術的解決策を実行するように構成され得、RNCの実装原理は類似しているため、本明細書に再び記述されていない。
【０３８５】
本実施形態によって提供されるRNCによると、アクセスネットワークの第1の基地局がUEのE-DCHアクティブセットにない場合、送信モジュールは、処理モジュールが第1の命令シグナリングおよび第2の命令シグナリングを生成した後、それぞれUEおよび第1の基地局に第1の命令シグナリングおよび第2の命令シグナリングを送り、それにより、UEは、第1の基地局によって送られたE-HICHを受信することができ、UEが、E-HICHにより、第1の基地局が、UEによって送られたE-DCHサービスを正しく受信したことを認識したときに、UEは、第1の基地局にE-DCHサービスを送ることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０３８６】
図26に示すように、本発明の実施形態は、ネットワーク通信方法をさらに提供し、これは以下を含む。
【０３８７】
S261.アクセスネットワークのユーザ機器UEは、無線ネットワークコントローラRNCの第1の無線ネットワーク制御RRCシグナリングを受信し、UEは、第1のRRCシグナリングの命令により、UEの拡張された向上された専用チャネルE-DCHアクティブセットに第1の基地局を追加する。
【０３８８】
S262.UEは、第1の基地局の向上された専用チャネルのハイブリッド自動再送要求インジケータチャネルE-HICHを受信し、E-HICHが肯定応答ACKを示す場合、UEは、新しいE-DCHデータを送る。
【０３８９】
S263.UEがアクセスネットワークから専用チャネルDCHデータを受信しない場合、UEは、第1のRRCシグナリングの命令により、第1の基地局の断片的な専用物理チャネルF-DPCHを受信する機能を無効化し、RNCは、第1のRRCシグナリングからF-DPCHの構成情報を削除することによって、または第1のRRCシグナリングで事前設定された指示フィールドを使用することによって命令を完了する。
【０３９０】
S264.UEがアクセスネットワークからDCHデータを受信する場合、UEは、第1のRRCシグナリングの命令により、第1の基地局のダウンリンク専用物理データチャネルDPDCHを受信する機能を無効化し、RNCは、第1のRRCシグナリングからDPCHの構成情報を削除することによって、または第1のRRCシグナリングで事前設定された指示フィールドを使用することによって命令を完了する。
【０３９１】
本発明の実施形態では、既存のシグナリング、たとえば、前述の第1のRRCシグナリングは修正され得、そこの一部のフィールドまたは構成情報は、フィールドまたは構成情報に関係する機能を実行することを省略するようにUEに指示するために削除され得る。確かに、命令は、また、既存の第1のRRCシグナリングに指示フィールドを追加することによって実装され得るか、または第1のRRCシグナリングは、新しく定義されたシグナリングの場合があり、また、指示フィールドは、命令を実装するためにそこに追加され得る。
【０３９２】
実装方法では、UEがアクセスネットワークからDCHデータを受信する場合、方法は、UEによって、第1のRRCシグナリングの命令により第1の基地局のF-DPCHを受信するステップであって、F-DPCHは、UEに対して送信電力制御を実行するために使用される。
【０３９３】
別の実装方法では、UEがアクセスネットワークからDCHデータを受信する場合、方法は、UEによって、第1の基地局によって送られたダウンリンク専用物理制御チャネルDPCCHを受信する機能を無効化するステップをさらに含む。
【０３９４】
別の実装方法では、UEがUEのE-DCHアクティブセットに第1の基地局を追加した後、方法は、UEによって、ネットワークによって送られた第1の制御シグナリングを受信するステップと、第1の制御シグナリングの命令により第1の基地局のF-DPCHを受信するステップ、または第1の基地局によって送られたダウンリンクDPDCHを受信するステップであって、ダウンリンクDPDCHは、第1の基地局からUEによってDCH受信されたデータを運ぶために使用されるステップとをさらに含む。
【０３９５】
別の実装方法では、UEによって、第1の基地局によって送られたダウンリンクDPDCHを受信するステップは、UEによって、第1の基地局のダウンリンクDPCCHを受信するステップであって、ダウンリンクDPCCHは、UEに物理レイヤ制御シグナリングを送るために、第1の基地局によって使用されるステップをさらに含む。
【０３９６】
別の実装方法では、ネットワークによって送られた第1の制御シグナリングは、RNCによって送られた第2のRRCシグナリング、またはアクセスネットワークの第2の基地局によって送られた第1の物理レイヤシグナリングを含み、第2の基地局は、UEのE-DCHアクティブセットまたはDCHアクティブセットにある。
【０３９７】
別の実装方法では、UEによって、ネットワークによって送られた第1の制御シグナリングを受信するステップの前に、方法は、UEによって、各セルの共通パイロットチャネル品質を測定するステップと、UEが、第1の基地局の共通パイロットチャネル品質は事前設定された第1のしきい値より大きいと測定した場合、UEによって、RNCに測定レポートを送り、それにより、測定レポートにより、RNCはUEに第2のRRCシグナリングを送るか、またはRNCは、UEに第1の物理レイヤシグナリングを送るように第2の基地局に指示するステップをさらに含む。
【０３９８】
別の実装方法では、UEによって、第1の基地局のF-DPCHを受信するステップの前に、方法は、UEによって、第1の基地局のF-DPCHの構成情報を受信するステップであって、構成情報は、F-DPCHのチャネル化コード、フレームオフセット、およびタイムスロット形式の少なくとも1つを含むステップをさらに含む。
【０３９９】
別の実装方法では、方法は、第1の基地局のF-DPCHの構成情報は、第1の制御シグナリングで運ばれる。
【０４００】
別の実装方法では、UEによって、第1の基地局のダウンリンクDPDCHを受信するステップの前に、方法は、UEによって、第1の基地局のダウンリンクDPCHの構成情報を受信するステップであって、ダウンリンクDPCHの構成情報は、DPCHのチャネル化コードまたはフレームオフセットに関する情報を含むステップをさらに含む。
【０４０１】
別の実装方法では、ダウンリンクDPCHの構成情報は、第1の制御シグナリングで運ばれる。
【０４０２】
図27に示すように、本発明の実施形態は、ネットワーク通信方法をさらに提供し、これは以下を含む。
【０４０３】
S271.アクセスネットワークのRNCは、第1のRRCシグナリングまたは第1のネットワークシグナリングを生成する。
【０４０４】
S272.RNCは、UEに第1のRRCシグナリングを送るか、またはアクセスネットワークの第1の基地局に第1のネットワークシグナリングを送り、第1のRRCシグナリングは、UEのE-DCHアクティブセットに第1の基地局を追加するようにUEに指示し、第1の基地局のE-HICHを受信するようにUEに指示するために使用され、第1のネットワークシグナリングは、UEによって送られたE-DCHデータを受信するように第1の基地局に指示し、UEにE-HICHを送るように第1の基地局に指示するために使用され、UEがアクセスネットワークからDCHデータを受信しない場合、第1のRRCシグナリングは、第1の基地局のF-DPCHを受信する機能を無効化するようにUEに指示し、RNCは、第1のRRCシグナリングからF-DPCHの構成情報を削除することによって、または第1のRRCシグナリングで事前設定された指示フィールドを設定することによって命令を完了するか、または第1のネットワークシグナリングは、F-DPCHを送る機能を無効化するように第1の基地局に指示し、RNCは、第1のネットワークシグナリングからF-DPCHの構成情報を削除することによって、または第1のネットワークシグナリングで事前設定された指示フィールドを設定することによって命令を完了し、UEがアクセスネットワークからDCHデータを受信する場合、第1のRRCシグナリングは、第1の基地局のダウンリンクDPDCHを受信する機能を無効化するようにUEに指示し、RNCは、第1のRRCシグナリングからDPCHの構成情報を削除することによって、または第1のRRCシグナリングで事前設定された指示フィールドを使用することによって命令を完了するか、または第1のネットワークシグナリングは、ダウンリンクDPDCHを送る機能を無効化するように第1の基地局に指示し、RNCは、第1のネットワークシグナリングからDPCHの構成情報を削除することによって、または第1のネットワークシグナリングで事前設定された指示フィールドを設定することによって命令を完了する。
【０４０５】
方法の実装方法では、UEがアクセスネットワークからDCHデータを受信する場合、第1のRRCシグナリングからDPCHの構成情報を削除することによって、RNCが命令を完了することは、第1のRRCシグナリングは、第1の基地局のF-DPCHを受信するようにUEに指示し、F-DPCHは、UEに対してアップリンク送信電力制御を実行するために使用され、第1のネットワークシグナリングは、UEにF-DPCHを送るように第1の基地局に指示することを含む。
【０４０６】
方法の別の実装方法では、第1のRRCシグナリングは、第1の基地局のダウンリンクDPDCHを受信する機能を無効化するようにUEに指示することは、第1のネットワークシグナリングは、UEにDPCCHを送る機能を無効化するように第1の基地局に指示するか、または第1のRRCシグナリングは、第1の基地局のダウンリンクDPCCHを受信する機能を無効化するようにUEにさらに指示することをさらに含む。
【０４０７】
方法の別の実装方法では、RNCによって、UEに第1のRRCシグナリングおよび第1の基地局に第1のネットワークシグナリングを送信するステップの後に、方法は、RNCによって、第2のRRCシグナリングを生成するステップと、RNCによって、UEに第2のRRCシグナリングを送るステップと、を含み、UEがアクセスネットワークからDCHデータを受信しない場合、第2のRRCシグナリングは、第1の基地局によって送られたF-DPCHを受信するようにUEに指示するために使用され、UEがアクセスネットワークからDCHデータを受信する場合、第2のRRCシグナリングは、第1の基地局によって送られたダウンリンクDPDCHを受信するようにUEに指示するために使用される。
【０４０８】
方法の別の実装方法では、UEがアクセスネットワークからDCHデータを受信する場合、第2のRRCシグナリングは、第1の基地局によって送られたダウンリンクDPDCHを受信するようにUEに指示するために使用されることは、第2のRRCシグナリングは、第1の基地局によって送られたダウンリンクDPCCHを受信するようにUEに指示することをさらに含む。
【０４０９】
方法の別の実装方法では、方法は、UEがアクセスネットワークからDCHデータを受信しない場合、第2のRRCシグナリングは、F-DPCHの構成情報を含み、UEがアクセスネットワークからDCHデータを受信する場合、第2のRRCシグナリングは、第1の基地局のダウンリンクDPCHの構成情報を含む。
【０４１０】
方法の別の実装方法では、方法は、RCNによって、第2のネットワークシグナリングを生成するステップと、RNCによって、第1の基地局に第2のネットワークシグナリングを送るステップと、UEがアクセスネットワークからDCHデータを受信しない場合、第2のネットワークシグナリングは、UEにF-DPCHを送るように第1の基地局に指示するために使用され、UEがアクセスネットワークからDCHデータを受信する場合、第2のネットワークシグナリングは、UEにDPDCHを送るように第1の基地局に指示するために使用されることをさらに含む。
【０４１１】
方法の別の実装方法では、UEがアクセスネットワークからDCHデータを受信する場合、第2のネットワークシグナリングは、UEにDPDCHを送るように第1の基地局に指示するために使用されることは、第2のネットワークシグナリングは、UEにダウンリンクDPCCHを送るように第1の基地局に指示することをさらに含む。
【０４１２】
方法の別の実装方法では、方法は、UEがアクセスネットワークからDCHデータを受信しない場合、第2のネットワークシグナリングは、F-DPCHの構成情報を含み、UEがアクセスネットワークからDCHデータを受信する場合、第2のネットワークシグナリングは、第1の基地局のダウンリンクDPCHの構成情報を含むことをさらに含む。
【０４１３】
別の実装方法では、RNCが第2のRRCシグナリングを生成する前に、方法は、RNCによって、UEによって送られた測定レポートを受信するステップであって、測定レポートは、UEに第2のRRCシグナリングを送るようにRNCに指示するために使用されるステップをさらに含む。
【０４１４】
図28に示すように、本発明の実施形態は、ネットワーク通信方法をさらに提供し、これは以下を含む。
【０４１５】
S281.アクセスネットワークの第1の基地局は、無線ネットワークコントローラRNCによって送られた第1のネットワークシグナリングを受信し、第1のネットワークシグナリングの命令により、アクセスネットワークのユーザ機器UEによって送られたE-DCHデータを受信し、UEにE-HICHを送る。
【０４１６】
S282.UEがアクセスネットワークからDCHデータを受信しない場合、第1の基地局は、第1のネットワークシグナリングの命令により、UEにF-DPCHを送る機能を無効化する。
【０４１７】
S283.UEがアクセスネットワークからDCHデータを受信する場合、第1の基地局は、第1のネットワークシグナリングの命令により、UEにダウンリンクDPDCHを送る機能を無効化する。
【０４１８】
方法の実装方法では、RNCは、第1のネットワークシグナリングからF-DPCHの構成情報を削除することによって、または第1のネットワークシグナリングで事前設定された指示フィールドを設定することによって命令を完了する。
【０４１９】
方法の別の実装方法では、UEがアクセスネットワークからDCHデータを受信する場合、第1の基地局が、UEにダウンリンクDPDCHを送る機能を無効化することは、第1の基地局によって、UEにF-DPCHを送るステップであって、F-DPCHは、UEに対してアップリンク送信電力制御を実行するために第1の基地局によって使用されるステップをさらに含む。
【０４２０】
方法の別の実装方法では、UEがアクセスネットワークからDCHデータを受信する場合、第1の基地局が、UEにダウンリンクDPDCHを送る機能を無効化することは、第1の基地局によって、UEにダウンリンクDPCCHを送る機能を無効にするステップをさらに含む。
【０４２１】
方法の別の実装方法では、第1の基地局が第1のRRCシグナリングを受信した後、方法は、第1の基地局によって、RNCによって送られた第2のRRCシグナリングを受信するステップと、UEがアクセスネットワークからDCHデータを受信しない場合、第1の基地局によって、第2のRRCシグナリングの命令によりUEにF-DPCHを送るステップと、UEがアクセスネットワークからDCHデータを受信する場合、第1の基地局によって、第2のRRCシグナリングの命令によりUEにダウンリンクDPDCHを送るステップとをさらに含む。
【０４２２】
方法の別の実装方法では、方法は、UEがアクセスネットワークからDCHデータを受信しない場合、第1の基地局によって受信された第1のネットワークシグナリングは、F-DPCHの構成情報を含み、UEがアクセスネットワークからDCHデータを受信する場合、第1の基地局によって受信された第1のネットワークシグナリングは、ダウンリンクDPCHの構成情報を含むことをさらに含む。
【０４２３】
方法の別の実装方法では、UEがアクセスネットワークからDCHデータを受信する場合、第1の基地局によって、UEにダウンリンクDPDCHを送るステップは、第1の基地局によって、UEにダウンリンクDPCCHを送るステップをさらに含む。
【０４２４】
図29に示すように、本発明の実施形態は、アクセスネットワークのユーザ機器UE290をさらに提供し、無線ネットワークコントローラRNCの第1の無線ネットワーク制御RRCシグナリングを受信し、第1のRRCシグナリングの命令によりUEの拡張向上された専用チャネルE-DCHアクティブセットに第1の基地局を追加し、第1の基地局の向上された専用チャネルのハイブリッド自動再送要求インジケータチャネルE-HICHを受信し、E-HICHが肯定応答ACKを示す場合、新しいE-DCHデータを送るように構成された無線送受信ユニット291と、UEがアクセスネットワークから専用チャネルDCHデータを受信しない場合、第1のRRCシグナリングの命令により、第1の基地局の断片的な専用物理チャネルF-DPCHを受信する機能を無効化し、RNCは、第1のRRCシグナリングからF-DPCHの構成情報を削除することによって、または第1のRRCシグナリングで事前設定された指示フィールドを使用することによって命令を完了し、UEがアクセスネットワークからDCHデータを受信する場合、第1のRRCシグナリングの命令により、第1の基地局のダウンリンク専用物理データチャネルDPDCHを受信する機能を無効化し、RNCは、第1のRRCシグナリングからDPCHの構成情報を削除することによって、または第1のRRCシグナリングで事前設定された指示フィールドを使用することによって命令を完了するように構成された処理ユニット292とを含む。
【０４２５】
実装方法では、UEがアクセスネットワークからDCHデータを受信する場合、無線送受信ユニット291は、第1のRRCシグナリングの命令により第1の基地局のF-DPCHを受信するようにさらに構成され、F-DPCHは、UEに対して送信電力制御を実行するために使用される。
【０４２６】
別の実装方法では、UEがアクセスネットワークからDCHデータを受信する場合、処理ユニット292は、第1の基地局によって送られたダウンリンク専用物理制御チャネルDPCCHを受信する機能を無効化するようにさらに構成される。
【０４２７】
別の実装方法では、UEのE-DCHアクティブセットに第1の基地局を追加した後、無線送受信ユニット291は、ネットワークによって送られた第1の制御シグナリングを受信し、第1の制御シグナリングの命令により第1の基地局のF-DPCHを受信するか、または第1の基地局によって送られたダウンリンクDPDCHを受信し、ダウンリンクDPDCHは、第1の基地局からUEによって受信されたDCHデータを運ぶために使用されるようにさらに構成される。
【０４２８】
別の実装方法では、無線送受信ユニット291は、第1の基地局のダウンリンクDPCCHを受信するようにさらに構成され、ダウンリンクDPCCHは、UEに物理レイヤ制御シグナリングを送るために、第1の基地局によって使用される。
【０４２９】
別の実装方法では、ネットワークによって送られた第1の制御シグナリングは、RNCによって送られた第2のRRCシグナリング、またはアクセスネットワークの第2の基地局によって送られた第1の物理レイヤシグナリングであって、第2の基地局は、UEのE-DCHアクティブセットまたはDCHアクティブセットにある第1の物理レイヤシグナリングを含む。
【０４３０】
方法の別の実装方法では、ネットワークによって送られた第1の制御シグナリングを受信する前に、無線送受信ユニット291は、各セルの共通パイロットチャネル品質を測定し、第1の基地局の共通パイロットチャネル品質は事前設定された第1のしきい値より大きいと測定した場合、RNCに測定レポートを送るため、測定レポートにより、RNCはUEに第2のRRCシグナリングを送るか、またはRNCは、UEに第1の物理レイヤシグナリングを送るように第2の基地局に指示するようにさらに構成される。
【０４３１】
別の実装方法では、第1の基地局のF-DPCHを受信する前に、無線送受信ユニット291は、第1の基地局のF-DPCHの構成情報を受信するようにさらに構成され、構成情報は、F-DPCHのチャネル化コード、フレームオフセット、およびタイムスロット形式の少なくとも1つを含む。
【０４３２】
別の実装方法では、第1の基地局のF-DPCHの構成情報は、第1の制御シグナリングで運ばれる。
【０４３３】
別の実装方法では、第1の基地局のダウンリンクDPDCHを受信する前に、無線送受信ユニット291は、第1の基地局のダウンリンクDPCHの構成情報を受信するようにさらに構成され、ダウンリンクDPCHの構成情報は、DPCHのチャネル化コードまたはフレームオフセットに関する情報を含む。
【０４３４】
別の実装方法では、ダウンリンクDPCHの構成情報は、第1の制御シグナリングで運ばれる。
【０４３５】
図30に示すように、本発明の実施形態は、アクセスネットワークのRNC300をさらに提供し、第1のRRCシグナリングまたは第1のネットワークシグナリングを生成するように構成された処理ユニット3001と、UEに第1のRRCシグナリングを送るか、またはアクセスネットワークの第1の基地局に第1のネットワークシグナリングを送るように構成された無線送受信ユニット3002とを含み、第1のRRCシグナリングは、UEのE-DCHアクティブセットに第1の基地局を追加するように指示し、第1の基地局のE-HICHを受信するようにUEに指示するために使用され、第1のネットワークシグナリングは、UEによって送られたE-DCHデータを受信するように第1の基地局に指示し、UEにE-HICHを送るように第1の基地局に指示するために使用され、UEがアクセスネットワークからDCHデータを受信しない場合、第1のRRCシグナリングは、第1の基地局のF-DPCHを受信する機能を無効化するようにUEに指示し、処理ユニット3001は、第1のRRCシグナリングからF-DPCHの構成情報を削除することによって、または第1のRRCシグナリングで事前設定された指示フィールドを設定することによって命令を完了するか、または第1のネットワークシグナリングは、F-DPCHを送る機能を無効化するように第1の基地局に指示し、処理ユニット3001は、第1のネットワークシグナリングからF-DPCHの構成情報を削除することによって、または第1のネットワークシグナリングで事前設定された指示フィールドを設定することによって命令を完了し、UEがアクセスネットワークからDCHデータを受信する場合、第1のRRCシグナリングは、第1の基地局のダウンリンクDPDCHを受信する機能を無効化するようにUEに指示し、処理ユニット3001は、第1のRRCシグナリングからDPCHの構成情報を削除することによって、または第1のRRCシグナリングで事前設定された指示フィールドを使用することによって命令を完了するか、または第1のネットワークシグナリングは、ダウンリンクDPDCHを送る機能を無効化するように第1の基地局に指示し、処理ユニット3001は、第1のネットワークシグナリングからDPCHの構成情報を削除することによって、または第1のネットワークシグナリングで事前設定された指示フィールドを設定することによって命令を完了する。
【０４３６】
実装方法では、UEがアクセスネットワークからDCHデータを受信する場合、第1のRRCシグナリングは、第1の基地局のF-DPCHを受信するようにUEに指示し、F-DPCHは、UEに対してアップリンク送信電力制御を実行するために使用され、第1のネットワークシグナリングは、UEにF-DPCHを送るように第1の基地局に指示する。
【０４３７】
別の実装方法では、第1のネットワークシグナリングは、UEにDPCCHを送る機能を無効化するように第1の基地局に指示するか、または第1のRRCシグナリングは、第1の基地局のダウンリンクDPCCHを受信する機能を無効化するようにUEにさらに指示する。
【０４３８】
別の実装方法では、無線送受信ユニット3002がUEに第1のRRCシグナリングを送り、第1の基地局に第1のネットワークシグナリングを送った後、処理ユニット3001は、第2のRRCシグナリングを生成するようにさらに構成され、無線送受信ユニット3002は、UEに第2のRRCシグナリングを送るようにさらに構成され、UEがアクセスネットワークからDCHデータを受信しない場合、第2のRRCシグナリングは、第1の基地局によって送られたF-DPCHを受信するようにUEに指示するために使用され、UEがアクセスネットワークからDCHデータを受信する場合、第2のRRCシグナリングは、第1の基地局によって送られたダウンリンクDPDCHを受信するようにUEに指示するために使用される。
【０４３９】
別の実装方法では、UEがアクセスネットワークからDCHデータを受信する場合、第2のRRCシグナリングは、第1の基地局によって送られたダウンリンクDPCCHを受信するようにUEに指示する。
【０４４０】
別の実装方法では、UEがアクセスネットワークからDCHデータを受信しない場合、第2のRRCシグナリングは、F-DPCHの構成情報を含み、UEがアクセスネットワークからDCHデータを受信する場合、第2のRRCシグナリングは、第1の基地局のダウンリンクDPCHの構成情報を含む。
【０４４１】
別の実装方法では、処理ユニット3001は、第2のネットワークシグナリングを生成するようにさらに構成され、無線送受信ユニット3002は、第1の基地局に第2のネットワークシグナリングを送るようにさらに構成され、UEがアクセスネットワークからDCHデータを受信しない場合、第2のネットワークシグナリングは、UEにF-DPCHを送るように第1の基地局に指示するために使用され、UEがアクセスネットワークからDCHデータを受信する場合、第2のネットワークシグナリングは、UEにDPDCHを送るように第1の基地局に指示するために使用される。
【０４４２】
別の実装方法では、UEがアクセスネットワークからDCHデータを受信する場合、第2のネットワークシグナリングは、UEにダウンリンクDPCCHを送るように第1の基地局にさらに指示する。
【０４４３】
別の実装方法では、UEがアクセスネットワークからDCHデータを受信しない場合、第2のネットワークシグナリングは、F-DPCHの構成情報を含み、UEがアクセスネットワークからDCHデータを受信する場合、第2のネットワークシグナリングは、第1の基地局のダウンリンクDPCHの構成情報を含む。
【０４４４】
別の実装方法では、処理ユニット3001が第2のRRCシグナリングを生成する前に、無線送受信ユニット3002は、UEによって送られた測定レポートを受信するようにさらに構成され、測定レポートは、UEに第2のRRCシグナリングを送るようにRNCに指示するために使用される。
【０４４５】
図31に示すように、本発明の実施形態は、アクセスネットワークの第1の基地局310をさらに提供し、無線ネットワークコントローラRNCによって送られた第1のネットワークシグナリングを受信するように構成された無線送受信ユニット311であって、第1のネットワークシグナリングの命令により、アクセスネットワークのユーザ機器UEによって送られたE-DCHデータを受信し、UEにE-HICHを送る無線送受信ユニット311と、UEがアクセスネットワークからDCHデータを受信しない場合、第1のネットワークシグナリングの命令により、UEにF-DPCHを送る機能を無効化し、UEがアクセスネットワークからDCHデータを受信する場合、第1のネットワークシグナリングの命令により、UEにダウンリンクDPDCHを送る機能を無効化するように構成された処理ユニット312とを含む。
【０４４６】
実装方法では、RNCは、第1のネットワークシグナリングからF-DPCHの構成情報を削除することによって、または第1のネットワークシグナリングで事前設定された指示フィールドを設定することによって命令を完了する。
【０４４７】
別の実装方法では、UEがアクセスネットワークからDCHデータを受信する場合、無線送受信ユニット311は、UEにF-DPCHを送るようにさらに構成され、F-DPCHは、UEに対してアップリンク送信電力制御を実行するために第1の基地局によって使用される。
【０４４８】
別の実装方法では、UEがアクセスネットワークからDCHデータを受信する場合、無線送受信ユニット311は、UEにダウンリンクDPCCHを送る機能を無効にするようにさらに構成される。
【０４４９】
別の実装方法では、無線送受信ユニット311は、第1のRRCシグナリングを受信した後、RNCによって送られた第2のRRCシグナリングを受信するようにさらに構成され、処理ユニット312は、UEがアクセスネットワークからDCHデータを受信しない場合、第2のRRCシグナリングの命令により、UEにF-DPCHを送り、UEがアクセスネットワークからDCHデータを受信する場合、第2のRRCシグナリングの命令により、UEにダウンリンクDPDCHを送るようにさらに構成される。
【０４５０】
別の実装方法では、無線送受信ユニット311は、UEがアクセスネットワークからDCHデータを受信しない場合、受信された第1のネットワークシグナリングは、F-DPCHの構成情報を含み、UEがアクセスネットワークからDCHデータを受信する場合、受信された第1のネットワークシグナリングは、ダウンリンクDPCHの構成情報を含むようにさらに構成される。
【０４５１】
別の実装方法では、UEがアクセスネットワークからDCHデータを受信する場合、無線送受信ユニット311は、UEにダウンリンクDPCCHを送るようにさらに構成される。
【０４５２】
実施形態では、UE、RNC、または基地局など装置は、たとえば集積回路またはPCBボードなどのハードウェアを使用することによって実装され得ることに留意されたい。たとえば送受信装置(Transceiver)など任意の無線送受信ユニットが無線周波数ユニットになり得、限定しないがベースバンド処理装置または中央処理装置を含む任意の処理ユニットがプロセッサになり得る。
【０４５３】
実施形態では、UEが基地局ノードBにE-DCHデータ(高速アップリンクパケットサービス)を送る場合、受信されたダウンリンクチャネルは、以下の2つのケースがある場合があることに留意されたい:
E-DCHデータを送るときに、UEは、また、DCHデータ(これは一般的に音声または上位レイヤ制御シグナリングである)を受信し、DCHデータは、ダウンリンクDPCHチャネルで運ばれ、DPCHチャネルは、時間に関して2つの部分、すなわちDPDCHおよびDPCCHに分割され得、DPDCHはDCHデータを運び、DPCCHは、送信電力制御TPC(Transmit Power Control)、パイロットパイロット、および送信フォーマット結合指示TFCI(Transmit Format Combination Indication)など物理的制御情報を運び、これはDCHデータを受信するために必要であり、
E-DCHデータを送るときにUEがDCHデータを受信しなければ、従来技術では、UEは、DPCHを受信する必要はない(また要求されない)が、F-DPCHを受信する必要があり、F-DPCHは、UEに対してアップリンク電力制御を実行するために、送信電力制御TPCを運ぶ。
【０４５４】
本発明の本実施形態では、UEは、図1に示した領域Bにおいて、LPN(低電力ノード、すなわちマイクロ基地局、これは図26から図31に述べられた第1の基地局に対応する)をE-DCHアクティブセットに追加することができ、LPNは、UEによって送られたE-DCHデータを受信することができるが、LPNのダウンリンク品質は低い。以下は、これを考慮する。
【０４５５】
UEがE-DCHデータを送るのみであり、ネットワークからDCHデータを受信しない場合、従来技術によると、UEは、LPNからF-DPCHを受信するべきである。しかしながら、LPNのダウンリンク品質が低いので、本発明の本実施形態では、LPNの電力オーバヘッドを低減し、UEの電力オーバヘッドを低減し、LPNの低いダウンリンク送信品質によって引き起こされた非常に高いエラー率によるUEのアップリンク送信への影響を回避するために、UEは、LPNのF-DPCHを受信しない場合があり、LPNは、F-DPCHを送信しない場合もある。
【０４５６】
従来技術によると、E-DCHデータを送るときに、UEが、また、ネットワークからDCHデータを受信すると、UEは、また、LPNからDCHを受信するべきである。すなわち、DPCCHおよびDPDCHの両方を受信するべきである。しかしながら、LPNのダウンリンク品質が低いので、DPCCHおよびDPDCHのエラー率はより高い。本実施形態では、UEは、LPNからDPDCHを受信しないが、DPCCHで運ばれる一部の制御情報をまだ受信するか、またはUEはDPCCHも受信せず、これにより、UEがダウンリンクチャネルを受信するための電力オーバヘッドがさらに低減する。LPNがUEに対してアップリンク電力制御を実行する必要がある場合、UEは、LPNによって送られたF-DPCHを受信することができ、F-DPCHの送信電力オーバヘッドおよび受信電力オーバヘッドは、DPCCHのものより小さく、UEは、UEのアップリンク電力送信を調整するためにF-DPCHでTPCを復号する。UEが領域Bから領域Cに移動する場合、LPNのダウンリンク品質は徐々に良好になり、RNCは、従来技術のソフトハンドオーバプロセスに返すためにUEを制御する。UEがネットワークからDCHデータを受信する場合、本実施形態では、ネットワークシグナリングは、LPNによって送られたDPCHを受信し始めるようにUEに指示するために使用される。UEがネットワークからDCHデータを受信しない場合、本実施形態では、ネットワークシグナリングは、LPNによって送られたF-DPCHを受信するようにUEに指示するために使用される。
【０４５７】
要約すると、本発明の実施形態では、必要な場合、UEが、F-DPCH、DPCCH、またはDPDCHを受信するように、明示的または暗黙的な方法が使用される。たとえば、1つの基地局からUEへのダウンリンク品質が低下した場合、UEの一部の受信機は柔軟に無効化され得るか、またはUEに対する対応する送信機能は無効化され得るので、基地局によって低品質無線リンクを送るための送信電力消費を減らすことができ、また、UEによって低品質無線リンクを受信するための受信電力消費を減らし、ネットワーク通信への低下したリンク品質の影響を低減することができる。さらに、基地局およびRNCは、別のUEにサービスを提供するために、無効化されている無線リンクを使用することができ、これによりネットワークのダウンリンク容量が改善される。
【０４５８】
本発明で提供される複数の実施形態では、開示された装置および方法は、他の方法で実装され得ることを理解するべきである。たとえば、記述された装置の実施形態は単に代表を表すものである。たとえば、ユニット区分は、単に論理的な機能の区分であり、実際の実装では他の区分の場合がある。たとえば、複数のユニットまたは構成要素は、別のシステムに組み込むか、もしくは統合され得、または一部の特徴は無視されるか、または実行されない場合がある。さらに、表示もしくは記述された相互の結合もしくは直接的な結合、または通信接続は、一部のインターフェースを通じて実装され得る。装置またはユニットの間の間接的な結合または通信接続は、電子、機械、または他の形態で実装され得る。
【０４５９】
別の部分として記述されたユニットは、物理的に分かれているか、または分かれていない場合があり、ユニットとして表示された部分は、物理的なユニットであるか、または物理的なユニットでない場合があり、1つの場所に位置し得るか、または複数のネットワークユニットに分散され得る。実施形態の解決策の目的を達成するために、ユニットの一部またはすべては、実際のニーズにより選択され得る。
【０４６０】
さらに、本発明の実施形態の機能ユニットは、1つの処理ユニットへと統合され得るか、またはユニットの各々は、物理的に単独で存在することができるか、または2つ以上のユニットは、1つのユニットへと統合される。統合されたユニットは、ハードウェアの形態で実装され得るか、またはソフトウェア機能ユニットに加えてハードウェアの形態で実装され得る。
【０４６１】
前述の統合されたユニットがソフトウェア機能ユニットの形態で実装される場合、統合されたユニットは、コンピュータ可読記憶媒体に格納され得る。ソフトウェア機能ユニットは、記憶媒体に格納され、本発明の実施形態に記述されている方法のステップの一部を実行するように、コンピュータデバイス(パーソナルコンピュータ、サーバ、またはネットワークデバイスの場合がある)またはプロセッサに指示するための複数の命令を含む。前述の記憶媒体は、USBフラッシュドライブ、リムーバブルハードディスク、読み取り専用メモリ(Read-Only Memory、ROM)、ランダムアクセスメモリ(Random Access Memory、RAM)、磁気ディスク、または光ディスクなどプログラムコードを格納することができる任意の媒体を含む。
【０４６２】
便利かつ簡潔な記述を目的として、前述の機能モジュールの区分は、説明のための実例として理解されることを当業者は明白に理解されるであろう。実際の用途では、前述の機能は、異なる機能モジュールに割り当てられ得、要件により実装され得る。すなわち、上に記述された機能のすべてまたは一部を実装するために、装置の内部構造は、異なる機能モジュールへと分割される。前述の装置の詳細な作業プロセスについて、前述の方法の実施形態において対応するプロセスが参照され得るため、詳細は本明細書に再び記述されていない。
【０４６３】
最後に、前述の実施形態は、単に、本発明の技術的解決策を記述することを意図するものであり、本発明を制限することを意図するものではないことに留意されたい。本発明は、前述の実施形態に関して詳細に記述されているが、当業者であれば、本発明の実施形態の技術的解決策の範囲から逸脱することなく、さらに、前述の実施形態に記述されている技術的解決策に修正を行えること、またはその一部またはすべての技術的特徴に等価な置き換えを行えることを理解されるであろう。
【符号の説明】
【０４６４】
11  受信モジュール
12  処理モジュール
13  第1の測定モジュール
14  第1の送信モジュール
15  第2の測定モジュール
16  第2の送信モジュール
21  生成モジュール
22  送信モジュール
23  第1の受信モジュール
24  第2の受信モジュール
31  受信モジュール
32  処理モジュール
33  送信モジュール
41  受信モジュール
42  送信モジュール
101  受信モジュール
102  送信モジュール
111  受信モジュール
112  送信モジュール
121  処理モジュール
122  送信モジュール
290  UE、ユーザ機器
291  無線送受信ユニット
292  処理ユニット
300  RNC
311  無線送受信ユニット
312  処理ユニット
3001  処理ユニット
3002  無線送受信ユニット
【図１】
2016527775.tif 000003
【図２】
2016527775.tif 000004
【図３】
2016527775.tif 000005
【図４】
2016527775.tif 000006
【図５】
2016527775.tif 000007
【図６】
2016527775.tif 000008
【図７】
2016527775.tif 000009
【図８】
2016527775.tif 000010
【図９】
2016527775.tif 000011
【図１０】
2016527775.tif 000012
【図１１】
2016527775.tif 000013
【図１２】
2016527775.tif 000014
【図１３】
2016527775.tif 000015
【図１４】
2016527775.tif 000016
【図１５】
2016527775.tif 000017
【図１６】
2016527775.tif 000018
【図１７】
2016527775.tif 000019
【図１８】
2016527775.tif 000020
【図１９】
2016527775.tif 000021
【図２０】
2016527775.tif 000022
【図２１】
2016527775.tif 000023
【図２２】
2016527775.tif 000024
【図２３】
2016527775.tif 000025
【図２４】
2016527775.tif 000026
【図２５】
2016527775.tif 000027
【図２６】
2016527775.tif 000028
【図２７】
2016527775.tif 000029
【図２８】
2016527775.tif 000030
【図２９】
2016527775.tif 000031
【図３０】
2016527775.tif 000032
【図３１】
2016527775.tif 000033
【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
無線ネットワークコントローラ（RNC）の第1の無線リソース制御（RRC）シグナリングを受信し、第1のRRCシグナリングの命令によりアクセスネットワークのユーザ機器（UE）の向上された専用チャネル（E-DCH）アクティブセットに第1の基地局を追加し、前記第1の基地局の向上された専用チャネルのハイブリッド自動再送要求インジケータチャネル（E-HICH）を受信し、前記E-HICHが肯定応答（ACK）を示す場合、新しいE-DCHデータを送るように構成された無線送受信ユニットと、
前記無線送受信ユニットが前記アクセスネットワークから専用チャネル（DCH）データを受信しない場合、前記第1のRRCシグナリングの前記命令により、前記第1の基地局の断片的な専用物理チャネル（F-DPCH）を受信する機能を無効化し、前記RNCは、前記第1のRRCシグナリングから前記F-DPCHの構成情報を削除することによって、または前記第1のRRCシグナリングで事前設定された指示フィールドを使用することによって前記命令を完了し、
前記UEが前記アクセスネットワークからDCHデータを受信する場合、前記第1のRRCシグナリングの命令により、前記第1の基地局のダウンリンク専用物理データチャネル（DPDCH）を受信する機能を無効化し、前記RNCは、前記第1のRRCシグナリングから専用物理チャネル（DPCH）の構成情報を削除することによって、または前記第1のRRCシグナリングで事前設定された指示フィールドを使用することによって前記命令を完了する
ように構成された処理ユニットと
を含むアクセスネットワークのユーザ機器UE。
【請求項２】
前記無線送受信ユニットが前記アクセスネットワークからDCHデータを受信する場合、前記無線送受信ユニットは、前記第1のRRCシグナリングの前記命令により前記第1の基地局のF-DPCHを受信するようにさらに構成され、前記F-DPCHは、前記UEに対して送信電力制御を実行するために使用される請求項1に記載のUE。
【請求項３】
前記UEが前記アクセスネットワークからDCHデータを受信する場合、前記処理ユニットは、前記第1の基地局によって送られたダウンリンク専用物理制御チャネル（DPCCH）を受信する機能を無効化するようにさらに構成される請求項1または2に記載のUE。
【請求項４】
前記UEの前記E-DCHアクティブセットに前記第1の基地局を追加した後、前記無線送受信ユニットは、ネットワークによって送られた第1の制御シグナリングを受信し、前記第1の制御シグナリングの命令により前記第1の基地局のF-DPCHを受信するか、または前記第1の基地局によって送られたダウンリンクDPDCHを受信し、前記ダウンリンクDPDCHは、前記第1の基地局によって前記UEに送信されたDCHデータを運ぶために使用される請求項1に記載のUE。
【請求項５】
前記無線送受信ユニットは、前記第1の基地局のダウンリンクDPCCHを受信するようにさらに構成され、前記ダウンリンクDPCCHは、前記UEに物理レイヤ制御シグナリングを送るために、前記第1の基地局によって使用される請求項4に記載のUE。
【請求項６】
前記ネットワークによって送られた前記第1の制御シグナリングは、
前記RNCによって送られた第2のRRCシグナリング、または
前記アクセスネットワークの第2の基地局によって送られた第1の物理レイヤシグナリングであって、前記第2の基地局は、前記UEの前記E-DCHアクティブセットまたはDCHアクティブセットにある第1の物理レイヤシグナリング
を含む請求項3または4に記載のUE。
【請求項７】
前記ネットワークによって送られた前記第1の制御シグナリングを受信するステップの前に、前記無線送受信ユニットは、各セルの共通パイロットチャネル品質を測定し、
前記第1の基地局の受信された共通パイロットチャネル品質は、事前設定された第1のしきい値より大きいと測定した場合、前記RNCに測定レポートを送り、それにより、前記測定レポートにより、前記RNCは前記UEに前記第2のRRCシグナリングを送るか、または前記RNCは、前記UEに前記第1の物理レイヤシグナリングを送るように前記第2の基地局に指示する
ようにさらに構成される
請求項6に記載のUE。
【請求項８】
アクセスネットワークの無線ネットワークコントローラ（RNC）であって、
第1の無線ネットワーク制御（RRC）シグナリングまたは第1のネットワークシグナリングを生成するように構成された処理ユニットと、
ユーザ機器（UE）に前記第1のRRCシグナリングを送るか、または前記アクセスネットワークの第1の基地局に前記第1のネットワークシグナリングを送るように構成された無線送受信ユニットであって、前記第1のRRCシグナリングは、前記UEの拡張された向上された専用チャネル（E-DCH）アクティブセットに前記第1の基地局を追加するように前記UEに指示し、前記第1の基地局の向上された専用チャネルのハイブリッド自動再送要求インジケータチャネル（E-HICH）を受信するように前記UEに指示するために使用され、前記第1のネットワークシグナリングは、前記UEによって送られたE-DCHデータを受信するように前記第1の基地局に指示し、前記UEに前記E-HICHを送るように前記第1の基地局に指示するために使用される無線送受信ユニットと
を含み、
前記UEが前記アクセスネットワークから専用チャネル（DCH）データを受信しない場合、前記第1のRRCシグナリングは、前記第1の基地局の断片的な専用物理チャネル（F-DPCH）を受信する機能を無効化するように前記UEに指示するよう用いられ、前記処理ユニットは、前記第1のRRCシグナリングから前記F-DPCHの構成情報を削除することによって、または前記第1のRRCシグナリングで事前設定された指示フィールドを設定することによって前記命令を完了するか、前記第1のネットワークシグナリングは、F-DPCHを送る機能を無効化するように前記第1の基地局に指示し、前記処理ユニットは、前記第1のネットワークシグナリングから前記F-DPCHの構成情報を削除することによって、または前記第1のネットワークシグナリングで事前設定された指示フィールドを設定することによって前記命令を完了し、
前記UEが前記アクセスネットワークからDCHデータを受信する場合、前記第1のRRCシグナリングは、前記第1の基地局のダウンリンク専用物理データチャネル（DPDCH）を受信する機能を無効化するように前記UEに指示し、前記処理ユニットは、前記第1のRRCシグナリングからDPCHの構成情報を削除することによって、または前記第1のRRCシグナリングで事前設定された指示フィールドを使用することによって前記命令を完了するか、または前記第1のネットワークシグナリングは、ダウンリンクDPDCHを送る機能を無効化するように前記第1の基地局に指示し、前記処理ユニットは、前記第1のネットワークシグナリングからDPCHの構成情報を削除することによって、または前記第1のネットワークシグナリングで事前設定された指示フィールドを設定することによって前記命令を完了する
アクセスネットワークのRNC。
【請求項９】
前記UEが前記アクセスネットワークからDCHデータを受信する場合、前記第1のRRCシグナリングは、前記第1の基地局のF-DPCHを受信するように前記UEに指示し、前記F-DPCHは、前記UEに対してアップリンク送信電力制御を実行するために使用され、
第1のネットワークシグナリングは、前記UEに前記F-DPCHを送るように前記第1の基地局に指示する
請求項8に記載のRNC。
【請求項１０】
前記第1のネットワークシグナリングは、前記UEに専用物理制御チャネル（DPCCH）を送る機能を無効化するように前記第1の基地局に指示するか、または前記第1のRRCシグナリングは、前記第1の基地局のダウンリンクDPCCHを受信する機能を無効化するように前記UEにさらに指示する請求項8に記載のRNC。
【請求項１１】
前記無線送受信ユニットが前記UEに前記第1のRRCシグナリングを送り、前記第1の基地局に前記第1のネットワークシグナリングを送った後、前記処理ユニットは、第2のRRCシグナリングを生成するようにさらに構成され、前記無線送受信ユニットは、前記UEに前記第2のRRCシグナリングを送るようにさらに構成され、
前記UEが前記アクセスネットワークからDCHデータを受信しない場合、前記第2のRRCシグナリングは、前記第1の基地局によって送られたF-DPCHを受信するように前記UEに指示するために使用され、
前記UEが前記アクセスネットワークからDCHデータを受信する場合、前記第2のRRCシグナリングは、前記第1の基地局によって送られたダウンリンクDPDCHを受信するように前記UEに指示するために使用される
請求項8から10のいずれか一項に記載のRNC。
【請求項１２】
前記UEが前記アクセスネットワークからDCHデータを受信する場合、前記第2のRRCシグナリングは、前記第1の基地局によって送られたダウンリンクDPCCHを受信するように前記UEに指示する請求項11に記載のRNC。
【請求項１３】
前記処理ユニットは、第2のネットワークシグナリングを生成するようにさらに構成され、前記無線送受信ユニットは、前記第1の基地局に前記第2のネットワークシグナリングを送るようにさらに構成され、
前記UEが前記アクセスネットワークからDCHデータを受信しない場合、前記第2のネットワークシグナリングは、前記UEに前記F-DPCHを送るように前記第1の基地局に指示するために使用され、
前記UEが前記アクセスネットワークからDCHデータを受信する場合、前記第2のネットワークシグナリングは、前記UEに前記DPDCHを送るように前記第1の基地局に指示するために使用される
請求項11から12に記載のRNC。
【請求項１４】
前記UEが前記アクセスネットワークからDCHデータを受信する場合、前記第2のネットワークシグナリングは、前記UEにダウンリンクDPCCHを送るように前記第1の基地局にさらに指示する請求項13に記載のRNC。
【請求項１５】
前記無線送受信ユニットは、前記UEによって送られた測定レポートを受信するようにさらに構成され、前記測定レポートは、前記UEに前記第2のRRCシグナリングを送るように前記RNCに指示するために使用される請求項11から14に記載のRNC。
【請求項１６】
無線ネットワークコントローラ（RNC）によって送られた第1のネットワークシグナリングを受信するように構成された無線送受信ユニットであって、前記第1のネットワークシグナリングの命令により、前記アクセスネットワークのユーザ機器（UE）によって送られた拡張された向上された専用チャネル（E-DCH）データを受信し、前記UEに向上された専用チャネルのハイブリッド自動再送要求インジケータチャネル（E-HICH）を送る無線送受信ユニットと、
前記UEが前記アクセスネットワークから専用チャネル（DCH）データを受信しない場合、前記第1のネットワークシグナリングの前記命令により、前記UEにF-DPCHを送る機能を無効化し、
前記UEが前記アクセスネットワークからDCHデータを受信する場合、前記第1のネットワークシグナリングの前記命令により、前記UEにダウンリンク専用物理データチャネル（DPDCH）を送る機能を無効化する
ように構成された処理ユニットと
を含むアクセスネットワークの第1の基地局。
【請求項１７】
前記RNCは、前記第1のネットワークシグナリングから前記F-DPCHの構成情報を削除することによって、または前記第1のネットワークシグナリングで事前設定された指示フィールドを設定することによって前記命令を完了する請求項16に記載の第1の基地局。
【請求項１８】
前記UEが前記アクセスネットワークからDCHデータを受信する場合、前記無線送受信ユニットは、前記UEにF-DPCHを送るようにさらに構成され、前記F-DPCHは、前記UEに対してアップリンク送信電力制御を実行するために前記基地局によって使用される請求項16または17に記載の第1の基地局。
【請求項１９】
前記UEが前記アクセスネットワークからDCHデータを受信する場合、前記無線送受信ユニットは、前記UEにダウンリンク専用物理制御チャネル（DPCCH）を送る機能を無効にするようにさらに構成される請求項16から18のいずれか一項に記載の第1の基地局。
【手続補正２】
【補正対象書類名】明細書
【補正対象項目名】全文
【補正方法】変更
【補正の内容】
【発明の詳細な説明】
【技術分野】
【０００１】
本出願は、参照により本明細書に組み込まれている、2013年6月29日に中華人民共和国の知識産権局で出願された、中国特許出願第201310270843.9号、2014年3月19日に中華人民共和国の知識産権局で出願された、中国特許出願第201410103869.9号、および2014年5月8日に中華人民共和国の知識産権局で出願された、中国特許出願第201410192727.4号の優先権を主張するものである。
【０００２】
本発明の実施形態は、通信技術の分野に関し、特に、ネットワーク通信方法、装置、およびシステムに関する。
【背景技術】
【０００３】
異種混合ネットワーク(Heterogeneous Network、略してHetNet)技術は、マルチレイヤネットワークの無線アクセスネットワーク技術である。従来の無線アクセスネットワークは、一般的に、マクロネットワークレイヤと呼ばれる1つのネットワークレイヤしか持っておらず、マクロネットワーク(マクロ基地局、略してマクロ)の基地局は、ユーザに継続的で中断されないサービスを提供するために、ネットワーク全体を対象にする必要がある。HetNetでは、1つまたは複数のマイクロネットワークレイヤが、マクロネットワークレイヤに基づいて追加され、マイクロネットワーク(略してマイクロ基地局)の基地局は、低い送信電力、およびマクロ基地局よりはるかに低い有効範囲を持っている。したがって、マイクロ基地局は、また、低電力ノード(Low Power Node、略してLPN)とも呼ばれる。マイクロ基地局は、一般的に、ネットワーク全体のスループットレートを改善するために、マクロ基地局の負荷を軽減するために、マクロ基地局の有効範囲の穴またはホットスポット領域で展開される。
【０００４】
HetNetでは、アップリンク電力バランスラインは、マクロ基地局およびマイクロ基地局が、ユーザ機器(User Equipment、略してUE)によって送られたアップリンク信号の同じ受信品質を持つ位置であり、ダウンリンク電力バランスラインは、UEが、マクロ基地局およびマイクロ基地局によって送られたダウンリンク信号の同じ受信品質を持つ位置である。アップリンク電力バランスラインは、マイクロ基地局およびマクロ基地局へのUEからの経路損失にのみ別々に関係し、ダウンリンク電力バランスラインは、マクロ基地局およびマイクロ基地局の送信電力にさらに依存している。マクロ基地局のパイロット送信電力は、マイクロ基地局のものとは大きく異なる。したがって、ダウンリンク電力バランスラインは、マイクロ基地局に向けてシフトされ、これにより、アップリンク電力バランスラインおよびダウンリンク電力バランスラインが、マクロ基地局とマイクロ基地局の間で一貫しないという問題が引き起こされる。そのような不整合性により、最終的には、セルハンドオーバ領域の近辺で、異なる領域において異なるサービスを受信および送信するときに、UEが異なる干渉問題に遭遇することが引き起こされる。図1は、アップリンク電力バランスライン、ダウンリンク電力バランスライン、および従来技術のソフトハンドオーバ領域の概略図である。図1に示すように、
領域Bでは、マクロ基地局に対するUEでのダウンリンク受信は、マイクロ基地局に対するものより良好であり、高速ダウンリンクパケットアクセス(High Speed Downlink Packet Access、略してHSDPA)のサービスを提供するセルは、マクロ基地局である。しかし、アップリンクでは、UEからマイクロ基地局への経路損失は、UEからマクロ基地局への経路損失より小さく、UEに対するマイクロ基地局での受信は、マクロ基地局のものより良好である。しかし、UEのサービスを提供するセルがマクロ基地局であり、UEは、ソフトハンドオーバ(soft handover、略してSHO)領域に入っていないので、マイクロ基地局は、UEに対して電力制御を実行することができない。その結果、UEのアップリンクサービスに対するマイクロ基地局での受信電力は過度に高く、このために、マイクロ基地局へのアップリンク干渉が引き起こされる。かつ
領域Eでは、この領域では、マイクロ基地局のリンク品質は、UEに対するアップリンクおよびダウンリンクの両方より良好であるが、UEは、まだ、マクロ基地局のダウンリンク信号に対してより高い受信電力を持っており、このために、マイクロ基地局へのダウンリンク干渉が引き起こされる場合がある。
【発明の概要】
【課題を解決するための手段】
【０００５】
本発明の実施形態は、HetNetにおいて第1の領域または第2の領域でUEがサービス送信を実行するときに、マイクロ基地局に引き起こされるアップリンク干渉およびダウンリンク干渉の問題を軽減するために、ネットワーク通信方法、装置、およびシステムを提供する。
【０００６】
本発明の実施形態は、アクセスネットワークのユーザ機器UEをさらに提供し、無線ネットワークコントローラRNCの第1の無線ネットワーク制御RRCシグナリングを受信し、第1のRRCシグナリングの命令によりUEの拡張された向上された専用チャネルE-DCHアクティブセットに第1の基地局を追加し、第1の基地局の向上された専用チャネルのハイブリッド自動再送要求インジケータチャネルE-HICHを受信し、E-HICHが肯定応答ACKを示す場合、新しいE-DCHデータを送るように構成された無線送受信機ユニットと、UEがアクセスネットワークから専用チャネルDCHデータを受信しない場合、第1のRRCシグナリングの命令により、第1の基地局の断片的な専用物理チャネルF-DPCHを受信する機能を無効化し、RNCは、第1のRRCシグナリングからF-DPCHの構成情報を削除することによって、または第1のRRCシグナリングで事前設定された指示フィールドを使用することによって命令を完了し、UEがアクセスネットワークからDCHデータを受信する場合、第1のRRCシグナリングの命令により、第1の基地局のダウンリンク専用物理データチャネルDPDCHを受信する機能を無効化し、RNCは、第1のRRCシグナリングからDPCHの構成情報を削除することによって、または第1のRRCシグナリングで事前設定された指示フィールドを使用することによって命令を完了するように構成された処理ユニットとを含む。
【０００７】
実装方法では、UEがアクセスネットワークからDCHデータを受信する場合、無線送受信機ユニットは、第1のRRCシグナリングの命令により第1の基地局のF-DPCHを受信するようにさらに構成され、F-DPCHは、UEに対して送信電力制御を実行するために使用される。
【０００８】
別の実装方法では、UEがアクセスネットワークからDCHデータを受信する場合、処理ユニットは、第1の基地局によって送られたダウンリンク専用物理制御チャネルDPCCHを受信する機能を無効化するようにさらに構成される。
【０００９】
別の実装方法では、UEのE-DCHアクティブセットに第1の基地局を追加した後、無線送受信機ユニットは、ネットワークによって送られた第1の制御シグナリングを受信し、第1の制御シグナリングの命令により第1の基地局のF-DPCHを受信するか、または第1の基地局によって送られたダウンリンクDPDCHを受信するようにさらに構成され、ダウンリンクDPDCHは、第1の基地局からUEによって受信されたDCHデータを運ぶために使用される。
【００１０】
別の実装方法では、無線送受信機ユニットは、第1の基地局のダウンリンクDPCCHを受信するようにさらに構成され、ダウンリンクDPCCHは、UEに物理レイヤ制御シグナリングを送るために、第1の基地局によって使用される。
【００１１】
別の実装方法では、ネットワークによって送られた第1の制御シグナリングは、RNCによって送られた第2のRRCシグナリング、またはアクセスネットワークの第2の基地局によって送られた第1の物理レイヤシグナリングであって、第2の基地局は、UEのE-DCHアクティブセットまたはDCHアクティブセットにある第1の物理レイヤシグナリングを含む。
【００１２】
別の実装方法では、ネットワークによって送られた第1の制御シグナリングを受信する前に、無線送受信機ユニットは、各セルの共通パイロットチャネル品質を測定し、第1の基地局の共通パイロットチャネル品質は事前設定された第1のしきい値より大きいと測定した場合、RNCに測定レポートを送り、それにより、測定レポートにより、RNCはUEに第2のRRCシグナリングを送るか、またはRNCは、UEに第1の物理レイヤシグナリングを送るように第2の基地局に指示するようにさらに構成される。
【００１３】
本発明の実施形態は、アクセスネットワークのRNCをさらに提供し、第1のRRCシグナリングまたは第1のネットワークシグナリングを生成するように構成された処理ユニットと、UEに第1のRRCシグナリングを送るか、またはアクセスネットワークの第1の基地局に第1のネットワークシグナリングを送るように構成された無線送受信機ユニットであって、第1のRRCシグナリングは、UEのE-DCHアクティブセットに第1の基地局を追加するようにUEに指示し、第1の基地局のE-HICHを受信するようにUEに指示するために使用され、第1のネットワークシグナリングは、UEによって送られたE-DCHデータを受信するように第1の基地局に指示し、UEにE-HICHを送るように第1の基地局に指示するために使用される無線送受信機ユニットとを含み、UEがアクセスネットワークからDCHデータを受信しない場合、第1のRRCシグナリングは、第1の基地局のF-DPCHを受信する機能を無効化するようにUEに指示し、処理ユニットは、第1のRRCシグナリングからF-DPCHの構成情報を削除することによって、または第1のRRCシグナリングで事前設定された指示フィールドを設定することによって命令を完了するか、または第1のネットワークシグナリングは、F-DPCHを送る機能を無効化するように第1の基地局に指示し、処理ユニットは、第1のネットワークシグナリングからF-DPCHの構成情報を削除することによって、または第1のネットワークシグナリングで事前設定された指示フィールドを設定することによって命令を完了し、UEがアクセスネットワークからDCHデータを受信する場合、第1のRRCシグナリングは、第1の基地局のダウンリンクDPDCHを受信する機能を無効化するようにUEに指示し、処理ユニットは、第1のRRCシグナリングからDPCHの構成情報を削除することによって、または第1のRRCシグナリングで事前設定された指示フィールドを使用することによって命令を完了するか、または第1のネットワークシグナリングは、ダウンリンクDPDCHを送る機能を無効化するように第1の基地局に指示し、処理ユニットは、第1のネットワークシグナリングからDPCHの構成情報を削除することによって、または第1のネットワークシグナリングで事前設定された指示フィールドを設定することによって命令を完了する。
【００１４】
実装方法では、UEがアクセスネットワークからDCHデータを受信する場合、第1のRRCシグナリングは、第1の基地局のF-DPCHを受信するようにUEに指示し、F-DPCHは、UEに対してアップリンク送信電力制御を実行するために使用され、第1のネットワークシグナリングは、UEにF-DPCHを送るように第1の基地局に指示する。
【００１５】
別の実装方法では、第1のネットワークシグナリングは、UEにDPCCHを送る機能を無効化するように第1の基地局に指示するか、または第1のRRCシグナリングは、第1の基地局のダウンリンクDPCCHを受信する機能を無効化するようにUEにさらに指示する。
【００１６】
別の実装方法では、無線送受信機ユニットがUEに第1のRRCシグナリングを送り、第1の基地局に第1のネットワークシグナリングを送った後、処理ユニットは、第2のRRCシグナリングを生成するようにさらに構成され、無線送受信機ユニットは、UEに第2のRRCシグナリングを送るようにさらに構成され、UEがアクセスネットワークからDCHデータを受信しない場合、第2のRRCシグナリングは、第1の基地局によって送られたF-DPCHを受信するようにUEに指示するために使用され、UEがアクセスネットワークからDCHデータを受信する場合、第2のRRCシグナリングは、第1の基地局によって送られたダウンリンクDPDCHを受信するようにUEに指示するために使用される。
【００１７】
別の実装方法では、UEがアクセスネットワークからDCHデータを受信する場合、第2のRRCシグナリングは、第1の基地局によって送られたダウンリンクDPCCHを受信するようにUEに指示する。
【００１８】
別の実装方法では、UEがアクセスネットワークからDCHデータを受信しない場合、第2のRRCシグナリングは、F-DPCHの構成情報を含み、UEがアクセスネットワークからDCHデータを受信する場合、第2のRRCシグナリングは、第1の基地局のダウンリンクDPCHの構成情報を含む。
【００１９】
別の実装方法では、処理ユニットは、第2のネットワークシグナリングを生成するようにさらに構成され、無線送受信機ユニットは、第1の基地局に第2のネットワークシグナリングを送るようにさらに構成され、UEがアクセスネットワークからDCHデータを受信しない場合、第2のネットワークシグナリングは、UEにF-DPCHを送るように第1の基地局に指示するために使用され、UEがアクセスネットワークからDCHデータを受信する場合、第2のネットワークシグナリングは、UEにDPDCHを送るように第1の基地局に指示するために使用される。
【００２０】
別の実装方法では、UEがアクセスネットワークからDCHデータを受信する場合、第2のネットワークシグナリングは、UEにダウンリンクDPCCHを送るように第1の基地局にさらに指示する。
【００２１】
別の実装方法では、UEがアクセスネットワークからDCHデータを受信しない場合、第2のネットワークシグナリングは、F-DPCHの構成情報を含み、UEがアクセスネットワークからDCHデータを受信する場合、第2のネットワークシグナリングは、第1の基地局のダウンリンクDPCHの構成情報を含む。
【００２２】
別の実装方法では、処理ユニットが第2のRRCシグナリングを生成する前に、無線送受信機ユニットは、UEによって送られた測定レポートを受信するようにさらに構成され、測定レポートは、UEに第2のRRCシグナリングを送るようにRNCに指示するために使用される。
【００２３】
本発明の実施形態は、アクセスネットワークの第1の基地局をさらに提供し、無線ネットワークコントローラRNCによって送られた第1のネットワークシグナリングを受信するように構成された無線送受信機ユニットであって、第1のネットワークシグナリングの命令により、アクセスネットワークのユーザ機器UEによって送られたE-DCHデータを受信し、UEにE-HICHを送る無線送受信機ユニットと、UEがアクセスネットワークからDCHデータを受信しない場合、第1のネットワークシグナリングの命令により、UEにF-DPCHを送る機能を無効化し、UEがアクセスネットワークからDCHデータを受信する場合、第1のネットワークシグナリングの命令により、UEにダウンリンクDPDCHを送る機能を無効化するように構成された処理ユニットとを含む。
【００２４】
実装方法では、RNCは、第1のネットワークシグナリングからF-DPCHの構成情報を削除することによって、または第1のネットワークシグナリングで事前設定された指示フィールドを設定することによって命令を完了する。
【００２５】
別の実装方法では、UEがアクセスネットワークからDCHデータを受信する場合、無線送受信機ユニットは、UEにF-DPCHを送るようにさらに構成され、F-DPCHは、UEに対してアップリンク送信電力制御を実行するために第1の基地局によって使用される。
【００２６】
別の実装方法では、UEがアクセスネットワークからDCHデータを受信する場合、無線送受信機ユニットは、UEにダウンリンクDPCCHを送る機能を無効化するようにさらに構成される。
【００２７】
実施形態によると、必要な場合、UEが、F-DPCH、DPCCH、またはDPDCHを受信しないように、明示的または暗黙的な方法が使用される。たとえば、1つの基地局からUEへのダウンリンク品質が低下した場合、低下したリンク品質のネットワーク通信に対する影響を低減するために、UEの一部の受信機能は、柔軟に無効化され得るか、またはUEに対する対応する送信機能は無効化され得る。
【００２８】
本発明の実施形態または従来技術の技術的解決策をより明確に記述するために、以下に、実施形態または従来技術の記述に必要な添付図面を簡略的に紹介する。明らかに、以下の記述における添付図面は、本発明の一部の実施形態を示しており、当業者は、創造的な労力なくこれらの添付図面から他の図を導き出すことができる。
【図面の簡単な説明】
【００２９】
【図１】図１は、アップリンク電力バランスライン、ダウンリンク電力バランスライン、およびソフトハンドオーバ領域の従来技術における概略図である。
【図２】図２は、本発明の実施形態1によるネットワーク通信方法の流れ図である。
【図３】図３は、本発明によるネットワーク通信方法の実施形態2の流れ図である。
【図４】図４は、本発明によるネットワーク通信方法の実施形態3の流れ図である。
【図５】図５は、本発明によるネットワーク通信方法の実施形態4の流れ図である。
【図６】図６は、本発明によるネットワーク通信方法の実施形態5の流れ図である。
【図７】図７は、本発明によるネットワーク通信方法の実施形態6の流れ図である。
【図８】図８は、本発明によるネットワーク通信方法の実施形態7の流れ図である。
【図９】図９は、本発明によるネットワーク通信方法の実施形態8の流れ図である。
【図１０】図１０は、本発明によるユーザ機器の実施形態1の図式的な構造図である。
【図１１】図１１は、本発明によるユーザ機器の実施形態2の図式的な構造図である。
【図１２】図１２は、本発明によるユーザ機器の実施形態3の図式的な構造図である。
【図１３】図１３は、本発明による無線ネットワークコントローラの実施形態1の図式的な構造図である。
【図１４】図１４は、本発明による無線ネットワークコントローラの実施形態2の図式的な構造図である。
【図１５】図１５は、本発明による無線ネットワークコントローラの実施形態3の図式的な構造図である。
【図１６】図１６は、本発明によるマイクロ基地局の実施形態1の図式的な構造図である。
【図１７】図１７は、本発明によるマイクロ基地局の実施形態2の図式的な構造図である。
【図１８】図１８は、本発明によるマクロ基地局の実施形態1の図式的な構造図である。
【図１９】図１９は、本発明によるネットワーク通信方法の実施形態9の流れ図である。
【図２０】図２０は、本発明によるネットワーク通信方法の実施形態10の流れ図である。
【図２１】図２１は、本発明によるネットワーク通信方法の実施形態11の流れ図である。
【図２２】図２２は、本発明によるネットワーク通信方法の実施形態12の対話の流れ図である。
【図２３】図２３は、本発明によるユーザ機器の実施形態4の図式的な構造図である。
【図２４】図２４は、本発明による基地局の実施形態1の図式的な構造図である。
【図２５】図２５は、本発明による無線ネットワークコントローラの実施形態4の図式的な構造図である。
【図２６】図２６は、本発明によるネットワーク通信方法の別の実施形態の流れ図である。
【図２７】図２７は、本発明によるネットワーク通信方法の別の実施形態の流れ図である。
【図２８】図２８は、本発明によるネットワーク通信方法の別の実施形態の流れ図である。
【図２９】図２９は、本発明による別のユーザ機器の実施形態の概略図である。
【図３０】図３０は、本発明による別の無線ネットワークコントローラの実施形態の概略図である。
【図３１】図３１は、本発明による別の基地局の実施形態の概略図である。
【発明を実施するための形態】
【００３０】
本発明の実施形態の目的、技術的解決策、および利点をより明確にするために、以下に、本発明の実施形態の添付図面に関して、本発明の実施形態における技術的解決策について明確かつ完全に記述する。明らかに、記述された実施形態は、本発明の実施形態のすべてではなく一部分である。創造的な労力なく本発明の実施形態に基づいて、当業者によって取得される他のすべての実施形態は、本発明の保護範囲内にあるものとする。
【００３１】
図2は、本発明によるネットワーク通信方法の実施形態1の流れ図である。本実施形態は、UEが実行体である実例を使用して記述されている。図2に示すように、本実施形態による方法は、以下を含むことができる。
【００３２】
S101.UEは、アクセスネットワークで無線ネットワークコントローラ(Radio Network Controller、略してRNC)によって送られた命令情報を受信し、命令情報は、UEに、第1の領域において、アクセスネットワークのマクロ基地局とのアップリンクおよびダウンリンクのサービス送信を実行し、アクセスネットワークのマイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得され、かつ/または第2の領域において、マイクロ基地局とのアップリンクおよびダウンリンクのサービス送信を実行し、マクロ基地局とのダウンリンクサービス送信を実行し、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得されるように指示するために使用される。
【００３３】
第1の条件しきい値は、第2のアクティブセットへのマイクロ基地局の追加のためのしきい値であり、第2の条件しきい値は、第2のアクティブセットへのマクロ基地局の追加のためのしきい値である。
【００３４】
S102.UEは、命令情報によりサービス送信を実行する。
【００３５】
具体的には、HetNetでは、第1のアクティブセットは、拡張された専用チャネル(Dedicated Channel、略してDCH)アクティブセットおよび/または拡張された向上された専用チャネル(Enhanced Dedicated Channel、略してE-DCH)アクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスの対数尤度比(Log likelihood ratio、略してLLR)を受信および計算することができ、ビタビ復号を実行するためにビタビ復号器としてLLRを入力することができる。
【００３６】
第2のアクティブセットは、DCHアクティブセットおよび/またはE-DCHアクティブセットを含む。第2のアクティブセットでは、マクロ基地局およびマイクロ基地局の両方は、UEにダウンリンクDCHサービスを送り、UEによって送られたアップリンクDCHサービスおよび/またはE-DCHサービスを受信することができ、UEは、マクロ基地局およびマイクロ基地局によって送られたダウンリンクDCHサービスを受信することができる。UEがサービスを提供するセル(またはサービスを提供する基地局)から別のマクロ基地局またはマイクロ基地局(まとめてターゲット基地局と呼ぶ)に移動すると、UEとターゲット基地局の間の通信リンクの信号品質は、徐々に改善する。ターゲット基地局の共通パイロットチャネル品質が第1の条件しきい値(ここでターゲット基地局はマイクロ基地局である)または第2の条件しきい値(ここでターゲット基地局はマクロ基地局である)に到達すると、UEは、通信リンクを通じてネットワーク側にターゲット基地局の共通パイロットチャネル品質改善イベントを報告することができ、それにより、無線ネットワークコントローラRNCは、第2のアクティブセットにターゲット基地局を追加する。
【００３７】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。第3のアクティブセットでは、UEは、第3のアクティブセットのマイクロ基地局によって送られた、向上された専用チャネルのハイブリッド自動再送要求インジケータチャネル(E-DCH Hybrid ARQ Indicator Channel、略してE-HICH)を受信することができる。E-HICHが肯定応答(Acknowledgement、略してACK)を示す場合、UEは新しいデータを送信し、E-HICHが否定応答(Negative Acknowledgement、略してNACK)を示し、再送信の最高数に到達していない場合、UEはデータを再送信する。
【００３８】
図1を参照すると、第1の領域は領域Bであり、第2の領域は領域Eである。第1の領域Bでは、マクロ基地局に対するUEでのダウンリンク受信は、マイクロ基地局に対するものより良好であるが、アップリンクでは、UEに対するマイクロ基地局での受信は、マクロ基地局のものより良好である。したがって、UEは、マクロ基地局とのアップリンクおよびダウンリンクのサービス送信を実行し、命令情報の命令により第1の領域Bのマイクロ基地局とのアップリンクサービス送信を実行する。送信プロセスでは、マイクロ基地局は、UEによって第1の領域Bにおいてマイクロ基地局に引き起こされるアップリンク干渉を最小限にするために、UEに対してアップリンク電力制御を実行することができる。さらに、この領域では、マイクロ基地局は、より良好なアップリンク信号品質を持っており、したがって、ネットワークのアップリンクスループットレートおよび信頼性を改善するために、マイクロ基地局のアップリンク有効範囲は、さらに完全に利用され得る。
【００３９】
第2の領域Eでは、アップリンクおよびダウンリンクの両方に対して、UEは、マイクロ基地局に対してより良好なリンク品質を持っている。しかし、UEは、まだマクロ基地局のダウンリンク信号に対してより高い受信電力を持っている。したがって、UEは、マイクロ基地局とのアップリンクおよびダウンリンクのサービス送信を実行し、命令情報の命令により、この領域においてマクロ基地局とのダウンリンクサービス送信を実行する。送信プロセスでは、UEは、マクロ基地局によって第2の領域Eにおいてマイクロ基地局に引き起こされるダウンリンク干渉を最小限にするために、マクロ基地局に対してダウンリンク電力制御を実行することができ、さらに、マクロ基地局のダウンリンク有効範囲は、完全に利用され得る。
【００４０】
本実施形態によって提供されるネットワーク通信方法では、UEは、RNCによって送られた命令情報を受信し、UEは、命令情報により、マクロ基地局とのアップリンクおよびダウンリンクのサービス送信を実行し、第1の領域においてマイクロ基地局とのアップリンクサービス送信を実行し、かつ/またはマイクロ基地局とのアップリンクサービス送信を実行し、第2の領域においてマクロ基地局とのダウンリンクサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【００４１】
図3は、本発明によるネットワーク通信方法の実施形態2の流れ図である。図3に示すように、図2に示した実施形態に基づいて、本実施形態は、特定の実装方法を提供し、これは、UEがS102の命令情報によりサービス送信を実行する前に、以下をさらに含む。
【００４２】
S103.UEは、RNCによって送られたアクティブセット更新シグナリングを受信する。
【００４３】
S104.UEは、アクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加する。
【００４４】
具体的には、図1を参照すると、第1の領域Bの近くで、UEがRNCによって送られたアクティブセット更新シグナリングを受信するS103の前に、方法は、以下をさらに含む。
UEは、各セルの共通パイロットチャネル品質を測定する。UEが非ソフトハンドオーバ領域にある場合、すなわち、UEのサービスを提供するセルがマクロ基地局で、UEが領域Aから領域Bに移動する場合、およびUEが、マイクロ基地局の共通パイロットチャネル品質は、第1のアクティブセットへの追加のために事前設定された第1のしきい値より大きく、第2のアクティブセットへの追加のために第1の条件しきい値より小さいと測定した場合、UEは、RNCに第1の測定レポートを送り、それにより、第1の測定レポートにより、RNCは、UEにアクティブセット更新シグナリングを送り、これは特に、UEは、マクロ基地局に第1の測定レポートを送り、マクロ基地局は、RNCに第1の測定レポートを転送するか、または
UEが第2のアクティブセットに対応するソフトハンドオーバ領域にある場合、すなわち、UEが領域Cから領域Bに移動する場合、およびUEが、マイクロ基地局の共通パイロットチャネル品質は、第2のアクティブセットからのマイクロ基地局の削除のために第3の条件しきい値以下へと低下し、事前設定された第2のしきい値より大きいと測定した場合、UEは、RNCに第1の測定レポートを送り、それにより、第1の測定レポートにより、RNCは、UEにアクティブセット更新シグナリングを送り、これは特に、UEは、マクロ基地局またはマイクロ基地局に第1の測定レポートを送り、マクロ基地局またはマイクロ基地局は、RNCに第1の測定レポートを転送する。
【００４５】
ここでは、第1のしきい値および第2のしきい値は、さらに等しい場合があることに留意されたい。
【００４６】
UEは、アクティブセット更新シグナリングを受信した後に第1のアクティブセットにマイクロ基地局を追加し、次いで、UEは、受信された命令情報および追加が実行されるアクティブセットによりサービス送信を実行する。
【００４７】
UEが命令情報によりサービス送信を実行した後、すなわち、UEが領域Bから出た後、方法は、
UEは、マイクロ基地局の共通パイロットチャネル品質を測定し続け、マイクロ基地局の共通パイロットチャネル品質が、第2のアクティブセットへの追加のために第1の条件しきい値より大きい場合、UEは、RNCに第2の測定レポートを送り、これは特に、UEは、マクロ基地局またはマイクロ基地局に第2の測定レポートを送り、次いで、マクロ基地局またはマイクロ基地局は、RNCに第2の測定レポートを転送するため、RNCは、UEに第1の制御情報を送り、UEは、第1の制御情報により第2のアクティブセットにマイクロ基地局を追加するか、または
UEは、マイクロ基地局の共通パイロットチャネル品質を測定し続け、マイクロ基地局の共通パイロットチャネル品質が第2のしきい値より小さい場合、UEは、RNCに第2の測定レポートを送る
ことをさらに含む。具体的には、UEは、マクロ基地局またはマイクロ基地局に第2の測定レポートを送り、次いで、マクロ基地局またはマイクロ基地局は、RNCに第2の測定レポートを転送するため、RNCは、UEに第2の制御情報を送り、UEは、第2の制御情報により第1のアクティブセットからマイクロ基地局を削除する。
【００４８】
さらに、UEによって送信されたサービスがDCHサービスを含む場合、UEがアップリンク信号を送ると、UEは、マイクロ基地局によって送られた電力制御指令(Transmit Power Control Command、略してTPC)を受信する必要がさらにあり、TPCは、UEのアップリンク送信電力を調整するために使用される。
【００４９】
UEによって送信されたサービスがE-DCHサービスを含む場合、UEがアップリンク信号を送るときに、UEは、TPCと、向上された専用チャネル相対グラントチャネル(E-DCH Relative Grant、略してE-RGCH)と、マイクロ基地局によって送られるE-HICHとを受信する必要がさらにあり、TPCは、UEのアップリンク送信電力を調整するために使用され、E-RGCHは、UEによって取得されたアップリンクスケジューリング許可値を調整するために使用され、E-HICHは、マイクロ基地局がUEのデータを正しく受信するかどうかをUEにフィードバックするために使用される。
【００５０】
具体的には、図1を参照すると、第2の領域Eの近くで、UEがRNCによって送られたアクティブセット更新シグナリングを受信するS103の前に、方法は、
UEは、各セルの共通パイロットチャネル品質を測定し、UEが非ソフトハンドオーバ領域にある場合、すなわち、UEがマイクロ基地局に近い領域から領域Eに移動する場合、およびUEが、マクロ基地局の共通パイロットチャネル品質が、事前設定された第3のしきい値より大きく、第2のアクティブセットへの追加のために第2の条件しきい値より小さいと測定した場合、UEは、RNCに第3の測定レポートを送るため、第3の測定レポートにより、RNCは、UEにアクティブセット更新シグナリングを送り、これは特に、UEは、マイクロ基地局に第3の測定レポートを送り、次いでマイクロ基地局は、RNCに第3の測定レポートを転送するか、または
UEが第2のアクティブセットに対応するソフトハンドオーバ領域にある場合、すなわち、UEが領域Dから領域Eに移動する場合、およびUEが、マクロ基地局の共通パイロットチャネル品質が、第2のアクティブセットからのマクロ基地局の除去のために第4の条件しきい値より小さく、事前設定された第4のしきい値より大きいと測定した場合、UEは、RNCに第3の測定レポートを送り、これは特に、UEは、マクロ基地局またはマイクロ基地局に第3の測定レポートを送り、次いでマクロ基地局またはマイクロ基地局は、RNCに第3の測定レポートを転送し、それにより、RNCは、第3の測定レポートにより、UEにアクティブセット更新シグナリングを送る。
【００５１】
ここでは、第3のしきい値および第4のしきい値は、等しい場合があることに留意されたい。
【００５２】
UEは、アクティブセット更新シグナリングを受信した後に第3のアクティブセットにマクロ基地局を追加し、次いで、UEは、受信された命令情報および追加が実行されるアクティブセットによりサービス送信を実行する。
【００５３】
UEが命令情報によりサービス送信を実行した後、すなわち、UEが領域Eから出た後、方法は、
UEは、マクロ基地局の共通パイロットチャネル品質を測定し続け、マクロ基地局の共通パイロットチャネル品質が、第2のアクティブセットへの追加のために第2の条件しきい値より大きい場合、UEは、RNCに第4の測定レポートを送り、これは特に、UEは、マイクロ基地局に第4の測定レポートを送り、次いで、マイクロ基地局は、RNCに第4の測定レポートを転送し、それにより、RNCは、UEに第3の制御情報を送り、UEは、第3の制御情報により、第2のアクティブセットにマクロ基地局を追加するか、または
UEは、マクロ基地局の共通パイロットチャネル品質を測定し続け、マクロ基地局の共通パイロットチャネル品質が第4のしきい値より小さい場合、UEは、RNCに第4の測定レポートを送り、これは特に、UEは、マイクロ基地局に第4の測定レポートを送り、次いで、マイクロ基地局は、RNCに第4の測定レポートを転送し、それにより、RNCは、UEに第4の制御情報を送り、UEは、第4の制御情報により、第3のアクティブセットからマクロ基地局を削除する
ことをさらに含む。
【００５４】
本実施形態によって提供されるネットワーク通信方法では、UEは、アクティブセット更新シグナリングを受信した後に、第1のアクティブセットにマイクロ基地局を追加し、次いで、UEは、受信された命令情報および追加が実行されるアクティブセットによりサービス送信を実行し、かつ/またはUEは、アクティブセット更新シグナリングを受信した後に、第3のアクティブセットにマクロ基地局を追加し、次いで、UEは、受信された命令情報および追加が実行されるアクティブセットによりサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【００５５】
図4は、本発明によるネットワーク通信方法の実施形態3の流れ図である。本実施形態は、RNCが実行体である実例を使用して記述されている。図4に示すように、本実施形態による方法は、以下を含むことができる。
【００５６】
S201.アクセスネットワークのRNCは、命令情報を生成し、命令情報は、UEに、第1の領域において、アクセスネットワークのマクロ基地局とのアップリンクおよびダウンリンクのサービス送信を実行し、アクセスネットワークのマイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得され、かつ/または第2の領域において、マイクロ基地局とのアップリンクおよびダウンリンクのサービス送信を実行し、マクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得されるように指示するために使用される。
【００５７】
S202.RNCは、UEに命令情報を送るため、UEは、命令情報によりサービス送信を実行する。
【００５８】
第1のアクティブセットは、拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスのLLRを受信および計算し、ビタビ復号を実行するためにビタビ復号器としてLLRを入力することができる。
【００５９】
第2のアクティブセットは、DCHアクティブセットおよび/またはE-DCHアクティブセットを含む。第2のアクティブセットでは、マクロ基地局およびマイクロ基地局の両方は、UEにダウンリンクDCHサービスを送り、UEによって送られたアップリンクDCHサービスおよび/またはE-DCHサービスを受信することができ、UEは、マクロ基地局およびマイクロ基地局によって送られたダウンリンクDCHサービスを受信することができる。
【００６０】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。第3のアクティブセットでは、UEは、第3のアクティブセットにおいてマイクロ基地局によって送られたE-HICHを受信することができ、E-HICHがACKを示している場合、UEは新しいデータを送信するか、またはE-HICHがNACKを示し、再送信の最高数に到達していない場合、UEはデータを再送信する。
【００６１】
図1を参照すると、第1の領域は領域Bであり、第2の領域は領域Eである。第1の領域Bでは、マクロ基地局に対するUEでのダウンリンク受信は、マイクロ基地局に対するものより良好であるが、アップリンクでは、UEに対するマイクロ基地局での受信は、マクロ基地局のものより良好である。したがって、RNCは、UEに命令情報を送り、それにより、UEは、マクロ基地局とのアップリンクおよびダウンリンクのサービス送信を実行し、命令情報により第1の領域Bのマイクロ基地局とのアップリンクサービス送信を実行する。送信プロセスでは、マイクロ基地局は、UEによって第1の領域Bにおいてマイクロ基地局に引き起こされるアップリンク干渉を最小限にするために、UEに対してアップリンク電力制御を実行することができる。さらに、この領域では、マイクロ基地局は、より良好なアップリンク信号品質を持っており、そのため、ネットワークのアップリンクスループットレートおよび信頼性を改善するために、マイクロ基地局のアップリンク有効範囲は、さらに完全に利用され得る。
【００６２】
第2の領域Eでは、アップリンクおよびダウンリンクの両方に対して、UEは、マイクロ基地局に対してより良好なリンク品質を持っている。しかし、UEは、まだマクロ基地局のダウンリンク信号に対してより高い受信電力を持っている。したがって、RNCは、UEに命令情報を送り、それにより、UEは、マイクロ基地局とのアップリンクおよびダウンリンクのサービス送信を実行し、命令情報により、この領域においてマクロ基地局とのダウンリンクサービス送信を実行する。送信プロセスでは、UEは、マクロ基地局によって第2の領域Eにいてマイクロ基地局に引き起こされるダウンリンク干渉を最小限にするために、マクロ基地局に対してダウンリンク電力制御を実行することができ、さらに、マクロ基地局のダウンリンク有効範囲は、完全に利用され得る。
【００６３】
本実施形態によって提供されるネットワーク通信方法では、RNCは、UEへの命令情報を生成して送るため、UEは、マクロ基地局とのアップリンクおよびダウンリンクのサービス送信を実行し、第1の領域においてマイクロ基地局とのアップリンクサービス送信を実行し、かつ/またはマイクロ基地局とのアップリンクサービス送信を実行し、第2の領域においてマクロ基地局とのダウンリンクサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【００６４】
図5は、本発明によるネットワーク通信方法の実施形態4の流れ図である。図5に示すように、図4に示した実施形態に基づいて、本実施形態は、特定の実装方法を提供し、S202でRNCがUEに命令情報を送る前に、以下をさらに含む。
【００６５】
S203.RNCは、UEにアクティブセット更新シグナリングを送り、それにより、UEは、アクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加する。
【００６６】
具体的には、図1を参照すると、第1の領域Bの近くで、RNCがUEにアクティブセット更新シグナリングを送るS203の前に、方法は、
RNCは、UEによって送られた第1の測定レポートを受信し、第1の測定レポートは、UEが非ソフトハンドオーバ領域にある場合、すなわち、UEのサービスを提供するセルがマクロ基地局で、UEが領域Aから領域Bに移動する場合、およびUEが、マイクロ基地局の共通パイロットチャネル品質は、事前設定された第1のしきい値より大きく、第2のアクティブセットへの追加のために第1の条件しきい値より小さいと測定した場合、RNCに送られるか、または
第1の測定レポートは、UEが第2のアクティブセットに対応するソフトハンドオーバ領域にある場合、すなわち、UEが領域Cから領域Bに移動する場合、およびUEが、マイクロ基地局の共通パイロットチャネル品質は、第2のアクティブセットからのマイクロ基地局の削除のために第3の条件しきい値より小さく、事前設定された第2のしきい値より大きいと測定した場合、RNCに送られる
ことをさらに含む。
【００６７】
ここでは、第1のしきい値および第2のしきい値は、等しい場合があることに留意されたい。
【００６８】
さらに、RNCがUEに命令情報を送った後、同様に、UEが命令情報によりサービス送信を実行した後、すなわち、UEが領域Bから出た後、方法は、
RNCは、UEによって送られた第2の測定レポートを受信し、マイクロ基地局の共通パイロットチャネル品質が、第2のアクティブセットへの追加のために第1の条件しきい値より大きい場合、第2の測定レポートはRNCにUEによって送られ、
RNCは、UEに第1の制御情報を送るため、UEは、第1の制御情報の命令により第2のアクティブセットにマイクロ基地局を追加する
ことをさらに含む。
【００６９】
あるいは、RNCがUEに命令情報を送った後、方法は、
RNCは、UEによって送られた第2の測定レポートを受信し、マイクロ基地局の共通パイロットチャネル品質が第2のしきい値より小さい場合、第2の測定レポートはRNCにUEによって送られ、
RNCは、UEに第2の制御情報を送り、それにより、UEは、第2の制御情報により第1のアクティブセットからマイクロ基地局を削除する
ことをさらに含む。
【００７０】
具体的には、図1を参照すると、第2の領域Eの近くで、RNCがUEにアクティブセット更新シグナリングを送るS203の前に、方法は、
RNCは、UEによって送られた第3の測定レポートを受信し、第3の測定レポートは、UEが非ソフトハンドオーバ領域にある場合、すなわち、UEがマイクロ基地局に近い領域から領域Eに移動する場合、およびUEが、マクロ基地局の共通パイロットチャネル品質は、事前設定された第3のしきい値より大きく、第2のアクティブセットへの追加のために第2の条件しきい値より小さいと測定した場合、RNCにUEによって送られるか、または
第3の測定レポートは、UEが第2のアクティブセットに対応するソフトハンドオーバ領域にある場合、すなわち、UEが領域Dから領域Eに移動する場合、UEが、マクロ基地局の共通パイロットチャネル品質は、第2のアクティブセットからのマクロ基地局の削除のために第4の条件しきい値より小さく、事前設定された第4のしきい値より大きいと測定した場合、RNCにUEによって送られる
ことをさらに含む。
【００７１】
ここでは、第3のしきい値および第4のしきい値は、等しい場合があることに留意されたい。
【００７２】
さらに、RNCがUEに命令情報を送った後、およびUEが命令情報によりサービス送信を実行した後、すなわち、UEが領域Eから出た後、方法は、
RNCは、UEによって送られた第4の測定レポートを受信し、第4の測定レポートは、マクロ基地局の共通パイロットチャネル品質が、第2のアクティブセットへの追加のために第2の条件しきい値より大きい場合、RNCにUEによって送られ、
RNCは、UEに第3の制御情報を送るため、UEは、第3の制御情報により第2のアクティブセットにマクロ基地局を追加する
ことをさらに含む。
【００７３】
あるいは、RNCがUEに命令情報を送った後、方法は、
RNCは、UEによって送られた第4の測定レポートを受信し、マクロ基地局の共通パイロットチャネル品質が第4のしきい値より小さい場合、第4の測定レポートは、RNCにUEによって送られ、
RNCは、UEに第4の制御情報を送るため、UEは、第4の制御情報により、第3のアクティブセットからマクロ基地局を削除する
ことをさらに含む。
【００７４】
本実施形態によって提供されるネットワーク通信方法では、RNCは、UEにアクティブセット更新シグナリングを送り、それにより、UEは、アクティブセット更新シグナリングを受信した後に、第1のアクティブセットにマイクロ基地局を追加し、次いで、UEは、RNCによって送られた命令情報および追加が実行されるアクティブセットによりサービス送信を実行し、かつ/またはRNCは、UEにアクティブセット更新シグナリングを送り、それにより、UEは、アクティブセット更新シグナリングを受信した後に、第3のアクティブセットにマクロ基地局を追加し、次いで、UEは、RNCによって送られた命令情報および追加が実行されるアクティブセットによりサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【００７５】
図6は、本発明によるネットワーク通信方法の実施形態5の流れ図である。図6に示すように、本実施形態による方法は、以下を含む。
【００７６】
S301.マイクロ基地局は、アクセスネットワークのRNCによって送られた構成情報を受信し、構成情報は、ユーザ機器UEによって送られたアップリンクDCHおよび/またはアップリンクE-DCHサービスを受信するようにマイクロ基地局に指示するために使用される。
【００７７】
S302.UEが第1の領域においてサービス送信を実行する場合、第1のアクティブセットにUEによって追加された後、マイクロ基地局は、構成情報により第1のアクティブセットにおいて、UEによって送られたアップリンクDCHおよび/またはアップリンクE-DCHサービスを受信し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得される。
【００７８】
第1のアクティブセットは、
拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスのLLRを受信および計算し、ビタビ復号を実行するためにビタビ復号器としてLLRを入力することができる。
【００７９】
さらに、マイクロ基地局によって受信されたサービスがDCHサービスである場合、方法は、
マイクロ基地局は、UEにTPCを送り、TPCは、UEのアップリンク送信電力を調整するために使用される
ことをさらに含む。
【００８０】
マイクロ基地局によって受信されたサービスがE-DCHサービスである場合、方法は、
マイクロ基地局は、UEにTPC、E-RGCH、およびE-HICHを送り、TPCは、UEのアップリンク送信電力を調整するために使用され、E-RGCHは、UEによって取得された、スケジューリング許可値を調整するために使用され、E-HICHは、マイクロ基地局がUEのデータを正しく受信するかどうかをUEにフィードバックするために使用される
ことをさらに含む。
【００８１】
本実施形態によって提供されるネットワーク通信方法では、マイクロ基地局は、RNCによって送られた構成情報を受信し、UEが第1の領域においてサービス送信を実行するときに、第1のアクティブセットにUEによって追加された後に、マイクロ基地局は、構成情報により第1のアクティブセットにおいて、UEによって送られたアップリンクDCHおよび/またはアップリンクE-DCHサービスを受信する。これにより、UEによって第1の領域においてマイクロ基地局に引き起こされるアップリンク干渉を最小限にすることができ、さらに、マイクロ基地局のアップリンク有効範囲は、完全に利用され得、これにより、HetNetのエッジ領域において送信のスループットレートおよび信頼性が改善される。
【００８２】
図7は、本発明によるネットワーク通信方法の実施形態6の流れ図である。図7に示すように、本実施形態による方法は、以下を含む。
【００８３】
S401.マクロ基地局は、アクセスネットワークのRNCによって送られた構成情報を受信し、構成情報は、ユーザ機器UEにダウンリンクDCHサービスを送るようにマクロ基地局に指示するために使用される。
【００８４】
S402.UEが第2の領域においてサービス送信を実行する場合、第3のアクティブセットにUEによって追加された後、マクロ基地局は、構成情報により第3のアクティブセットで、UEにダウンリンクDCHサービスを送り、第2の領域は、マクロ基地局の共通パイロットチャネル品質は、第3のアクティブセットへの追加のために第3のしきい値に到達するマクロ基地局の共通パイロットチャネル品質と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得される。
【００８５】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。UEは、第3のアクティブセットにおいてマイクロ基地局によって送られたE-HICHを受信することができ、E-HICHがACKを示す場合、UEは、新しいE-DCHサービスを送信するか、またはUEは、E-HICHがNACKを示しており、再送信の最高数に到達していない場合、E-DCHサービスを再送信する。
【００８６】
さらに、マクロ基地局が、構成情報により第3のアクティブセットで、UEにダウンリンクDCHサービスを送った後、方法は、
UEによって送られたアップリンクTPCを受信するステップであって、TPCは、ダウンリンクDCHサービスの送信電力を制御するために使用されるステップ
をさらに含む。
【００８７】
本実施形態によって提供されるネットワーク通信方法では、マクロ基地局は、アクセスネットワークのRNCによって送られた構成情報を受信し、UEが第2の領域においてサービス送信を実行するときに、第3のアクティブセットにUEによって追加された後に、マクロ基地局は、構成情報により第3のアクティブセットで、UEにダウンリンクDCHサービスを送る。これにより、マクロ基地局によって第2の領域においてマイクロ基地局に引き起こされるダウンリンク干渉を最小限にすることができ、さらに、マクロ基地局のダウンリンク有効範囲は、完全に利用され得、これにより、HetNetのエッジ領域において送信のスループットレートおよび信頼性が改善される。
【００８８】
以下に、複数の特定の実施形態を使用して図2から図7に示した方法の実施形態による技術的解決策について詳細に記述する。
【００８９】
図8は、本発明によるネットワーク通信方法の実施形態7の流れ図である。図8に示すように、本実施形態は、UEが第1の領域Bに接近している実例を使用することによって記述されている。本実施形態による方法は、以下を含むことができる。
【００９０】
S501.UEは、各セルの共通パイロットチャネル品質を測定し、RNCに第1の測定レポートを送る。
【００９１】
具体的には、UEが非ソフトハンドオーバ領域にある場合、すなわち、UEが領域Aから領域Bに移動する場合、およびUEが、マイクロ基地局の共通パイロットチャネル品質は、事前設定された第1のしきい値より大きく、第2のアクティブセットへの追加のために第1の条件しきい値より小さいと測定した場合、UEは、RNCに第1の測定レポートを送る。
【００９２】
UEが第2のアクティブセットに対応するソフトハンドオーバ領域にある場合、すなわち、UEが領域Cから領域Bに移動する場合、およびUEが、マイクロ基地局の共通パイロットチャネル品質は、第2のアクティブセットからのマイクロ基地局の削除のために第3の条件しきい値より小さく、事前設定された第2のしきい値より大きいと測定した場合、UEは、RNCに第1の測定レポートを送る。
【００９３】
S502.RNCは、UEによって送られた第1の測定レポートを受信した後に、UEにアクティブセット更新シグナリングを送る。
【００９４】
S503.RNCは、UEに命令情報を送り、命令情報は、UEに、マクロ基地局とのアップリンクおよびダウンリンクのサービス送信を実行し、第1の領域においてマイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であるように指示するために使用される。
【００９５】
S504.RNCによって送られたアクティブセット更新シグナリングを受信した後、第1の領域においてサービス送信を実行するときに、UEは、アクティブセット更新シグナリングにより第1のアクティブセットにマイクロ基地局を追加する。
【００９６】
S505.RNCによって送られた命令情報を受信した後、UEは、命令情報および追加が実行されるアクティブセットによりサービス送信を実行する。
【００９７】
S506.UEは、マイクロ基地局の共通パイロットチャネル品質を測定し続け、マイクロ基地局の共通パイロットチャネル品質が、第2のアクティブセットへの追加のために第1の条件しきい値より大きい場合、UEは、RNCに第2の測定レポートを送る。
【００９８】
S507.RNCは、UEに第1の制御情報を送るため、UEは、第1の制御情報により第2のアクティブセットにマイクロ基地局を追加する。
【００９９】
あるいは、
【０１００】
S506'.UEは、マイクロ基地局の共通パイロットチャネル品質を測定し続け、マイクロ基地局の共通パイロットチャネル品質が第2のしきい値より小さい場合、UEは、RNCに第2の測定レポートを送る
【０１０１】
S507'.RNCは、UEに第2の制御情報を送り、それにより、UEは、第2の制御情報により第1のアクティブセットからマイクロ基地局を削除する。
【０１０２】
さらに、UEによって送信されたサービスがDCHサービスを含む場合、UEがアップリンク信号を送るときに、UEは、マイクロ基地局によって送られたTPCを受信する必要がさらにあり、TPCは、UEのアップリンク送信電力を調整するために使用される。
【０１０３】
UEによって送信されたサービスがE-DCHサービスを含む場合、UEがアップリンク信号を送るときに、UEは、マイクロ基地局によって送られるTPC、E-RGCH、およびE-HICHを受信する必要がさらにあり、TPCは、UEのアップリンク送信電力を調整するために使用され、E-RGCHは、UEによって取得されたアップリンクスケジューリング許可値を調整するために使用され、E-HICHは、マイクロ基地局がUEのデータを正しく受信するかどうかをUEにフィードバックするために使用される。
【０１０４】
図9は、本発明によるネットワーク通信方法の実施形態8の流れ図である。図9に示すように、本実施形態は、UEが第2の領域Eに接近している実例を使用することによって記述されている。本実施形態による方法は、以下を含むことができる。
【０１０５】
S601.UEは、各セルの共通パイロットチャネル品質を測定し、RNCに第3の測定レポートを送る。
【０１０６】
具体的には、UEが非ソフトハンドオーバ領域にある場合、すなわち、UEがマイクロ基地局に近い領域から領域Eに移動する場合、およびUEが、マクロ基地局の共通パイロットチャネル品質は、事前設定された第3のしきい値より大きく、第2のアクティブセットへの追加のために第2の条件しきい値より小さいと測定した場合、UEは、RNCに第3の測定レポートを送る。
【０１０７】
UEが第2のアクティブセットに対応するソフトハンドオーバ領域にある場合、すなわち、UEが領域Dから領域Eに移動する場合、およびUEが、マクロ基地局の共通パイロットチャネル品質は、第2のアクティブセットからのマクロ基地局の削除のために第4の条件しきい値より小さく、事前設定された第4のしきい値より大きいと測定した場合、UEは、RNCに第3の測定レポートを送る。
【０１０８】
S602.RNCは、UEによって送られた第3の測定レポートを受信した後に、UEにアクティブセット更新シグナリングを送る。
【０１０９】
S603.RNCは、UEに命令情報を送り、命令情報は、UEに、マイクロ基地局とのアップリンクおよびダウンリンクのサービス送信を実行し、第2の領域においてマクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であるように指示するために使用される。
【０１１０】
S604.RNCによって送られたアクティブセット更新シグナリングを受信した後、第2の領域においてサービス送信を実行するときに、UEは、アクティブセット更新シグナリングにより第3のアクティブセットにマクロ基地局を追加する。
【０１１１】
S605.UEがRNCによって送られた命令情報を受信した後、UEは、命令情報および追加が実行されるアクティブセットによりサービス送信を実行する。
【０１１２】
S606.UEは、マクロ基地局の共通パイロットチャネル品質を測定し続け、マクロ基地局の共通パイロットチャネル品質が、第2のアクティブセットへの追加のために第2の条件しきい値より大きい場合、UEは、RNCに第4の測定レポートを送る。
【０１１３】
S607.RNCは、UEに第3の制御情報を送るため、UEは、第3の制御情報により第2のアクティブセットにマクロ基地局を追加する。
【０１１４】
あるいは、
【０１１５】
S606'.UEは、マクロ基地局の共通パイロットチャネル品質を測定し続け、マクロ基地局の共通パイロットチャネル品質が第4のしきい値より小さい場合、UEは、RNCに第4の測定レポートを送る。
【０１１６】
S607'.RNCは、UEに第4の制御情報を送るため、UEは、第4の制御情報により、第3のアクティブセットからマクロ基地局を削除する。
【０１１７】
図10は、本発明によるユーザ機器の実施形態1の図式的な構造図である。図10に示すように、本実施形態によるユーザ機器は、受信モジュール11および処理モジュール12を含むことができる。受信モジュール11は、アクセスネットワークのRNCによって送られた命令情報を受信するように構成され、命令情報は、UEに、第1の領域において、マクロ基地局とのアップリンクおよびダウンリンクのサービス送信を実行し、マイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得され、かつ/または第2の領域において、マイクロ基地局とのアップリンクおよびダウンリンクのサービス送信を実行し、マクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得され、処理モジュール12は、命令情報によりサービス送信を実行するように構成されるように指示するために使用される。
【０１１８】
第1のアクティブセットは、拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスのLLRを受信および計算し、ビタビ復号を実行するためにビタビ復号器としてLLRを入力することができる。
【０１１９】
第2のアクティブセットは、DCHアクティブセットおよび/またはE-DCHアクティブセットを含む。
【０１２０】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。第3のアクティブセットでは、UEは、第3のアクティブセットにおいてマイクロ基地局によって送られたE-HICHを受信することができ、E-HICHがACKを示している場合、UEは新しいデータを送信するか、またはE-HICHがNACKを示し、再送信の最高数に到達していない場合、UEはデータを再送信する。
【０１２１】
本実施形態のユーザ機器は、図2に示した方法の実施形態の技術的解決策を実行するように構成され得、ユーザ機器の実装原理は類似しているため、本明細書に再び記述されていない。
【０１２２】
本実施形態によって提供されるユーザ機器によると、受信モジュールは、RNCによって送られた命令情報を受信し、処理モジュールは、命令情報により、マクロ基地局とのアップリンクおよびダウンリンクのサービス送信を実行し、第1の領域においてマイクロ基地局とのアップリンクサービス送信を実行し、かつ/またはマイクロ基地局とのアップリンクおよびダウンリンクのサービス送信を実行し、第2の領域においてマクロ基地局とのダウンリンクサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０１２３】
図10に示したユーザ機器の構造に基づいて、さらに、受信モジュール11は、処理モジュール12が命令情報によりサービス送信を実行する前に、RNCによって送られたアクティブセット更新シグナリングを受信するようにさらに構成され、処理モジュール12は、アクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加するようにさらに構成される。
【０１２４】
図11は、本発明によるユーザ機器の実施形態2の図式的な構造図である。図11に示すように、図10に示した装置の構造に基づいて、さらに、本実施形態による装置は、第1の測定モジュール13および第1の送信モジュール14をさらに含み、第1の測定モジュール13は、受信モジュール11がRNCによって送られたアクティブセット更新シグナリングを受信する前に、各セルの共通パイロットチャネル品質を測定するように構成され、第1の送信モジュール14は、UEが非ソフトハンドオーバ領域にある場合、および第1の測定モジュール13が、マイクロ基地局の共通パイロットチャネル品質は、事前設定された第1のしきい値より大きく、第2のアクティブセットへの追加のために第1の条件しきい値より小さいと測定した場合、RNCに第1の測定レポートを送り、それにより、RNCは、第1の測定レポートにより、UEにアクティブセット更新シグナリングを送るように構成される。
【０１２５】
第1の送信モジュール14は、
UEが第2のアクティブセットに対応するソフトハンドオーバ領域にある場合、および
UEが、マイクロ基地局の共通パイロットチャネル品質は、第2のアクティブセットからのマイクロ基地局の削除のために第2の条件しきい値より小さく、事前設定された第2のしきい値より大きいと測定した場合、RNCに第1の測定レポートを送り、それにより、RNCは、第1の測定レポートにより、UEにアクティブセット更新シグナリングを送るようにさらに構成される。
【０１２６】
さらに、第1の測定モジュール13は、
処理モジュール12が命令情報によりサービス送信を実行した後、マイクロ基地局の共通パイロットチャネル品質を測定し続け、マイクロ基地局の共通パイロットチャネル品質が、第2のアクティブセットへの追加のために第1の条件しきい値より大きい場合、第1の送信モジュール14は、RNCに第2の測定レポートを送るようにさらに構成され、それにより、RNCは、UEに第1の制御情報を送る
ようにさらに構成され、
処理モジュール12は、第1の制御情報により第2のアクティブセットにマイクロ基地局を追加するようにさらに構成される。
【０１２７】
あるいは、第1の測定モジュール13は、
処理モジュール12が命令情報によりサービス送信を実行した後、マイクロ基地局の共通パイロットチャネル品質を測定し続け、マイクロ基地局の共通パイロットチャネル品質が第2のしきい値より小さい場合、第1の送信モジュール14は、RNCに第2の測定レポートを送るようにさらに構成されるため、RNCは、UEに第2の制御情報を送る
ようさらに構成され、
処理モジュール12は、第2の制御情報により第1のアクティブセットからマイクロ基地局を削除するようにさらに構成される。
【０１２８】
さらに、UEによって送信されたサービスは、DCHサービスを含み、受信モジュール11は、
マイクロ基地局によって送られたTPCを受信し、TPCは、UEのアップリンク送信電力を調整するために使用される
ようにさらに構成される。
【０１２９】
UEによって送信されたサービスは、E-DCHサービスを含み、受信モジュール11は、
マイクロ基地局によって送られるTPC、E-RGCH、およびE-HICHを受信し、TPCは、UEのアップリンク送信電力を調整するために使用され、E-RGCHは、UEによって取得された、スケジューリング許可値を調整するために使用され、E-HICHは、マイクロ基地局がUEのデータを正しく受信するかどうかをUEにフィードバックするために使用される
ようにさらに構成される。
【０１３０】
図12は、本発明によるユーザ機器の実施形態3の図式的な構造図である。図12に示すように、図10に示した装置の構造に基づいて、さらに、本実施形態による装置は、第2の測定モジュール15および第2の送信モジュール16をさらに含み、第2の測定モジュール15は、受信モジュール11がRNCによって送られたアクティブセット更新シグナリングを受信する前に、各セルの共通パイロットチャネル品質を測定するように構成され、第2の送信モジュール16は、UEが非ソフトハンドオーバ領域にある場合、および第2の測定モジュール15が、マクロ基地局の共通パイロットチャネル品質は、事前設定された第3のしきい値より大きく、第2のアクティブセットへの追加のために第2の条件しきい値より小さいと測定した場合、RNCに第3の測定レポートを送り、それにより、RNCは、第3の測定レポートにより、UEにアクティブセット更新シグナリングを送るように構成される。
【０１３１】
第2の送信モジュール16は、UEが第2のアクティブセットに対応するソフトハンドオーバ領域にある場合、および第2の測定モジュール15が、マクロ基地局の共通パイロットチャネル品質は、第2のアクティブセットからのマクロ基地局の削除のために第4の条件しきい値より小さく、事前設定された第4のしきい値より大きいと測定した場合、RNCに第3の測定レポートを送り、それにより、RNCは、第3の測定レポートにより、UEにアクティブセット更新シグナリングを送るようにさらに構成される。
【０１３２】
さらに、第2の測定モジュール15は、
処理モジュール12が命令情報によりサービス送信を実行した後、マクロ基地局の共通パイロットチャネル品質を測定し続け、マクロ基地局の共通パイロットチャネル品質が、第2のアクティブセットへの追加のために第2の条件しきい値より大きい場合、第2の送信モジュール16は、RNCに第4の測定レポートを送るようにさらに構成され、それにより、RNCは、UEに第3の制御情報を送り、処理モジュール12は、第3の制御情報により第2のアクティブセットにマクロ基地局を追加する
ようにさらに構成される。
【０１３３】
あるいは、第2の測定モジュール15は、
処理モジュール12が命令情報によりサービス送信を実行した後、マクロ基地局の共通パイロットチャネル品質を測定し続けるようにさらに構成され、マクロ基地局の共通パイロットチャネル品質が第4のしきい値より小さい場合、第2の送信モジュール16は、RNCに第4の測定レポートを送るようにさらに構成され、それにより、RNCは、UEに第4の制御情報を送り、処理モジュール12は、第4の制御情報により第3のアクティブセットからマクロ基地局を削除するようにさらに構成される。
【０１３４】
図11および図12に示した実施形態のユーザ機器は、図3に示した方法の実施形態の技術的解決策を実行するように構成され得、ユーザ機器の実装原理は類似しているため、本明細書に再び記述されていない。
【０１３５】
図11および図12に示した実施形態によって提供されるユーザ機器により、受信モジュールがアクティブセット更新シグナリングを受信した後、処理モジュールは、第1のアクティブセットにマイクロ基地局を追加し、次いで、受信された命令情報および追加が実行されるアクティブセットによりサービス送信を実行し、かつ/または受信モジュールがアクティブセット更新シグナリングを受信した後、処理モジュールは、第3のアクティブセットにマクロ基地局を追加し、次いで、受信された命令情報および追加が実行されるアクティブセットによりサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０１３６】
図13は、本発明による無線ネットワークコントローラの実施形態1の図式的な構造図である。図13に示すように、本実施形態による無線ネットワークコントローラは、生成モジュール21および送信モジュール22を含むことができ、生成モジュール21は、命令情報を生成するように構成され、命令情報は、ユーザ機器UEに、第1の領域において、アクセスネットワークのマクロ基地局とのアップリンクおよびダウンリンクのサービス送信を実行し、マイクロ基地局とのアップリンクサービス送信を実行し、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得され、かつ/または第2の領域において、マイクロ基地局とのアップリンクおよびダウンリンクのサービス送信を実行し、マクロ基地局とのダウンリンクサービス送信を実行し、第2の領域は、マクロ基地局の共通パイロットチャネル品質は、第3のアクティブセットへの追加のために第3のしきい値に到達するマクロ基地局の共通パイロットチャネル品と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得され、送信モジュール22はUEに命令情報を送るように構成され、それにより、UEは、命令情報によりサービス送信を実行するように指示するために使用される。
【０１３７】
第1のアクティブセットは、
拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスのLLRを受信および計算し、ビタビ復号を実行するためにビタビ復号器としてLLRを入力することができる。
【０１３８】
第2のアクティブセットは、DCHアクティブセットおよび/またはE-DCHアクティブセットを含む。
【０１３９】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。第3のアクティブセットでは、UEは、第3のアクティブセットにおいてマイクロ基地局によって送られたE-HICHを受信することができ、E-HICHがACKを示す場合、UEは、E-DCHで新しいデータを送信するか、またはUEは、E-HICHがNACKを示しており、再送信の最高数に到達していない場合、E-DCHでデータを再送信する。
【０１４０】
本実施形態による無線ネットワークコントローラは、図4に示した方法の実施形態の技術的解決策を実行するように構成され得、無線ネットワークコントローラの実装原理は類似しているため、本明細書に再び記述されていない。
【０１４１】
本実施形態によって提供される無線ネットワークコントローラによると、生成モジュールは、命令情報を生成し、送信モジュールは、UEに命令情報を送り、それにより、UEは、マクロ基地局とのアップリンクおよびダウンリンクのサービス送信を実行し、第1の領域においてマイクロ基地局とのアップリンクサービス送信を実行し、かつ/またはマイクロ基地局とのアップリンクおよびダウンリンクのサービス送信を実行し、第2の領域においてマクロ基地局とのダウンリンクサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０１４２】
さらに、送信モジュール22は、命令情報を送る前に、UEにアクティブセット更新シグナリングを送るようにさらに構成され、それにより、UEは、アクティブセット更新シグナリングにより、第1の領域においてサービス送信を実行するときに、第1のアクティブセットにマイクロ基地局を追加し、かつ/または第2の領域においてサービス送信を実行するときに、第3のアクティブセットにマクロ基地局を追加する。
【０１４３】
図14は、本発明による無線ネットワークコントローラの実施形態2の図式的な構造図である。図14に示すように、図13に示した装置の構造に基づいて、さらに、本実施形態による無線ネットワークコントローラは、第1の受信モジュール23をさらに含むことができ、第1の受信モジュール23は、送信モジュール22がUEにアクティブセット更新シグナリングを送る前に、UEによって送られた第1の測定レポートを受信するように構成され、第1の測定レポートは、UEが非ソフトハンドオーバ領域にある場合、およびUEが、マイクロ基地局の共通パイロットチャネル品質は、事前設定された第1のしきい値より大きく、第2のアクティブセットへの追加のために第1の条件しきい値より小さいと測定した場合、RNCに送られるか、または第1の測定レポートは、UEが第2のアクティブセットに対応するソフトハンドオーバ領域にある場合およびUEが、マイクロ基地局の共通パイロットチャネル品質は、第2のアクティブセットからのマイクロ基地局の削除のために第3の条件しきい値より小さく、事前設定された第2のしきい値より大きいと測定した場合、RNCに送られる。
【０１４４】
さらに、第1の受信モジュール23は、送信モジュール22がUEに命令情報を送った後、UEによって送られた第2の測定レポートを受信するようにさらに構成され、マイクロ基地局の共通パイロットチャネル品質が、第2のアクティブセットへの追加のために第1の条件しきい値より大きい場合、第2の測定レポートはRNCにUEによって送られる。送信モジュール22は、UEに第1の制御情報を送るようにさらに構成され、それにより、UEは、第1の制御情報の命令により第2のアクティブセットにマイクロ基地局を追加する。
【０１４５】
あるいは、第1の受信モジュール23は、送信モジュール22がUEに命令情報を送った後、UEによって送られた第2の測定レポートを受信するようにさらに構成され、マイクロ基地局の共通パイロットチャネル品質が第2のしきい値より小さい場合、第2の測定レポートはRNCにUEによって送られる。送信モジュール22は、UEに第2の制御情報を送るようにさらに構成され、それにより、UEは、第2の制御情報により第1のアクティブセットからマイクロ基地局を削除する。
【０１４６】
図15は、本発明による無線ネットワークコントローラの実施形態3の図式的な構造図である。図15に示すように、図13に示した装置の構造に基づいて、さらに、本実施形態による無線ネットワークコントローラは、第2の受信モジュール24をさらに含むことができ、第2の受信モジュール24は、送信モジュール22がUEにアクティブセット更新シグナリングを送る前に、UEによって送られた第3の測定レポートを受信するように構成され、第3の測定レポートは、UEが非ソフトハンドオーバ領域にある場合、およびUEが、マクロ基地局の共通パイロットチャネル品質は、事前設定された第3のしきい値より大きく、第2のアクティブセットへの追加のために第2の条件しきい値より小さいと測定した場合、RNCにUEによって送られるか、または第3の測定レポートは、UEが第2のアクティブセットに対応するソフトハンドオーバ領域にある場合、およびUEが、マクロ基地局の共通パイロットチャネル品質は、第2のアクティブセットからのマクロ基地局の削除のために第4の条件しきい値より小さく、事前設定された第4のしきい値より大きいと測定した場合、RNCにUEによって送られる。
【０１４７】
さらに、第2の受信モジュール24は、送信モジュール22がUEに命令情報を送った後、UEによって送られた第4の測定レポートを受信するようにさらに構成され、第4の測定レポートは、マクロ基地局の共通パイロットチャネル品質が、第2のアクティブセットへの追加のために第2の条件しきい値より大きい場合、RNCにUEによって送られる。送信モジュール22は、UEに第3の制御情報を送るようにさらに構成され、それにより、UEは、第3の制御情報により第2のアクティブセットにマクロ基地局を追加する。
【０１４８】
あるいは、第2の受信モジュール24は、送信モジュール22がUEに命令情報を送った後、UEによって送られた第4の測定レポートを受信するようにさらに構成され、マクロ基地局の共通パイロットチャネル品質が第4のしきい値より小さい場合、第4の測定レポートは、RNCにUEによって送られる。送信モジュール22は、UEに第4の制御情報を送るようにさらに構成され、それにより、UEは、第4の制御情報により、第3のアクティブセットからマクロ基地局を削除する。
【０１４９】
図14および図15に示した無線ネットワークコントローラは、図5に示した方法の実施形態の技術的解決策を実行するように構成され得、無線ネットワークコントローラの実装原理は類似しているため、本明細書に再び記述されていない。
【０１５０】
図14および図15に示した実施形態によって提供される無線ネットワークコントローラによると、送信モジュールは、UEにアクティブセット更新シグナリングを送り、それにより、UEは、アクティブセット更新シグナリングを受信した後に、第1のアクティブセットにマイクロ基地局を追加し、次いで、UEは、送信モジュールによって送られた命令情報および追加が実行されるアクティブセットによりサービス送信を実行し、かつ/または送信モジュールは、UEにアクティブセット更新シグナリングを送り、それにより、UEは、アクティブセット更新シグナリングを受信した後に、第3のアクティブセットにマクロ基地局を追加し、次いで、UEは、送信モジュールによって送られた命令情報および追加が実行されるアクティブセットによりサービス送信を実行する。これにより、UEによって第1の領域においてマイクロ基地局に引き起こされるアップリンク干渉を最小限にすることができ、マクロ基地局によって第2の領域においてマイクロ基地局に引き起こされるダウンリンク干渉を最小限にすることができ、さらに、マイクロ基地局のアップリンク有効範囲およびマクロ基地局のダウンリンク有効範囲は、完全に利用され得、これにより、HetNetのエッジ領域において送信のスループットレートおよび信頼性が改善される。
【０１５１】
図16は、本発明によりマイクロ基地局の実施形態1の図式的な構造図である。図16に示すように、本実施形態によるマイクロ基地局は、受信モジュール31および処理モジュール32を含むことができ、受信モジュール31は、アクセスネットワークのRNCによって送られた構成情報を受信するように構成され、構成情報は、ユーザ機器UEによって送られたアップリンクDCHおよび/またはアップリンクE-DCHサービスを受信するようにマイクロ基地局に指示するために使用され、処理モジュール32は、UEが第1の領域においてサービス送信を実行するときに、マイクロ基地局が第1のアクティブセットにUEによって追加された後に、構成情報により第1のアクティブセットで、UEによって送られたアップリンクDCHおよび/またはアップリンクE-DCHサービスを受信するように構成され、第1の領域は、マイクロ基地局の共通パイロットチャネル品質は、第1のアクティブセットへの追加のために第1のしきい値に到達するマイクロ基地局の共通パイロットチャネル品質と、第2のアクティブセットへの追加のために第1の条件しきい値に到達するマイクロ基地局の共通パイロットチャネル品質の間にある領域であり、マイクロ基地局の共通パイロットチャネル品質は、測定を使って第1の領域においてUEによって取得される。
【０１５２】
第1のアクティブセットは、
拡張されたDCHアクティブセットおよび/または拡張されたE-DCHアクティブセットを含み、拡張されたDCHアクティブセットは、アップリンクDCHサービスを送るためにUEをサポートし、拡張されたDCHアクティブセットのマイクロ基地局は、UEによって送られたアップリンクDCHサービスを受信し、拡張されたE-DCHアクティブセットは、E-DCHサービスを送るためにUEをサポートし、拡張されたE-DCHアクティブセットのマイクロ基地局は、UEによって送られたE-DCHサービスを受信する。第1のアクティブセットでは、UEは、第1のアクティブセットにおいてマクロ基地局のDCHサービスのLLRを受信および計算し、ビタビ復号を実行するためにビタビ復号器としてLLRを入力することができる。
【０１５３】
本実施形態によるマイクロ基地局は、図6に示した方法の実施形態の技術的解決策を実行するように構成され得、マイクロ基地局の実装原理は類似しているため、本明細書に再び記述されていない。
【０１５４】
本実施形態によって提供されるマイクロ基地局によると、受信モジュールは、RNCによって送られた構成情報を受信し、UEが第1の領域においてサービス送信を実行するときに、マイクロ基地局が第1のアクティブセットにUEによって追加された後に、処理モジュールは、構成情報により第1のアクティブセットで、UEによって送られたアップリンクDCHおよび/またはアップリンクE-DCHサービスを受信する。これにより、UEによって第1の領域においてマイクロ基地局に引き起こされるアップリンク干渉を最小限にすることができ、さらに、マイクロ基地局のアップリンク有効範囲は、完全に利用され得、これにより、HetNetのエッジ領域において送信のスループットレートおよび信頼性が改善される。
【０１５５】
図17は、本発明によるマイクロ基地局の実施形態2の図式的な構造図である。図17に示すように、図16に示した装置の構造に基づいて、さらに、本実施形態によるマイクロ基地局は、送信モジュール33をさらに含み、マイクロ基地局によって受信されたサービスがDCHサービスである場合、送信モジュール33は、UEにTPCを送るように構成され、TPCは、UEのアップリンク送信電力を調整するために使用される。
【０１５６】
マイクロ基地局によって受信されたサービスがE-DCHサービスである場合、送信モジュール33は、UEにTPC、E-RGCHおよびE-HICHを送るように構成され、TPCは、UEのアップリンク送信電力を調整するために使用され、E-RGCHは、UEによって取得された、スケジューリング許可値を調整するために使用され、E-HICHは、マイクロ基地局がUEのデータを正確に受信するかどうかをUEにフィードバックするために使用される。
【０１５７】
図18は、本発明によるマクロ基地局の実施形態1の図式的な構造図である。図18に示すように、本実施形態によるマクロ基地局は、受信モジュール41および送信モジュール42を含むことができ、受信モジュール41は、アクセスネットワークのRNCによって送られた構成情報を受信するように構成され、構成情報は、ユーザ機器UEにダウンリンクDCHサービスを送るようにマクロ基地局に指示するために使用され、
送信モジュール42は、UEが第2の領域においてサービス送信を実行する場合、マクロ基地局が第3のアクティブセットにUEによって追加された後、構成情報により第3のアクティブセットでUEにダウンリンクDCHサービスを送るように構成され、第2の領域は、マクロ基地局の共通パイロットチャネル品質は、第3のアクティブセットへの追加のために第3のしきい値に到達するマクロ基地局の共通パイロットチャネル品質と、第2のアクティブセットへの追加のために第2の条件しきい値に到達するマクロ基地局の共通パイロットチャネル品質の間にある領域であり、マクロ基地局の共通パイロットチャネル品質は、測定を使って第2の領域においてUEによって取得される。
【０１５８】
第3のアクティブセットは、拡張されたDCHアクティブセットを含み、拡張されたDCHアクティブセットは、ダウンリンクDCHサービスを送るために第3のアクティブセットにおいてマクロ基地局をサポートし、UEは、第3のアクティブセットのマクロ基地局によって送られたダウンリンクDCHサービスを受信する。第3のアクティブセットでは、UEは、第3のアクティブセットにおいてマイクロ基地局によって送られたE-HICHを受信することができ、E-HICHがACKを示す場合、UEは、E-DCHで新しいデータを送信するか、またはUEは、E-HICHがNACKを示しており、再送信の最高数に到達していない場合、E-DCHでデータを再送信する。
【０１５９】
さらに、受信モジュール41は、
送信モジュールが、構成情報により第3のアクティブセットで、UEにダウンリンクDCHサービスを送った後、UEによって送られたアップリンクTPCを受信し、TPCは、ダウンリンクDCHサービスの送信電力を制御するために使用されるようにさらに構成される。
【０１６０】
本実施形態によるマクロ基地局は、図7に示した方法の実施形態の技術的解決策を実行するように構成され得、マクロ基地局の実装原理は類似しているため、本明細書に再び記述されていない。
【０１６１】
本実施形態によって提供されるマクロ基地局によると、受信モジュールは、RNCによって送られた構成情報を受信し、UEが第2の領域においてサービス送信を実行するときに、マクロ基地局が第3のアクティブセットにUEによって追加された後に、送信モジュールは、構成情報により第3のアクティブセットで、UEにダウンリンクDCHサービスを送る。これにより、マクロ基地局によって第2の領域においてマイクロ基地局に引き起こされるダウンリンク干渉を最小限にすることができ、さらに、マクロ基地局のダウンリンク有効範囲は、完全に利用され得、これにより、HetNetのエッジ領域において送信のスループットレートおよび信頼性が改善される。
【０１６２】
実施形態によって提供されるアクセスネットワークシステムは、図10から図12のいずれか1つに示したユーザ機器と、図13から図15のいずれか1つに示した無線ネットワークコントローラと、図16または図17に示したマイクロ基地局と、図18に示したマクロ基地局とを含む。
【０１６３】
図1を参照すると、図に示した領域Bでは、マクロ基地局に対するUEでのダウンリンク受信は、この領域におけるマイクロ基地局に対するものより良好であり、HSDPAのサービスを提供するセルは、マクロ基地局であるが、アップリンクでは、UEからマイクロ基地局への経路損失は、UEからマクロ基地局への経路損失より小さく、UEに対するマイクロ基地局での受信は、マクロ基地局のものより良好である。しかし、UEのサービスを提供するセルは、マクロ基地局である。この場合、マイクロ基地局は、アップリンクにおいてそれほど使用されておらず、より大きなアップリンク容量を持っている。したがって、ネットワークアップリンクのスループットパフォーマンスは不十分である。さらに、UEは、ソフトハンドオーバSHO領域に入っておらず、マイクロ基地局は、UEに対して電力制御を実行することができない。その結果、UEのアップリンクサービスに対するマイクロ基地局での受信電力は過度に高く、このために、マイクロ基地局へのアップリンク干渉が引き起こされる。
【０１６４】
さらに、たとえば、建築物および地形による遮蔽などの要素など、基地局の展開環境のために、異種混合ネットワークのものに類似する不均衡なアップリンクおよびダウンリンクのシナリオが、2つのマクロ基地局間で引き起こされる場合がある。前述の問題は、また、このシナリオにも存在する。
【０１６５】
前述の問題に基づいて、本発明の実施形態は、ネットワーク通信方法をさらに提供し、これは、HetNetのエッジ領域で送信のスループットレートおよび信頼性を改善するために、マイクロ基地局のアップリンク有効範囲を利用することができ、また、UEが、図に示した領域Bにおいて、HetNetでサービス送信を実行するときに、マイクロ基地局に引き起こされるアップリンク干渉を低減することができる。
【０１６６】
図19は、本発明によるネットワーク通信方法の実施形態9の流れ図である。本実施形態は、UEが実行体である実例を使用して記述されている。図19に示すように、本実施形態による方法は、以下を含むことができる。
【０１６７】
S701.UEは、アクセスネットワークにおいて第1の基地局によって送られた、第1の向上された専用チャネルのハイブリッド自動再送要求インジケータチャネル((E-DCH Hybrid ARQ Indicator Channel、略してE-HICH)を受信し、第1の基地局は、UEの検出範囲内に位置し、UEの向上された専用チャネルE-DCHアクティブセットにない。
【０１６８】
具体的には、第1の基地局は、アクセスネットワークの任意のマイクロ基地局またはマクロ基地局の場合がある。本明細書に記載のマクロ基地局は、以下を参照する:周囲環境および建築による遮蔽などの条件によって影響を受ける2つのマクロ基地局について、異種混合ネットワークのマクロ基地局およびマイクロ基地局のものに類似する事例が引き起こされる場合があり、この場合、2つのマクロ基地局のうちの1つは、異種混合ネットワークにおけるマイクロ基地局に類似している。アクセスネットワークの第1の基地局は、UEのE-DCHアクティブセットにない、すなわち、UEは、SHO領域(たとえば、図1に示した領域B)に入っていない。E-HICHは、肯定応答(ACK)および否定応答(NACK)という2つの情報を含み、ACKは、基地局が、前のプロセスでE-DCHサービスを正しく受信することを表し、NACKは、基地局が、前のプロセスでE-DCHサービスを受信するときに障害が発生したことを表している。ACKを受信した後、UEは、次のプロセスで新しいデータを送り、NACKが受信された場合、次のプロセスでUEはデータを再送信し、再送信の最高数に到達したときにデータが正しく送られていなければ、UEは、また、新しいデータを送る。UEが複数のセルのE-HICHを受信した場合、1つのE-HICHがACKを示している場合、UEは、新しいデータを送信する。すべてのE-HICHがNACKを示している場合に限り、UEは、以前に送られたE-DCHデータを再送信する。
【０１６９】
S702.第1のE-HICHが肯定応答ACKを示す場合、UEは新しいE-DCHデータを送る。
【０１７０】
具体的には、UEが第1の基地局によって送られた第1のE-HICHを受信した後、受信された第1のE-HICHが、UEに、第1の基地局は、UEによって送られたE-DCHサービスを正しく受信したことを示すACKを送る場合、UEは、新しいE-DCHデータを送る。
【０１７１】
異種混合ネットワークおよび同様の環境の領域Bでは、UEから第1の基地局へのアップリンクチャネルの品質は、UEから別の基地局(たとえば、マクロ基地局)へのアップリンクチャネルの品質より良好であるので、第1の基地局がUEによって送られたE-DCHデータを正しく受信する可能性はより高い。したがって、第1の基地局は、UEによって送られた新しいE-DCHデータを受信するために使用され得、次いで、RNCにアップリンク方向に新しいE-DCHデータを送ることができる。本発明の技術的解決策を使用することによって、より多くのE-HICHが、UEにACKをフィードバックする。これにより、UEのすべてのE-HICHがNACKをフィードバックする機会が減り、UEがE-DCHを再送信する回数が減り、E-DCHの送信効率が改善される。
【０１７２】
第1のE-HICHが否定応答NACKを示している場合、UEは、E-DCHデータを再送信する。
【０１７３】
第1の基地局がUEの検出範囲内に位置することは、以下を含む。
第1の基地局のものであり、UEによって測定されるダウンリンクパイロット品質は、事前設定された第1のしきい値より大きい。第1のしきい値は、UEが第1の基地局によって送られたE-HICHを正しく復号するパイロット品質の最小値を表している。
【０１７４】
さらに、UEが第1の基地局によって送られた第1のE-HICHを受信する前に、方法は、以下をさらに含むことができる。
【０１７５】
S703.UEは、RNCによって送られた第1の命令シグナリングを受信し、第1の命令シグナリングは、第1の基地局によって送られた第1のE-HICHを受信するようにUEに指示するために使用され、第1の命令シグナリングは、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【０１７６】
チャネル化コードは、エアインターフェースの複数のチャネルを区別するために、広帯域符号分割多元接続システム(WCDMAシステム)で使用される。チャネル化コードは相互に直交しているので、マルチパス干渉および符号間干渉がない場合、相互干渉は、異なるチャネル化コードを使用することによって、拡散する送信(spreading transmission)が実行されるチャネル間に発生せず、このためにパフォーマンスが良好になる。信号を受信するときに、受信機は最初に、チャネル化コードを使用することによって信号を逆拡散し、受信機は、逆拡散するためのチャネル化コードが拡散のためのチャネル化コードである場合に限り、逆拡散することによってデータを正しく取得することができる。シグネチャシーケンスは、ユーザを区別するために使用される。ユーザは、復号を使ってチャネルから、ユーザのシグネチャシーケンスを使用することによって、E-HICHおよび向上された専用チャネル相対グラントチャネル(E-DCH Relative Grant Channel、略してE-RGCH)を復号することによってのみ、ユーザに送られるデータを取得することができる。
【０１７７】
さらに、第1の命令シグナリングは、第1のE-HICHのタイミング情報をさらに含み、第1のE-HICHのタイミング情報は、UEが第1のE-HICHの各サブフレームを受信するべき開始時間位置を示すために使用される。UEは、E-HICHについての情報を正しく受信および復号するために、タイミング情報により各サブフレームでE-HICHの開始位置を決定することができる。
【０１７８】
第1のE-HICHのタイミング情報は、第1の基地局の断片的なダウンリンク物理チャネル(Fractional Downlink Physical Channel、略してF-DPCH)のタイミングオフセットτF-DPCHおよび/または記号位置の場合がある。たとえば、参照チャネルは、プライマリ共通制御物理チャネル(Primary Common Control Physical Channel、略してP-CCPCH))であり、タイミングオフセットは、τF-DPCH,nであり、これは、各F-DPCHフレーム/サブフレームがP-CCPCHより後のτF-DPCH,nであることを示している。第1のE-HICHのチャネルタイミングは、F-DPCHのタイミングオフセットτF-DPCH,nを使用することによって知られ得る。
【０１７９】
別の実装可能な方法では、さらに、第1の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信するときを示すために使用され、E-RGCHのタイミング情報は、第1の基地局の断片的なダウンリンク物理チャネルF-DPCHのタイミングオフセットτF-DPCH,nおよび/または記号位置である
をさらに含むことができる。
【０１８０】
UEのE-DCH送信電力は、E-RGCHを使用することによって制御される。UEのE-DCH送信電力が過度に高い場合、第1の基地局は、E-RGCHを使用することによってUEに電力削減命令を送ることができ、これにより、過度に高い電力によって第1の基地局に引き起こされる干渉を回避することができる。たとえば、UEが、図に示した領域Bにおいて、HetNetのサービス送信を実行するときに、マイクロ基地局に引き起こされるアップリンク干渉が低減され得る。
【０１８１】
本実施形態では、さらに、UEがRNCによって送られた第1の命令シグナリングを受信する前に、方法は、以下をさらに含むことができる。
【０１８２】
S704.UEは、各サービスを提供するセルの共通パイロットチャネル品質を測定する。
【０１８３】
S705.UEが、第1の基地局の共通パイロットチャネル品質は、事前設定された第1のしきい値より大きいと測定したときに、UEは、RNCに測定レポートを送り、それにより、RNCは、測定レポートにより、UEに第1の命令シグナリングを送る。
【０１８４】
本実施形態によって提供されるネットワーク通信方法によると、アクセスネットワークの第1の基地局がUEのE-DCHアクティブセットにない場合、UEは、第1の基地局によって送られたE-HICHを受信することができ、それにより、UEが、E-HICHにより、第1の基地局が、UEによって送られたE-DCHサービスを正しく受信したことを認識したときに、UEは、第1の基地局にE-DCHサービスを送ることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０１８５】
図20は、本発明によるネットワーク通信方法の実施形態10の流れ図である。本実施形態は、基地局が実行体である実例を使用して記述されている。図20に示すように、本実施形態による方法は、以下を含む。
【０１８６】
S801.アクセスネットワークの第1の基地局は、UEによって送られたE-DCHサービスを受信し、第1の基地局は、UEの検出範囲内にあり、UEの向上された専用チャネルE-DCHアクティブセットにない。
【０１８７】
第1の基地局は、アクセスネットワークの任意のマイクロ基地局またはマクロ基地局の場合がある。本明細書に記載のマクロ基地局は、以下を参照する:周囲環境および建築による遮蔽などの条件によって影響を受ける2つのマクロ基地局について、異種混合ネットワークのマクロ基地局およびマイクロ基地局のものに類似する事例が引き起こされる場合があり、この場合、1つのマクロ基地局は、異種混合ネットワークにおけるマイクロ基地局に類似している。アクセスネットワークの第1の基地局は、UEのE-DCHアクティブセットにない、すなわち、UEは、SHO領域(たとえば、図1に示した領域B)に入っていない。
【０１８８】
S802.第1の基地局は、UEに第1のE-HICHを送る。
【０１８９】
S803.第1の基地局は、第1のE-HICHが肯定応答ACKを示す場合、UEによって送られる新しいE-DCHデータを受信する。
【０１９０】
あるいは、第1の基地局は、第1のE-HICHが否定応答NACKを示す場合、UEによって再送信されたE-DCHデータを受信する。
【０１９１】
E-HICHは、肯定応答(ACK)および否定応答(NACK)という2つの情報を含み、ACKは、基地局が、前のプロセスでE-DCHサービスを正しく受信することを表し、NACKは、基地局が、前のプロセスでE-DCHサービスを受信するときに障害が発生したことを表している。ACKを受信した後、UEは、次のプロセスで新しいデータを送り、NACKが受信された場合、次のプロセスでUEはデータを再送信し、再送信の最高数に到達したときにデータが正しく送られていなければ、UEは、また、新しいデータを送る。UEが複数のセルのE-HICHを受信する場合(UEのE-DCHアクティブセットは、2つ以上のセルを持つ)、1つのE-HICHがACKを示している場合、UEは、新しいデータを送信する。
【０１９２】
第1の基地局がUEの検出範囲内に位置することは、
第1の基地局のものであり、UEによって測定されるダウンリンクパイロット品質は、事前設定された第1のしきい値より大きい。第1のしきい値は、UEが第1の基地局によって送られたE-HICHを正しく復号するパイロット品質の最小値を表している
ことを含む。
【０１９３】
さらに、第1の基地局がUEによって送られたE-DCHサービスを受信する前に、方法は、以下をさらに含むことができる。
【０１９４】
S804.第1の基地局は、RNCによって送られた第2の命令シグナリングを受信し、第2の命令シグナリングは、UEによって送られたE-DCHサービスを受信するように第1の基地局に指示するために使用され、第2の命令シグナリングは、UEのアップリンクスクランブルコードと、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【０１９５】
スクランブルコードは、一連の擬似ランダム符号である。アップリンクでは、基地局は、スクランブルコードを識別することによってユーザを区別および識別する。第1のE-HICHのチャネル化コードは、どのコードチャネルがUEに送られた第1のE-HICHによって使用されるかを示している。第1のE-HICHのシグネチャシーケンスは、UEによって使用されるシグネチャシーケンスを示している。
【０１９６】
さらに、第2の命令シグナリングは、第1のE-HICHのタイミング情報をさらに含み、第1のE-HICHのタイミング情報は、第1のE-HICHの各サブフレームを送るために開始時間位置を示すために使用される。
【０１９７】
第1のE-HICHのタイミング情報は、第1の基地局の断片的なダウンリンク物理チャネルF-DPCHのタイミングオフセットτF-DPCH,nおよび/または記号位置である。たとえば、参照チャネルは、P-CCPCHであり、タイミングオフセットは、τF-DPCH,nであり、これは、各F-DPCHフレーム/サブフレームがP-CCPCHより後のτF-DPCH,nであることを示している。第1のE-HICHのチャネルタイミングは、F-DPCHのタイミングオフセットτF-DPCH,nを使用することによって知られ得る。
【０１９８】
別の実装可能な方法では、さらに、第2の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信するときを示すために使用され、E-RGCHのタイミング情報は、第1の基地局の断片的なダウンリンク物理チャネルF-DPCHのタイミングオフセットτF-DPCH,nおよび/または記号位置である
を含む。
【０１９９】
UEのE-DCH送信電力は、E-RGCHを使用することによって制御され、これにより、過度に高い電力によって第1の基地局に引き起こされる干渉を回避することができる。たとえば、UEが、図に示した領域Bにおいて、HetNetのサービス送信を実行するときに、マイクロ基地局に引き起こされるアップリンク干渉が低減され得る。
【０２００】
本実施形態では、さらに、第1の基地局がRNCによって送られた第2の命令シグナリングを受信する前に、方法は、
第1の基地局は、RNCに受信能力メッセージを送り、受信能力メッセージは、第1の基地局がUEによって送られたE-DCHサービスを受信することができることを示すために使用される
ことをさらに含む。
【０２０１】
本実施形態によって提供されるネットワーク通信方法によると、アクセスネットワークの第1の基地局がUEのE-DCHアクティブセットにない場合、第1の基地局は、UEによって送られたE-DCHサービスを受信した後に、UEにE-HICHを送り、それにより、UEが、E-HICHにより、第1の基地局が、UEによって送られたE-DCHサービスを正しく受信したことを認識したときに、UEは、第1の基地局にE-DCHサービスを送り続けることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０２０２】
図21は、本発明によるネットワーク通信方法の実施形態11の流れ図である。本実施形態は、RNCが実行体である実例を使用して記述されている。図21に示すように、本実施形態による方法は、以下を含む。
【０２０３】
S901.アクセスネットワークのRNCは、第1の命令シグナリングおよび第2の命令シグナリングを生成し、第1の命令シグナリングは、第1の基地局によって送られた、第1の向上された専用チャネルのハイブリッド自動再送要求インジケータチャネルE-HICHを受信するようにUEに指示するために使用され、第2の命令シグナリングは、UEによって送られたE-DCHサービスを受信するように第1の基地局に指示するために使用され、第1の基地局は、UEの検出範囲内にあり、UEの向上された専用チャネルE-DCHアクティブセットにない。
【０２０４】
第1の命令シグナリングでは、第1のE-HICHのチャネル化コードは、拡散を実行するために第1のE-HICHによってどの拡散符号が使用されるかをUEに示し、第1のE-HICHのシグネチャシーケンスは、UEによって使用されるシグネチャシーケンスを示している。
【０２０５】
第2の命令シグナリングでは、スクランブルコードは一連の擬似ランダム符号であり、アップリンクでは、基地局は、スクランブルコードを識別することによってユーザを区別および識別する。第1のE-HICHのチャネル化コードは、どのコードチャネルがUEに送られた第1のE-HICHによって使用されるかを示している。第1のE-HICHのシグネチャシーケンスは、UEによって使用されるシグネチャシーケンスを示している。
【０２０６】
具体的には、第1の基地局は、アクセスネットワークの任意のマイクロ基地局またはマクロ基地局の場合がある。本明細書に記載のマクロ基地局は、以下を参照する:周囲環境および建築による遮蔽などの条件によって影響を受ける2つのマクロ基地局について、異種混合ネットワークのマクロ基地局およびマイクロ基地局のものに類似する事例が引き起こされる場合があり、この場合、1つのマクロ基地局は、異種混合ネットワークにおけるマイクロ基地局に類似している。アクセスネットワークの第1の基地局は、UEのE-DCHアクティブセットにない、すなわち、UEは、SHO領域(たとえば、図1に示した領域B)に入っていない。E-HICHは、肯定応答(ACK)および否定応答(NACK)という2つの情報を含み、ACKは、基地局が、前のプロセスでE-DCHサービスを正しく受信することを表し、NACKは、基地局が、前のプロセスでE-DCHサービスを受信するときに障害が発生したことを表している。ACKを受信した後、UEは、次のプロセスで新しいデータを送り、NACKが受信された場合、次のプロセスでUEはデータを再送信し、再送信の最高数に到達したときにデータが正しく送られていなければ、UEは、また、新しいデータを送る。UEが複数のセルのE-HICHを受信する場合(UEのE-DCHアクティブセットは、2つ以上のセルを持つ)、1つのE-HICHがACKを示している場合、UEは、新しいデータを送信する。
【０２０７】
S902.RNCは、第1の基地局に第2の命令シグナリングを送り、第2の命令シグナリングは、UEのアップリンクスクランブルコードと、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【０２０８】
特定の送信方法は、たとえば、第2の命令シグナリングは、RNCと基地局の間のIubインターフェースを通じて送られ得ることである場合がある。たとえば、RNCは、基地局のアプリケーション部のシグナリング(Node B Application Part、略してNBAP)を使用することによって、第2の命令シグナリングを送ることができる。
【０２０９】
S903.RNCは、UEに第1の命令シグナリングを送り、第1の命令シグナリングは、第1のE-HICHのチャネル化コードおよびシグネチャシーケンスを含む。
【０２１０】
特定の送信方法は、たとえば、RNCは、無線リソース制御シグナリング(Radio Resource Control、略してRRC)を使用することによって、UEに第1の命令シグナリングを送ることである場合がある。
【０２１１】
第1の基地局がUEの検出範囲内に位置することは、
第1の基地局のものであり、UEによって測定されるダウンリンクパイロット品質は、事前設定された第1のしきい値より大きい。第1のしきい値は、UEが第1の基地局によって送られたE-HICHを正しく復号するパイロット品質の最小値を表している
ことを含む。
【０２１２】
さらに、第1の命令シグナリングは、
第1のE-HICHのタイミング情報であって、第1のE-HICHのタイミング情報は、UEが第1のE-HICHの各サブフレームを受信するべき開始時間位置を示すために使用される
ことをさらに含む。
【０２１３】
第2の命令シグナリングは、第1のE-HICHのタイミング情報をさらに含み、第1のE-HICHのタイミング情報は、第1のE-HICHの各サブフレームを送るために開始時間位置を示すために使用される。
【０２１４】
第1のE-HICHのタイミング情報は、第1の基地局の断片的なダウンリンク物理チャネルF-DPCHのタイミングオフセットτF-DPCH,nおよび/または記号位置である。たとえば、参照チャネルは、P-CCPCHであり、タイミングオフセットは、τF-DPCH,nであり、これは、各F-DPCHフレーム/サブフレームがP-CCPCHより後のτF-DPCH,nであることを示している。第1のE-HICHのチャネルタイミングは、F-DPCHのタイミングオフセットτF-DPCH,nを使用することによって知られ得る。
【０２１５】
別の可能な実装方法では、さらに、第1の命令シグナリングおよび第2の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信するときを示すために使用され、E-RGCHのタイミング情報は、第1の基地局の断片的なダウンリンク物理チャネルF-DPCHのタイミングオフセットτF-DPCH,nおよび/または記号位置である
をさらに含む。
【０２１６】
UEのE-DCH送信電力は、E-RGCHを使用することによって制御され、これにより、過度に高い電力によって第1の基地局に引き起こされる干渉を回避することができる。たとえば、UEが、図に示した領域Bにおいて、HetNetのサービス送信を実行するときに、マイクロ基地局に引き起こされるアップリンク干渉が低減され得る。
【０２１７】
本実施形態では、さらに、RNCが第1の命令シグナリングおよび第2の命令シグナリングを生成する前に、方法は、
RNCは、UEによって送られた測定レポートを受信し、UEが、第1の基地局の共通パイロットチャネル品質は事前設定された第1のしきい値より大きいと測定した場合、測定レポートが送られる
ことをさらに含むことができる。
【０２１８】
さらに、RNCが第1の基地局に第2の命令シグナリングを送る前に、方法は、
RNCは、第1の基地局によって送られた受信能力メッセージを受信し、受信能力メッセージは、第1の基地局がUEによって送られたE-DCHサービスを受信することができることを示すために使用される
ことをさらに含むことができる。
【０２１９】
本実施形態によって提供されるネットワーク通信方法によると、アクセスネットワークの第1の基地局がUEのE-DCHアクティブセットにない場合、RNCは、第1の命令シグナリングおよび第2の命令シグナリングを生成し、UEおよび第1の基地局に、それぞれ第1の命令シグナリングおよび第2の命令シグナリングを送り、それにより、UEは、第1の基地局によって送られたE-HICHを受信することができ、UEが、E-HICHにより、第1の基地局が、UEによって送られたE-DCHサービスを正しく受信したことを認識したときに、UEは、第1の基地局にE-DCHサービスを送ることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０２２０】
図22は、本発明によるネットワーク通信方法の実施形態12の対話の流れ図である。本実施形態は、UEがソフトハンドオーバ領域に入っていない場合、UEのサービスを提供する基地局は、マクロ基地局であり、この場合、アクセスネットワークのマイクロ基地局は、UEのE-DCHアクティブセットにない実例を使用することによって記述されている。図22に示すように、本実施形態による方法は、以下を含むことができる。
【０２２１】
S1001.UEは、各サービスを提供するセルの共通パイロットチャネル品質を測定する。
【０２２２】
S1002.UEが、マイクロ基地局の共通パイロットチャネル品質は、事前設定された第1のしきい値より大きいと測定したときに、UEは、RNCに測定レポートを送る。
【０２２３】
S1003.RNCは、測定レポートを受信した後に、第1の命令シグナリングおよび第2の命令シグナリングを生成する。
【０２２４】
さらに、S1003の後に、方法は、
RNCは、マイクロ基地局によって送られた受信能力メッセージを受信し、受信能力メッセージは、マイクロ基地局がUEによって送られたE-DCHサービスを受信することができることを示すために使用される
ことをさらに含む
【０２２５】
S1004.RNCは、マイクロ基地局に第2の命令シグナリングを送る。
【０２２６】
第2の命令シグナリングは、UEによって送られたE-DCHサービスを受信するようにマイクロ基地局に指示するために使用される。第2の命令シグナリングは、UEのアップリンクスクランブルコード、チャネル化コードおよび第1のE-HICHのシグネチャシーケンスを含む。
【０２２７】
さらに、第2の命令シグナリングは、第1のE-HICHのタイミング情報をさらに含み、第1のE-HICHのタイミング情報は、第1のE-HICHを送る時間を示すために使用される。第1のE-HICHのタイミング情報は、マイクロ基地局の断片的なダウンリンク物理チャネルF-DPCHのタイミングオフセットτF-DPCH,nおよび/または記号位置である。
【０２２８】
さらに、第1の命令シグナリングおよび第2の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信するときを示すために使用され、E-RGCHのタイミング情報は、マイクロ基地局の断片的なダウンリンク物理チャネルF-DPCHのタイミングオフセットτF-DPCH,nおよび/または記号位置である
ことをさらに含む。
【０２２９】
UEのE-DCH送信電力は、E-RGCHによって制御される。UEのE-DCH送信電力が過度に高い場合、マイクロ基地局は、E-RGCHを使用することによってUEに電力削減命令を送ることができ、これにより、過度に高い電力によってマイクロ基地局に引き起こされる干渉を回避することができる。たとえば、UEが、図に示した領域Bにおいて、HetNetのサービス送信を実行するときに、マイクロ基地局に引き起こされるアップリンク干渉が低減され得る。
【０２３０】
S1005.UEは、マイクロ基地局にE-DCHサービスを送る。
【０２３１】
S1006.マイクロ基地局は、E-DCHサービスを受信した後にUEに第1のE-HICHを送る。
【０２３２】
S1007.RNCは、UEに第1の命令シグナリングを送る。
【０２３３】
第1の命令シグナリングは、マイクロ基地局によって送られた第1のE-HICHを受信するようにUEに指示するために使用され、第1のE-HICHは、マイクロ基地局がUEによって送られたE-DCHサービスを正しく受信するかどうかをUEに示すために使用される。第1の命令シグナリングは、第1のE-HICHのチャネル化コードおよびシグネチャシーケンスを含む。
【０２３４】
さらに、第1の命令シグナリングは、第1のE-HICHのタイミング情報をさらに含み、第1のE-HICHのタイミング情報は、UEが第1のE-HICHを受信するべき時間を示すために使用される。
【０２３５】
第1のE-HICHのタイミング情報は、マイクロ基地局のF-DPCHのタイミングオフセットτF-DPCHおよび/または記号位置の場合がある。
【０２３６】
さらに、第1の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信するときを示すために使用され、E-RGCHのタイミング情報は、マイクロ基地局の断片的なダウンリンク物理チャネルF-DPCHのタイミングオフセットτF-DPCH,nおよび/または記号位置である
をさらに含む。
【０２３７】
S1008.UEは、受信された第1のE-HICHによりE-DCHサービス送信を調整する。
【０２３８】
また、本実施形態は以下に適用可能である:周囲環境および建築による遮蔽などの条件によって影響を受ける2つのマクロ基地局について、異種混合ネットワークのマクロ基地局およびマイクロ基地局のものに類似する事例が引き起こされる場合があり、この場合、1つのマクロ基地局は、本実施形態のマイクロ基地局に類似している。
【０２３９】
図23は、本発明によるユーザ機器の実施形態4の図式的な構造図である。図23に示すように、本実施形態によるユーザ機器は、受信モジュール101および送信モジュール102を含むことができ、受信モジュール101は、アクセスネットワークの第1の基地局によって送られた、第1の向上された専用チャネルのハイブリッド自動再送要求インジケータチャネルE-HICHを受信するように構成され、第1の基地局は、UEの検出範囲内に位置し、UEの向上された専用チャネルE-DCHアクティブセットにない。送信モジュール102は、第1のE-HICHが肯定応答ACKを示す場合に、新しいE-DCHデータを送るように構成される。
【０２４０】
送信モジュール102は、第1のE-HICHが否定応答NACKを示す場合に、E-DCHデータを再送信するようにさらに構成される。
【０２４１】
第1の基地局がUEの検出範囲内に位置することは、
第1の基地局のものであり、UEによって測定されるダウンリンクパイロット品質は、事前設定された第1のしきい値より大きい
ことを含む。
【０２４２】
受信モジュール101は、第1の基地局によって送られた、第1の向上された専用チャネルのハイブリッド自動再送要求インジケータチャネルE-HICHを受信する前に、RNCによって送られた第1の命令シグナリングを受信するようにさらに構成され、第1の命令シグナリングは、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【０２４３】
第1の命令シグナリングは、
第1のE-HICHのタイミング情報であって、第1のE-HICHのタイミング情報は、UEが第1のE-HICHの各サブフレームを受信するべき開始時間位置を示すために使用される
ことをさらに含むことができる。第1のE-HICHのタイミング情報は、第1の基地局の断片的なダウンリンク物理チャネルF-DPCHのタイミングオフセットτF-DPCH,nおよび/または記号位置である場合がある。
【０２４４】
さらに、第1の命令シグナリングは、
向上された専用チャネル相対グラントチャネルE-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
を含む。
【０２４５】
E-RGCHのタイミング情報は、第1の基地局の断片的なダウンリンク物理チャネルF-DPCHのタイミングオフセットτF-DPCH,nおよび/または記号位置である。
【０２４６】
さらに、ユーザ機器は、受信モジュール101がRNCによって送られた第1の命令シグナリングを受信する前に、各サービスを提供するセルの共通パイロットチャネル品質を測定するように構成された処理モジュールをさらに含む。第1の基地局の共通パイロットチャネル品質は事前設定された第1のしきい値より大きいと処理モジュールが測定した場合、送信モジュール102は、UEによって、RNCに測定レポートを送るようにさらに構成され、それにより、RNCは、測定レポートにより、UEに第1の命令シグナリングを送る。
【０２４７】
本実施形態のユーザ機器は、図19に示した方法の実施形態の技術的解決策を実装するために使用され得、ユーザ機器の実装原理は類似しているため、本明細書に再び記述されていない。
【０２４８】
本実施形態によって提供されるユーザ機器によると、アクセスネットワークの第1の基地局がUEのE-DCHアクティブセットにない場合、UEは、第1の基地局によって送られたE-HICHを受信することができ、それにより、UEが、E-HICHにより、第1の基地局が、UEによって送られたE-DCHサービスを正しく受信したことを認識したときに、UEは、第1の基地局にE-DCHサービスを送ることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０２４９】
図24は、本発明による基地局の実施形態1の図式的な構造図である。図24に示すように、本実施形態による基地局は、受信モジュール111および送信モジュール112を含むことができ、受信モジュール111は、UEによって送られたE-DCHサービスを受信するように構成され、基地局はUEの検出範囲内に位置し、UEの向上された専用チャネルE-DCHアクティブセットになく、送信モジュール112は、UEに第1の向上された専用チャネルのハイブリッド自動再送要求インジケータチャネルE-HICHを送るように構成される。受信モジュール111は、第1のE-HICHが肯定応答ACKを示す場合、UEによって送られる新しいE-DCHデータを受信するようにさらに構成される。
【０２５０】
受信モジュールは、
第1のE-HICHが否定応答NACKを示す場合、UEによって再送信されるE-DCHデータを受信する
ように構成される。
【０２５１】
基地局がUEの検出範囲内に位置することは、
基地局のものであり、UEによって測定されるダウンリンクパイロット品質は、事前設定された第1のしきい値より大きい
ことを含む。
【０２５２】
さらに、受信モジュール111は、UEによって送られたE-DCHサービスを受信する前に、RNCによって送られた第2の命令シグナリングを受信するようにさらに構成され、第2の命令シグナリングは、UEによって送られたE-DCHサービスを受信するように第1の基地局に指示するために使用され、第2の命令シグナリングは、UEのアップリンクスクランブルコードと、第1のE-HICHのチャネル化コードおよびシグネチャシーケンスを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。
【０２５３】
第2の命令シグナリングは、
第1のE-HICHのタイミング情報であって、第1のE-HICHのタイミング情報は、第1のE-HICHの各サブフレームを送るために開始時間位置を示すために使用される
をさらに含むことができる。第1のE-HICHのタイミング情報は、第1の基地局の断片的なダウンリンク物理チャネルF-DPCHのタイミングオフセットτF-DPCH,nおよび/または記号位置である場合がある。
【０２５４】
さらに、第2の命令シグナリングは、
向上された専用チャネル相対グラントチャネルE-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
をさらに含むことができる。
【０２５５】
E-RGCHのタイミング情報は、第1の基地局のF-DPCHのタイミングオフセットτF-DPCH,nおよび/または記号位置である。
【０２５６】
本実施形態では、送信モジュール112は、
受信モジュール111がRNCによって送られた第2の命令シグナリングを受信する前に、RNCに受信能力メッセージを送り、受信能力メッセージは、第1の基地局がUEによって送られたE-DCHサービスを受信することができることを示すために使用される
ようにさらに構成される。
【０２５７】
本実施形態による基地局は、図20に示した方法の実施形態の技術的解決策を実行するように構成され得、基地局の実装原理は類似しているため、本明細書に再び記述されていない。
【０２５８】
本実施形態によって提供される基地局によると、アクセスネットワークの第1の基地局がUEのE-DCHアクティブセットにない場合、送信モジュールは、受信モジュールがUEによって送られたE-DCHサービスを受信した後に、UEにE-HICHを送り、それにより、送信モジュールは、E-HICHにより、第1の基地局が、UEによって送られたE-DCHサービスを正しく受信したことをUEが認識したときに、第1の基地局にE-DCHサービスを継続的に送ることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０２５９】
図25は、本発明による無線ネットワークコントローラの実施形態4の図式的な構造図である。図25に示すように、本実施形態による無線ネットワークコントローラは、処理モジュール121および送信モジュール122を含むことができ、処理モジュール121は、第1の命令シグナリングおよび第2の命令シグナリングを生成するように構成され、第1の命令シグナリングは、第1の基地局によって送られた、第1の向上された専用チャネルのハイブリッド自動再送要求インジケータチャネルE-HICHを受信するようにUEに指示するために使用され、第2の命令シグナリングは、UEによって送られたE-DCHサービスを受信するように第1の基地局に指示するために使用され、第1の基地局は、UEの検出範囲内に位置し、UEの向上された専用チャネルE-DCHアクティブセットにない。
送信モジュール122は、第1の基地局に第2の命令シグナリングを送るように構成され、第2の命令シグナリングは、UEのアップリンクスクランブルコードと、第1のE-HICHのチャネル化コードおよびシグネチャシーケンスとを含み、チャネル化コードは、第1のE-HICHによって占められるチャネルを復号するためにUEによって使用される拡散符号を示すために使用され、シグネチャシーケンスは、各E-HICHサブフレームを復号するためにUEによって使用される直交系列を示すために使用される。送信モジュール122は、UEに第1の命令シグナリングを送るようにさらに構成され、第1の命令シグナリングは、第1のE-HICHのチャネル化コードおよびシグネチャシーケンスを含む。
【０２６０】
第1の基地局がUEの検出範囲内に位置することは、
第1の基地局のものであり、UEによって測定されるダウンリンクパイロット品質は、事前設定された第1のしきい値より大きい
ことを含む。
【０２６１】
第1の命令シグナリングは、
第1のE-HICHのタイミング情報であって、第1のE-HICHのタイミング情報は、UEが第1のE-HICHの各サブフレームを受信するべき開始時間位置を示すために使用される
をさらに含む。
【０２６２】
第2の命令シグナリングは、第1のE-HICHのタイミング情報をさらに含むことができ、第1のE-HICHのタイミング情報は、第1のE-HICHの各サブフレームを送るために開始時間位置を示すために使用される。第1のE-HICHのタイミング情報は、第1の基地局の断片的なダウンリンク物理チャネルF-DPCHのタイミングオフセットτF-DPCH,nおよび/または記号位置である場合がある。
【０２６３】
さらに、第1の命令シグナリングおよび第2の命令シグナリングは、
E-RGCHのコードチャネルおよびシグネチャシーケンスであって、E-RGCHは、UEのE-DCH送信電力を制御するために使用される、または
E-RGCHのコードチャネルおよびシグネチャシーケンス、ならびにE-RGCHのタイミング情報であって、E-RGCHのタイミング情報は、UEがE-RGCHを受信したときを示すために使用される
をさらに含むことができる。E-RGCHのタイミング情報は、第1の基地局の断片的なダウンリンク物理チャネルF-DPCHのタイミングオフセットτF-DPCH,nおよび/または記号位置の場合がある。
【０２６４】
さらに、RNCは、受信モジュールをさらに含むことができ、受信モジュールは、処理モジュール121が第1の命令シグナリングおよび第2の命令シグナリングを生成する前に、UEによって送られた測定レポートを受信するように構成され、UEが、第1の基地局の共通パイロットチャネル品質は事前設定された第1のしきい値より大きいと測定した場合、測定レポートが送られる。
【０２６５】
本実施形態では、受信モジュールは、送信モジュール122が第1の基地局に第2の命令シグナリングを送る前に、第1の基地局によって送られた受信能力メッセージを受信するようにさらに構成され、受信能力メッセージは、第1の基地局がUEによって送られたE-DCHサービスを受信することができることを示すために使用される。
【０２６６】
本実施形態によるRNCは、図21に示した方法の実施形態の技術的解決策を実行するように構成され得、RNCの実装原理は類似しているため、本明細書に再び記述されていない。
【０２６７】
本実施形態によって提供されるRNCによると、アクセスネットワークの第1の基地局がUEのE-DCHアクティブセットにない場合、送信モジュールは、処理モジュールが第1の命令シグナリングおよび第2の命令シグナリングを生成した後、それぞれUEおよび第1の基地局に第1の命令シグナリングおよび第2の命令シグナリングを送り、それにより、UEは、第1の基地局によって送られたE-HICHを受信することができ、UEが、E-HICHにより、第1の基地局が、UEによって送られたE-DCHサービスを正しく受信したことを認識したときに、UEは、第1の基地局にE-DCHサービスを送ることができる。したがって、第1の基地局のアップリンク有効範囲は、HetNetのエッジ領域で送信のスループットレートおよび信頼性を改善するために良好に利用され得、さらに、UEが、図に示した領域Bにおいて、HetNetのサービス送信を実行するときに、第1の基地局に引き起こされるアップリンク干渉が低減され得る。
【０２６８】
図26に示すように、本発明の実施形態は、ネットワーク通信方法をさらに提供し、これは以下を含む。
【０２６９】
S261.アクセスネットワークのユーザ機器UEは、無線ネットワークコントローラRNCの第1の無線ネットワーク制御RRCシグナリングを受信し、UEは、第1のRRCシグナリングの命令により、UEの拡張された向上された専用チャネルE-DCHアクティブセットに第1の基地局を追加する。
【０２７０】
S262.UEは、第1の基地局の向上された専用チャネルのハイブリッド自動再送要求インジケータチャネルE-HICHを受信し、E-HICHが肯定応答ACKを示す場合、UEは、新しいE-DCHデータを送る。
【０２７１】
S263.UEがアクセスネットワークから専用チャネルDCHデータを受信しない場合、UEは、第1のRRCシグナリングの命令により、第1の基地局の断片的な専用物理チャネルF-DPCHを受信する機能を無効化し、RNCは、第1のRRCシグナリングからF-DPCHの構成情報を削除することによって、または第1のRRCシグナリングで事前設定された指示フィールドを使用することによって命令を完了する。
【０２７２】
S264.UEがアクセスネットワークからDCHデータを受信する場合、UEは、第1のRRCシグナリングの命令により、第1の基地局のダウンリンク専用物理データチャネルDPDCHを受信する機能を無効化し、RNCは、第1のRRCシグナリングからDPCHの構成情報を削除することによって、または第1のRRCシグナリングで事前設定された指示フィールドを使用することによって命令を完了する。
【０２７３】
本発明の実施形態では、既存のシグナリング、たとえば、前述の第1のRRCシグナリングは修正され得、そこの一部のフィールドまたは構成情報は、フィールドまたは構成情報に関係する機能を実行することを省略するようにUEに指示するために削除され得る。確かに、命令は、また、既存の第1のRRCシグナリングに指示フィールドを追加することによって実装され得るか、または第1のRRCシグナリングは、新しく定義されたシグナリングの場合があり、また、指示フィールドは、命令を実装するためにそこに追加され得る。
【０２７４】
実装方法では、UEがアクセスネットワークからDCHデータを受信する場合、方法は、UEによって、第1のRRCシグナリングの命令により第1の基地局のF-DPCHを受信するステップであって、F-DPCHは、UEに対して送信電力制御を実行するために使用される。
【０２７５】
別の実装方法では、UEがアクセスネットワークからDCHデータを受信する場合、方法は、UEによって、第1の基地局によって送られたダウンリンク専用物理制御チャネルDPCCHを受信する機能を無効化するステップをさらに含む。
【０２７６】
別の実装方法では、UEがUEのE-DCHアクティブセットに第1の基地局を追加した後、方法は、UEによって、ネットワークによって送られた第1の制御シグナリングを受信するステップと、第1の制御シグナリングの命令により第1の基地局のF-DPCHを受信するステップ、または第1の基地局によって送られたダウンリンクDPDCHを受信するステップであって、ダウンリンクDPDCHは、第1の基地局からUEによってDCH受信されたデータを運ぶために使用されるステップとをさらに含む。
【０２７７】
別の実装方法では、UEによって、第1の基地局によって送られたダウンリンクDPDCHを受信するステップは、UEによって、第1の基地局のダウンリンクDPCCHを受信するステップであって、ダウンリンクDPCCHは、UEに物理レイヤ制御シグナリングを送るために、第1の基地局によって使用されるステップをさらに含む。
【０２７８】
別の実装方法では、ネットワークによって送られた第1の制御シグナリングは、RNCによって送られた第2のRRCシグナリング、またはアクセスネットワークの第2の基地局によって送られた第1の物理レイヤシグナリングを含み、第2の基地局は、UEのE-DCHアクティブセットまたはDCHアクティブセットにある。
【０２７９】
別の実装方法では、UEによって、ネットワークによって送られた第1の制御シグナリングを受信するステップの前に、方法は、UEによって、各セルの共通パイロットチャネル品質を測定するステップと、UEが、第1の基地局の共通パイロットチャネル品質は事前設定された第1のしきい値より大きいと測定した場合、UEによって、RNCに測定レポートを送り、それにより、測定レポートにより、RNCはUEに第2のRRCシグナリングを送るか、またはRNCは、UEに第1の物理レイヤシグナリングを送るように第2の基地局に指示するステップをさらに含む。
【０２８０】
別の実装方法では、UEによって、第1の基地局のF-DPCHを受信するステップの前に、方法は、UEによって、第1の基地局のF-DPCHの構成情報を受信するステップであって、構成情報は、F-DPCHのチャネル化コード、フレームオフセット、およびタイムスロット形式の少なくとも1つを含むステップをさらに含む。
【０２８１】
別の実装方法では、第1の基地局のF-DPCHの構成情報は、第1の制御シグナリングで運ばれる。
【０２８２】
別の実装方法では、UEによって、第1の基地局のダウンリンクDPDCHを受信するステップの前に、方法は、UEによって、第1の基地局のダウンリンクDPCHの構成情報を受信するステップであって、ダウンリンクDPCHの構成情報は、DPCHのチャネル化コードまたはフレームオフセットに関する情報を含むステップをさらに含む。
【０２８３】
別の実装方法では、ダウンリンクDPCHの構成情報は、第1の制御シグナリングで運ばれる。
【０２８４】
図27に示すように、本発明の実施形態は、ネットワーク通信方法をさらに提供し、これは以下を含む。
【０２８５】
S271.アクセスネットワークのRNCは、第1のRRCシグナリングまたは第1のネットワークシグナリングを生成する。
【０２８６】
S272.RNCは、UEに第1のRRCシグナリングを送るか、またはアクセスネットワークの第1の基地局に第1のネットワークシグナリングを送り、第1のRRCシグナリングは、UEのE-DCHアクティブセットに第1の基地局を追加するようにUEに指示し、第1の基地局のE-HICHを受信するようにUEに指示するために使用され、第1のネットワークシグナリングは、UEによって送られたE-DCHデータを受信するように第1の基地局に指示し、UEにE-HICHを送るように第1の基地局に指示するために使用され、UEがアクセスネットワークからDCHデータを受信しない場合、第1のRRCシグナリングは、第1の基地局のF-DPCHを受信する機能を無効化するようにUEに指示し、RNCは、第1のRRCシグナリングからF-DPCHの構成情報を削除することによって、または第1のRRCシグナリングで事前設定された指示フィールドを設定することによって命令を完了するか、または第1のネットワークシグナリングは、F-DPCHを送る機能を無効化するように第1の基地局に指示し、RNCは、第1のネットワークシグナリングからF-DPCHの構成情報を削除することによって、または第1のネットワークシグナリングで事前設定された指示フィールドを設定することによって命令を完了し、UEがアクセスネットワークからDCHデータを受信する場合、第1のRRCシグナリングは、第1の基地局のダウンリンクDPDCHを受信する機能を無効化するようにUEに指示し、RNCは、第1のRRCシグナリングからDPCHの構成情報を削除することによって、または第1のRRCシグナリングで事前設定された指示フィールドを使用することによって命令を完了するか、または第1のネットワークシグナリングは、ダウンリンクDPDCHを送る機能を無効化するように第1の基地局に指示し、RNCは、第1のネットワークシグナリングからDPCHの構成情報を削除することによって、または第1のネットワークシグナリングで事前設定された指示フィールドを設定することによって命令を完了する。
【０２８７】
方法の実装方法では、UEがアクセスネットワークからDCHデータを受信する場合、第1のRRCシグナリングからDPCHの構成情報を削除することによって、RNCが命令を完了することは、第1のRRCシグナリングは、第1の基地局のF-DPCHを受信するようにUEに指示し、F-DPCHは、UEに対してアップリンク送信電力制御を実行するために使用され、第1のネットワークシグナリングは、UEにF-DPCHを送るように第1の基地局に指示することを含む。
【０２８８】
方法の別の実装方法では、第1のRRCシグナリングは、第1の基地局のダウンリンクDPDCHを受信する機能を無効化するようにUEに指示することは、第1のネットワークシグナリングは、UEにDPCCHを送る機能を無効化するように第1の基地局に指示するか、または第1のRRCシグナリングは、第1の基地局のダウンリンクDPCCHを受信する機能を無効化するようにUEにさらに指示することをさらに含む。
【０２８９】
方法の別の実装方法では、RNCによって、UEに第1のRRCシグナリングおよび第1の基地局に第1のネットワークシグナリングを送信するステップの後に、方法は、RNCによって、第2のRRCシグナリングを生成するステップと、RNCによって、UEに第2のRRCシグナリングを送るステップと、を含み、UEがアクセスネットワークからDCHデータを受信しない場合、第2のRRCシグナリングは、第1の基地局によって送られたF-DPCHを受信するようにUEに指示するために使用され、UEがアクセスネットワークからDCHデータを受信する場合、第2のRRCシグナリングは、第1の基地局によって送られたダウンリンクDPDCHを受信するようにUEに指示するために使用される。
【０２９０】
方法の別の実装方法では、UEがアクセスネットワークからDCHデータを受信する場合、第2のRRCシグナリングは、第1の基地局によって送られたダウンリンクDPDCHを受信するようにUEに指示するために使用されることは、第2のRRCシグナリングは、第1の基地局によって送られたダウンリンクDPCCHを受信するようにUEに指示することをさらに含む。
【０２９１】
方法の別の実装方法では、方法は、UEがアクセスネットワークからDCHデータを受信しない場合、第2のRRCシグナリングは、F-DPCHの構成情報を含み、UEがアクセスネットワークからDCHデータを受信する場合、第2のRRCシグナリングは、第1の基地局のダウンリンクDPCHの構成情報を含む。
【０２９２】
方法の別の実装方法では、方法は、RNCによって、第2のネットワークシグナリングを生成するステップと、RNCによって、第1の基地局に第2のネットワークシグナリングを送るステップと、UEがアクセスネットワークからDCHデータを受信しない場合、第2のネットワークシグナリングは、UEにF-DPCHを送るように第1の基地局に指示するために使用され、UEがアクセスネットワークからDCHデータを受信する場合、第2のネットワークシグナリングは、UEにダウンリンクDPDCHを送るように第1の基地局に指示するために使用されることをさらに含む。
【０２９３】
方法の別の実装方法では、UEがアクセスネットワークからDCHデータを受信する場合、第2のネットワークシグナリングは、UEにDPDCHを送るように第1の基地局に指示するために使用されることは、第2のネットワークシグナリングは、UEにダウンリンクDPCCHを送るように第1の基地局に指示することをさらに含む。
【０２９４】
方法の別の実装方法では、方法は、UEがアクセスネットワークからDCHデータを受信しない場合、第2のネットワークシグナリングは、F-DPCHの構成情報を含み、UEがアクセスネットワークからDCHデータを受信する場合、第2のネットワークシグナリングは、第1の基地局のダウンリンクDPCHの構成情報を含むことをさらに含む。
【０２９５】
別の実装方法では、RNCが第2のRRCシグナリングを生成する前に、方法は、RNCによって、UEによって送られた測定レポートを受信するステップであって、測定レポートは、UEに第2のRRCシグナリングを送るようにRNCに指示するために使用されるステップをさらに含む。
【０２９６】
図28に示すように、本発明の実施形態は、ネットワーク通信方法をさらに提供し、これは以下を含む。
【０２９７】
S281.アクセスネットワークの第1の基地局は、無線ネットワークコントローラRNCによって送られた第1のネットワークシグナリングを受信し、第1のネットワークシグナリングの命令により、アクセスネットワークのユーザ機器UEによって送られたE-DCHデータを受信し、UEにE-HICHを送る。
【０２９８】
S282.UEがアクセスネットワークからDCHデータを受信しない場合、第1の基地局は、第1のネットワークシグナリングの命令により、UEにF-DPCHを送る機能を無効化する。
【０２９９】
S283.UEがアクセスネットワークからDCHデータを受信する場合、第1の基地局は、第1のネットワークシグナリングの命令により、UEにダウンリンクDPDCHを送る機能を無効化する。
【０３００】
方法の実装方法では、RNCは、第1のネットワークシグナリングからF-DPCHの構成情報を削除することによって、または第1のネットワークシグナリングで事前設定された指示フィールドを設定することによって命令を完了する。
【０３０１】
方法の別の実装方法では、UEがアクセスネットワークからDCHデータを受信する場合、第1の基地局が、UEにダウンリンクDPDCHを送る機能を無効化することは、第1の基地局によって、UEにF-DPCHを送るステップであって、F-DPCHは、UEに対してアップリンク送信電力制御を実行するために第1の基地局によって使用されるステップをさらに含む。
【０３０２】
方法の別の実装方法では、UEがアクセスネットワークからDCHデータを受信する場合、第1の基地局が、UEにダウンリンクDPDCHを送る機能を無効化することは、第1の基地局によって、UEにダウンリンクDPCCHを送る機能を無効にするステップをさらに含む。
【０３０３】
方法の別の実装方法では、第1の基地局が第1のRRCシグナリングを受信した後、方法は、第1の基地局によって、RNCによって送られた第2のRRCシグナリングを受信するステップと、UEがアクセスネットワークからDCHデータを受信しない場合、第1の基地局によって、第2のRRCシグナリングの命令によりUEにF-DPCHを送るステップと、UEがアクセスネットワークからDCHデータを受信する場合、第1の基地局によって、第2のRRCシグナリングの命令によりUEにダウンリンクDPDCHを送るステップとをさらに含む。
【０３０４】
方法の別の実装方法では、方法は、UEがアクセスネットワークからDCHデータを受信しない場合、第1の基地局によって受信された第1のネットワークシグナリングは、F-DPCHの構成情報を含み、UEがアクセスネットワークからDCHデータを受信する場合、第1の基地局によって受信された第1のネットワークシグナリングは、ダウンリンクDPCHの構成情報を含むことをさらに含む。
【０３０５】
方法の別の実装方法では、UEがアクセスネットワークからDCHデータを受信する場合、第1の基地局によって、UEにダウンリンクDPDCHを送るステップは、第1の基地局によって、UEにダウンリンクDPCCHを送るステップをさらに含む。
【０３０６】
図29に示すように、本発明の実施形態は、アクセスネットワークのユーザ機器UE290をさらに提供し、無線ネットワークコントローラRNCの第1の無線ネットワーク制御RRCシグナリングを受信し、第1のRRCシグナリングの命令によりUEの拡張向上された専用チャネルE-DCHアクティブセットに第1の基地局を追加し、第1の基地局の向上された専用チャネルのハイブリッド自動再送要求インジケータチャネルE-HICHを受信し、E-HICHが肯定応答ACKを示す場合、新しいE-DCHデータを送るように構成された無線送受信ユニット291と、UEがアクセスネットワークから専用チャネルDCHデータを受信しない場合、第1のRRCシグナリングの命令により、第1の基地局の断片的な専用物理チャネルF-DPCHを受信する機能を無効化し、RNCは、第1のRRCシグナリングからF-DPCHの構成情報を削除することによって、または第1のRRCシグナリングで事前設定された指示フィールドを使用することによって命令を完了し、UEがアクセスネットワークからDCHデータを受信する場合、第1のRRCシグナリングの命令により、第1の基地局のダウンリンク専用物理データチャネルDPDCHを受信する機能を無効化し、RNCは、第1のRRCシグナリングからDPCHの構成情報を削除することによって、または第1のRRCシグナリングで事前設定された指示フィールドを使用することによって命令を完了するように構成された処理ユニット292とを含む。
【０３０７】
実装方法では、UEがアクセスネットワークからDCHデータを受信する場合、無線送受信ユニット291は、第1のRRCシグナリングの命令により第1の基地局のF-DPCHを受信するようにさらに構成され、F-DPCHは、UEに対して送信電力制御を実行するために使用される。
【０３０８】
別の実装方法では、UEがアクセスネットワークからDCHデータを受信する場合、処理ユニット292は、第1の基地局によって送られたダウンリンク専用物理制御チャネルDPCCHを受信する機能を無効化するようにさらに構成される。
【０３０９】
別の実装方法では、UEのE-DCHアクティブセットに第1の基地局を追加した後、無線送受信ユニット291は、ネットワークによって送られた第1の制御シグナリングを受信し、第1の制御シグナリングの命令により第1の基地局のF-DPCHを受信するか、または第1の基地局によって送られたダウンリンクDPDCHを受信し、ダウンリンクDPDCHは、第1の基地局からUEによって受信されたDCHデータを運ぶために使用されるようにさらに構成される。
【０３１０】
別の実装方法では、無線送受信ユニット291は、第1の基地局のダウンリンクDPCCHを受信するようにさらに構成され、ダウンリンクDPCCHは、UEに物理レイヤ制御シグナリングを送るために、第1の基地局によって使用される。
【０３１１】
別の実装方法では、ネットワークによって送られた第1の制御シグナリングは、RNCによって送られた第2のRRCシグナリング、またはアクセスネットワークの第2の基地局によって送られた第1の物理レイヤシグナリングであって、第2の基地局は、UEのE-DCHアクティブセットまたはDCHアクティブセットにある第1の物理レイヤシグナリングを含む。
【０３１２】
方法の別の実装方法では、ネットワークによって送られた第1の制御シグナリングを受信する前に、無線送受信ユニット291は、各セルの共通パイロットチャネル品質を測定し、第1の基地局の共通パイロットチャネル品質は事前設定された第1のしきい値より大きいと測定した場合、RNCに測定レポートを送るため、測定レポートにより、RNCはUEに第2のRRCシグナリングを送るか、またはRNCは、UEに第1の物理レイヤシグナリングを送るように第2の基地局に指示するようにさらに構成される。
【０３１３】
別の実装方法では、第1の基地局のF-DPCHを受信する前に、無線送受信ユニット291は、第1の基地局のF-DPCHの構成情報を受信するようにさらに構成され、構成情報は、F-DPCHのチャネル化コード、フレームオフセット、およびタイムスロット形式の少なくとも1つを含む。
【０３１４】
別の実装方法では、第1の基地局のF-DPCHの構成情報は、第1の制御シグナリングで運ばれる。
【０３１５】
別の実装方法では、第1の基地局のダウンリンクDPDCHを受信する前に、無線送受信ユニット291は、第1の基地局のダウンリンクDPCHの構成情報を受信するようにさらに構成され、ダウンリンクDPCHの構成情報は、DPCHのチャネル化コードまたはフレームオフセットに関する情報を含む。
【０３１６】
別の実装方法では、ダウンリンクDPCHの構成情報は、第1の制御シグナリングで運ばれる。
【０３１７】
図30に示すように、本発明の実施形態は、アクセスネットワークのRNC300をさらに提供し、第1のRRCシグナリングまたは第1のネットワークシグナリングを生成するように構成された処理ユニット3001と、UEに第1のRRCシグナリングを送るか、またはアクセスネットワークの第1の基地局に第1のネットワークシグナリングを送るように構成された無線送受信ユニット3002とを含み、第1のRRCシグナリングは、UEのE-DCHアクティブセットに第1の基地局を追加するように指示し、第1の基地局のE-HICHを受信するようにUEに指示するために使用され、第1のネットワークシグナリングは、UEによって送られたE-DCHデータを受信するように第1の基地局に指示し、UEにE-HICHを送るように第1の基地局に指示するために使用され、UEがアクセスネットワークからDCHデータを受信しない場合、第1のRRCシグナリングは、第1の基地局のF-DPCHを受信する機能を無効化するようにUEに指示し、処理ユニット3001は、第1のRRCシグナリングからF-DPCHの構成情報を削除することによって、または第1のRRCシグナリングで事前設定された指示フィールドを設定することによって命令を完了するか、または第1のネットワークシグナリングは、F-DPCHを送る機能を無効化するように第1の基地局に指示し、処理ユニット3001は、第1のネットワークシグナリングからF-DPCHの構成情報を削除することによって、または第1のネットワークシグナリングで事前設定された指示フィールドを設定することによって命令を完了し、UEがアクセスネットワークからDCHデータを受信する場合、第1のRRCシグナリングは、第1の基地局のダウンリンクDPDCHを受信する機能を無効化するようにUEに指示し、処理ユニット3001は、第1のRRCシグナリングからDPCHの構成情報を削除することによって、または第1のRRCシグナリングで事前設定された指示フィールドを使用することによって命令を完了するか、または第1のネットワークシグナリングは、ダウンリンクDPDCHを送る機能を無効化するように第1の基地局に指示し、処理ユニット3001は、第1のネットワークシグナリングからDPCHの構成情報を削除することによって、または第1のネットワークシグナリングで事前設定された指示フィールドを設定することによって命令を完了する。
【０３１８】
実装方法では、UEがアクセスネットワークからDCHデータを受信する場合、第1のRRCシグナリングは、第1の基地局のF-DPCHを受信するようにUEに指示し、F-DPCHは、UEに対してアップリンク送信電力制御を実行するために使用され、第1のネットワークシグナリングは、UEにF-DPCHを送るように第1の基地局に指示する。
【０３１９】
別の実装方法では、第1のネットワークシグナリングは、UEにDPCCHを送る機能を無効化するように第1の基地局に指示するか、または第1のRRCシグナリングは、第1の基地局のダウンリンクDPCCHを受信する機能を無効化するようにUEにさらに指示する。
【０３２０】
別の実装方法では、無線送受信ユニット3002がUEに第1のRRCシグナリングを送り、第1の基地局に第1のネットワークシグナリングを送った後、処理ユニット3001は、第2のRRCシグナリングを生成するようにさらに構成され、無線送受信ユニット3002は、UEに第2のRRCシグナリングを送るようにさらに構成され、UEがアクセスネットワークからDCHデータを受信しない場合、第2のRRCシグナリングは、第1の基地局によって送られたF-DPCHを受信するようにUEに指示するために使用され、UEがアクセスネットワークからDCHデータを受信する場合、第2のRRCシグナリングは、第1の基地局によって送られたダウンリンクDPDCHを受信するようにUEに指示するために使用される。
【０３２１】
別の実装方法では、UEがアクセスネットワークからDCHデータを受信する場合、第2のRRCシグナリングは、第1の基地局によって送られたダウンリンクDPCCHを受信するようにUEに指示する。
【０３２２】
別の実装方法では、UEがアクセスネットワークからDCHデータを受信しない場合、第2のRRCシグナリングは、F-DPCHの構成情報を含み、UEがアクセスネットワークからDCHデータを受信する場合、第2のRRCシグナリングは、第1の基地局のダウンリンクDPCHの構成情報を含む。
【０３２３】
別の実装方法では、処理ユニット3001は、第2のネットワークシグナリングを生成するようにさらに構成され、無線送受信ユニット3002は、第1の基地局に第2のネットワークシグナリングを送るようにさらに構成され、UEがアクセスネットワークからDCHデータを受信しない場合、第2のネットワークシグナリングは、UEにF-DPCHを送るように第1の基地局に指示するために使用され、UEがアクセスネットワークからDCHデータを受信する場合、第2のネットワークシグナリングは、UEにDPDCHを送るように第1の基地局に指示するために使用される。
【０３２４】
別の実装方法では、UEがアクセスネットワークからDCHデータを受信する場合、第2のネットワークシグナリングは、UEにダウンリンクDPCCHを送るように第1の基地局にさらに指示する。
【０３２５】
別の実装方法では、UEがアクセスネットワークからDCHデータを受信しない場合、第2のネットワークシグナリングは、F-DPCHの構成情報を含み、UEがアクセスネットワークからDCHデータを受信する場合、第2のネットワークシグナリングは、第1の基地局のダウンリンクDPCHの構成情報を含む。
【０３２６】
別の実装方法では、処理ユニット3001が第2のRRCシグナリングを生成する前に、無線送受信ユニット3002は、UEによって送られた測定レポートを受信するようにさらに構成され、測定レポートは、UEに第2のRRCシグナリングを送るようにRNCに指示するために使用される。
【０３２７】
図31に示すように、本発明の実施形態は、アクセスネットワークの第1の基地局310をさらに提供し、無線ネットワークコントローラRNCによって送られた第1のネットワークシグナリングを受信するように構成された無線送受信ユニット311であって、第1のネットワークシグナリングの命令により、アクセスネットワークのユーザ機器UEによって送られたE-DCHデータを受信し、UEにE-HICHを送る無線送受信ユニット311と、UEがアクセスネットワークからDCHデータを受信しない場合、第1のネットワークシグナリングの命令により、UEにF-DPCHを送る機能を無効化し、UEがアクセスネットワークからDCHデータを受信する場合、第1のネットワークシグナリングの命令により、UEにダウンリンクDPDCHを送る機能を無効化するように構成された処理ユニット312とを含む。
【０３２８】
実装方法では、RNCは、第1のネットワークシグナリングからF-DPCHの構成情報を削除することによって、または第1のネットワークシグナリングで事前設定された指示フィールドを設定することによって命令を完了する。
【０３２９】
別の実装方法では、UEがアクセスネットワークからDCHデータを受信する場合、無線送受信ユニット311は、UEにF-DPCHを送るようにさらに構成され、F-DPCHは、UEに対してアップリンク送信電力制御を実行するために第1の基地局によって使用される。
【０３３０】
別の実装方法では、UEがアクセスネットワークからDCHデータを受信する場合、無線送受信ユニット311は、UEにダウンリンクDPCCHを送る機能を無効にするようにさらに構成される。
【０３３１】
別の実装方法では、無線送受信ユニット311は、第1のネットワークシグナリングを受信した後、RNCによって送られた第2のネットワークシグナリングを受信するようにさらに構成され、処理ユニット312は、UEがアクセスネットワークからDCHデータを受信しない場合、第2のRRCシグナリングの命令により、UEにF-DPCHを送り、UEがアクセスネットワークからDCHデータを受信する場合、第2のRRCシグナリングの命令により、UEにダウンリンクDPDCHを送るようにさらに構成される。
【０３３２】
別の実装方法では、無線送受信ユニット311は、UEがアクセスネットワークからDCHデータを受信しない場合、受信された第1のネットワークシグナリングは、F-DPCHの構成情報を含み、UEがアクセスネットワークからDCHデータを受信する場合、受信された第1のネットワークシグナリングは、ダウンリンクDPCHの構成情報を含むようにさらに構成される。
【０３３３】
別の実装方法では、UEがアクセスネットワークからDCHデータを受信する場合、無線送受信ユニット311は、UEにダウンリンクDPCCHを送るようにさらに構成される。
【０３３４】
実施形態では、UE、RNC、または基地局など装置は、たとえば集積回路またはPCBボードなどのハードウェアを使用することによって実装され得ることに留意されたい。たとえば送受信装置(Transceiver)など任意の無線送受信ユニットが無線周波数ユニットになり得、限定しないがベースバンド処理装置または中央処理装置を含む任意の処理ユニットがプロセッサになり得る。
【０３３５】
実施形態では、UEが基地局ノードBにE-DCHデータ(高速アップリンクパケットサービス)を送る場合、受信されたダウンリンクチャネルは、以下の2つのケースがある場合があることに留意されたい:
E-DCHデータを送るときに、UEは、また、DCHデータ(これは一般的に音声または上位レイヤ制御シグナリングである)を受信し、DCHデータは、ダウンリンクDPCHで運ばれ、DPCHは、時間に関して2つの部分、すなわちDPDCHおよびDPCCHに分割され得、DPDCHはDCHデータを運び、DPCCHは、送信電力制御TPC(Transmit Power Control)、パイロット、および送信フォーマット結合指示TFCI(Transmit Format Combination Indication)など物理的制御情報を運び、これはDCHデータを受信するために必要であり、
E-DCHデータを送るときにUEがDCHデータを受信しなければ、従来技術では、UEは、DPCHを受信する必要はない(また要求されない)が、F-DPCHを受信する必要があり、F-DPCHは、UEに対してアップリンク電力制御を実行するために、送信電力制御TPCを運ぶ。
【０３３６】
本発明の本実施形態では、UEは、図1に示した領域Bにおいて、LPN(低電力ノード、すなわちマイクロ基地局、これは図26から図31に述べられた第1の基地局に対応する)をE-DCHアクティブセットに追加することができ、LPNは、UEによって送られたE-DCHデータを受信することができるが、LPNのダウンリンク品質は低い。以下は、これを考慮する。
【０３３７】
UEがE-DCHデータを送るのみであり、ネットワークからDCHデータを受信しない場合、従来技術によると、UEは、LPNからF-DPCHを受信するべきである。しかしながら、LPNのダウンリンク品質が低いので、本発明の本実施形態では、LPNの電力オーバヘッドを低減し、UEの電力オーバヘッドを低減し、LPNの低いダウンリンク送信品質によって引き起こされた非常に高いエラー率によるUEのアップリンク送信への影響を回避するために、UEは、LPNのF-DPCHを受信しない場合があり、LPNは、F-DPCHを送信しない場合もある。
【０３３８】
従来技術によると、E-DCHデータを送るときに、UEが、また、ネットワークからDCHデータを受信すると、UEは、また、LPNからDCHを受信するべきである。すなわち、DPCCHおよびDPDCHの両方を受信するべきである。しかしながら、LPNのダウンリンク品質が低いので、DPCCHおよびDPDCHのエラー率はより高い。本実施形態では、UEは、LPNからDPDCHを受信しないが、DPCCHで運ばれる一部の制御情報をまだ受信するか、またはUEはDPCCHも受信せず、これにより、UEがダウンリンクチャネルを受信するための電力オーバヘッドがさらに低減する。LPNがUEに対してアップリンク電力制御を実行する必要がある場合、UEは、LPNによって送られたF-DPCHを受信することができ、F-DPCHの送信電力オーバヘッドおよび受信電力オーバヘッドは、DPCCHのものより小さく、UEは、UEのアップリンク電力送信を調整するためにF-DPCHでTPCを復号する。UEが領域Bから領域Cに移動する場合、LPNのダウンリンク品質は徐々に良好になり、RNCは、従来技術のソフトハンドオーバプロセスに返すためにUEを制御する。UEがネットワークからDCHデータを受信する場合、本実施形態では、ネットワークシグナリングは、LPNによって送られたDPCHを受信し始めるようにUEに指示するために使用される。UEがネットワークからDCHデータを受信しない場合、本実施形態では、ネットワークシグナリングは、LPNによって送られたF-DPCHを受信するようにUEに指示するために使用される。
【０３３９】
要約すると、本発明の実施形態では、必要な場合、UEが、F-DPCH、DPCCH、またはDPDCHを受信するように、明示的または暗黙的な方法が使用される。たとえば、1つの基地局からUEへのダウンリンク品質が低下した場合、UEの一部の受信機は柔軟に無効化され得るか、またはUEに対する対応する送信機能は無効化され得るので、基地局によって低品質無線リンクを送るための送信電力消費を減らすことができ、また、UEによって低品質無線リンクを受信するための受信電力消費を減らし、ネットワーク通信への低下したリンク品質の影響を低減することができる。さらに、基地局およびRNCは、別のUEにサービスを提供するために、無効化されている無線リンクを使用することができ、これによりネットワークのダウンリンク容量が改善される。
【０３４０】
本発明で提供される複数の実施形態では、開示された装置および方法は、他の方法で実装され得ることを理解するべきである。たとえば、記述された装置の実施形態は単に代表を表すものである。たとえば、ユニット区分は、単に論理的な機能の区分であり、実際の実装では他の区分の場合がある。たとえば、複数のユニットまたは構成要素は、別のシステムに組み込むか、もしくは統合され得、または一部の特徴は無視されるか、または実行されない場合がある。さらに、表示もしくは記述された相互の結合もしくは直接的な結合、または通信接続は、一部のインターフェースを通じて実装され得る。装置またはユニットの間の間接的な結合または通信接続は、電子、機械、または他の形態で実装され得る。
【０３４１】
別の部分として記述されたユニットは、物理的に分かれているか、または分かれていない場合があり、ユニットとして表示された部分は、物理的なユニットであるか、または物理的なユニットでない場合があり、1つの場所に位置し得るか、または複数のネットワークユニットに分散され得る。実施形態の解決策の目的を達成するために、ユニットの一部またはすべては、実際のニーズにより選択され得る。
【０３４２】
さらに、本発明の実施形態の機能ユニットは、1つの処理ユニットへと統合され得るか、またはユニットの各々は、物理的に単独で存在することができるか、または2つ以上のユニットは、1つのユニットへと統合される。統合されたユニットは、ハードウェアの形態で実装され得るか、またはソフトウェア機能ユニットに加えてハードウェアの形態で実装され得る。
【０３４３】
前述の統合されたユニットがソフトウェア機能ユニットの形態で実装される場合、統合されたユニットは、コンピュータ可読記憶媒体に格納され得る。ソフトウェア機能ユニットは、記憶媒体に格納され、本発明の実施形態に記述されている方法のステップの一部を実行するように、コンピュータデバイス(パーソナルコンピュータ、サーバ、またはネットワークデバイスの場合がある)またはプロセッサに指示するための複数の命令を含む。前述の記憶媒体は、USBフラッシュドライブ、リムーバブルハードディスク、読み取り専用メモリ(Read-Only Memory、ROM)、ランダムアクセスメモリ(Random Access Memory、RAM)、磁気ディスク、または光ディスクなどプログラムコードを格納することができる任意の媒体を含む。
【０３４４】
便利かつ簡潔な記述を目的として、前述の機能モジュールの区分は、説明のための実例として理解されることを当業者は明白に理解されるであろう。実際の用途では、前述の機能は、異なる機能モジュールに割り当てられ得、要件により実装され得る。すなわち、上に記述された機能のすべてまたは一部を実装するために、装置の内部構造は、異なる機能モジュールへと分割される。前述の装置の詳細な作業プロセスについて、前述の方法の実施形態において対応するプロセスが参照され得るため、詳細は本明細書に再び記述されていない。
【０３４５】
最後に、前述の実施形態は、単に、本発明の技術的解決策を記述することを意図するものであり、本発明を制限することを意図するものではないことに留意されたい。本発明は、前述の実施形態に関して詳細に記述されているが、当業者であれば、本発明の実施形態の技術的解決策の範囲から逸脱することなく、さらに、前述の実施形態に記述されている技術的解決策に修正を行えること、またはその一部またはすべての技術的特徴に等価な置き換えを行えることを理解されるであろう。
【符号の説明】
【０３４６】
11  受信モジュール
12  処理モジュール
13  第1の測定モジュール
14  第1の送信モジュール
15  第2の測定モジュール
16  第2の送信モジュール
21  生成モジュール
22  送信モジュール
23  第1の受信モジュール
24  第2の受信モジュール
31  受信モジュール
32  処理モジュール
33  送信モジュール
41  受信モジュール
42  送信モジュール
101  受信モジュール
102  送信モジュール
111  受信モジュール
112  送信モジュール
121  処理モジュール
122  送信モジュール
290  UE、ユーザ機器
291  無線送受信ユニット
292  処理ユニット
300  RNC
311  無線送受信ユニット
312  処理ユニット
3001  処理ユニット
3002  無線送受信ユニット
【国際調査報告】
2016527775.tif 000034
2016527775.tif 000035
2016527775.tif 000036
2016527775.tif 000037